(57)【要約】【課題】遊技ユニットが取付完了位置から不用意に変位された場合に、遊技に影響を与えることを抑制できる遊技機を提供すること。【解決手段】正面板の群（基端側正面板５４１、先端側正面板５４２及び側部正面板５４３）と背面板の群（基端側背面板５５１、先端側背面板１０５５２及び側部背面板１０５５３）との間に隙間が形成される。よって、遊技盤ユニット１３が取付完了位置から不用意に変位されたとしても、かかる変位が上記隙間に相当する距離に達するまでの間（即ち、隙間が詰まるまでの間）は、接続の解除が開始されることを抑制でき、その結果、遊技への影響を抑制できる。【選択図】図４４
2020058907.tif 000002
【特許請求の範囲】
【請求項１】
電気部品が搭載される遊技ユニットと、その遊技ユニットを支持する支持部材とを備える遊技機において、
前記遊技ユニットの前記支持部材に対面する側に配設されるユニット側コネクタと、
前記支持部材の前記遊技ユニットに対面する側に配設され、前記支持部材における取付完了位置へ向けて前記遊技ユニットが変位されることで前記ユニット側コネクタと接続されると共に、前記支持部材における取付完了位置から前記遊技ユニットが変位されることで前記ユニット側コネクタとの接続が解除される支持側コネクタと、を備え、
前記ユニット側コネクタ又は支持側コネクタの少なくとも一方は、前記遊技ユニットまたは支持部材に配設される台座と、その台座に前記接続の方向と直交する方向への変位が許容された状態で保持されるコネクタと、前記台座に対して前記コネクタが前記接続時に前記接続の方向に沿って変位することを規制する接続側規制手段と、前記台座に対して前記コネクタが前記接続の解除時に前記接続の方向に沿って変位することを規制する解除側規制手段と、を備え、
前記接続側規制手段による規制位置と前記解除側規制手段による規制位置との間に所定の隙間が形成されていることを特徴とする遊技機。
【請求項２】
前記ユニット側コネクタおよび支持側コネクタは、それらユニット側コネクタ及び支持側コネクタのそれぞれに配設される一対一組の接点を複数組備え、
前記接続側規制手段による規制位置と前記解除側規制手段による規制位置との間に形成される所定の隙間は、前記複数組の接点の列設方向一側における隙間が、前記複数組の接点の列設方向他側における隙間よりも大きくされることを特徴とする請求項１記載の遊技機。
【請求項３】
前記支持部材の前面に配設されると共に幅方向一方の側縁が前記支持部材の幅方向一方の側縁に回転可能に軸支され前記幅方向一方の側縁を中心に回転されることで前記支持部材に対して開閉される前面側部材を備え、
前記複数組の接点の列設方向が前記支持部材の幅方向に沿って配設されると共に、
前記接続側規制手段による規制位置と前記解除側規制手段による規制位置との間に形成される所定の隙間は、前記支持部材の幅方向一方の側縁から遠い側における隙間が、前記支持部材の幅方向一方の側縁に近い側における隙間よりも大きくされることを特徴とする請求項１又は２に記載の遊技機。
【発明の詳細な説明】
【技術分野】
【０００１】
本発明は、パチンコ機などの遊技機に関するものである。
【背景技術】
【０００２】
パチンコ機等の遊技機において、支持部材における取付完了位置へ向けて遊技ユニットが変位されることで、遊技ユニットのユニット側コネクタと支持部材の支持側コネクタとが接続される一方、支持部材における取付完了位置から遊技ユニットが変位されることで、遊技ユニットのユニット側コネクタと支持部材の支持側コネクタとの接続が解除される遊技機が知られている（特許文献１）。
【０００３】
支持部材の前面には、前面側部材（前面枠）が配設されており、前面側部材は、幅方向一方の側縁が支持部材の幅方向一方の側縁に回転可能に軸支され、その軸支部分を中心に回転されることで、支持部材に対して開閉可能とされる。
【先行技術文献】
【特許文献】
【０００４】
【特許文献１】特開２０１３−８１８１８号公報
【発明の概要】
【発明が解決しようとする課題】
【０００５】
しかしながら、上述した従来の遊技機では、例えば、遊技中に前面側部材を開いて作業を行おうとした際に、遊技ユニットが取付完了位置から不用意に変位されると、ユニット側コネクタ及び支持側コネクタの接続が解除され、遊技に影響を与えるおそれがあるという問題点があった。
【０００６】
本発明は、上記例示した問題点を解決するためになされたものであり、遊技ユニットが取付完了位置から不用意に変位された場合に、遊技に影響を与えることを抑制できる遊技機を提供することを目的とする。
【課題を解決するための手段】
【０００７】
この目的を達成するために請求項１記載の遊技機は、電気部品が搭載される遊技ユニットと、その遊技ユニットを支持する支持部材とを備えるものであり、前記遊技ユニットの前記支持部材に対面する側に配設されるユニット側コネクタと、前記支持部材の前記遊技ユニットに対面する側に配設され、前記支持部材における取付完了位置へ向けて前記遊技ユニットが変位されることで前記ユニット側コネクタと接続されると共に、前記支持部材における取付完了位置から前記遊技ユニットが変位されることで前記ユニット側コネクタとの接続が解除される支持側コネクタと、を備え、前記ユニット側コネクタ又は支持側コネクタの少なくとも一方は、前記遊技ユニットまたは支持部材に配設される台座と、その台座に前記接続の方向と直交する方向への変位が許容された状態で保持されるコネクタと、前記台座に対して前記コネクタが前記接続時に前記接続の方向に沿って変位することを規制する接続側規制手段と、前記台座に対して前記コネクタが前記接続の解除時に前記接続の方向に沿って変位することを規制する解除側規制手段と、を備え、前記接続側規制手段による規制位置と前記解除側規制手段による規制位置との間に所定の隙間が形成されている。
【０００８】
請求項２記載の遊技機は、請求項１記載の遊技機において、前記ユニット側コネクタおよび支持側コネクタは、それらユニット側コネクタ及び支持側コネクタのそれぞれに配設される一対一組の接点を複数組備え、前記接続側規制手段による規制位置と前記解除側規制手段による規制位置との間に形成される所定の隙間は、前記複数組の接点の列設方向一側における隙間が、前記複数組の接点の列設方向他側における隙間よりも大きくされる。
【０００９】
請求項３記載の遊技機は、請求項１又は２に記載の遊技機において、前記支持部材の前面に配設されると共に幅方向一方の側縁が前記支持部材の幅方向一方の側縁に回転可能に軸支され前記幅方向一方の側縁を中心に回転されることで前記支持部材に対して開閉される前面側部材を備え、前記複数組の接点の列設方向が前記支持部材の幅方向に沿って配設されると共に、前記接続側規制手段による規制位置と前記解除側規制手段による規制位置との間に形成される所定の隙間は、前記支持部材の幅方向一方の側縁から遠い側における隙間が、前記支持部材の幅方向一方の側縁に近い側における隙間よりも大きくされる。
【発明の効果】
【００１０】
請求項１記載の遊技機によれば、接続側規制手段による規制位置と解除側規制手段による規制位置との間に所定の隙間が形成されているので、支持部材における取付完了位置から遊技ユニットが不用意に変位されたとしても、その変位が両規制手段による規制位置の間の隙間に相当する距離に達するまでの間（即ち、隙間が詰まるまでの間）は、ユニット側コネクタ及び支持側コネクタの接続の解除が開始されることを抑制できる。その結果、複数組の接点における接続を維持して、遊技への影響を抑制できる。
【００１１】
請求項２記載の遊技機によれば、請求項１記載の遊技機の奏する効果に加え、接続側規制手段による規制位置と解除側規制手段による規制位置との間に形成される所定の隙間は、複数組の接点の列設方向一側における隙間が、複数組の接点の列設方向他側における隙間よりも大きくされるので、支持部材における取付完了位置から遊技ユニットが変位された際には、複数組の接点の列設方向一側に配設される接点における接続の解除を、複数組の接点の列設方向他側に配設される接点における接続の解除よりも後とできる。よって、遊技ユニットが取付完了位置から不用意に変位され、ユニット側コネクタ及び支持側コネクタの接続が少し解除されてしまったとしても、複数組の接点の列設方向一側に配設される接点における接続を維持できる可能性を確保できる。その結果、複数組の接点のうちの少なくとも複数組の接点の列設方向一側に配設される接点における接続を維持できることで、その分、遊技への影響を抑制できる。
【００１２】
請求項３記載の遊技機によれば、請求項１又は２に記載の遊技機の奏する効果に加え、遊技ユニットが取付完了位置から変位される際に、複数組の接点のうちで先に接続が解除されやすい位置（支持部材の幅方向一方の側縁から遠い側）に配置される接点の接続が解除されるタイミングを極力遅らせることができる。
【００１３】
即ち、例えば、遊技中に、支持部材に対して前面側部材を遊技中に隣の遊技者の邪魔とならない程度に少し開いた状態で作業を行う場合、それら前面側部材と支持部材との間の開放部分から作業を行うこととなる。そのため、開放部分から遊技ユニットも操作されることから、作業者が遊技ユニットを不用意に変位させる態様としては、開放部分側となる遊技ユニットの幅方向他方の側縁を支部部材へ向けて変位させ、開放部分の奥側となる遊技ユニットの幅方向一方の側縁（支持部材の幅方向一方の側縁に近い側）を中心として遊技ユニットが回転動作される態様となる。
【００１４】
このように遊技ユニットが回転動作される態様では、複数組の接点は、遊技ユニットの回転先端側（支持部材の幅方向一方の側縁から遠い側）に配置されるものほど先に接続が解除されやすくなるところ、かかる先に接続が解除されやすい側は、接続側規制手段による規制位置と解除側規制手段による規制位置との間に形成される所定の隙間が大きくされるので、遊技ユニットが取付完了位置から不用意に少し変位されとしても、先に接続が解除されやすい側における接続が解除されるタイミングを遅らせることができ、その結果、接続を維持できる可能性を確保できる。
【図面の簡単な説明】
【００１５】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】遊技盤ユニットが取り外された状態における内枠の斜視図である。
【図６】遊技盤ユニットが取り外された状態における内枠の正面図である。
【図７】内枠側コネクタの正面斜視図である。
【図８】遊技盤ユニットの背面図である。
【図９】図８の矢印ＩＸ方向視における遊技盤ユニットの底面図である。
【図１０】遊技盤側コネクタの正面斜視図である。
【図１１】（ａ）は、遊技盤側コネクタの正面図であり、（ｂ）は、図１１（ａ）の矢印ＸＩｂ方向視における遊技盤側コネクタの側面図である。
【図１２】台座の正面斜視図である。
【図１３】（ａ）は、台座の正面図であり、（ｂ）は、図１３（ａ）の矢印ＸＩＩＩｂ方向視における台座の側面図である。
【図１４】（ａ）は、図１３（ａ）のＸＩＶａ−ＸＩＶａ線における台座０の断面図であり、（ｂ）は、図１３（ａ）のＸＩＶｂ−ＸＩＶｂ線における台座の断面図である。
【図１５】第１オスコネクタの正面斜視図である。
【図１６】（ａ）は、第１オスコネクタの正面図であり、（ｂ）は、図１６（ａ）の矢印ＸＶＩｂ方向視における第１オスコネクタの側面図である。
【図１７】（ａ）は、図１６（ａ）の矢印ＸＶＩＩａ方向視における第１オスコネクタの側面図である。（ｂ）は、図１６（ａ）の矢印ＸＶＩＩｂ方向視における第１オスコネクタの側面図である。
【図１８】第２オスコネクタの正面斜視図である。
【図１９】図１１（ａ）のＸＩＸ−ＸＩＸ線における遊技盤側コネクタの断面図である。
【図２０】（ａ）は、台座に対して第１オスコネクタ及び第２オスコネクタが矢印Ｒ方向へ変位された状態における遊技盤側コネクタの正面図であり、（ｂ）は、図２０（ａ）におけるＸＸｂ−ＸＸｂ線における遊技盤側コネクタの断面図である。
【図２１】（ａ）は、台座に対して第１オスコネクタ及び第２オスコネクタが矢印Ｌ方向へ変位された状態における遊技盤側コネクタの正面図であり、（ｂ）は、図２１（ａ）におけるＸＸＩｂ−ＸＸＩｂ線における遊技盤側コネクタの断面図である。
【図２２】（ａ）は、台座に対して第１オスコネクタ及び第２オスコネクタが矢印Ｕ方向へ変位された状態における遊技盤側コネクタの正面図であり、（ｂ）は、台座に対して第１オスコネクタ及び第２オスコネクタが矢印Ｕ方向へ変位された状態における遊技盤側コネクタの正面図である。
【図２３】遊技盤側コネクタ３００Ａの組み立て工程を時系列で示す台座および第１オスコネクタの部分断面側面図である。
【図２４】遊技盤側コネクタ３００Ａの組み立て工程を時系列で示す台座および第１オスコネクタの部分断面側面図である。
【図２５】（ａ）は、第２実施形態における内枠および遊技盤ユニットの側面模式図であり、（ｂ）は、第３実施形態における内枠および遊技盤ユニットの側面模式図でありる。
【図２６】（ａ）は、第１メスコネクタの正面図であり、（ｂ）は、図２６（ａ）のＸＸＶＩｂ−ＸＸＶＩｂ線における第１メスコネクタの断面図である。
【図２７】（ａ）は、第４実施形態における第１オスコネクタの正面図であり、（ｂ）は、図２７（ａ）の矢印ＸＸＶＩＩｂ方向視における第１オスコネクタの側面図である。
【図２８】第１オスコネクタ及び第１メスコネクタの接続および解除の動作を説明するための模式図である。
【図２９】（ａ）は、第５実施形態における第１オスコネクタの正面図であり、（ｂ）は、図２９（ａ）の矢印ＸＸＩＸｂ方向視における第１オスコネクタの側面図である。
【図３０】第１オスコネクタ及び第１メスコネクタの接続および解除の動作を説明するための模式図である。
【図３１】（ａ）は、第６実施形態における第１オスコネクタの正面図であり、（ｂ）は、図３１（ａ）の矢印ＸＸＸＩｂ方向視における第１オスコネクタの側面図である。
【図３２】第７実施形態における第１オスコネクタの正面斜視図である。
【図３３】（ａ）は、第１オスコネクタの正面図であり、（ｂ）は、図３３（ａ）の矢印ＸＸＸＩＩＩｂ方向視における第１オスコネクタの側面図である。
【図３４】（ａ）は、第８実施形態における遊技盤側コネクタの正面図であり、（ｂ）は、図３４（ａ）のＸＸＸＩＶｂ−ＸＸＸＩＶｂ線における遊技盤側コネクタの断面図である。
【図３５】（ａ）は、台座の正面図であり、（ｂ）は、図３５（ａ）のＸＸＸＶｂ−ＸＸＸＶｂ線における台座の断面図である。
【図３６】第１オスコネクタの正面斜視図である。
【図３７】（ａ）は、第１オスコネクタの正面図であり、（ｂ）は、図３７（ａ）の矢印ＸＸＸＶＩＩｂ方向視における第１オスコネクタの側面図である。
【図３８】遊技盤側コネクタの組み立て工程を時系列で示す台座および第１オスコネクタの断面図である。
【図３９】（ａ）は、第９実施形態における遊技盤側コネクタの正面図であり、（ｂ）は、図３９（ａ）のＸＸＸＩＸｂ−ＸＸＸＩＸｂ線における遊技盤側コネクタの断面図である。
【図４０】（ａ）は、台座の正面図であり、（ｂ）は、図４０（ａ）のＸＸＸＸｂ−ＸＸＸＸｂ線における台座の断面図である。
【図４１】第１オスコネクタの正面斜視図である。
【図４２】（ａ）は、第１オスコネクタの正面図であり、（ｂ）は、図４２（ａ）の矢印ＸＸＸＸＩＩｂ方向視における第１オスコネクタの側面図である。
【図４３】遊技盤側コネクタの組み立て工程を時系列で示す台座および第１オスコネクタの断面図である。
【図４４】（ａ）は、第１０実施形態における第１オスコネクタの正面図であり、（ｂ）は、図４４（ａ）のＸＸＸＸＩＶｂ−ＸＸＸＸＩＶｂ線における第１オスコネクタの断面図である。
【図４５】（ａ）及び（ｂ）は、台座の一部を断面視した状態における遊技盤側コネクタの部分拡大側面図である。
【図４６】（ａ）は、第１１実施形態における第１オスコネクタの正面図であり、（ｂ）は、図４６（ａ）のＸＸＸＸＶＩｂ−ＸＸＸＸＶＩｂ線における第１オスコネクタの断面図である。
【図４７】（ａ）及び（ｂ）は、台座の一部を断面視した状態における遊技盤側コネクタの部分拡大側面図である。
【発明を実施するための形態】
【００１６】
以下、本発明の実施形態について、添付図面を参照して説明する。まず、図１から図３５を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤ユニット１３の正面図であり、図３はパチンコ機１０の背面図である。
【００１７】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持される。
【００１８】
内枠１２には、多数の釘や入賞口６３，６４、可変入賞装置６５，６５０等の電気部品を有する遊技盤ユニット１３（図２参照）が正面側から着脱可能に装着される。この遊技盤ユニット１３（ベース板６０）の前面を球（遊技球）が流下することにより弾球遊技が行われる。なお、内枠１２には、球を遊技盤ユニット１３の前面領域に発射する球発射ユニット１１２ａ（図４及び図５参照）やその球発射ユニット１１２ａから発射された球を遊技盤ユニット１３の前面領域まで誘導する発射レール１１２ａ１（図５参照）等が取り付けられている。
【００１９】
内枠１２の前面側には、その前面上側を覆う前面枠１４と、その下側を覆う下皿ユニット１５とが設けられている。前面枠１４及び下皿ユニット１５を支持するために正面視（図１参照）左側の上下２カ所に金属製のヒンジ１９が取り付けられ、そのヒンジ１９が設けられた側を開閉の軸として前面枠１４及び下皿ユニット１５が正面手前側へ開閉可能に支持される。なお、内枠１２の施錠と前面枠１４の施錠とは、シリンダ錠２０の鍵穴２１に専用の鍵を差し込んで所定の操作を行うことでそれぞれ解除される。
【００２０】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１６が配設され、そのガラスユニット１６を介して遊技盤ユニット１３の前面がパチンコ機１０の正面側に視認可能となっている。
【００２１】
前面枠１４には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００２２】
前面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前面枠１４の正面視（図１参照）左上部には、ＬＥＤ等の発光手段が内蔵され賞球の払い出し中とエラー発生時とを表示可能な表示ランプ３４が設けられている。
【００２３】
また、右側の電飾部３２下側には、前面枠１４の裏面側を視認できるように裏面側より透明樹脂を取り付けて小窓３５が形成され、遊技盤ユニット１３（ベース板６０）前面の貼着スペースＫ１（図２参照）に貼付される証紙等がパチンコ機１０の前面から視認可能とされる。また、パチンコ機１０においては、より煌びやかさを醸し出すために、電飾部２９〜３３の周りの領域にクロムメッキを施したＡＢＳ樹脂製のメッキ部材３６が取り付けられている。
【００２４】
窓部１４ｃの下方には、貸球操作部４０が配設される。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２５】
上皿１７の下側に位置する下皿ユニット１５には、その中央部に上皿１７に貯留しきれなかった球を貯留するための下皿５０が上面を開放した略箱状に形成される。下皿５０の右側には、球を遊技盤ユニット１３（ベース板６０）の前面へ打ち込むために遊技者によって操作される操作ハンドル５１が配設される。
【００２６】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵される。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤ユニット１３（ベース板６０）の前面へ球が打ち込まれる。また、操作ハンドル５１が遊技者により操作されていない状態においては、タッチセンサ５１ａおよび発射停止スイッチ５１ｂがオフとなっている。
【００２７】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２８】
図２に示すように、遊技盤ユニット１３は、正面視略正方形状に切削加工したベース板６０に、球案内用の多数の釘（図示せず）や風車の他、レール６１，６２、一般入賞口６３、第１入賞口６４、第２入賞口６４０、第一可変入賞装置６５、第２可変入賞装置６５０、スルーゲート６７、可変表示装置ユニット８０等、各種構造部品や電気部品を組み付けて構成され、その周縁部が内枠１２（図１参照）に着脱可能に取り付けられる。
【００２９】
ベース板６０は光透過性の樹脂材料からなり、その正面側からベース板６０の背面側に配設された各種構造体を遊技者に視認させることが可能に形成される。一般入賞口６３、第１入賞口６４、第２入賞口６４０、第１可変入賞装置６５、第２可変入賞装置６５０、可変表示装置ユニット８０は、ルータ加工によってベース板６０に形成された貫通穴に配設され、遊技盤ユニット１３のベース板６０にその前面側からタッピングネジ等により固定される。
【００３０】
遊技盤ユニット１３の前面中央部分は、前面枠１４の窓部１４ｃ（図１参照）を通じて内枠１２の前面側から視認することができる。以下に、主に図２を参照して、遊技盤ユニット１３の構成について説明する。
【００３１】
遊技盤ユニット１３（ベース板６０）の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤ユニット１３（ベース板６０）の前面外周が囲まれ、遊技盤ユニット１３（ベース板６０）とガラスユニット１６（図１参照）とにより前後が囲まれることにより、遊技盤ユニット１３（ベース板６０）の前面には、球の挙動により遊技が行われる遊技領域が形成される。遊技領域は、遊技盤ユニット１３の前面であって２本のレール６１，６２とレール間を繋ぐ樹脂製の外縁部材７３とにより区画して形成される領域（入賞口等が配設され、発射された球が流下する領域）である。
【００３２】
２本のレール６１，６２は、球発射ユニット１１２ａ（図４参照）から発射された球を遊技盤ユニット１３（ベース板６０）上部へ案内するために設けられたものである。内レール６１の先端部分（図２の左上部）には戻り球防止部材６８が取り付けられ、一旦、遊技盤ユニット１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００３３】
遊技領域の正面視左側下部（図２の左側下部）には、発光手段である複数のＬＥＤ及び７セグメント表示器を備える第１図柄表示装置３７Ａ，３７Ｂが配設される。第１図柄表示装置３７Ａ，３７Ｂは、主制御装置１１０（図４参照）で行われる各制御に応じた表示がなされるものであり、主にパチンコ機１０の遊技状態の表示が行われる。本実施形態では、第１図柄表示装置３７Ａ，３７Ｂは、球が、第１入賞口６４へ入賞したか、第２入賞口６４０へ入賞したかに応じて使い分けられるように構成される。具体的には、球が、第１入賞口６４へ入賞した場合には、第１図柄表示装置３７Ａが作動し、一方で、球が、第２入賞口６４０へ入賞した場合には、第１図柄表示装置３７Ｂが作動するように構成される。
【００３４】
また、第１図柄表示装置３７Ａ，３７Ｂは、ＬＥＤにより、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３５】
尚、本パチンコ機１０では、第１入賞口６４及び第２入賞口６４０へ入賞があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意される。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３６】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３７】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０へ球が入賞し易い遊技の状態のことをいう。一方、パチンコ機１０が通常中とは、確変中でも時短中でもない遊技の状態（大当たり確率も第２図柄の当たり確率もアップしていない状態）である。
【００３８】
確変中や時短中は、第２図柄の当たり確率がアップするだけではなく、第２入賞口６４０に付随する電動役物６４０ａが開放される時間も変更され、通常中と比して長い時間が設定される。電動役物６４０ａが開放された状態（開放状態）にある場合は、その電動役物６４０ａが閉鎖された状態（閉鎖状態）にある場合と比して、第２入賞口６４０へ球が入賞しやすい状態となる。よって、確変中や時短中は、第２入賞口６４０へ球が入賞し易い状態となり、大当たり抽選が行われる回数を増やすことができる。
【００３９】
なお、確変中や時短中において、第２入賞口６４０に付随する電動役物６４０ａの開放時間を変更するのではなく、または、その開放時間を変更することに加えて、１回の当たりで電動役物６４０ａが開放する回数を通常中よりも増やす変更を行うものとしてもよい。また、確変中や時短中において、第２図柄の当たり確率は変更せず、第２入賞口６４０に付随する電動役物６４０ａが開放される時間および１回の当たりで電動役物６４０ａが開放する回数の少なくとも一方を変更するものとしてもよい。また、確変中や時短中において、第２入賞口６４０に付随する電動役物６４０ａが開放される時間や、１回の当たりで電動役物６４０ａを開放する回数はせず、第２図柄の当たり確率だけを、通常中と比してアップするよう変更するものであってもよい。
【００４０】
遊技領域には、球が入賞することにより５個から１５個の球が賞球として払い出される複数の一般入賞口６３が配設される。また、遊技領域の中央部分には、可変表示装置ユニット８０が配設される。可変表示装置ユニット８０には、第１入賞口６４及び第２入賞口６４０への入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、スルーゲート６７の球の通過をトリガとして第２図柄を変動表示するＬＥＤで構成される第２図柄表示装置（図示せず）とが設けられている。また、可変表示装置ユニット８０には、第３図柄表示装置８１の外周を囲むようにして、センターフレーム８６が配設される。
【００４１】
第３図柄表示装置８１は９インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００４２】
第２図柄表示装置は、球がスルーゲート６７を通過する毎に表示図柄（第２図柄（図示せず））としての「○」の図柄と「×」の図柄とを所定時間交互に点灯させる変動表示を行うものである。パチンコ機１０では、球がスルーゲート６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００４３】
パチンコ機１０は、第２図柄表示装置における変動表示が所定図柄（本実施形態においては「○」の図柄）で停止した場合に、第２入賞口６４０に付随された電動役物６４０ａが所定時間だけ作動状態となる（開放される）よう構成される。
【００４４】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０の電動役物６４０ａが開放状態となる機会を遊技者に多く与えることができる。よって、確変中および時短中は、第２入賞口６４０へ球が入賞しやすい状態とすることができる。
【００４５】
なお、確変中または時短中において、当たり確率を高める、１回に当たりに対する電動役物６４０ａの開放時間や開放回数を増やすなど、その他の方法によっても、確変中または時短中に第２入賞口６４０へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する電動役物６４０ａの開放時間や開放回数を遊技状態にかかわらず一定にしてもよい。
【００４６】
スルーゲート６７は、可変表示装置ユニット８０の下側の領域における右方において遊技盤に組み付けられ、遊技盤に発射された球のうち、遊技盤の右方を流下する球の一部が通過可能に構成される。スルーゲート６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４７】
球のスルーゲート６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設される。
【００４８】
なお、第２図柄の変動表示は、本実施形態のように、第２図柄表示装置において複数のランプの点灯と非点灯を切り換えることにより行うものの他、第１図柄表示装置３７Ａ，３７Ｂ及び第３図柄表示装置８１の一部を使用して行うようにしても良い。同様に、第２図柄保留ランプの点灯を第３図柄表示装置８１の一部で行うようにしても良い。また、スルーゲート６７の球の通過に対する最大保留球数は４回に限定されるものでなく、３回以下、又は、５回以上の回数（例えば、８回）に設定しても良い。また、スルーゲート６７の組み付け数は１つに限定されるものではなく、複数（例えば、２つ）であっても良い。また、スルーゲート６７の組み付け位置は可変表示装置ユニット８０の右方に限定されるものではなく、例えば、可変表示装置ユニット８０の左方でも良い。また、第１図柄表示装置３７Ａ，３７Ｂにより保留球数が示されるので、第２図柄保留ランプにより点灯表示を行わないものとしてもよい。
【００４９】
可変表示装置ユニット８０の下方には、球が入賞し得る第１入賞口６４が配設される。この第１入賞口６４へ球が入賞すると遊技盤ユニット１３（ベース板６０）の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００５０】
一方、第１入賞口６４の正面視右方には、球が入賞し得る第２入賞口６４０が配設される。この第２入賞口６４０へ球が入賞すると遊技盤ユニット１３（ベース板６０）の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００５１】
また、第１入賞口６４および第２入賞口６４０は、それぞれ、球が入賞すると５個の球が賞球として払い出される入賞口の１つにもなっている。なお、本実施形態においては、第１入賞口６４へ球が入賞した場合に払い出される賞球数と第２入賞口６４０へ球が入賞した場合に払い出される賞球数とを同じに構成したが、第１入賞口６４へ球が入賞した場合に払い出される賞球数と第２入賞口６４０へ球が入賞した場合に払い出される賞球数とを異なる数、例えば、第１入賞口６４へ球が入賞した場合に払い出される賞球数を３個とし、第２入賞口６４０へ球が入賞した場合に払い出される賞球数を５個として構成してもよい。
【００５２】
第２入賞口６４０には電動役物６４０ａが付随される。この電動役物６４０ａは開閉可能に構成されており、通常は電動役物６４０ａが閉鎖状態（縮小状態）となって、球が第２入賞口６４０へ入賞しにくい状態となっている。一方、スルーゲート６７への球の通過を契機として行われる第２図柄の変動表示の結果、「○」の図柄が第２図柄表示装置に表示された場合、電動役物６４０ａが開放状態（拡大状態）となり、球が第２入賞口６４０へ入賞しやすい状態となる。
【００５３】
上述した通り、確変中および時短中は、通常中と比して第２図柄の当たり確率が高く、また、第２図柄の変動表示にかかる時間も短いので、第２図柄の変動表示において「○」の図柄が表示され易くなって、電動役物６４０ａが開放状態（拡大状態）となる回数が増える。更に、確変中および時短中は、電動役物６４０ａが開放される時間も、通常中より長くなる。よって、確変中および時短中は、通常時と比して、第２入賞口６４０へ球が入賞しやすい状態を作ることができる。
【００５４】
ここで、第１入賞口６４に球が入賞した場合と第２入賞口６４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０へ球が入賞した場合のほうが第１入賞口６４へ球が入賞した場合よりも高く設定される。一方、第１入賞口６４は、第２入賞口６４０にあるような電動役物は有しておらず、球が常時入賞可能な状態となっている。
【００５５】
よって、通常中においては、第２入賞口６４０に付随する電動役物が閉鎖状態にある場合が多く、第２入賞口６４０に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【００５６】
一方、確変中や時短中は、スルーゲート６７に球を通過させることで、第２入賞口６４０に付随する電動役物６４０ａが開放状態となりやすく、第２入賞口６４０に入賞しやすい状態であるので、第２入賞口６４０へ向けて、可変表示装置８０の右方を球が通過するように球を発射し（所謂「右打ち」）、スルーゲート６７を通過させて電動役物を開放状態にすると共に、第２入賞口６４０への入賞によって１５Ｒ確変大当たりとなることを狙った方が、遊技者にとって有利となる。
【００５７】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００５８】
第１入賞口６４の下方右側には第１可変入賞装置６５が配設されており、その略中央部分に横長矩形状の第１特定入賞口（大開放口）６５ａが設けられている。また、第１入賞口６４の下方左側には第２可変入賞装置６５０が配設されており、その略中央部分に他の入賞口６３，６４，６４０と同程度の大きさの円形形状からなる第２特定入賞口６５０ａが設けられている。パチンコ機１０においては、第１入賞口６４又は第２入賞口６４０への入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖される特定入賞口６５ａ，６５０ａが、所定時間（例えば、３０秒経過するまで、或いは、球が１０個入賞するまで）開放される。
【００５９】
この特定入賞口６５ａ，６５０ａは、所定時間が経過すると閉鎖され、その閉鎖後、再度、その特定入賞口６５ａ，６５０ａが所定時間開放される。この特定入賞口６５ａ，６５０ａの開閉動作は、最高で例えば１５回（１５ラウンド）繰り返し可能にされる。この開閉動作が行われている状態が、遊技者にとって有利な特別遊技状態の一形態であり、遊技者には、遊技上の価値（遊技価値）の付与として通常時より多量の賞球の払い出しが行われる。
【００６０】
第１可変入賞装置６５は、具体的には、第１特定入賞口６５ａを覆う横長矩形状の開閉板と、その開閉板の下辺を軸として前方側に開閉駆動するための大開放口ソレノイド（図示せず）とを備えている。第１特定入賞口６５ａは、通常時は、球が入賞できないか又は入賞し難い閉状態になっている。大当たりの際には大開放口ソレノイドを駆動して開閉板を前面下側に傾倒し、球が第１特定入賞口６５ａに入賞しやすい開状態を一時的に形成し、その開状態と通常時の閉状態との状態を交互に繰り返すように作動する。
【００６１】
第２可変入賞装置６５０は、具体的には、第２特定入賞口６５０ａへ球を案内する案内路と、その案内路の第２特定入賞口６５０ａ側とは反対側となる開口部である開口６５１と、その開口６５１の開放および閉鎖を行うための駆動役物６５０ｂと、その駆動役物６５０ｂを開口６５１の下辺を軸に左右方向に開閉駆動するための小開放口ソレノイド（図示せず）とを備えている。第２特定入賞口６５０ａは、通常時は、球が入賞できないか又は入賞し難い閉状態になっている。大当たりの際には小開放口ソレノイドを駆動して駆動役物６５０ｂを右方に傾倒し、球が第２特定入賞口６５０ａに入賞しやすい開状態を一時的に形成し、その開状態と通常時の閉状態との状態を交互に繰り返すように作動する。
【００６２】
なお、上記した形態に特別遊技状態は限定されるものではない。特定入賞口６５ａ，６５０ａとは別に開閉される大開放口を遊技領域に設け、第１図柄表示装置３７Ａ，３７Ｂにおいて大当たりに対応したＬＥＤが点灯した場合に、特定入賞口６５ａ，６５０ａが所定時間開放され、その特定入賞口６５ａ，６５０ａの開放中に、球が特定入賞口６５ａ，６５０ａ内へ入賞することを契機として特定入賞口６５ａ，６５０ａとは別に設けられた大開放口が所定時間、所定回数開放される遊技状態を特別遊技状態として形成するようにしても良い。また、特定入賞口６５ａ，６５０ａは１つに限るものではなく、１つ若しくは２以上の複数（例えば３つ）を配置しても良く、また配置位置も第１入賞口６４の下方右側や、第１入賞口６４の下方左側に限らず、例えば、可変表示装置ユニット８０の左方でも良い。
【００６３】
遊技盤ユニット１３（ベース板６０）の下側における右隅部には、証紙や識別ラベル等を貼着するための貼着スペースＫ１が設けられ、貼着スペースＫ１に貼られた証紙等は、前面枠１４の小窓３５（図１参照）を通じて視認することができる。
【００６４】
遊技盤ユニット１３（ベース板６０）には、第１アウト口７１及び第２アウト口７２が設けられている。遊技領域を流下する球であって、いずれの入賞口６３，６４，６５ａ，６４０，６５０ａにも入賞しなかった球は、第１アウト口７１又は第２アウト口７２を通って図示しない球排出路へと案内される。第１アウト口７１は、第１入賞口６４の下方に配設される一方、第２アウト口７２は、第２特定入賞口６５０ａの左側に配設される。即ち、第２アウト口７２は、第２特定入賞口６５０ａを挟んで第１アウト口７１の反対側に配設される。
【００６５】
よって、遊技領域を流下する球であって、第２特定入賞口６５０ａよりも正面視右側（図２右側）において遊技領域の下端（内レール６１又は外縁部材７３）に達した球は、内レール６１又は外縁部材７３の傾斜に沿って流下され、第１アウト口７１を通って球排出路へ案内される一方、第２特定入賞口６５０ａよりも正面視左側において遊技領域の下端（内レール６１）に達した球は、内レール６１の傾斜（湾曲）に沿って流下され、第２アウト口７２を通って球排出路へ案内される。
【００６６】
遊技盤ユニット１３（ベース板６０）には、球の落下方向を適宜分散、調整等するために多数の釘が植設されるとともに、風車等の各種部材（役物）とが配設される。
【００６７】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化される。制御基板ユニット９１は、払出制御基板（払出制御装置１１１）と発射制御基板（発射制御装置１１２）と電源基板（電源装置１１５）とカードユニット接続基板１１６とが搭載されてユニット化される。
【００６８】
裏パックユニット９４は、保護カバー部を形成する裏パック９２と払出ユニット９３とがユニット化される。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載される。
【００６９】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納される。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００７０】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着される。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００７１】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００７２】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００７３】
次に、図４を参照して、本パチンコ機１０の電気的構成について説明する。図４は、パチンコ機１０の電気的構成を示すブロック図である。
【００７４】
主制御装置１１０には、演算装置である１チップマイコンとしてのＭＰＵ２０１が搭載される。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵される。主制御装置１１０では、ＭＰＵ２０１によって、大当たり抽選や第１図柄表示装置３７Ａ，３７Ｂ及び第３図柄表示装置８１における表示の設定、第２図柄表示装置における表示結果の抽選といったパチンコ機１０の主要な処理を実行する。
【００７５】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７６】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００７７】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７８】
主制御装置１１０のＭＰＵ２０１には、アドレスバス及びデータバスで構成されるバスライン２０４を介して入出力ポート２０５が接続される。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７９】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００８０】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００８１】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００８２】
払出制御装置１１１のＭＰＵ２１１には、アドレスバス及びデータバスで構成されるバスライン２１４を介して入出力ポート２１５が接続される。入出力ポート２１５には、主制御装置１１０や払出モータ２１６、発射制御装置１１２などがそれぞれ接続される。また、図示はしないが、払出制御装置１１１には、払い出された賞球を検出するための賞球検出スイッチが接続される。なお、該賞球検出スイッチは、払出制御装置１１１に接続されるが、主制御装置１１０には接続されていない。
【００８３】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００８４】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８５】
音声ランプ制御装置１１３のＭＰＵ２２１には、アドレスバス及びデータバスで構成されるバスライン２２４を介して入出力ポート２２５が接続される。入出力ポート２２５には、主制御装置１１０、表示制御装置１１４、音声出力装置２２６、ランプ表示装置２２７、その他装置２２８、枠ボタン２２などがそれぞれ接続される。その他装置２２８には、駆動モータ３４０，４３０，５２２，６４０，７４０，８３０が含まれる。
【００８６】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００８７】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８８】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８９】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００９０】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成される。よって、主制御装置１１０及び払出制御装置１１１は、ＮＭＩ割込処理（図示せず）を正常に実行し完了することができる。
【００９１】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００９２】
次いで、図５から図９を参照して、内枠１２に対する遊技盤ユニット１３の取付構造について説明する。上述したように、内枠１２には、遊技盤ユニット１３が正面側から着脱可能に配設される。この場合、内枠１２における取付完了位置に遊技盤ユニット１３が変位（配置）されることで、遊技盤ユニット１３に設けられる遊技盤側コネクタ３００Ａと内枠１２に設けられる内枠側コネクタ３００Ｂとが接続される一方、内枠１２における取付完了位置から遊技盤ユニット１３が変位されるとで、遊技盤側コネクタ３００Ａと内枠側コネクタ３００Ｂとの接続が解除される。
【００９３】
まず、図５から図７を参照して、内枠１２について説明する。図５は、遊技盤ユニット１３が取り外された状態における内枠１２の斜視図であり、図６は、遊技盤ユニット１３が取り外された状態における内枠１２の正面図である。
【００９４】
図５及び図６に示すように、内枠１２は、遊技盤ユニット１３（ベース板６０）の周囲（端面）を囲む周壁部１２４と、その周壁部１２４から内枠１２の内方へ向けて立設され遊技盤ユニット１３におけるベース板６０の背面に対向する背面板部１２５とからなる。周壁部１２４は、遊技盤ユニット１３におけるベース板６０の上下左右の各端面に対してそれぞれ対向する内壁面を有して形成され、全体として遊技盤ユニット１３（ベース板６０の端面）を囲む環状をなす。
【００９５】
内枠１２の周壁部１２４のうちの正面視左側（図５及び図６左側）に位置する壁部（即ち、前扉枠１４（図１参照）を回動可能に支持する側の壁部）には、遊技盤ユニット１３（ベース板６０）の前方（図５紙面手前左側）への変位を規制する複数（本実施形態では２個）のストッパ部１２６が上下に離間して配設される。各ストッパ部１２６は、周壁部１２４の内壁面から内枠１２の内方へ向けて突出され、遊技盤ユニット１３におけるベース板６０の前面に当接される。また、各ストッパ部１２６は、周壁部１２４の内壁面の幅内に収まるように形成され、前扉枠１４側となる前方への突出が規制される。
【００９６】
ストッパ部１２６は、遊技盤ユニット１３の上端寄り及び下端寄りとなる位置に配置され、遊技盤ユニット１３の変位を安定して規制することが可能とされる。この場合、遊技盤ユニット１３の外レール６２は、遊技盤ユニット１３の回動基端側（図２の正面視左側）へ向けて凸となる正面視円弧状に湾曲されるところ（図２参照）、上端寄りのストッパ部１２６は外レール６２の凸となる部分よりも上方に配置され、下端寄りのストッパ部１２６は外レール６２の凸となる部分よりも下方に配置される。これにより、遊技盤ユニット１３（ベース板６０）の正面側であって外レール６２の外方に形成されるデッドスペースを、各ストッパ部１２６の配置スペースとして利用できるので、ストッパ部１２６の配設に起因して外レール６２の配置が圧迫されることを抑制し、その結果、遊技領域の大きさを最大限確保できる。
【００９７】
また、内枠１２の背面板部１２５には、各ストッパ部１２６に対応する位置に背面保持部１２７がそれぞれ配設される。各背面保持部１２７は、各ストッパ部１２６との間に所定間隔を隔てつつ、背面板部１２５の内壁面から内枠１２の内方へ向けて突出され、遊技盤ユニット１３におけるベース板６０の背面に当接される。この場合、背面保持部１２７は、ストッパ部１２６に対応する位置（即ち、対面する位置）に配設されるので、これらストッパ部１２６及び背面保持部１２７の間で遊技盤ユニット１３におけるベース板６０を挟持して、その遊技盤ユニット１３の変位を安定して規制することができる。
【００９８】
このように、内枠１２の周壁部１２４のうちの正面視左側（図５及び図６左側）に位置する壁部（即ち、前扉枠１４（図１参照）を回動可能に支持する側の壁部）には、遊技盤ユニット１３におけるベース板６０の正面視左側（図２左側）の側部６０ａを挿入可能な挿入部１２８が、ストッパ部１２６と背面板部１２５及び背面保持部１２７との間に形成される。
【００９９】
挿入部１２８は、前扉枠１４（図１参照）の回動先端側（図５紙面右手前側）が開放された形状に形成されることで、かかる挿入部１２８へ遊技盤ユニット１３（ベース板６０の側部６０ａ）を前扉枠１４の回動先端側から挿入可能とされる。即ち、前扉枠１４を全開にできない場合であっても、前扉枠１４を所定の角度だけ開放し、その開放側（前扉枠１４の回動先端側）から内枠１２の挿入部１２８へ遊技盤ユニット１３（ベース板６０の側部６０ａ）を挿入することができる。
【０１００】
詳細には、ストッパ部１２６と背面板部１２５及び背面保持部１２７との間の対向間隔（隙間寸法）は、挿入部１２８の挿入奥側（周壁部１２４の内壁面側）では遊技盤ユニット１３におけるベース板６０の厚さ寸法と略同一に設定される一方、挿入手前側（挿入部１２８の入口部分側）では遊技盤ユニット１３におけるベース板６０の厚さ寸法よりも大きく設定される。これにより、遊技盤ユニット１３（ベース板６０）を挿入部１２８に対して斜め前方から挿入可能とすると共に、挿入部１２８に挿入された遊技盤ユニット１３をその挿入部１２８を中心として回動可能とすることができる。
【０１０１】
即ち、ストッパ部１２６は、その先端側において遊技盤ユニット１３（ベース板６０の側部６０ａ）と対向する背面に面取りが施され、背面保持部１２７との間の対向間隔が先端側へ向かうほど大きくなるように傾斜されることで、挿入部１２８の入口部分が拡張される。これにより、挿入部１２８の入口部分において、ストッパ部１２６と背面保持部１２７との間の対向間隔（隙間寸法）を大きくし、遊技盤ユニット１３を斜めに挿入する際のストッパ部１２６と遊技盤ユニット１３（ベース板６０の側部６０ａ）との引っ掛かりを抑制できる。また、挿入部１２８の入口部分を斜め前方に向けることにより、遊技盤ユニット１３の挿入時にその遊技盤ユニット１３が前扉枠１４の後方への張出部分や内枠１２の右側部分（図５右側）等に干渉することを抑制できる。その結果、遊技盤ユニット１３を内枠１２に装着する際の作業性の向上を図ることができる。
【０１０２】
挿入部１２８（ストッパ部１２６）の下方（詳細には、周壁部１２４のうちの遊技盤ユニット１３（ベース板６０の底面６０ｂ）に対向する壁部における回動基端側の端部）には、挿入部１２８に挿入された遊技盤ユニット１３（ベース板６０）の底面を仮置き可能な第１仮置き部１２９が設けられる。第１仮置き部１２９は、上方を向く平坦面として形成され、挿入部１２８の直下に配設されることで、遊技盤ユニット１３（ベース板６０）の底面６０ｂのうちの回動基部側に位置する第１底面６０ｂ１（図８参照）を支持する。これにより、遊技盤ユニット１３（ベース板６０の側部６０ａ）を挿入部１２８へ挿入する際の作業者の作業負担を減らすことができると共に、挿入後の遊技盤ユニット１３の回動操作を容易とすることができる。
【０１０３】
第１仮置き部１２９の反対側（周壁部１２４のうちの遊技盤ユニット１３（ベース板６０の底面６０ｂ）に対向する壁部における回動先端側の端部）には、挿入部１２８に挿入された遊技盤ユニット１３（ベース板６０の底面６０ｂ）を仮置き可能な第２仮置き部７０２が設けられる（図７参照）。第２仮置き部７０２は、上方を向く平坦面として形成され、ベース板６０の底面６０ｂのうちの回動先端側に位置する第２底面６０ｂ２（図８参照）を支持する。
【０１０４】
第１仮置き部１２９は、第２仮置き部７０２に対し上方に位置し、これら第１仮置き部１２９及び第２仮置き部７０２の配置に対応して、遊技盤ユニット１３におけるベース板６０の底面６０ｂは、第１底面６０ｂ１が第２底面６０ｂ２よりも上方に位置する階段状に形成される（図７参照）。遊技盤ユニット１３におけるベース板６０の側部６０ａを挿入部１２８に挿入し回動させる際には、第１仮置き部１２９に遊技盤ユニット１３（ベース板６０）の第１底面６０ｂ１が仮置き（一時的に載置）されることで、遊技盤ユニット１３の重量の少なくとも一部を内枠１２に支持させることができる。これにより、遊技盤ユニット１３を装着する際の作業者の作業負担を減らすことができると共に、遊技盤ユニット１３の回動操作を容易とすることができる。
【０１０５】
一方、遊技盤ユニット１３の回動動作における終期では、遊技盤ユニット１３（ベース板６０）の第２底面６０ｂ２が第２仮置き部７０２に仮置き（一時的に載置）されることで、内枠側コネクタ３００Ｂ（第１メスコネクタ８００及び第２メスコネクタ９００）に対する遊技盤側コネクタ３００Ａ（第１オスコネクタ５００及び第２オスコネクタ６００）の高さ位置を位置決めすることができる。これにより、接続を開始する際に、両コネクタ３００Ａ，３００Ｂが衝突して損傷することを抑制できると共に、接続を解除する際に、両コネクタ３００Ａ，３００Ｂが無理な姿勢となり変形することで損傷を招くことを抑制できる。
【０１０６】
ここで、図７を参照して、内枠側コネクタ３００Ｂについて説明する。図７は、内枠側コネクタ３００Ｂの正面斜視図であり、内枠１２から取り外された状態の内枠側コネクタ３００Ｂが図示される。
【０１０７】
図７に示すように、内枠側コネクタ３００Ｂは、箱状に形成される台座７００と、その台座７００に固着されるコネクタ用基板（図示せず）と、そのコネクタ用基板に搭載される第１メスコネクタ８００及び第２メスコネクタ９００とを備える。コネクタ用基板は、一方の板面に第１メスコネクタ８００及び第２メスコネクタ９００が搭載されると共に、他方の板面が半田面とされ、一方の板面（搭載面）を遊技機正面側（遊技盤ユニット１３側、図６紙面手前側）へ向けた姿勢で配設される。台座７００には、上側部分に開口７０１が開口形成され、この台座７００の開口７０１を介して、第１メスコネクタ８００及び第２メスコネクタ９００の接続口（受入口）が遊技機前方（遊技盤ユニット１３側）に露出した状態とされる。これにより、内枠側コネクタ３００Ｂは、遊技盤ユニット１３の遊技盤側コネクタ３００Ａと接続可能とされる。
【０１０８】
第１メスコネクタ８００及び第２メスコネクタ９００は、一面側に接続口（受入口）を有する箱状のケース体８１０，９１０と、そのケース体８１０，９１０の上下の内壁面にそれぞれ幅方向（図６左右方向）に沿って等間隔に列設されると共に導電性材料からなる複数の接点部材８２０，９２０とを備える。
【０１０９】
第１メスコネクタ８００及び第２メスコネクタ９００は、その接続口（受入口）を遊技機斜め前方（内枠１２に遊技盤ユニット１３を取り付ける際の遊技盤ユニット１３の回動先端側）へ向けた傾斜姿勢でそれぞれ配設される一方、それらの前後位置（図６紙面垂直方向位置）は略同一の位置に設定される。これにより、内枠１２に対する遊技盤ユニット１３の回動動作に伴う遊技盤側コネクタ３００Ａ及び内枠側コネクタ３００Ｂの接続およびその解除をスムーズに行うことができると共に、両コネクタ３００Ａ，３００Ｂに歪等が発生することを抑制でき、また、第１メスコネクタ８００及び第２メスコネクタ９００の配設に要するスペース（占有空間）が上下および左右に拡がることを抑制できる。
【０１１０】
ケース体８１０，９１０には、幅方向に対向する左右の内壁面にガイド溝部８３０，９３０が凹設される。ガイド溝部８３０，９３０は、第１オスコネクタ５００及び第２オスコネクタ６００の被ガイド部５３０を受け入れる断面コ字状の凹溝であり、直線状に延設される２本が所定間隔を隔てつつ平行に並設される。また、ガイド溝８３０，９３０の開口端には、内方へ向けて下降傾斜する傾斜面（案内面８３０ａ，９３０ａ）が形成され、ケース体８１０，９１０の上下の内壁面における開口端には、内方へ向けて下降傾斜すると共に案内面８３０ａ，９３０ａに連なる傾斜面（案内面８１０ａ，９１０ａ）が形成される。
【０１１１】
よって、接続初期においては、被ガイド部５３０の先端（案内面５３０ａ，５３０ｂ）を案内面８１０ａ，８３０ａ，９１０ａ，９３０ａによりガイド溝部８３０，９３０へ向けて案内可能として、接続初期における被ガイド部５３０とガイド溝部８３０，９３０との間の位置ズレを許容できる。被ガイド部５３０の先端がガイド溝部８３０，９３０へ挿入された後は、被ガイド部５３０がガイド溝８３０，９３０の延設方向に沿って嵌入されることで、第１メスコネクタ８００及び第２メスコネクタ９００に対する第１オスコネクタ５００及び第２オスコネクタ６００の傾斜を矯正でき、両者の接点部材５２０，８２０を適切な状態で接触させることができる。
【０１１２】
なお、ガイド溝部８３０，９３０は、並設される２本の溝幅寸法が互いに異なる寸法値に設定される。これにより、第１オスコネクタ５００及び第２オスコネクタ６００が正規の姿勢から上下反転された姿勢で第１メスコネクタ８００及び第２メスコネクタ９００に接続されることを規制することができる。
【０１１３】
台座７００の前面には、上述した第２仮置き部７０２が形成される。第２仮置き部７０２は、台座７００の横幅に対して、その一部に部分的に形成されると共に、内枠１２に遊技盤ユニット１３を取り付ける際の遊技盤ユニット１３の回動先端側（図５及び図６右側）に配設される。これにより、第１仮置き部１２９と第２仮置き部７０２との間の距離を大きくして、遊技盤ユニット１３の安定した支持を可能としつつ、第２仮置き部７０２の占有空間を抑制でき、その分、第２仮置き部７０２の非形成領域を利用して、台座７００の前面に他の部材を配設することができる。
【０１１４】
仮置き部７０２は、上述したように、遊技盤ユニット１３の底面６０（第２底面６０ｂ２）が載置可能に形成され、その遊技盤ユニット１３を内枠１２における取付完了位置へ変位させる際の案内面として機能する。即ち、遊技盤ユニット１３を仮置き部７０２に載置した上でその仮置き部７０２に沿ってスライドさせることができる。これにより、比較的重量の嵩む遊技盤ユニット１３を、内枠１２における取付完了位置へ向けて正確に変位させやすくできるので、遊技盤側コネクタ３００Ａ及び内枠側コネクタ３００Ｂの接続を開始する際に、これら両コネクタ３００Ａ，３００Ｂどうしが衝突して破損することを抑制できる。また、遊技盤側コネクタ３００Ａ及び内枠側コネクタ３００Ｂの接続が開始された後やその接続を解除する際には、遊技盤ユニット１３を内枠１２に対して一定の姿勢で変位させやすくすることができるので、遊技盤側コネクタ３００Ａ及び内枠側コネクタ３００Ｂの間に無理な力が作用して破損することを抑制できる。
【０１１５】
なお、第２仮置き部７０２が台座７００の前面へ向けて張り出す張り出し寸法は、その第２仮置き部７０２に遊技盤ユニット１３の底面６０ｂ（第２底面６０ｂ２）が載置され、かつ、遊技盤側コネクタ３００Ａ及び内枠側コネクタ３００Ｂの接続が解除された状態を形成可能な長さ寸法に設定される。よって、先に遊技盤ユニット１３の底面６０ｂを第２仮置き部７０２に載置し、その後、遊技盤ユニット１３を第２仮置き部７０２に沿ってスライドさせ、遊技盤側コネクタ３００Ａ及び内枠側コネクタ３００Ｂの接続を行うことができる。また、遊技盤側コネクタ３００Ａ及び内枠側コネクタ３００Ｂの接続の解除が完了された際に、遊技盤ユニット１３を第２仮置き部７０２に載置された状態で保持することができる。その結果、比較的重い遊技盤ユニット１３の内枠１２への取り付け及び取り外しの作業と、遊技盤側コネクタ３００Ａ及び内枠側コネクタ３００Ｂの接続および解除との作業性の向上を図ることができる。
【０１１６】
ここで、パチンコ機１０は、遊技球の遊技領域でのスムーズな転動（流下）を考慮して、上端側を後方（背面側）へ位置させる傾斜姿勢（後方へ傾斜した姿勢）で設置される。この場合、第２仮置き部７０２は、パチンコ機１０が設置された状態において水平な平坦面となるように、台座７００の前面（遊技機前方）へ向けて下降傾斜する平坦面として形成される。この場合、パチンコ機１０が設置された状態において、内枠１２における取付完了位置へ向けて遊技盤ユニット１３を変位させる際に、その取付完了位置へ向けて第２仮置き部７０２が下降傾斜されると、遊技盤ユニット１３を回動操作する際に不用意に勢いがついて、両コネクタ３００Ａ，３００Ｂを接続する際の衝撃が大きくなる一方、取付完了位置へ向けて第２仮置き部７０２が上昇傾斜されると、遊技盤ユニット１３を回動操作する作業者の負荷が大きくなるところ、本字実施形態では、第２仮置き部７０２が水平とされることで、接続時の衝撃発生の抑制と作業者の負荷低減との両立を図ることができる。
【０１１７】
次いで、図８及び図９を参照して、遊技盤ユニット１３について説明する。図８は、遊技盤ユニット１３の背面図であり、図９は、図８の矢印ＩＸ方向視における遊技盤ユニット１３の底面図である。
【０１１８】
図８及び図９に示すように、遊技盤ユニット１３は、樹脂材料から形成されるカバー部材７４がベース板６０の背面に配設され、ベース板６０の背面に配設される各種構造部品や電気部品がカバー部材７４の内部空間に収容される。カバー部材７４は、背面視において、ベース板６０の外形よりも小さな外形に設定され、ベース板６０の側部６０ａがカバー部材７４の外縁よりも突出される。これにより、遊技盤ユニット１３を内枠１２に取り付ける際には、内枠１２の挿入部１２８（ストッパ部１２６と背面板部１２５及び背面保持部１２７との間）にベース板６０の側部６０ａが挿入可能とされる。
【０１１９】
また、ベース板６０の背面のうちの取付面ＢＥには、遊技盤側コネクタ３００Ａが配設される。遊技盤側コネクタ３００Ａは、上述したように、内枠１２における取付完了位置へ遊技盤ユニット１３が変位されることで、内枠１２の内枠側コネクタ３００Ｂに接続されると共に、内枠１２における取付完了位置から遊技盤ユニット１３が変位されることで、内枠１２の内枠側コネクタ３００Ｂとの接続が解除されるものであり、カバー部材７４の下方（図８下側）であって、側部６０ａと反対側（即ち、内枠１２へ遊技盤ユニット１３を取り付ける際の回動先端側、図８左側）となる端部に配設される。
【０１２０】
遊技盤側コネクタ３００Ａは、箱状に形成される台座４００と、その台座４００に遊動可能な状態（接続の方向に直交する方向（矢印Ｒ−Ｌ及び矢印Ｕ−Ｄの方向、図１０及び図１１参照）への変位が許容された状態）で装着される第１オスコネクタ５００及び第２オスコネクタ６００とを備える。
【０１２１】
台座４００は、ベース板６０の幅方向（図８左右方向）において側部６０ａと反対側の端部（遊技盤ユニット１３の回動先端側、図８左側）に配設される。台座４００には、第１開口４２１及び第２開口４２２が開口形成され、第１オスコネクタ５００及び第２オスコネクタ６００は、この台座４００の第１開口４２１及び第２開口４２２を介して、遊技機後方（内枠１２側）へ突出される。これにより、内枠１２に対し遊技盤ユニット１３を回動させる（取付完了位置へ変位させる）ことで、第１オスコネクタ５００及び第２オスコネクタ６００の先端側が第１メスコネクタ８００及び第２メスコネクタ９００の接続口（受入口）にそれぞれ挿入され、遊技盤側コネクタ３００Ａは、内枠１２の内枠側コネクタ３００Ｂと接続可能とされる。
【０１２２】
第１オスコネクタ５００及び第２オスコネクタ６００は、遊技機斜め後方（内枠１２に遊技盤ユニット１３を取り付ける際の遊技盤ユニット１３の回動基端側、図９右上側）へ向けた傾斜姿勢でそれぞれ配設される一方、それらの前後位置（図９上下方向位置）は略同一の位置に設定される。これにより、内枠１２に対する遊技盤ユニット１３の回動動作に伴う遊技盤側コネクタ３００Ａ及び内枠側コネクタ３００Ｂの接続およびその解除をスムーズに行うことができると共に、両コネクタ３００Ａ，３００Ｂに歪等が発生することを抑制でき、また、第１オスコネクタ５００及び第２オスコネクタ６００の配設に要するスペース（占有空間）が上下および左右に拡がることを抑制できる。
【０１２３】
ベース板６０の背面には、配線保持部材７５が配設される。配線保持部材７５は、第１オスコネクタ５００及び第２オスコネクタ６００の電気的接続線ＷＨを保持するための部材であり、遊技盤側コネクタ３００Ａの上方（図８上側）であって、遊技盤側コネクタ３００Ａよりもベース板６０の背面側（図９上側）へ突出する位置に配設される。
【０１２４】
配線保持部材７５の底面（遊技盤側コネクタ３００Ａ側の面、図８下側の面）には、開口７５ａが正面視横長の矩形状の開口として形成され、その開口７５ａに第１オスコネクタ５００及び第２オスコネクタ６００の電気的接続線ＷＨが挿通される。電気的接続線ＷＨは、開口７５ａの内周面に当接されることで保持される。これにより、電気的接続線ＷＨを拘束して、第１オスコネクタ５００及び第２オスコネクタ６００までの電気的接続線ＷＨの長さを一定に保つことができる。
【０１２５】
ベース板６０は、上述したように、その底面６０ｂが段差を有する階段状に形成される。詳細には、底面６０ｂは、側部６０ａ側（遊技盤ユニット１３の回動先端側）に配設される第１底面６０ｂ１とその第１底面６０ｂ１に連設されると共に遊技盤側コネクタ３００Ａ側（遊技盤ユニット１３の回動基端側）に配設される第２底面６０ｂ２とからなり、第１底面６０ｂ１が第２底面６０ｂ２よりも上方（図８上側）に配置される。遊技盤ユニット１３（ベース板６０の側部６０ａ）を内枠１２の挿入部１２８（図５参照）に挿入し回動させる際には、先に、底面６０ｂのうちの第１底面６０ｂ１が第１仮置き部１２９（図５参照）に仮置きされ、その状態から遊技盤ユニット１３の回動（取付完了位置への変位）が更に進行されると、次いで、底面６０ｂのうちの第２底面６０ｂ２が第２仮置き部７０２（図７参照）に仮置きされ、その後、遊技盤側コネクタ３００Ａと内枠１２の内枠側コネクタ３００Ｂとの接続が開始される。
【０１２６】
この場合、本実施形態では、ベース板６０の底面６０ｂにおいて、第１底面６０ｂ１と第２底面６０ｂ２との間の高低差（図８上下方向における高さ位置の差）は、内枠１２における第１仮置き部１２９と第２仮置き部７０２との間の高低差（図６上下方向における高さ位置の差）よりも大きく設定される。そのため、第１底面６０ｂ１が第１仮置き部１２９に仮置きされた状態から遊技盤ユニット１３の回動（取付完了位置への変位）が更に進行されると、第２底面６０ｂ２が第２仮置き部７０２に乗り上げた状態となり、これに伴って、第１底面６０ｂ１が第１仮置き部１２９から離間される。
【０１２７】
即ち、内枠１２の内枠側コネクタ３００ｂにおける前方（正面）において、ベース板６０の第２底面６０ｂ２と第２仮置き部７０２との接触が確保された後に、遊技盤ユニット１３の遊技盤側コネクタ３００Ａと内枠１２の内枠側コネクタ３００Ｂとの接続を開始させることができる。よって、第１仮置き部１２９と第１底面６０ｂ１との間の関係（寸法公差）に影響を受けず、第２仮置き部７０２と第２底面６０ｂ２との間の関係（寸法公差）のみで両コネクタ３００Ａ，３００Ｂの高さ位置を規定することができる。その結果、両コネクタ３００Ａ，３００Ｂの接続が開始される際に、少なくとも遊技盤ユニット１３（ベース板６０）の回動先端側の内枠１２に対する高さ方向位置（上下位置）のばらつきを抑制することができるので、その分、両コネクタ３００Ａ，３００Ｂの接続を円滑に開始させることができる。
【０１２８】
次いで、図１０から図２４を参照して、遊技盤側コネクタ３００Ａの詳細構成について説明する。図１０は、遊技盤側コネクタ３００Ａの正面斜視図である。また、図１１（ａ）は、遊技盤側コネクタ３００Ａの正面図であり、図１１（ｂ）は、図１１（ａ）の矢印ＸＩｂ方向視における遊技盤側コネクタ３００Ａの側面図である。
【０１２９】
なお、図１０及び図１１において、矢印Ｒ−Ｌ、矢印Ｕ−Ｄ及び矢印Ｌ−Ｒは、互いに直交する方向を示しており、矢印Ｒ−Ｌは、台座４００の第１正面板４１１及び第２正面板４１２に平行で且つ台座４００の長手方向に平行な方向を示し、矢印Ｕ−Ｄは、台座４００の第１正面板４１１及び第２正面板４１２に平行で且つ台座４００の短手方向に平行な方向を示し、矢印Ｆ−Ｂは、台座４００の第１正面板４１１及び第２正面板４１２に垂直な方向を示す。図１２以降の各図においても同様であるので、その説明は省略する。
【０１３０】
図１０及び図１１に示すように、遊技盤側コネクタ３００Ａは、箱状に形成される台座４００と、その台座４００に保持される第１オスコネクタ５００及び第２オスコネクタ６００とを備える。台座４００は、第１正面板４１１及び第２正面板４１２の第１開口４２１及び第２開口４２２に第１オスコネクタ５００及び第２オスコネクタ６００をそれぞれ挿通させることで、上述したように、第１オスコネクタ５００及び第２オスコネクタ６００を接続の方向（矢印Ｆ−Ｂ方向）に直交する方向（矢印Ｒ−Ｌ方向又は矢印Ｕ−Ｄ方向）に変位可能に保持する。ここで、図１２から図１４を参照して、台座４００の詳細構成について説明する。
【０１３１】
図１２は、台座４００の正面斜視図であり、図１３（ａ）は、台座４００の正面図であり、図１３（ｂ）は、図１３（ａ）の矢印ＸＩＩＩｂ方向視における台座４００の側面図である。また、図１４（ａ）は、図１３（ａ）のＸＩＶａ−ＸＩＶａ線における台座４００の断面図であり、図１４（ｂ）は、図１３（ａ）のＸＩＶｂ−ＸＩＶｂ線における台座４００の断面図である。なお、図１３（ｂ）、図１４（ａ）及び図１４（ｂ）では、遊技機ユニット１３の背面であって遊技盤側コネクタ３００Ａが取り付けられる取付面ＢＥが二点鎖線を用いて模式的図に図示される。
【０１３２】
図１２から図１４に示すように、台座４００は、遊技盤ユニット１３（図８及び図９参照）の背面に所定間隔を隔てて対向配置される平板状の第１正面板４１１及び第２正面板４１２と、それら第１正面板４１１及び第２正面板４１２の間を接続する接続板４１３と、第１正面板４１１及び第２正面板４１２の正面視矩形の４辺のうちの互いに対向する短辺（図１３（ａ）の右側および左側の辺）にそれぞれ接続される短手側壁４１４，４１５及び４辺のうちの互いに対向する長辺（図１３（ａ）の上側および下側の辺）にそれぞれ接続される長手側壁４１６，４１７と、を備え、これら各部位が樹脂材料から一体に形成されることで、背面側（図１４（ａ）及び図１４（ｂ）の下側）が開放された箱状に形成される。
【０１３３】
第１正面板４１１、第２正面板４１２、接続板４１３、短手側壁４１４，４１５及び長手側壁４１６，４１７は、互いに同一の板厚寸法に設定されると共に、これらの板厚寸法は、後述する第１基端側弾性片４４１などの各弾性片４４１，４５１，４４２，４５２の板厚寸法よりも大きくされる。このように、台座４００の外殻を形成する部位の板厚寸法を全体に同一の板厚寸法に設定すると共に、基端が固定され先端が自由端となる片持ち片として形成される各弾性片４４１，４５１，４４２，４５２と外殻を形成する部位との間に板厚寸法の差を設けることで、成型金型内での素材の流動性が悪化しやすい各弾性片４４１，４５１，４４２，４５２における成型性を確保して、成型時の歩留まりの向上を図りつつ、外殻の剛性を確保して、各弾性片４４１，４５１，４４２，４５２や第１及び第２オスコネクタ５００，６００の弾性変形や変位を安定して保持することができる。
【０１３４】
第１正面板４１１及び第２正面板４１２は、矢印Ｆ−Ｂ方向に位置を異ならせつつ互いに平行に配設される。詳細には、第１正面板４１１及び第２正面板４１２は、台座４００が遊技盤ユニット１３の取付面ＢＥに取り付けられた状態では（図９参照）、ベース板６０の側部６０ａへ向けて下降傾斜される一方、遊技盤ユニット１３における前後位置（図１４（ａ）及び図１４（ｂ）の上下方向位置）が略同一の位置となるように形成される。これにより、上述したように、第１オスコネクタ５００及び第２オスコネクタ６００を、遊技機斜め後方へ向けた傾斜姿勢でそれぞれ配設すると共に、それらの前後位置を略同一の位置に設定できる（図９参照）。
【０１３５】
第１正面板４１１には、第１開口４２１が開口形成される。第１開口４２１は、第１オスコネクタ５００を挿通するための開口であり（図１０参照）、正面視横長の矩形状に形成される中央開口４２１ａの外縁に正面視横長の矩形状に形成される一対の基端側開口４２１ｂ及び一対の先端側開口４２１ｃがそれぞれ連なることで１の開口として形状とされる。これにより、第１正面板４１１には、基端が長手側壁板４１６，４１７側に保持されると共に先端が第１開口４２１内に突出される一対の中間正面板４１１ａと、基端が長手側壁板４１６，４１７及び短手側壁板４１４側に保持されると共に先端が第１開口４２１内に突出される一対の基端側正面板４１１ｂ及び一対の先端側正面板４１１ｃとが形成される。
【０１３６】
第２正面板４１２には、第２開口４２２が開口形成される。第２開口４２２は、第２オスコネクタ６００を挿通するための開口であり（図１０参照）、正面視横長の矩形状に形成される中央開口４２２ａの外縁に正面視横長の矩形状に形成される一対の基端側開口４２２ｂ及び一対の先端側開口４２２ｃがそれぞれ連なることで１の開口として形状とされる。これにより、第２正面板４１２には、基端が長手側壁板４１６，４１７側に保持されると共に先端が第２開口４２１内に突出される一対の中間正面板４１２ａと、基端が長手側壁板４１６，４１７及び短手側壁板４１５側に保持されると共に先端が第２開口４２２内に突出される一対の基端側正面板４１２ｂ及び一対の先端側正面板４１２ｃとが形成される。
【０１３７】
ここで、第２正面板４１２は、中間正面板４１２ａの矢印Ｒ−Ｌ方向における長さ寸法が、第１正面板４１１における中間正面板４１１ａの矢印Ｒ−Ｌ方向における長さ寸法よりも長くされる点を除き、第１正面板４１１と略同一に構成される。よって、これに伴い、第２開口４２２についても、中央開口４２２ａの矢印Ｒ−Ｌ方向における長さ寸法が、第１開口４２１における中央開口４２１ａの矢印Ｒ−Ｌ方向における長さ寸法よりも長くされる点を除き、第１開口４２１と略同一に構成される。
【０１３８】
第１正面板４１１及び第２正面板４１２の中間正面板４１１ａ，４１２ａには、基端側開口４２１ｂ，４２２ｂに接する外縁であってその外縁の正面（図１４（ａ）及び図１４（ｂ）の上側）に、基端側開口４２１ｂ，４２２ｂへ向かうに従って下降傾斜する傾斜面４１１ａ１，４１２ａ１が形成される。これにより、後述するように、第１オスコネクタ５００及び第２オスコネクタ６００を台座４００に組み付ける際の作業性の向上を図ることができる。
【０１３９】
但し、第１正面板４１１の中間正面板４１１ａに対し、傾斜面４１１ａ１の形成を省略しても良い。上述したように、第１開口４２１は、第２開口４２２に対し、矢印Ｒ−Ｌ方向における長さ寸法が短くされるので、基端側開口４２１ｂ及び先端側開口４２１ｃの離間距離も短くされ、その分、傾斜面４１１ａ１が省略されたとしても、第１オスコネクタ５００を台座４００に組み付ける際の作業性を確保できるからである。一方、傾斜面４１１ａ１の形成を省略する（板厚寸法を一定とする）ことで、その分、中間正面板４１１ａの剛性を高め、耐久性の向上を図ることができる。
【０１４０】
短手側壁板４１４，４１５及び長手側壁板４１６，４１７は、第１正面板４１１及び第２正面板４１２と反対側となる背面側（図１４（ａ）及び図１４（ｂ）の下側）の端面が全体に面一に形成され、後述する基端側固定部４３１、中間固定部４３２及び先端側固定部４３３が遊技盤ユニット１３に締結固定されることで、短手側壁板４１４，４１５及び長手側壁板４１６，４１７の背面側の端面が遊技盤ユニット１３の取付面ＢＥに密着される。これにより、第１オスコネクタ５００及び第２オスコネクタ６００の変位または後述する第１基準側弾性片４４１などの各弾性片４４１，４５１，４４２，４５２の弾性変形に対する台座４００の支持剛性を高めることができる。
【０１４１】
長手側壁板４１６には、第１正面板４１１及び第２正面板４１２と反対側となる背面側（図１４（ａ）及び図１４（ｂ）の下側）の端面に切り欠き部４１６ａが切り欠き形成される。切り欠き部４１６ａは、遊技盤ユニット１３の取付面ＢＥとの間に、第１オスコネクタ５００及び第２オスコネクタ６００の電気的接続線ＷＨを通過させる通路を形成するための部位であり、正面視横長の矩形に形成される。
【０１４２】
台座４００には、基端側固定部４３１、中間固定部４３２及び先端側固定部４３３が形成される。これら各固定部４３１〜４３３は、遊技盤ユニット１３へ締結固定される部位であり、基部側固定部４３１及び先端側固定部４３３は、短手側壁板４１４及び長手側壁板４１６の外面にそれぞれ一体に配設される一方、中間固定部４３２は、第１正面板４１１及び第２正面板４１２の接続部分（即ち、接続板４１３）に一体に配設される。
【０１４３】
これら各固定部４３１〜４３３は、背面（図１４（ａ）及び図１４（ｂ）の下側）が開放されており、その開放部分を介して、遊技盤ユニット１３の背面から突出される突出部（図示せず）が各固定部４３１〜４３３の内部にそれぞれ挿入されると共に、それら挿入された突出部に各固定部４３１〜４３３の挿通孔に挿通された締結ねじが締結固定される。即ち、突出部に対して各固定部４３１〜４３３がそれぞれ締結ねじにより締結固定されるだけでなく、各固定部４３１〜４３３の内部に突出部が内嵌されて係合されるので、遊技盤ユニット１３に対して台座４００を強固に固定して、第１オスコネクタ５００及び第２オスコネクタ６００の変位または後述する第１基準側弾性片４４１などの各弾性片４４１，４５１，４４２，４５２の弾性変形に対する台座４００の支持剛性を高めることができる。
【０１４４】
各固定部４３１〜４３３の背面側（図１４（ａ）及び図１４（ｂ）の下側）の端面は、短手側壁板４１４，４１５及び長手側壁板４１６，４１７の背面側の端面と面一に形成され、短手側壁板４１４，４１５及び長手側壁板４１６，４１７と共に、遊技盤ユニット１３の取付面ＢＥに密着される。これにより、第１オスコネクタ５００及び第２オスコネクタ６００の変位または後述する第１基準側弾性片４４１などの各弾性片４４１，４５１，４４２，４５２の弾性変形に対する台座４００の支持剛性を高めることができる。
【０１４５】
また、台座４００には、第１開口４２１に対応して、第１基端側弾性片４４１及び第１先端側弾性片４５１が形成されると共に、第２開口４２２に対応して、第２基端側弾性片４４２及び第２先端側弾性片４５２が形成される。第１基端側弾性片４４１及び第１先端側弾性片４５１は、第１開口４２１に挿通される第１オスコネクタ５００に対し、第２基端側弾性片４４２及び第２先端側弾性片４５２は、第２開口４２２に挿通される第２オスコネクタ６００に対し、それらの位置決め及び初期位置への復帰のための付勢をそれぞれ行うための部位である（図１９参照）。
【０１４６】
第１基端側弾性片４４１は、側面視Ｊ字状に形成される弾性片であり、厚み寸法および幅寸法が基端から先端までの範囲にわたって略一定に形成される。詳細には、第１基端側弾性片４４１は、側面視円弧状に湾曲して形成され一端（第１基端側弾性片４４１の基端）を短手側壁板４１４の正面側（図１４（ａ）及び図１４（ｂ）の上側）の端面に接続する湾曲部分４４１ａと、その湾曲部分４４１ａの他端に一端が接続され側面視直線状に形成されると共に短手側壁板４１４の内面に所定間隔を隔てつつ平行に対向配置される直線部分４４１ｂとを備える。
【０１４７】
第１先端側弾性片４５１は、側面視Ｌ字状に形成される弾性片であり、矢印Ｒ−Ｌ方向において第１基端側弾性片４４１と所定間隔を隔てつつ対向配置されると共に、厚み寸法および幅寸法が基端から先端までの範囲にわたって略一定に形成される。詳細には、第１先端側弾性片４５１は、中間固定部４３２の最も背面側（図１４（ａ）及び図１４（ｂ）の下側）における外面に一端（第１先端側弾性片４５１の基端）が接続され第１基端側弾性片４４１へ向けて張り出す側面視直線状の張出部分４５１ａと、その張出部分４５１ａの他端に一端が接続され側面視直線状に形成されると共に中間固定部４３２の外面に所定間隔を隔てつつ平行に対向配置される直線部分４５１ｂと、その直線部分４５１ｂの他端から第１基端側弾性片４４１へ向けて側面視直線状に延設される延設部分４５１ｃとを備える。
【０１４８】
第１基端側弾性片４４１及び第１先端側弾性片４５１は、互いの直線部分４４１ｂ，４５１ｂが平行に対向配置される姿勢で形成され、それら直線部分４４１ｂ，４５１ｂの対向間隔が第１オスコネクタ５００の長手方向寸法よりも若干小さくされる。これにより、第１基端側弾性片４４１及び第１先端側弾性片４５１の間に第１オスコネクタ５００を挟み込むことができるので、かかる第１オスコネクタ５００を矢印Ｒ−Ｌ方向における初期位置に位置決めすることができる。また、台座４００に対して第１オスコネクタ５００を矢印Ｒ−Ｌ方向へ変位させる外力が作用される場合には、第１基端側弾性片４４１又は第１先端側弾性片４５１が弾性変形することで、第１オスコネクタ５００の変位を許容して、破損を防止できる一方、外力が解除された後は、第１基端側弾性片４４１又は第１先端側弾性片４５１の弾性回復力により第１オスコネクタ５００を初期位置へ復帰させることができる（図１９から図２１参照）。
【０１４９】
第２基端側弾性片４４２及び第２先端側弾性片４５２は、それぞれ上述した第１基端側弾性片４４１及び第１先端側弾性片４５１と実質的に同一に形成される。即ち、第２基端側弾性片４４２は、側面視Ｊ字状に形成される弾性片であり、厚み寸法および幅寸法が基端から先端までの範囲にわたって略一定に形成される。詳細には、第２基端側弾性片４４２は、側面視円弧状に湾曲して形成され一端（第２基端側弾性片４４２の基端）を中間固定部４３２の正面側（図１４（ａ）及び図１４（ｂ）の上側）の端面に接続する湾曲部分４４２ａと、その湾曲部分４４２ａの他端に一端が接続され側面視直線状に形成されると共に中間固定部４３２の外面に所定間隔を隔てつつ平行に対向配置される直線部分４４２ｂとを備える。
【０１５０】
第２先端側弾性片４５２は、側面視Ｌ字状に形成される弾性片であり、矢印Ｒ−Ｌ方向において第２基端側弾性片４４２と所定間隔を隔てつつ対向配置されると共に、厚み寸法および幅寸法が基端から先端までの範囲にわたって略一定に形成される。詳細には、第２先端側弾性片４５２は、短手側壁板４１５の最も背面側（図１４（ａ）及び図１４（ｂ）の下側）における内面に一端（第２先端側弾性片４５２の基端）が接続され第２基端側弾性片４４２へ向けて張り出す側面視直線状の張出部分４５２ａと、その張出部分４５２ａの他端に一端が接続され側面視直線状に形成されると共に短手側壁板４１５の内面に所定間隔を隔てつつ平行に対向配置される直線部分４５２ｂとを備える。
【０１５１】
ここで、第１先端側弾性片４５１の延設部分４５１ｃは、後述するように、第１正面板４１１の中間正面板４１１ａ及び基端側正面板４１１ｂと共に、第１オスコネクタ５００に係合（当接）して、かかる第１オスコネクタ５００が第１開口４２１から矢印Ｆ方向へ抜け出ることを規制するための部位である（図１９参照）。本実施形態では、第１先端側弾性片４５１には、直線部分４５１ｂの他端に延設部分４５１ｃが形成されるが、第２先端側弾性片４５２には、直線部分４５２ｂの他端への延設部分の形成が省略される。
【０１５２】
これは、本実施形態では、第２正面板４１２の中間正面板４１２ａは、第１正面板４１１の中間正面板４１１ａよりも、矢印Ｒ−Ｌ方向における長さ寸法が長くされるため、その分、第２オスコネクタ６００との係合（当接）面積を確保でき、第２オスコネクタ６００が第２開口４２２から矢印Ｆ方向へ抜け出ることを第２正面板４１２の中間正面板４１２ａ及び基端側正面板４１２ｂのみにより規制することができるからである。即ち、本実施形態によれば、第２先端側弾性片４５２への延設部分の形成を省略することができ、その分、第２先端側弾性片４５２の形状を簡素化して、成型時の歩留まりを高めることができると共に、素材量を軽減して、材料コストの削減を図ることができる。但し、第２先端側弾性片４５２に延設部分を設けても良い。
【０１５３】
第２基端側弾性片４４２及び第１先端側弾性片４５２は、互いの直線部分４４２ｂ，４５２ｂが平行に対向配置される姿勢で形成され、それら直線部分４４２ｂ，４５２ｂの対向間隔が第２オスコネクタ６００の長手方向寸法よりも若干小さくされる。これにより、上述した第１オスコネクタ５００の場合と同様に、第２基端側弾性片４４２及び第２先端側弾性片４５２の間に第２オスコネクタ６００を挟み込むことができるので、かかる第２オスコネクタ６００を矢印Ｒ−Ｌ方向における初期位置に位置決めすることができる。また、台座４００に対して第２オスコネクタ６００を矢印Ｒ−Ｌ方向へ変位させる外力が作用される場合には、第２基端側弾性片４４２又は第２先端側弾性片４５２が弾性変形することで、第２オスコネクタ６００の変位を許容して、破損を防止できる一方、外力が解除された後は、第２基端側弾性片４４２又は第２先端側弾性片４５２の弾性回復力により第２オスコネクタ６００を初期位置へ復帰させることができる（図１９から図２１参照）。
【０１５４】
図１０及び図１１に戻って説明する。上述したように、台座４００は、正面視横長の矩形状に形成され、台座４００の長手方向に対し、第１オスコネクタ５００及び第２オスコネクタ６００がその長手方向を沿わせて一列に配設される。ここで、図１５から図１８を参照して、第１オスコネクタ５００及び第２オスコネクタ６００の詳細構成について説明する。
【０１５５】
図１５は、第１オスコネクタ５００の正面斜視図である。図１６（ａ）は、第１オスコネクタ５００の正面図であり、図１６（ｂ）は、図１６（ａ）の矢印ＸＶＩｂ方向視における第１オスコネクタ５００の側面図である。また、図１７（ａ）及び図１７（ｂ）は、図１６（ａ）の矢印ＸＶＩＩａ方向視および矢印ＸＶＩＩｂ方向視における第１オスコネクタ５００の側面図である。なお、図１５から図１７では、第１オスコネクタ５００の電気的接続線ＷＨの図示が省略される。
【０１５６】
図１５から図１７に示すように、第１オスコネクタ５００は、正面視横長の矩形状に形成されるハウジング５１０と、そのハウジング５１０の上下（矢印Ｕ−Ｄ側）の外壁面に幅方向（矢印Ｒ−Ｌ方向）に沿って等間隔に列設されると共に導電性材料からなる複数の接点部材５２０とを備える。
【０１５７】
ハウジング５１０には、幅方向（矢印Ｒ−Ｌ）両側の側壁面から被ガイド部５３０が突設される。被ガイド部５３０は、第１メスコネクタ８００及び第２メスコネクタ９００のガイド溝部８３０に嵌入される断面コ字状の凸部であり、接続の方向（矢印Ｆ−Ｂ方向）に沿って直線状に延設される２本が所定間隔を隔てつつ平行に並設される。また、被ガイド部５３０の先端には、先端へ向けて下降傾斜する傾斜面（案内面５３０ａ及び案内面５３０ｂ）が形成されることで、先細形状に形成される。
【０１５８】
よって、上述したように、接続初期においては、被ガイド部５３０の先端（案内面５３０ａ，５３０ｂ）を第１メスコネクタ８００の案内面８１０ａ，８３０ａによりガイド溝部８３０へ向けて案内可能として、接続初期における被ガイド部５３０とガイド溝部８３０との間の位置ズレを許容できる。被ガイド部５３０の先端（案内面５３０ａ，５３０ｂ）がガイド溝部８３０へ挿入された後（即ち、案内面８１０ａ，８３０ａを通過した後）は、被ガイド部５３０がガイド溝８３０の延設方向に沿って嵌入されることで、第１メスコネクタ８００に対する第１オスコネクタ５００の傾斜を矯正でき、両者の接点部材８２０，５２０を適切な状態で接触させることができる。
【０１５９】
なお、被ガイド部５３０は、並設される２本の幅寸法が互いに異なる寸法値に設定される。これにより、上述したように、第１オスコネクタ５００及び第２オスコネクタ６００が正規の姿勢から上下反転された姿勢で第１メスコネクタ８００及び第２メスコネクタ９００に接続されることを規制することができる。
【０１６０】
ハウジング５１０の背面側（矢印Ｂ側）には、基端側正面板５４１、先端側正面板５４２及び側部正面板５４３からなる正面板の群と、その正面板の群よりも背面側に更に後退して配設される基端側背面板５５１、先端側背面板５５２及び側部背面板５５３からなる背面板の群とが形成される。
【０１６１】
第１オスコネクタ５００の正面板の群は、第１オスコネクタ５００が台座４００に取り付けられた状態（即ち、第１開口４２１に挿通された状態）において、台座４００の第１正面板４１１の正面側に配置される部位であり、台座４００の第１正面板４１１に対して正面視において重なる部分を有して形成される（図１１参照）。よって、第１オスコネクタ５００及び第１メスコネクタ８００を接続する際に、第１オスコネクタ５００の正面板の群を台座４００の第１正面板４１１に当接させて、第１オスコネクタ５００の台座４００に対する背面方向（矢印Ｂ方向）への変位を規制することができる。これにより、第１オスコネクタ５００を第１メスコネクタ８００の接続口（受入口）内の所定位置まで確実に挿入させ、適正な接続状態を形成することができる。
【０１６２】
詳細には、基端側正面板５４１は、ハウジング５１０の上下（矢印Ｕ−Ｄ側）の外壁面からそれぞれ外方へ張り出す正面視矩形の一対の板状体として形成される。同様に、先端側正面板５４２は、ハウジング５１０の上下（矢印Ｕ−Ｄ側）の外壁面からそれぞれ外方へ張り出す正面視矩形の一対の板状体として形成され、基端側正面板５４１に対して、ハウジング５１０の長手方向（矢印Ｒ−Ｌ方向）に所定間隔を隔てて配設される。一方、側部正面板５４３は、ハウジング５１０の長手方向一側（矢印Ｒ側）の外壁面から外方へ張り出すと共にハウジング５１０の上下（矢印Ｕ−Ｄ方向）に所定間隔を隔てて配設される正面視矩形の一対の板状体として形成される。
【０１６３】
これら各正面板５４１，５４２，５４３は、それぞれ同一の厚み寸法（矢印Ｆ−Ｂ方向寸法）を有して形成され、互いに平行となる姿勢で配設されると共に、互いに同一の前後方向（矢印Ｆ−Ｂ方向）位置に配設される。即ち、各正面板５４１，５４２，５４３の背面（図１６（ｂ）下側の面）が面一に配設されるので、かかる背面を台座４００の第１正面板４１１の正面に均一に当接させることができる。これにより、荷重が一部に偏ることを抑制して、耐久性の向上を図ることができると共に、台座４００に対して第１オスコネクタ５００を接続の方向と直交する方向（矢印Ｕ−Ｄ方向または矢印Ｒ−Ｌ方向）へスムーズに変位させることができる。
【０１６４】
第１オスコネクタ５００の背面板の群は、第１オスコネクタ５００が台座４００に取り付けられた状態（即ち、第１開口４２１に挿通された状態）において、台座４００の第１正面板４１１の背面側（即ち、台座４００の第１正面板４１１を挟んで第１オスコネクタ５００の正面板の群の反対側）に配置される部位であり、台座４００の第１正面板４１１に対して正面視において重なる部分を有して形成される（図１１参照）。よって、第１オスコネクタ５００及び第１メスコネクタ８００の接続を解除する際に、第１オスコネクタ５００の背面板の群を台座４００の第１正面板４１１及び第１先端側弾性片４５１の延設部分４５１ｃに当接させて、第１オスコネクタ５００の台座４００に対する正面方向（矢印Ｆ方向）への変位を規制することができる。これにより、第１オスコネクタ５００が台座４００の第１開口４２１から抜け出ることを抑制し、かかる第１オスコネクタ５００を第１メスコネクタ８００の接続口（受入口）から確実に抜き取ることができる。
【０１６５】
詳細には、基端側背面板５５１は、ハウジング５１０の長手方向他側（矢印Ｌ側）の外壁面から外方へ張り出す正面視矩形の板状体として形成される。先端側背面板５５２は、ハウジング５１０の上下（矢印Ｕ−Ｄ側）の外壁面からそれぞれ外方へ張り出す正面視矩形の一対の板状体として形成されると共に、正面視において、上述した基端側正面板５４１と先端側正面板５４２との対向間に配設される。また、側部背面板５５３は、ハウジング５１０の長手方向一側（矢印Ｒ側）の外壁面から外方へ張り出す正面視矩形の板状体として形成され、正面視において、上述した側部正面板５４３（一対の板状体）の対向間に配設される。
【０１６６】
これら各背面板５５１，５５２，５５３は、それぞれ同一の厚み寸法（矢印Ｆ−Ｂ方向寸法）を有して形成され、互いに平行となる姿勢で配設されると共に、互いに同一の前後方向（矢印Ｆ−Ｂ方向）位置に配設される。即ち、各背面板５５１，５５２，５５３の正面（図１６（ｂ）上側の面）が面一に配設されるので、かかる正面を台座４００の第１正面板４１１の背面に均一に当接させることができる。これにより、荷重が一部に偏ることを抑制して、耐久性の向上を図ることができると共に、台座４００に対して第１オスコネクタ５００を接続の方向と直交する方向（矢印Ｕ−Ｄ方向または矢印Ｒ−Ｌ方向）へスムーズに変位させることができる。
【０１６７】
なお、第１オスコネクタ５００の正面板の群（各正面板５４１〜５４３）に対して背面板の群（各背面板５５１〜５５３）が背面側（矢印Ｂ方向）に後退する後退量（即ち、各正面板５４１〜５４３の背面と各背面板５５１〜５５３の正面との間の矢印Ｆ−Ｂ方向における間隔）は、台座４００の第１正面板４１１の板厚寸法と略同一の値または第１正面板４１１の板厚寸法より若干大きな値に設定され、正面板の群と背面板の群との間に台座４００の第１正面板４１１が挟装可能とされる。
【０１６８】
また、先端側背面板５４２は、ハウジング５１０の上下（矢印Ｕ−Ｄ側）の外壁面に接続される接続部５４２ａと、その接続部５４２ａから基端側背面板５４１と反対側へ向へてハウジング５１０の長手方向（矢印Ｒ−Ｌ方向）と平行に延設される延設部５５２ｂと、その延設部５５２ｂの延設先端からハウジング５１０の正面（矢印Ｆ方向）へ突設される係合部５５２ｃとからなる。
【０１６９】
先端側背面板５４２の係合部５５２ｂは、第１オスコネクタ５００が台座４００に取り付けられた状態（即ち、第１開口４２１に挿通された状態）において、台座４００の第１開口４２１における先端側開口４２１ｃ内に配置される。即ち、先端側背面板５４２の係合部５５２ｂは、その側面（図１６（ａ）及び図１６（ｂ）右側の面）が台座４００の第１開口４２１における先端側開口４２１ｃの内周面に対面される。よって、台座４００に対して第１オスコネクタ５００がその長手方向他側（矢印Ｌ方向）へ向けて変位される場合には、先端側背面板５４２の係合部５４２ｂが先端側開口４２１ｃの内周面に当接して係合されることで、第１オスコネクタ５００の台座４００に対する矢印Ｌ方向への変位を規制することができる（図２１参照）。
【０１７０】
なお、本実施形態では、係合部５５２ｂが延設部５５２ｂから突設される突設寸法は、台座４００の第１正面板４１１の板厚寸法と略同一とされる。これにより、係合部５５２ｂの側面と台座４００の先端側開口４２１ｃの内周面との係合面積を最大に確保しつつ、台座４００に第１オスコネクタ５００を組み付ける際に必要とされる先端側背面板５４２の弾性変形量（即ち、係合部５４２ｃの後退量）を抑制して、その組み付け性の向上を図ることができる。
【０１７１】
この場合、先端側背面板５４２は、接続部５４２ａと係合部５４２ｃとの間に延設部５４２ｂが介設されるので、延設部５４２ｂを弾性変形させることで、係合部５４２ｃを前後（矢印Ｆ−Ｂ方向）に変位させることができる。これにより、台座４００に第１オスコネクタ５００を組み付ける際には、後述するように、延設部５４２ｂの弾性変形を利用して、係合部５４２ｃを、後方（矢印Ｂ方向）へ退避させつつ、台座４００の先端側開口４２１ｃ内に配置させることができる（図２４参照）。その結果、台座４００への第１オスコネクタ５００の組み付け性の向上が図られる。
【０１７２】
基部側正面壁５４１の背面および先端側正面壁５４２の背面には、基端側係合面５６１及び先端側係合面５６２がそれぞれ形成される。これら基端側係合面５６１及び先端側係合面５６２は、第１オスコネクタ５００が台座４００に取り付けられた状態（即ち、第１開口４２１に挿通された状態）において、台座４００の第１開口４２１における基端側開口４２１ｂ及び先端側開口４２１ｃ内にそれぞれ配置される（図１１参照）。
【０１７３】
即ち、基端側係合面５６１は、先端側背面板５４２における係合部５４２ｃの側面（図１６（ａ）及び図１６（ｂ）右側の面）に対向配置されると共に、台座４００の第１開口４２１における基端側開口４２１ｂの内周面に対面される。また、先端側係合面５６２は、基端側係合部５６１と同じ方向を向いて配置され、台座４００の第１開口４２１における先端側開口４２１ｃの内周面に対面される。
【０１７４】
これにより、台座４００に対して第１オスコネクタ５００がその長手方向一側（矢印Ｒ方向）へ向けて変位される場合には、基端側係合面５６１が基端側開口５４１ｂの内周面に、先端側係合面５６２が先端側開口５４１ｃの内周面に、それぞれ係合されることで、第１オスコネクタ５００の台座４００に対する矢印Ｒ方向への変位を規制することができる。即ち、基端側係合面５６１及び先端側係合面５６２が基端側開口５４１ｂの内周面および先端側開口５４１ｃの内周面にそれぞれ係合されるまで、第１オスコネクタ５００の台座４００に対する矢印Ｒ方向への変位が許容される。
【０１７５】
次いで、図１８を参照して、第２オスコネクタ６００について説明する。図１８は、第２オスコネクタ６００の正面斜視図である。なお、図１８では、第２オスコネクタ６００の電気的接続線ＷＨの図示が省略される。
【０１７６】
図１８に示すように、第２オスコネクタ６００は、正面視横長の矩形状に形成されるハウジング６１０と、そのハウジング６１０の上下（矢印Ｕ−Ｄ側）の外壁面に幅方向（矢印Ｒ−Ｌ方向）に沿って等間隔に列設されると共に導電性材料からなる複数の接点部材５２０とを備える。
【０１７７】
ここで、第２オスコネクタ６００は、第１オスコネクタ５００に対し、接点部材５２０の列設間隔が同一とされる一方、列設数が多くされる。そのため、第２オスコネクタ６００のハウジング６１０は、第１オスコネクタ５００のハウジング５１０よりも、その長手方向（矢印Ｒ−Ｌ方向）寸法が長くされる。この場合、第２オスコネクタ６００は、その先端側背面板６５２における接続部６５２ａの長さ寸法（矢印Ｒ−Ｌ方向寸法）を、第１オスコネクタ５００の先端側背面板５５２における接続部６５２ａの長さ寸法（矢印Ｒ−Ｌ方向寸法）よりも長くすることで、ハウジング６１０の長手方向寸法の拡大に対応される。
【０１７８】
このように、本実施形態では、先端側背面板６５２において、接続部６５２ａの長さ寸法を延長することで、ハウジング６１０の長手方向寸法の拡大に対応するので、第２オスコネクタ６００の背面板の群を台座４００の正面板４１２に当接させて、第２オスコネクタ６００の台座４００に対する正面方向（矢印Ｆ方向）への変位を規制する際には、その規制に寄与する部位（接続部６５２ａ）の面積を効果的に確保できる。
【０１７９】
これにより、接点部材５２０の列設数が増加される分、解除の際の抵抗が大きくなる場合であっても、第２オスコネクタ６００及び第２メスコネクタ９００の接続を解除する際に、第２オスコネクタ６００が台座４００の第２開口４２２から抜け出ることを抑制でき、その結果、かかる第２オスコネクタ６００を第２メスコネクタ９００の接続口（受入口）から確実に抜き取ることができる。
【０１８０】
また、接続部６５２ａの長さ寸法が延長されることで、上述の通り、規制に寄与する部位の面積を確保できるので、その分、側部背面板５５３に当接するための部分を先端側弾性片４５２に形成することを省略できる。即ち、第２先端側弾性片４５２では、第１先端側弾性片４５１で設けた延設部分４５１ｃを省略できる。これにより、先端側弾性片４５２の形状を簡素化して、成型性を高めることができ、その分、成型時の歩留まりの向上を図ることができる。同時に、このように、第２先端側弾性片４５２への延設部の形成が省略されることで、その分、長手方向（矢印Ｒ−Ｌ方向）寸法が比較的長くされる第２オスコネクタ６００であっても、かかる第２オスコネクタ６００を台座４００（第２開口４２２）に組み付ける（挿通させる）際の作業性の向上を図ることができる。
【０１８１】
なお、第２オスコネクタ６００は、ハウジング６１０及び先端側背面板６５２の接続部６５２ａの構成（長手方向（矢印Ｒ−Ｌ方向）寸法）が、第１オスコネクタ５００におけるハウジング５１０及び先端側背面板５５２の接続部５５２ａと異なる点を除き、他の構成については、第１オスコネクタ５００における各構成と同一であるので、同一の構成には同一の符号を付して、その説明は省略する。
【０１８２】
図１０及び図１１に戻って説明する。遊技盤側コネクタ３００Ａでは、台座４００に対して第１オスコネクタ５００及び第２オスコネクタ６００の初期位置が規定可能に形成され、また、台座４００に対して第１オスコネクタ５００及び第２オスコネクタ６００が接続の方向と直交する方向（矢印Ｕ−Ｄ方向または矢印Ｒ−Ｌ方向）へ変位可能に形成されると共に、台座４００に対する第１オスコネクタ５００及び第２オスコネクタ６００の接続の方向と直交する方向への変位が所定の範囲内で規制可能に形成される。
【０１８３】
この場合、本実施形態では、台座４００に対する初期位置を規定する構造、台座４００に対する変位を許容する構造、及び、その変位の許容範囲を所定範囲内に規制する構造が、第１オスコネクタ５００及び第２オスコネクタ６００の両者において実質的に同一であるので、以下においては、第１オスコネクタ５００における構造のみを説明して、第２オスコネクタ６００における構造の説明は省略する。
【０１８４】
まず、台座４００に対する第１オスコネクタ５００の初期位置を規定する構造について説明する。なお、この説明においては、図１９を適宜参照する。図１９は、図１１（ａ）のＸＩＸ−ＸＩＸ線における遊技盤側コネクタ３００Ａの断面図である。図１９では、図面を簡素化して、理解を容易とするために、第１オスコネクタ５００及び第２オスコネクタ６００の断面形状をその全体にハッチングを付して模式的に図示する。
【０１８５】
図１０、図１１及び図１９に示すように、遊技盤側コネクタ３００Ａは、台座４００に対して第１オスコネクタ５００が組み付けられた状態（即ち、台座４００の第１開口４１１に第１オスコネクタ５００が挿通された状態）では、矢印Ｒ−Ｌ方向において、第１オスコネクタ５００が第１基端側弾性片４４１と第１先端側弾性片４５１との対向間に挟装される。
【０１８６】
詳細には、第１オスコネクタ５００は、基端側背面板５５１の側面を第１基端側弾性片４４１の直線部分４４１ｂに、側部背面板５５３の側面を第１先端側弾性片４４１の直線部分４５１ｂに、それぞれ当接させ、これら第１基端側弾性片４４１及び第１先端側弾性片４５１を互いに離間する方向へ若干弾性変形させた状態で配設される。これにより、台座４００に対する第１オスコネクタ５００の矢印Ｒ−Ｌ方向における初期位置を規定できる。
【０１８７】
ここで、台座４００に対する第１オスコネクタ５００の接続の方向と直交する方向（矢印Ｕ−Ｄ方向または矢印Ｒ−Ｌ方向）への変位が許容される構造では、内枠１２における取付完了位置に遊技盤ユニット１３が配置された状態で、第１オスコネクタ５００と第１メスコネクタ８００との間に位置ばらつきがある場合でも、第１オスコネクタ５００が台座４００に対して接続の方向と直行する方向へ変位されることで、位置ばらつきを吸収することができ、その結果、第１オスコネクタ５００と第１メスコネクタ８００とを接続させることができる。
【０１８８】
しかしながら、このように、台座４００に対する第１オスコネクタ５００の接続の方向と直交する方向（矢印Ｕ−Ｄ方向または矢印Ｒ−Ｌ方向）への変位が許容されると、台座４００に対する第１オスコネクタ５００の配設位置が不安定となるため、内枠１２における取付完了位置へ遊技盤ユニット１３を変位させ、第１オスコネクタ５００及び第１メスコネクタ８００の接続を開始する際に、これら両コネクタ５００，８００どうしが衝突して破損する事態が発生しやすくなる。
【０１８９】
これに対し、本実施形態によれば、台座４００に対する第１オスコネクタ５００の配設位置を、第１基端側弾性片４４１及び第１先端側弾性片４５１を利用して、矢印Ｒ−Ｌ方向における所定位置（初期位置）に位置決めできる。よって、内枠１２における取付完了位置へ遊技盤ユニット１３を変位させ、第１オスコネクタ５００及び第１メスコネクタ８００の接続を開始する際に、台座４００に対して第１オスコネクタ５００の配設位置が初期位置から矢印Ｒ−Ｌ方向へ不用意に変化する（位置ずれする）ことを抑制できる。その結果、台座４００に対する第１オスコネクタ５００の配設位置を安定させることができ、第１オスコネクタ５００と第１メスコネクタ８００との接続開始時に、これら両コネクタ５００，８００どうしが衝突して破損することを抑制できる。
【０１９０】
また、台座４００に対して、第１オスコネクタ５００を、第１基端側弾性片４４１及び第１先端側弾性片４５１を介して弾性支持させることができるので、接続の際の衝撃や遊技盤ユニット１３の回動時の遠心力を、各弾性片４４１，４５１による弾性支持により緩和して、台座４００や第１オスコネクタ５００の損傷を抑制できる。
【０１９１】
本実施形態では、一対の弾性片（第１基端側弾性片４４１及び第１先端側弾性片４５１）の間に第１オスコネクタ５００が配設されるので、台座４００に対する第１オスコネクタ５００の配設位置が変化することを矢印Ｒ方向および矢印Ｌ方向の両方向において抑制できる。その結果、第１オスコネクタ５００及び第１メスコネクタ８００が接続開始時に衝突して破損することをより確実に抑制できる。
【０１９２】
また、第１オスコネクタ５００が矢印Ｒ方向または矢印Ｌ方向のいずれの方向へ変位される場合であっても、一対の弾性片（第１基端側弾性片４４１及び第１先端側弾性片４５１）の弾性回復力を利用して、第１オスコネクタ５００を初期位置へ復帰させることができる。
【０１９３】
特に、本実施形態では、一対の弾性片（第１基端側弾性片４４１及び第１先端側弾性片４５１）が配設される方向（矢印Ｒ−Ｌ方向）が、遊技盤ユニット１３の幅方向に沿う方向とされるので、前扉枠１４を全開にできず、かかる前扉枠１４を所定の角度だけ開放し、その開放側（前扉枠１４の回動先端側）から内枠１２の挿入部１２８へ遊技盤ユニット１３（ベース板６０の側部６０ａ）を挿入すると共に、挿入部１２８に挿入されたベース板６０の側部６０ａを中心として遊技盤ユニット１３を回動して、第１オスコネクタ５００を第１メスコネクタ８００へ接続する場合に、これら両コネクタ５００，８００どうしが衝突して破損することを抑制しやすくすることができる。
【０１９４】
上述したように、第１オスコネクタ５００の電気的接続線ＷＨは、第１オスコネクタ５００の背面から延出され、台座４００における長手側壁部４１６の切り欠き部４１６ａ（図１０参照）に挿通された後、その切り欠き部４１６ａから配線保持部材７５へ向けて取り回され、その配線保持部材７５の開口７５ａに挿通される（図８及び図９参照）。これにより、電気的接続線ＷＨが切り欠き部４１６ａの内周面および開口７５ａの内周面にそれぞれ当接されて保持されることで、かかる電気的接続線ＷＨの姿勢を所定の姿勢に設定することができる。その結果、電気的接続線ＷＨの姿勢保持力が第１コネクタ５００に作用されることで、台座４００に対する第１オスコネクタ５００の矢印Ｕ−Ｄ方向における初期位置を規定できる。
【０１９５】
なお、本実施形態では、第１オスコネクタ５００の矢印Ｕ−Ｄ方向における初期位置が、その第１オスコネクタ５００の矢印Ｕ−Ｄ方向における可動範囲（即ち、矢印Ｕ−Ｄ方向における第１開口４２１の開口寸法）の中央に設定される。
【０１９６】
このように、本実施形態によれば、電気的接続線ＷＨの姿勢保持力を利用することで、台座４００に対する第１オスコネクタ５００の矢印Ｕ−Ｄ方向における初期位置も位置決めすることができる。よって、内枠１２における取付完了位置へ遊技盤ユニット１３を変位させ、第１オスコネクタ５００及び第１メスコネクタ８００の接続を開始する際に、台座４００に対して第１オスコネクタ５００の配設位置が初期位置から不用意に変化する（位置ずれする）ことを矢印Ｕ−Ｄ方向においても抑制できる。その結果、第１オスコネクタ５００と第１メスコネクタ８００との接続開始時に、これら両コネクタ５００，８００どうしが衝突して破損することをより確実に抑制できる。
【０１９７】
また、電気的接続線ＷＨの姿勢保持力を利用することで、部品点数を低減して、構造を簡素化することができ、その分、製品コストの削減を図ることができる。即ち、矢印Ｕ−Ｄ方向においても、矢印Ｒ−Ｌ方向の場合と同様に、弾性変形可能な弾性片を設け、その弾性片により第１オスコネクタ５００の初期位置を規定することも可能であるが、この場合には、弾性片を別途設ける必要があり、部品点数が増加して、構造の複雑化を招く。
【０１９８】
これに対し、本実施形態によれば、電気的接続線ＷＨの姿勢保持力を利用して第１オスコネクタ５００を初期位置に保持する構成なので、既存の部品を流用する（即ち、電気的接続線ＷＨに電気的な信号線や電力供給線としての役割だけでなく、初期位置を規定するための機械的構造物としての役割も担わせる）ことができ、別途部品（弾性片）を設ける必要がない。これにより、構造を簡素化して、その分、製品コストの削減を図ることができる。なお、第１オスコネクタ５００が台座４００に対して変位される場合には、その変位を電気的接続線ＷＨの姿勢変化で許容することができる。
【０１９９】
この場合、本実施形態では、台座４００の長手側壁板４１６に切り欠き部４１６ａを設け（図１０参照）、かかる切り欠き部４１６ａの内周面を電気的接続線ＷＨに当接させて保持するので（図８参照）、第１オスコネクタ５００により近い位置で電気的接続線ＷＨを保持（切り欠き部４１６ａを当接）することができる。これにより、電気的接続線ＷＨの姿勢保持力を第１オスコネクタ５００に効果的に作用させることが可能な姿勢に電気的接続線ＷＨを設定することができ、その結果、第１オスコネクタ５００を初期位置に正確に保持しやすくできる。なお、切り欠き部４１６ａは、その内周面を電気的接続線ＷＨに当接する構成であり、かかる電気的接続線ＷＨの変形を許容するので、台座４００に対して第１オスコネクタ５００が変位される際に、その変位が阻害されることを抑制できる。
【０２００】
また、配線保持部材７５は、台座４００の上方であって、台座４００よりもベース板６０の背面側へ突出する位置に配設されると共に、その開口７５ａを台座４００の切り欠き部４１６ａに対面させる姿勢で配設されるので（図８及び図９参照）、電気的接続線ＷＨの姿勢を安定させることができ、第１オスコネクタ５００の初期位置を適正な位置に保持しやすくできる。
【０２０１】
次いで、台座４００に対する第１オスコネクタ５００の矢印Ｆ−Ｂ方向（即ち、第１オスコネクタ５００を第１メスコネクタ８００に接続する方向およびその接続を解除する方向）への変位を規制する構造について説明する。
【０２０２】
図１０、図１１及び図１９に示すように、遊技盤側コネクタ３００Ａは、台座４００に第１オスコネクタ５００が組み付けられた状態（即ち、台座４００の第１開口４１１に第１オスコネクタ５００が挿通された状態）では、第１オスコネクタ５００の正面板の群（基板側正面板５４１、先端側正面板５４２及び側部正面板５４３）が、台座４００の第１正面板４１１（中間正面板４１１ａ、基端側正面板４１１ｂ及び先端側正面板４１１ｃ）の正面側（矢印Ｆ側）に配置される。
【０２０３】
詳細には、第１オスコネクタ５００における基端側正面板５４１は第１正面板４１１における中間正面板４１１ａの正面側に、第１オスコネクタ５００における先端側正面板５４２及び側部正面板５４３は第１正面板４１１における先端側正面板４１１ｂの正面側に、それぞれ正面視においてその一部を重ならせて配設される。
【０２０４】
よって、内枠１２における取付完了位置へ遊技盤ユニット１３を変位させ、第１オスコネクタ５００を第１メスコネクタ８００に接続する際には、第１オスコネクタ５００の正面板の群を台座４００の第１正面板４１１に当接させて、第１オスコネクタ５００の台座４００に対する背面方向（矢印Ｂ方向）への変位を規制することができる。これにより、第１オスコネクタ５００を第１メスコネクタ８００の接続口（受入口）内の所定位置まで確実に挿入させ、適正な接続状態を形成することができる。
【０２０５】
一方、遊技盤側コネクタ３００Ａは、第１オスコネクタ５００の背面板の群（基板側背面板５５１、先端側背面板５５２及び側部背面板５５３）が、台座４００の第１正面板４１１（中間正面板４１１ａ、基端側正面板４１１ｂ及び先端側正面板４１１ｃ）及び第１先端側弾性片４５２（延設部４５２ｃ）の背面側（矢印Ｂ側）に配置される。
【０２０６】
詳細には、第１オスコネクタ５００における基端側背面板５５１は第１正面板４１１における基端側正面板４１１ｂの背面側に、第１オスコネクタ５００における先端側背面板５５２は第１正面板４１１における先端側正面板４１１ｂの背面側に、第１オスコネクタ５００における側部背面板５５３は第１先端側弾性片４５２における延設部４５２ｃの背面側に、それぞれ正面視においてその一部を重ならせて配設される。
【０２０７】
よって、内枠１２における取付完了位置から遊技盤ユニット１３を変位させ、第１オスコネクタ５００及び第１メスコネクタ８００の接続を解除する際には、第１オスコネクタ５００の背面板の群を台座４００の第１正面板４１１及び第１先端側弾性片４５１の延設部分４５１ｃに当接させて、第１オスコネクタ５００の台座４００に対する正面方向（矢印Ｆ方向）への変位を規制することができる。これにより、第１オスコネクタ５００が台座４００の第１開口４２１から抜け出ることを抑制し、かかる第１オスコネクタ５００を第１メスコネクタ８００の接続口（受入口）から確実に抜き取ることができる。
【０２０８】
本実施形態では、上述したように、第１先端側弾性片４５１に延設部分４５１ｃを設け、この延設部分４５１ｃが第１オスコネクタ５００の側部背面壁５５３を当接することで、正面方向（矢印Ｆ方向）への変位を規制することができる。よって、第１正面壁４１１の中間正面壁４１１ａ及び基端側正面壁４１１ｂのみを第１オスコネクタ５００の背面板の群に当接させる場合と比較して、当接面積を大きくして、変位の規制をより確実に行うことができる。
【０２０９】
特に、本実施形態では、内枠１２の挿入部１２８に挿入したベース板６０の側部６０ａを中心として遊技盤ユニット１３を取付完了位置から回動させることで、第１オスコネクタ５００及び第１メスコネクタ８００の接続を解除する（第１オスコネクタ５００が第１メスコネクタ８００から引き抜かれる）構造であるところ、その回動基端側（ベース板６０の側部６０ａ）に近い側となる第１オスコネクタ５００は、第１メスコネクタ８００との接続を解除する方向（矢印Ｂ方向）と、遊技盤ユニット１３の回動に伴い自身が変位される方向との相違が、回動先端側に位置する第２オスコネクタ６００と比較して大きくなる。その結果、第１オスコネクタ５００を第１メスコネクタ８００から抜き取る際の抵抗が大きくなることに起因して、第１オスコネクタ５００が台座４００の第１開口４２１から抜け出やすくなる。よって、第１先端側弾性片４５１に延設部分４５１ｃを設け、この延設部分４５１ｃを第１オスコネクタ５００の側部背面壁５５３に当接させることによっても、正面方向（矢印Ｆ方向）への変位を規制する構造が特に有効となる。
【０２１０】
第１先端側弾性片４５１に延設部分４５１ｃを設けた場合であっても、かかる第１先端側弾性片４５１は、比較的大きな弾性変形が可能であると共に、第１オスコネクタ５００から離間する方向への弾性変形が可能であるので、台座４００に第１オスコネクタ５００を組み付ける工程においては、第１先端側弾性片４５１を弾性変形させて延設部分４５１ｃを第１オスコネクタ５００の取り付け領域から退避させておくことで、台座４００への第１オスコネクタ５００の組み付け作業が延設部分４５１ｃにより阻害されることを抑制できる。即ち、第１オスコネクタ５００の矢印Ｆ方向への変位を規制するための部位を、第１先端側弾性片４５１に延設部分４５１ｃとして設けることで、かかる第１オスコネクタ５００の変位を規制する能力を確保しつつ、台座４００に第１オスコネクタ５００を組み付ける際の作業性の向上を図ることができる。
【０２１１】
第１オスコネクタ５００の正面板の群および背面板の群は、ハウジング５１０に基端が支持されると共にその基端から延設される先端が自由端とされる片持ち形状とされ、弾性変形しやすくされる。同様に、台座４００の第１正面板４１１の各部（中間正面板４１１ａ、基端側正面板４１１ｂ及び先端側正面板４１１ｃ）は、短手側側壁４１４、長手側側壁４１６，４１７又は（及び）接続板４１３に連なる第１正面板４１１部分に基端が支持されると共にその基端から延設される先端が自由端とされる片持ち形状とされ、弾性変形しやすくされる。
【０２１２】
これにより、内枠１２における取付完了位置へ遊技盤ユニット１３を変位させ、第１オスコネクタ４００を第１メスコネクタ８００に接続する際には、その接続時の衝撃を、第１オスコネクタ５００の正面板の群と台座４００の第１正面板４１１の各部との弾性変形により吸収することができる。その結果、台座４００の破損を抑制できる。
【０２１３】
また、第１オスコネクタ５００の正面板の群と台座４００の第１正面板４１１の各部との弾性変形により、接続の方向（矢印Ｆ方向）に対して第１オスコネクタ５００を傾斜させることができるので、例えば、第１オスコネクタ５００及び第１メスコネクタ８００の間の位置ずれであって、台座４００に対して第１オスコネクタ５００が接続の方向と直交する方向（矢印Ｒ−Ｌ方向または矢印Ｕ−Ｄ方向）へ変位されるのみでは吸収できない位置ずれであっても、かかる位置ずれを第１オスコネクタ５００の傾斜により吸収することができる。その結果、位置ずれによる歪の発生を抑制し、各部の破損を抑制できる。
【０２１４】
同様に、内枠１２における取付完了位置から遊技盤ユニット１３を変位させ、第１オスコネクタ４００及び第１メスコネクタ８００の接続を解除する際には、第１オスコネクタ５００の背面板の群と台座４００の第１正面板４１１の各部との弾性変形により、接続を解除する方向（矢印Ｂ方向）に対して第１オスコネクタ５００を傾斜させることができるので、例えば、第１オスコネクタ５００及び第１メスコネクタ８００の接続を解除する方向（矢印Ｂ方向）と、内枠１２における取付完了位置から遊技盤ユニット１３が変位される方向とが一致されておらず（方向がずれていて）、台座４００に対して第１オスコネクタ５００が接続の方向と直交する方向（矢印Ｒ−Ｌ方向または矢印Ｕ−Ｄ方向）へ変位されるのみでは吸収できない場合であっても、かかる方向のずれを吸収することができる。その結果、位置ずれによる歪の発生を抑制し、各部の破損を抑制できる。
【０２１５】
特に、本実施形態では、
遊技盤側コネクタ３００Ａは、第１オスコネクタ５００の正面板の群（基板側正面板５４１、先端側正面板５４２及び側部正面板５４３）及び基板側背面板５５１と、台座４００の第１正面板４１１（中間正面板４１１ａ、基端側正面板４１１ｂ及び先端側正面板４１１ｃ）とが互いの角部（隅部）どうしを正面視において重ね合わせる構成なので、これら各部どうしが当接される場合の弾性変形を形成しやすくできる。その結果、上述した弾性変形を利用することによる奏する効果をより顕著に発揮させることができる。
【０２１６】
次いで、台座４００に対する第１オスコネクタ５００の矢印Ｒ−Ｌ方向および矢印Ｕ−Ｄ方向への変位を許容する構造およびその変位を所定の範囲に規制する構造について説明する。
【０２１７】
図２０（ａ）は、台座４００に対して第１オスコネクタ５００及び第２オスコネクタ６００が矢印Ｒ方向へ変位された状態における遊技盤側コネクタ３００Ａの正面図であり、図２０（ｂ）は、図２０（ａ）におけるＸＸｂ−ＸＸｂ線における遊技盤側コネクタ３００Ａの断面図である。図２１（ａ）は、台座４００に対して第１オスコネクタ５００及び第２オスコネクタ６００が矢印Ｌ方向へ変位された状態における遊技盤側コネクタ３００Ａの正面図であり、図２１（ｂ）は、図２１（ａ）におけるＸＸＩｂ−ＸＸＩｂ線における遊技盤側コネクタ３００Ａの断面図である。
【０２１８】
図２０に示すように、台座４００に対して第１オスコネクタ５００が初期位置（図１０、図１１及び図１９参照）から矢印Ｒ方向へ変位されると、台座４００の第１先端側弾性片４５１が第１オスコネクタ５００の側部背面板５５３の側面（図２０（ａ）及び図２０（ｂ）左側の面）により矢印Ｒ方向へ押し込まれ、かかる第１先端側弾性片４５１が弾性変形されることで、台座４００に対する第１オスコネクタ５００の矢印Ｒ方向への変位が許容される。その後、台座４００の第１先端側弾性片４５１が中間固定部４３２に当接され、それ以上の弾性変形が不可能とされることで、台座４００に対する第１オスコネクタ５００の矢印Ｒ方向への変位が規制される。即ち、第１オスコネクタ５００は、台座４００に対して、矢印Ｒ方向への可動範囲の終端に到達される。
【０２１９】
この場合、本実施形態では、台座４００の第１先端側弾性片４５１が中間固定部４３２に当接されると、同時に、第１オスコネクタ５００の基端側係合面５６１及び先端側係合面５６２が、台座４００の基端側開口５４１ｂの内周面および先端側開口５４１ｃの内周面に、それぞれ係合される。これにより、変位を受け止める際に作用する荷重を、複数の当接部分のそれぞれに分散させることができるので、その分、各当接部分の破損を抑制して、その耐久性の向上を図ることができる。
【０２２０】
特に、本実施形態では、前扉枠１４を所定の角度だけ開放し、その開放側（前扉枠１４の回動先端側）から内枠１２の挿入部１２８へ遊技盤ユニット１３（ベース板６０の側部６０ａ）を挿入すると共に、その挿入部１２８に挿入したベース板６０の側部６０ａを中心として遊技盤ユニット１３を回動させることで、第１オスコネクタ５００を第１メスコネクタ８００に接続させるため、かかる接続動作において、第１オスコネクタ５００が台座４００に対して矢印Ｒ方向へ変位されやすい。そのため、かかる矢印Ｒ方向への第１オスコネクタ５００の変位を複数の当接部分で受け止める構造（即ち、第１先端側弾性片４５１を中間固定部４３２に当接させるだけでなく、基端側係合面５６１及び先端側係合面５６２を台座４００の基端側開口５４１ｂの内周面および先端側開口５４１ｃの内周面にもそれぞれ当接させる構造）が特に有効となる。
【０２２１】
図２１に示すように、台座４００に対して第１オスコネクタ５００が初期位置（図１０、図１１及び図１９参照）から矢印Ｌ方向へ変位されると、台座４００の第１基端側弾性片４４１が第１オスコネクタ５００の基端側背面板５５１の側面（図２１（ａ）及び図２１（ｂ）右側の面）により矢印Ｌ方向へ押し込まれ、かかる第１基端側弾性片４４１が弾性変形されることで、台座４００に対する第１オスコネクタ５００の矢印Ｌ方向への変位が許容される。その後、第１オスコネクタ５００の先端側背面板５５２の係合部５５２ｃが、台座４００の先端側開口５４１ｃの内周面に係合され、第１基端側弾性片４４１のそれ以上の弾性変形が不可能とされることで、台座４００に対する第１オスコネクタ５００の矢印Ｌ方向への変位が規制される。即ち、第１オスコネクタ５００は、台座４００に対して、矢印Ｌ方向への可動範囲の終端に到達される。
【０２２２】
この場合、本実施形態では、第１基端側弾性片４４１と台座４００の短手側壁板４１４との間に隙間が残されており、第１基端側弾性片４４１が弾性変形可能な状態とされる。このように、台座４００に対して第１オスコネクタ５００が矢印Ｌ方向への可動範囲の終端に到達された状態において、第１基端側弾性片４４１が弾性変形可能な状態に設定することで、後述するように、台座４００に第１オスコネクタ５００を組み付ける際にその作業性の向上を図ることができる。
【０２２３】
上述した通り、本実施形態によれば、台座４００に対し第１オスコネクタ５００が矢印Ｒ方向または矢印Ｌ方向へ変位され、第１先端側弾性片４５１又は第１基端側弾性片４４１が弾性変形される場合に、第１オスコネクタ５００の変位を所定の範囲内（所定量以下）に規制するストッパ手段が形成される。これにより、第１先端側弾性片４５１又は第１基端側弾性片４４１の弾性変形が過大となり破損することを抑制できる。
【０２２４】
この場合、ストッパ手段は、台座４００の部位（基端側開口４２１ｂ及び先端側開口４２１ｃの内周面、中間固定部４３２の外壁面）と第１オスコネクタ５００の部位（基端側係合面５６１、先端側係合面５６２、先端側平面板５５２の係合部５５２ｃ）とを利用して形成されるので、台座４００に第１オスコネクタ５００を組み付ける工程において作業者が不用意な組み付け作業を行った場合でも、ストッパ機能を発揮させ、第１先端側弾性片４５１又は第１基端側弾性片４４１の破損を抑制できる。
【０２２５】
例えば、台座４００に形成されるストッパ手段を、台座４００ではなく、台座４００が配設される遊技盤ユニット１３に形成し、その遊技盤ユニット１３に形成したストッパ手段を、第１オスコネクタ５００に形成されるストッパ手段に当接させ、第１オスコネクタ５００の変位を規制する構成とすることも可能である。しかし、この場合には、遊技盤ユニット１３に台座４００及び第１オスコネクタ５００の両者を装着した後でなければストッパ機能を発揮できず、台座４００に第１オスコネクタ５００を組み付ける工程においては、ストッパ機能を発揮させることができない。
【０２２６】
これに対し、本実施形態によれば、ストッパ手段が、台座４００に形成される部位（基端側開口４２１ｂ及び先端側開口４２１ｃの内周面、中間固定部４３２の外壁面）と第１オスコネクタ５００に形成される部位（基端側係合面５６１、先端側係合面５６２、先端側平面板５５２の係合部５５２ｃ）とからなるので、遊技盤ユニット１３に装着する前であって、台座４００に第１オスコネクタ５００を組み付ける工程においても、両部位どうしを当接させて、ストッパ機能を発揮させることができる。その結果、組み付けの工程において作業者が不用意な組み立て作業を行った場合でも、第１先端側弾性片４５１又は第１基端側弾性片４４１の破損を抑制できる。
【０２２７】
ここで、第１先端側弾性片４５１は、中間固定部４３２に形成される。中間固定部４３２は、遊技盤ユニット１３の取付面ＢＥに締結ねじにより締結固定される部位であるので、第１先端側弾性片４５１の弾性変形に伴う荷重を、中間固定部４３１自身の剛性だけでなく、締結ねじを介して、遊技盤ユニット１３の剛性も利用して支えることができる。また、上述したように、中間固定部４３２の内部には、遊技盤ユニット１３の背面から突出される突出部が挿入（内嵌）される。よって、中間固定部４３２の内部に内嵌される突出部の剛性も利用することができる。その結果、台座４００（特に、中間固定部４３２）の破損を抑制できる。
【０２２８】
特に、第１先端側弾性片４５１は、第１オスコネクタ５００の矢印Ｒ方向への変位を規制する際に、中間固定部４３２に当接するため（図２０（ｂ）参照）、第１先端側弾性片４５１の当接対象である中間固定部４３２が、締結ねじにより遊技盤ユニット１３に締結固定される部位であることが有効となる。
【０２２９】
なお、中間固定部４３１には、第２基端側弾性片４４２も形成される。これにより、第１先端側弾性片４５１の場合と同様に、第２基端側弾性片４４２の弾性変形に伴う荷重を、中間固定部４３１自身の剛性だけでなく、締結ねじを介して、遊技盤ユニット１３の剛性も利用して支えることができ、また、中間固定部４３２の内部に内嵌される突出部の剛性を利用して支えることもできる。その結果、台座４００（特に、中間固定部４３２）の破損を抑制できる。
【０２３０】
この場合、中間固定部４３２は、締結ねじの座面から締結力を受ける受け面４３２ａを備え、その中間固定部４３２の受け面４３２ａに第２基端側弾性片４４２の基端（湾曲部分４４２ａの一端）が連なるように形成されるので、第２基端側弾性片４４２の弾性変形に伴う荷重を、受け面４３２ａを介して、締結ねじに伝達しやすくできる。その結果、締結ねじの剛性および遊技盤１３（及び突出部）の剛性を効率的に利用することができる。
【０２３１】
一方、第１先端側弾性片４５１は、中間固定部４３２の背面側の端面（即ち、遊技盤ユニット１３の取付面ＢＥに取り付けられる面、図１９下側の面）に基端（張出部分４５１ａの一端）が連なるように形成されるので、第１先端側弾性片４５１の弾性変形に伴う荷重を受けて、台座４００が破損することを抑制できる。即ち、中間固定部４３２の背面側の端面は、遊技盤ユニット１３の取付面ＢＥに密着されるため、第１先端側弾性片４５１の弾性変形に伴う荷重を、中間固定部４３２自身の剛性だけでなく、遊技盤ユニット１３の剛性も利用して支えることができ、その結果、台座４００（特に、中間固定部４３２）の破損を抑制できる。
【０２３２】
なお、第２先端側弾性片４５２についても、第１先端側弾性片４５１の場合と同様に、台座４００の短手側壁板４１５の背面側の端面（即ち、遊技盤ユニット１３の取付面ＢＥに取り付けられる面、図１９下側の面）に基端（張出部分４５２ａの一端）が連なるように形成される。よって、短手側壁板４１５のように、薄板状に形成されて比較的剛性が弱い部位であっても、第２先端側弾性片４５２の弾性変形に伴う荷重を、短手側壁板４１５自身の剛性だけでなく、遊技盤ユニット１３の剛性も利用して支えることができ、その結果、台座４００（特に、短手側壁板４１５）が破損することを抑制できる。
【０２３３】
一方、第１基端側弾性片４４１は、台座４００の短手側壁板４１４の正面側の端面（即ち、遊技盤ユニット１３の取付面ＢＥと反対側の面、図１９上側の面）に基端（湾曲部分４４１ａの一端）が連なるように形成される。この場合、短手側壁板４１４には、第１基端側弾性片４４１が配設される側と反対側の外壁面に基端側固定部４３１が形成（接続）される（図１４（ｂ）参照）。よって、薄板状に形成され比較的剛性が弱い部位である短手側壁板４１４の剛性を基端側固定部４３１の剛性により補強することができる。更に、基端側固定部４３１は、遊技盤ユニット１３の取付面ＢＥに締結ねじにより締結固定される部位であるので、第１基端側弾性片４４１の弾性変形に伴う荷重を、短手側壁板４１４自身の剛性だけでなく、締結ねじを介して、遊技盤ユニット１３の剛性も利用して支えることができる。また、上述したように、基端側固定部４３１の内部には、遊技盤ユニット１３の背面から突出される突出部が挿入（内嵌）される。よって、基端側固定部４３１の内部に内嵌される突出部の剛性も利用することができる。その結果、台座４００（特に、短手側壁板４１４）の破損を抑制できる。
【０２３４】
図２２（ａ）は、台座４００に対して第１オスコネクタ５００及び第２オスコネクタ６００が矢印Ｕ方向へ変位された状態における遊技盤側コネクタ３００Ａの正面図であり、図２２（ｂ）は、台座４００に対して第１オスコネクタ５００及び第２オスコネクタ６００が矢印Ｕ方向へ変位された状態における遊技盤側コネクタ３００Ａの正面図である。
【０２３５】
図２２（ａ）及び図２２（ｂ）に示すように、第１オスコネクタ５００は、台座４００に対し、初期位置（図１０、図１１及び図１９参照）から矢印Ｕ方向および矢印Ｄ方向へ変位可能に形成される。
【０２３６】
即ち、第１オスコネクタ５００のハウジング５１０は、その厚み寸法（矢印Ｕ−Ｄ方向寸法）が、台座４００の第１開口４２１における中央開口４２１ａの幅寸法（矢印Ｕ−Ｄ方向寸法）よりも小さくされ、また、第１オスコネクタ５００の基端側正面壁５４１、先端側正面壁５４２、基端側背面壁５５１及び先端側背面壁５５２の張り出し寸法（矢印Ｕ−Ｄ方向寸法）が、台座４００の第１開口４２１における基端側開口４２１ｂ及び先端側開口４２１ｃの幅寸法（矢印Ｕ−Ｄ方向寸法）よりも小さくされる。
【０２３７】
よって、初期位置においては、第１開口４２１の内周面と第１オスコネクタ５００の外壁面との間に矢印Ｕ−Ｄ方向における隙間が形成される（図１１（ａ）参照）。これにより、その隙間の分、第１オスコネクタ５００は、台座４００に対し、初期位置から矢印Ｕ方向および矢印Ｄ方向へ変位することが可能とされる。
【０２３８】
このように、第１オスコネクタ５００は、矢印Ｒ−Ｌ方向の変位だけでなく、矢印Ｕ−Ｄ方向の変位も許容された状態で、台座４００に配設される。即ち、第１オスコネクタ５００を、接続の方向に直交する平面内において変位させることができる。これにより、台座４００に対する第１オスコネクタ５００の可動範囲を確保できるので、内枠１２における取付完了位置に遊技盤ユニット１３が変位された状態において、第１オスコネクタ５００と第１メスコネクタ８００との間に位置ばらつきがある場合であっても、その位置ばらつきを吸収して、第１オスコネクタ５００及び第１メスコネクタ８００を接続することができる。
【０２３９】
この場合、本実施形態では、第１オスコネクタ５００の基端側背面板５５１及び側部背面板５５３の側面（第１基端側弾性片４４１及び第１先端側弾性片４５１を矢印Ｒ−Ｌ方向へ押圧する側面）と、台座４００の第１基端側弾性片４４１及び第１先端側弾性片４５１の直線部分４４１ｂ，４５１ｂの壁面（基端側背面板５５１及び側部背面板５５３により矢印Ｒ−Ｌ方向に押圧される壁面）とが、正面視（矢印Ｆ−Ｂ方向視）において、矢印Ｕ−Ｄ方向に平行な平坦面として形成される。
【０２４０】
これにより、台座４００に対して第１オスコネクタ５００が矢印Ｕ−Ｄ方向へ変位される場合には、その基端側背面板５５１及び側部背面板５５３を第１基端側弾性片４４１及び第１先端側弾性片４５１に対して摺動させ、第１基端側弾性片４４１及び第１先端側弾性片４５１が弾性変形することを不要とできる。即ち、第１基端側弾性片４４１及び第１先端側弾性片４５１の形状を、矢印Ｒ−Ｌ方向および矢印Ｕ−Ｄ方向の両方向に弾性変形可能な形状とする必要がなく、矢印Ｒ−Ｌ方向に対してのみ弾性変形可能な形状とすることができる。その結果、第１基端側弾性片４４１及び第１先端側弾性片４５１の形状を簡素化して、その成型性および耐久性の向上を図ることができる。
【０２４１】
次いで、図２３及び図２４を参照して、遊技盤側コネクタ３００Ａの組み立て方法について説明する。なお、上述したように、第１オスコネクタ５００と第２オスコネクタ６００とは、先端側背面板５５２，６５２における接続部５５２ａ，６５２ａの長手方向寸法）が異なる点を除き、他の構成は同一である。よって、台座４００へ組み付ける方法も両者において実質的に同一であるので、以下においては、第１オスコネクタ５００を台座４００に組み付ける方法のみを説明して、第２オスコネクタ６００についての説明は省略する。
【０２４２】
図２３及び図２４は、遊技盤側コネクタ３００Ａの組み立て工程を時系列で示す台座４００及び第１オスコネクタ５００の部分断面側面図である。なお、図２３及び図２４に図示される台座４００の断面は、図１３（ａ）のＸＩＶｂ−ＸＩＶｂ線における台座４００の断面に対応する。即ち、図２３及び図２４に図示される台座４００は、図１４（ｂ）に図示される台座４００の一部に対応する。
【０２４３】
図２３（ａ）に示すように、遊技盤側コネクタ３００Ａの組み立ては、まず、台座４００の背面（図２３（ａ）下側の面）に第１オスコネクタ５００の正面を対面させ、かかる第１オスコネクタ５００を矢印Ｆ方向へ押し上げることで、その第１オスコネクタ５００の正面側（先端側）を台座４００の第１開口４２１へ挿通させる。この場合、図２３（ｂ）に示すように、第１オスコネクタ５００の基端側正面板５４１を台座４００の基端側開口４２１ｂに、第１オスコネクタ５００の先端側正面板５４２を台座４００の先端側開口４２１ｃに、それぞれ挿入する。
図２３（ｂ）に示すように、第１オスコネクタ５００の基端側正面板５４１及び先端側正面板５４２が、台座４００の基端側開口４２１ｂ及び先端側開口４２１ｃにそれぞれ挿入されると、第１オスコネクタ５００の先端側背面板５５２における係合部５４２ｃの突設先端が、台座４００の中間正面板４１１ａの背面（図２３（ｂ）下側の面）に当接される。
【０２４４】
第１オスコネクタ５００の先端側背面板５５２は、上述したように、ハウジング５１０の外壁面に接続部５４２ａが接続され、その接続部５４２ａからハウジング５１０の長手方向（矢印Ｒ−Ｌ方向）に沿って延設部５５２ｂが延設されると共に、その延設部５５２ｂの延設先端に係合部５５２ｃが突設されるので、図２４（ａ）に示すように、先端側背面板５５２の延設部５４２ｂを弾性変形させることで、第１オスコネクタ５００を矢印Ｆ方向へ更に押し上げることができる。
【０２４５】
図２４（ａ）に示すように、第１オスコネクタ５００の先端側背面板５５２における接続部５４２ａが台座４００の中間正面板４１１ａの背面（図２４（ａ）下側の面）に当接される位置まで第１オスコネクタ５００が矢印Ｆ方向へ押し上げられると、第１オスコネクタ５００の基端側正面板５４１及び先端側正面板５４２が、台座４００の基端側開口４２１ｂ及び先端側開口４２１ｃをそれぞれ通過して、台座４００の第１正面板４１１の正面側（図２４（ａ）上側）に突出される。
【０２４６】
この場合、台座４００の第１基端側弾性片４４１は、矢印Ｆ方向へ押し上げられた第１オスコネクタ５００の基端側背面板５５１により押圧されて、弾性変形されることで、その直線部分４４１ｂが短手側壁板４１４側へ退避される。これにより、第１オスコネクタ５００を、その基端側背面板５５１が基板側正面板４１１ｂに当接する位置まで矢印Ｆ方向へ移動させることが許容される。一方、弾性変形された第１基端側弾性片４４１は、直線部分４４１ｂが矢印Ｌ方向へ後退された姿勢となるため、その第１基端側弾性片４４１の弾性回復力を、第１オスコネクタ５００を矢印Ｒ方向へ変位させる付勢力として作用させることができる。即ち、後述する第１オスコネクタ５００を矢印Ｒ方向へ変位させる工程において（図２４（ｂ）参照）、第１基端側弾性片４４１の弾性回復力を利用することができ、作業性の向上が図られる。
【０２４７】
第１オスコネクタ５００が図２４（ａ）に示す位置まで矢印Ｆ方向に押し上げられ、その基端側正面板５４１及び先端側正面板５４２が台座４００の第１正面板４１１の正面側（図２４（ａ）上側）に突出された後は、次いで、かかる第１オスコネクタ５００を矢印Ｒ方向（即ち、台座４００の第１正面板４１１に沿って）へ変位させる。
【０２４８】
これにより、図２４（ｂ）に示すように、第１オスコネクタ５００の基端側正面板５４１、先端側正面板５４２及び側部正面板５４３が、台座４００の中間正面板４１１ａ及び先端側正面板４１１ｃの正面側に対向配置されると共に、第１オスコネクタ５００の基端側背面板５５１、先端側背面板５５２及び側部背面板５５３が、台座４００の基端側正面板４１１ｂ及び中間正面板５１１ａの背面側と先端側弾性片４５１の延設部分４５１ｃの背面側とに対向配置される。また、第１オスコネクタ５００の先端側背面板５５２の弾性変形が回復して、その先端側平面板５５２の係合部５５２ｃが台座４００の先端側開口４４２ｃに挿入される。これにより、台座４００への第１オスコネクタ５００の組み付け（遊技盤側コネクタ３００Ａの組み立て）が完了される。
【０２４９】
このように、本実施形態では、台座４００の第１開口４２１へその台座４００の背面側から第１オスコネクタ５００を所定位置まで挿通する挿通工程（図２３（ｂ）及び図２４（ａ）参照）と、その挿通工程により所定位置まで挿通された第１オスコネクタ５００を台座４００に対して挿入の方向（接続の方向）と直交する方向へ変位させる変位工程（図２４（ｂ）参照）との二工程により、台座４００への第１オスコネクタ５００の組み付けを完了することができる。よって、組み付け工数を低減して、その分、製品コストの削減を図ることができる。
【０２５０】
台座４００に対し第１オスコネクタ５００を矢印Ｆ方向へ押し上げて所定位置まで挿通する挿通工程では、第１オスコネクタ５００の基端側背面板５５１及び先端側背面板５５２が台座４００の基端側正面板４１１ｂ及び中間正面板４１１ａの背面に当接される位置（即ち、それ以上の矢印Ｆ方向への押し上げができなくなる位置）まで第１オスコネクタ５００を押し上げれば良く、第１オスコネクタ５００の挿通位置（押し上げ位置）を制御する必要がない。これにより、作業を簡素化して、組み付け工数の低減を図ることができる。
【０２５１】
挿通工程の後、変位工程において、第１オスコネクタ５００を台座４００に対して挿入の方向（接続の方向）と直交する方向（矢印Ｒ方向）へ変位させることで、第１オスコネクタ５００の先端側背面壁５５２における係合部５５２ｃを台座４００の先端側開口４２１ｃに挿入させ、かかる係合部５５２ｃを先端側開口４２１ｃの内周面に係合可能な状態を形成できる。これにより、第１オスコネクタ５００が変位工程における変位の方向（矢印Ｒ方向）と反対方向（矢印Ｌ）方向へ変位され、台座４００から脱落する（抜け出る）ことを規制できる。
【０２５２】
一方で、台座４００から第１オスコネクタ５００を取り外すためには、係合部５５２ｃを押し下げると共に、この押し下げた状態を維持しつつ、第１オスコネクタ５００を変位工程における変位の方向（矢印Ｒ方向）と反対方向（矢印Ｌ）方向へ変位させる必要がある。そのため、かかる取り外しの作業が煩雑となるので、例えば、台座４００から第１オスコネクタ５００を取り外し、他のコネクタを接続するという不正行為を抑制することができる。
【０２５３】
特に、本実施形態では、挿通工程における矢印Ｆ方向への第１オスコネクタ５００の押し上げ操作と、変位工程における矢印Ｒ方向への第１オスコネクタ５００の変位（スライド）操作との２操作のみで、先端側背面壁５２２（延設部５２２ｂ）の弾性変形を利用して、係合部５２２ｃを先端側開口４２１ｃに挿入することができる。即ち、係合部５２２ｃを先端側開口４２１ｃに挿入するために、先端側背面壁５２２（係合部４２２ｃ）に対する操作を別途行う必要がない。これにより、係合部５２２ｃと先端側開口４２１ｃの内周面との係合により台座４００からの第１オスコネクタ５００の脱落を規制可能としつつ、作業を簡素化して、組み付け工数の低減を図ることができる。
【０２５４】
上述したように、挿通工程において、基端側背面板５５１が基板側正面板４１１ｂに当接する位置まで矢印Ｆ方向へ押し上げられることを許容するべく（図２４（ａ）参照）、第１基端側弾性片４４１は第１先端側弾性片４５１よりも弾性変形可能量（即ち、直線部分４４１ｂ，４５１ｂと短手側壁板４１４又は中間固定部４３２との間の隙間寸法）が大きくされる（図１４（ａ）参照）。この場合、本実施形態では、先端側開口４２１ｃの内周面に係合可能な係合部５５２ｃを備え、かかる係合部５２２ｃ及び先端側開口４２１ｃが係合することで、第１オスコネクタ５００の矢印Ｌ方向への最大変位量を規制できる。即ち、第１基端側弾性片４４１の弾性変形量が過大となることを規制でき、かかる第１基端側弾性片４４１が破損することを抑制できる（図２１参照）。
【０２５５】
ここで、係合部５５２ｃが先端側開口４２１ｃの内周面に係合されることで、台座４００からの第１オスコネクタ５００が脱落する（抜け出る）ことを抑制するところ、第１オスコネクタ５００に矢印Ｌ方向へ（変位工程における変位の方向と反対の方向）へ大きな荷重が作用されると、その荷重が係合部５２２ｃに作用されることで、係合部５２２ｃと先端側開口４２１ｃの内周面との係合が解除される恐れがある。
【０２５６】
これに対し、本実施形態によれば、台座４００に対して第１オスコネクタ５００矢印Ｌ方向（変位工程における変位の方向と反対の方向）へ変位される場合には、基端側弾性片４４１を弾性変形させることができる（図２１参照）。これにより、基端側弾性片４４１の弾性回復力を、第１オスコネクタ５００を矢印Ｌ方向へ押し戻す反発力として、第１オスコネクタ５００へ作用させることができ、その分、係合部５２２ｃと先端側開口４２１ｃの内周面との係合が解除されることを抑制できる。
【０２５７】
なお、基端側弾性片４４１の剛性を先端側弾性片４５１の剛性よりも大きく設定しても良い。これにより、基端側弾性片４４１の弾性回復力を、第１オスコネクタ５００を矢印Ｌ方向へ押し戻す反発力とする機能を高め、係合部５２２ｃと先端側開口４２１ｃの内周面との係合が解除されることをより確実に抑制できる。なお、基端側弾性片４４１を先端側弾性片４５１よりも剛性を高くする方法としては、その厚み寸法を厚くする、幅寸法を広くする、リブを立設する、これらを組み合わせるなどの方法が例示される。
【０２５８】
ここで、挿通工程の後、変位工程において第１オスコネクタ５００を矢印Ｒ方向へ変位させるためには、第１オスコネクタ５００の基端側正面板５４１及び先端側正面板５４２が台座４００の基端側開口４２１ｂ及び先端側開口４２１ｃの内周面に係止されないよう、図２４（ａ）に示すように、これら第１オスコネクタ５００の基端側正面板５４１及び先端側正面板５４２を、台座４００の第１正面板４１１の正面側（図２４（ａ）上側）に突出させておく必要がある。
【０２５９】
この場合、第１オスコネクタ５００には、先端側背面板５５２及び第１基端側弾性片４４１の弾性回復力が、第１オスコネクタ５００を矢印Ｂ方向へ押し下げる力として作用されると共に、その押し下げる力は基端側正面板５４１が形成される側（図２４（ａ）右側の部分）に偏って作用される（図２４（ａ）参照）。そのため、挿通工程において、第１オスコネクタ５００を矢印Ｆ方向へ押し上げる際には、先端側正面板５４２に比べ、基端側正面板５４１側が矢印Ｆ方向へ押し上げ難くなる。
【０２６０】
これに対し、本実施形態によれば、中間正面板４１１には、基端側開口４２１ｂに接する外縁であってその外縁の正面（図２３（ｂ）及び図２４（ａ）上側の面）に、基端側開口４２１ｂへ向かうに従って下降傾斜する傾斜面４１１ａ１が形成される。これにより、基端側正面板５４１側が矢印Ｆ方向へ十分に押し上げられておらず、第１正面板４１１の正面側への突出量が不十分な場合であっても、傾斜面４１１ａ１を利用して、基端側正面板５４１が台座４００の基端側開口４２１ｂの内周面に係止され難くすることができ、その結果、変位工程において、第１オスコネクタ５００を矢印Ｒ方向へ変位させることができる。
【０２６１】
次いで、図２５（ａ）を参照して、第２実施形態について説明する。図２５（ａ）は、第２実施形態における内枠１２及び遊技盤ユニット１３の側面模式図である。なお、上述した第１実施形態と同一の部分には同一の符号を付して、その説明は省略する。
【０２６２】
図２５（ａ）に示すように、第２実施形態における第１オスコネクタ５００及び第２オスコネクタ６００は、台座４００に対する矢印Ｕ−Ｄ方向における初期位置が、それら第１オスコネクタ５００及び第２オスコネクタ６００の矢印Ｕ−Ｄ方向における可動範囲の上端（矢印Ｕ方向の端部）に設定される。よって、上述した図２２（ａ）に示す状態が、台座４００に対して第１オスコネクタ５００及び第２オスコネクタ６００が第２実施形態における初期位置に配置された状態に対応する。
【０２６３】
ここで、遊技盤ユニット１３には、異なる形態や重量の複数の電気部品が比較的限られたスペースに搭載されるため、均等に配置することが困難であり、その重心位置が遊技盤ユニット１３の前面側または背面側に偏る傾向がある。そのため、内枠１２における取付完了位置へ遊技盤ユニット１３を変位させる際には、かかる遊技盤ユニット１３が前面側または背面側（即ち、重心が位置する側）へ傾斜した姿勢となりやすい。
【０２６４】
例えば、遊技盤ユニット１３が前面側へ傾斜した姿勢になると、その姿勢に対応して、第１オスコネクタ５００及び第２オスコネクタ６００が下降傾斜され、それら第１オスコネクタ５００及び第２オスコネクタ６００の先端の高さ位置が、第１メスコネクタ８００及び第２メスコネクタ９００の接続口（受入口）に対して下方（図２５（ａ）下側）へずれるため、遊技盤側コネクタ３００Ａを内枠側コネクタ３００Ｂに接続する際の作業性が悪化する。
【０２６５】
これに対し、第２実施形態によれば、第１オスコネクタ５００及び第２オスコネクタ６００の矢印Ｕ−Ｄ方向における初期位置が、矢印Ｕ−Ｄ方向における可動範囲の上端（矢印Ｕ方向の端部）に設定されるので、遊技盤ユニット１３が前面側へ傾斜した姿勢となり、第１オスコネクタ５００及び第２オスコネクタ６００が下降傾斜される場合でも、それら第１オスコネクタ５００及び第２オスコネクタ６００の先端の高さ位置を、第１メスコネクタ８００及び第２メスコネクタ９００の接続口（受入口）の高さ位置に一致させることができる。その結果、遊技盤ユニット１３を第２仮置き部７０２に沿って（即ち、頭２４（ａ）の矢印Ｓ方向へ）スライドさせることで、第１オスコネクタ５００及び第２オスコネクタ６００の先端を、第１メスコネクタ８００及び第２メスコネクタ９００の接続口（受入口）に挿入することができ、遊技盤側コネクタ３００Ａを内枠側コネクタ３００Ｂに接続する際の作業性の向上を図ることができる。
【０２６６】
次いで、図２５（ｂ）を参照して、第３実施形態について説明する。図２５（ｂ）は、第３実施形態における内枠１２及び遊技盤ユニット１３の側面模式図である。なお、上述した第１実施形態と同一の部分には同一の符号を付して、その説明は省略する。
【０２６７】
図２５（ｂ）に示すように、第３実施形態における第１オスコネクタ５００及び第２オスコネクタ６００は、台座４００に対する矢印Ｕ−Ｄ方向における初期位置が、それら第１オスコネクタ５００及び第２オスコネクタ６００の矢印Ｕ−Ｄ方向における可動範囲の下端（矢印Ｄ方向の端部）に設定される。よって、上述した図２２（ａ）に示す状態が、台座４００に対して第１オスコネクタ５００及び第２オスコネクタ６００が第３実施形態における初期位置に配置された状態に対応する。
【０２６８】
即ち、第３実施形態で説明する初期位置は、上述した第２実施形態の場合とは逆に、重心位置が遊技盤ユニット１３の背面側に偏っており、内枠１２における取付完了位置へ遊技盤ユニット１３を変位させる際に、背面側（即ち、重心が位置する側）へ傾斜した姿勢となる遊技盤ユニット１３に対して有効となる。
【０２６９】
詳細には、第３実施形態では、第１オスコネクタ５００及び第２オスコネクタ６００の矢印Ｕ−Ｄ方向における初期位置が、矢印Ｕ−Ｄ方向における可動範囲の下端（矢印Ｄ方向の端部）に設定され、その高さ位置が予め低くされているので、遊技盤ユニット１３が背面側へ傾斜した姿勢となり、第１オスコネクタ５００及び第２オスコネクタ６００が上昇傾斜される場合でも、その傾斜した姿勢において、第１オスコネクタ５００及び第２オスコネクタ６００の先端の高さ位置を、第１メスコネクタ８００及び第２メスコネクタ９００の接続口（受入口）の高さ位置に一致させることができる。その結果、遊技盤ユニット１３を第２仮置き部７０２に沿って（即ち、図２４（ｂ）の矢印Ｓ方向へ）スライドさせることで、第１オスコネクタ５００及び第２オスコネクタ６００の先端を、第１メスコネクタ８００及び第２メスコネクタ９００の接続口（受入口）に挿入することができ、遊技盤側コネクタ３００Ａを内枠側コネクタ３００Ｂに接続する際の作業性の向上を図ることができる。
【０２７０】
次いで、図２６から図２８を参照して、第４実施形態について説明する。第１実施形態では、遊技盤ユニット１３を、接続完了位置へ変位させる又は接続完了位置から変位させ、遊技盤側コネクタ３００Ａ及び内枠側コネクタ３００Ｂを接続する又はその接続を解除する場合に、各接点部材５２０，８２０，９２０（列設方向両端に配置されアース線（ＧＮＤ）を連結する接点部材５２０，８２０，９２０を除く）における接続および解除がそれぞれ同じタイミングで行われる場合を説明したが、第４実施形態では、各接点部材４５２０，８２０，９２０の接続および解除が異なるタイミングで行われる。なお、上述した各実施形態と同一の部分には同一の符号を付して、その説明は省略する。
【０２７１】
図２６（ａ）は、第１メスコネクタ８００の正面図であり、図２６（ｂ）は、図２６（ａ）のＸＸＶＩｂ−ＸＸＶＩｂ線における第１メスコネクタ８００の断面図である。図２７（ａ）は、第４実施形態における第１オスコネクタ４５００の正面図であり、図２７（ｂ）は、図２７（ａ）の矢印ＸＸＶＩＩｂ方向視における第１オスコネクタ４５００の側面図である。
【０２７２】
図２６及び図２７に示すように、第１メスコネクタ８００には、複数の接点部材８２０が、その長手方向を接続の方向（図２６（ｂ）上下方向）に沿わせると共にケース体８１０の幅方向（図２６（ｂ）左右方向）に所定間隔を隔てつつ列設される。同様に、第１オスコネクタ４５００は、複数の接点部材４５２０が、その長手方向を接続の方向（図２７（ｂ）上下方向、矢印Ｆ−Ｄ方向）に沿わせると共にハウジング５１０の幅方向（図２７（ｂ）左右方向）に第１メスコネクタ８００の各接点部材８２０と同じ間隔を隔てつつ列設される。
【０２７３】
なお、第１メスコネクタ８００には、ケース体８１０の互いに対向する内壁面にそれぞれ１５本ずつの接点部材８２０が配設されることで、合計３０本の接点部材８２０が配設され、同様に、第１オスコネクタ４５００には、ハウジング５１０の互いに対向する外壁面にそれぞれ１５本ずつの接点部材４５２０が配設されることで、合計３０本の接点部材４５２０が配設される。よって、第１オスコネクタ４５００及び第１メスコネクタ８００には、第１オスコネクタ４５００の接点部材４５２０と第１メスコネクタ８００の接点８２０とからなる一対一組が３０組形成される。
【０２７４】
また、第１メスコネクタ８００は、ケース体８１０の一方の内壁面に配設される各接点部材８２０と他方の内壁面に配設される各接点部材８２０とが互いに向かい合う位置（側面視において互いに重なる位置）に配設され、同様に、第１オスコネクタ４５００は、ハウジング５１０の一方の外壁面に配設される各接点部材４５２０と他方の外壁面に配設される各接点部材４５２０とが互いに向かい合う位置（図２７（ｂ）に示す側面視において互いに重なる位置）に配設される。他の実施形態においても同様である。
【０２７５】
第１メスコネクタ８００は、各接点部材８２０の一端（第１メスコネクタ８００の接続口（受入口）側（図２６（ｂ）下側）の一端）の配設位置が、矢印Ｒ−Ｌに沿って横一列とされ、接続の方向（図２６（ｂ）上下方向）において、それぞれ同じ位置とされる。即ち、図２６（ｂ）に示す断面視において、各接点部材８２０の一端をそれぞれ通過して形成される仮想線が直線状をなすと共に、その直線（仮想線）がガイド溝８３０の延設方向（図２６（ｂ）上下方向）に直交される。
【０２７６】
一方、第１オスコネクタ４５００は、各接点部材４５２０の一端（第１オスコネクタ４５００の接続方向先端側（図２７（ｂ）上側）の一端）の配設位置がそれぞれ異なる位置とされ、列設方向一側（図２７（ｂ）左側）に位置する接点部材４５２０ほど、列設方向他側（図２７（ｂ）右側）に位置する接点部材４５２０よりも、延設長さが長くされる（一端が接続方向先端側に位置される）。即ち、図２７（ｂ）に示す側面視において、各接点部材４５２０の一端をそれぞれ通過して形成される仮想線が直線状をなすと共に、その直線（仮想線）が矢印Ｒ−Ｌ方向に対して傾斜され、かつ、被ガイド部５３０の延設方向（接続の方向、図２７（ｂ）上下方向）に対して非直角とされる。
【０２７７】
これにより、第４実施形態によれば、各接点部材４５２０，８２０の接続および解除のタイミングをそれぞれ異ならせることができる。即ち、上述したように、第１オスコネクタ４５００及び第１メスコネクタ８００は、向い合う姿勢に配設されているので、遊技盤ユニット１３が内枠１２へ向けて直線方向（被ガイド部５３０及びガイド溝８３０の延設方向）に沿って変位されることで、第１オスコネクタ４５００及び第１メスコネクタ８００の接続が開始される。この場合、第１オスコネクタ４５００は、各接点部材４５２０の接続方向先端側の一端の位置が接続方向に沿ってそれぞれ異なる位置に配置されるので、複数組の接点部材４５２０，８２０に対し、遊技盤ユニット１３の幅方向一方側（挿入部１２８及び側部６０ａと反対側、図２８左側）に位置する組から順に接続させることができる。遊技盤ユニット１３が取付完了位置に配置されると、複数組の接点部材４５２０，８２０のうちのすべての組が接続され、第１オスコネクタ４５００及び第１メスコネクタ８００の接続が完了される。
【０２７８】
一方、その接続状態から、遊技盤ユニット１３が直線方向（被ガイド部５３０及びガイド溝８３０の延設方向）に沿いつつ内枠１２から離間する方向へ向けて変位されることで、遊技盤ユニット１３が取付完了位置から変位され、第１オスコネクタ４５００及び第１メスコネクタ８００の接続の解除が開始される。この解除の場合には、複数組の接点部材４５２０，８２０に対して、遊技盤ユニット１３の幅方向他側（挿入部１２８及び側部６０ａに近い側、図２８右側）に位置する組から順に接続を解除させることができる。遊技盤ユニット１３が取付完了位置から所定位置まで変位されると、複数組の接点部材４５２０，８２０のうちのすべての組の接続が解除され、第１オスコネクタ４５００及び第１メスコネクタ８００の接続の解除が完了される。
【０２７９】
このように、第４実施形態では、第１オスコネクタ４５００の各接点部材４５２０に対し、その延設長さをそれぞれ異なる延設長さとすることで、複数組の接点部材４５２０，８２０における接続および解除のタイミングをそれぞれ異ならせることができる。即ち、ハウジング５１０やケース体８１０の形状などを変更する必要がなく、接点部材４５２０を除くすべての構成を、第１実施形態における構成と共通とすることができる。よって、構造を簡素化して、製品コストの削減を図ることができる。
【０２８０】
ここで、上述したように、例えば、ホールの店員が、遊技中に、前面枠１４を開いて何らかの作業（例えば、不正行為の有無の確認など）を行おうとした際に、遊技盤ユニット１３が取付完了位置から不用意に変位されると、第１オスコネクタ４５００及び第１メスコネクタ８００の接続が解除され、遊技に影響を与えるおそれがある。
【０２８１】
これに対し、本実施形態によれば、遊技盤ユニット１３が取付完了位置から変位され、第１オスコネクタ４５００及び第１メスコネクタ８００の接続が解除される際には、複数組の接点部材４５２０，８２０のうちの列設方向一側（図２８左側）に位置する組ほど、列設方向他側（図２８右側）に位置する組よりも、その接続が解除されるタイミングを後とできる（遅くできる）。よって、遊技盤ユニット１３が取付完了位置から不用意に少し変位されてしまったとしても、一部（列設方向一側、図２８左側）の接点部材４５２０，８２０の組において、その接続を維持できる可能性を確保できる。したがって、複数組の接点部材４５２０，８２０のうち、その接続が解除されることで遊技へ比較的大きな影響を与える電気的信号線または電力供給線については、列設方向一側（図２８左側）の接点部材４５２０，８２０を利用し、遊技への影響が比較的小さい電気的信号線または電力供給線については、列設方向他側（図２８右側）の接点部材４５２０，８２０を利用することで、遊技盤ユニット１３の不用意な操作（変位）による遊技への影響を抑制できる。
【０２８２】
特に、第１オスコネクタ４５００及び第２メスコネクタ８００は、接続の方向に沿って直線状に延設される被ガイド部５３０及びガイド溝８３０を備え、複数組の接点部材４５２０，８２０は、被ガイド部５３０及びガイド溝８３０の延設方向に沿って延設されるので、遊技盤ユニット１３が取付完了位置から変位される際に、接点部材４５２０，８２０の各組において、それら一対の接点部材４５２０，８２０どうしを接続された状態に維持しやすくできる。
【０２８３】
ここで、接続の解除時は、上述のように、第１オスコネクタ４５００が、第２メスコネクタ８００に対して、直線方向（被ガイド部５３０及びガイド溝８３０の延設方向）に沿って移動されることが理想であるが、実際には、遊技盤ユニット１３が、内枠１２に対し、挿入部１２８及び側部６０ａを回動の中心として、回動（変位）される操作が作業者により行われるの通常であり、この場合には、第１オスコネクタ４５００も、第２メスコネクタ８００に対して、挿入部１２８及び側部６０ａを回動の中心として、円弧状の軌跡に沿って移動される。この態様について、図２８を参照して説明する。
【０２８４】
図２８は、第１オスコネクタ４５００及び第１メスコネクタ８００の接続および解除の動作を説明するための模式図であり、図２６（ｂ）に示す第１メスコネクタ８００及び図２７（ｂ）に示す第１オスコネクタ４５００に対応する。即ち、図２８は、内枠１２及び遊技盤ユニット１３の底面方向視（矢印ＩＸ方向視、図８参照）に対応する（図９参照）。なお、図２８では、内枠１２及び遊技盤ユニット１３（ベース板６０）を二点鎖線を用いて模式的に図示する。
【０２８５】
図２８に示すように、第１オスコネクタ４５００及び第１メスコネクタ８００は、遊技盤ユニット１３の側部６０ａを内枠１２の挿入部１２８に挿入し、内枠１２に対して遊技盤ユニット１３を回動させる際の回動先端側（図２８左側）において向い合う姿勢に配設される。即ち、第１メスコネクタ８００（内枠側コネクタ３００Ｂ）は、内枠１２の幅方向において挿入部１２８と反対側の端部に配設されると共に（図５参照）、第１オスコネクタ４５００は、遊技盤ユニット１３（ベース板６０）の幅方向において側部６０ａと反対側の端部に配設される（図９参照）。
【０２８６】
よって、側部６０ａ及び挿入部１２８を回動の中心として、遊技盤ユニット１３が内枠１２から離間する方向へ向けて回動（変位）されることで、遊技盤ユニット１３が取付完了位置から変位され、第１オスコネクタ４５００及び第１メスコネクタ８００の接続の解除が開始される。そのため、回動先端側（図２８左側）に位置する接点部材４５２０，８２０の組ほど先に接続が解除されやすい。
【０２８７】
これに対し、第４実施形態では、かかる先に接続が解除されやすい位置の接点部材４５２０ほど、その延設長さが長くされている（接続方向先端側の一端の位置が第１メスコネクタ８００側に位置する）ので、遊技盤ユニット１３が取付完了位置から不用意に変位された場合に、先に接続が解除されやすい位置に配置される接点部材４５２０，８２０の組における接続が解除されるタイミングを遅らせることができ、その結果、その接続を維持できる可能性を確保できる。
【０２８８】
特に、遊技中に、ホールの店員が前面枠１４を内枠１２に対して隣の遊技者の邪魔とならない程度に少し開いた状態として作業を行う場合には、それら前面枠１４と内枠１２との間の開放部分から作業を行うこととなる。そのため、遊技盤ユニット１３も、前面枠１４と内枠１２との間の開放部分から、側部６０ａと反対側の側縁のみを操作されやすい。よって、遊技盤ユニット１３が不用意に変位される態様としては、挿入部１２８及び側部６０ａを回動の中心として回動される態様が顕著となるため、第１オスコネクタ４５００も、第２メスコネクタ８００に対して、直線方向（被ガイド部５３０及びガイド溝８３０の延設方向）に沿って移動される態様ではなく、挿入部１２８及び側部６０ａを回動の中心として、円弧状の軌跡に沿って移動される態様のみとなりやすい。従って、本実施形態が特に有効となる。
【０２８９】
なお、複数組の接点部材４５２０，８２０のうち、その接続が解除されることで遊技へ比較的大きな影響を与える電気的信号線または電力供給線としては、主制御装置１１０と他の制御装置（例えば、払出制御装置１１１、音声ランプ制御装置１１３など）との間または主制御装置１１０と第１の装置（例えば、電源装置１１５、各種スイッチ２０８、ソレノイド２０９、第１図柄表示装置３７１，３７ｂ、第２図柄表示装置、第２図柄保留ランプなど）との間を接続する電気的接続線または電力供給線が例示され、遊技への影響が比較的小さい電気的信号線または電力供給線としては、他の制御装置（例えば、払出制御装置１１１、音声ランプ制御装置１１３など）と第２の装置（例えば、払出モータ２１６、発射制御装置１１２、音声出力装置２２６、ランプ表示装置２２７、その他装置２２８、枠ボタン２２、表示制御装置１１４など）との間を接続する電気的接続線または電力供給線が例示される。
【０２９０】
次いで、図２９及び図３０を参照して、第５実施形態について説明する。第４実施形態では、接点部材４５２０の延設長さが、遊技盤ユニット１３を回動させる際の回動先端側に位置するものほど長くされる場合を説明したが、第５実施形態における接点部材４５２０は、第４実施形態の場合とは逆に、回動基端側におけるものほど、接点部材４５２０の延設長さが長くされる。なお、上述した各実施形態と同一の部分には同一の符号を付して、その説明は省略する。
【０２９１】
図２９（ａ）は、第５実施形態における第１オスコネクタ５５００の正面図であり、図２９（ｂ）は、図２９（ａ）の矢印ＸＸＩＸｂ方向視における第１オスコネクタ５５００の側面図である。
【０２９２】
図２９に示すように、第１オスコネクタ５５００は、各接点部材５５２０の一端（第１オスコネクタ５５００の接続方向先端側（図２９（ｂ）上側）の一端）の配設位置が、矢印Ｒ−Ｌに対して第４実施形態の場合とは逆方向に傾斜する配置とされ、接続の方向（図２９（ｂ）上下方向）において、それぞれ異なる位置とされる。即ち、図２９（ｂ）に示す側面視において、各接点部材５５２０の一端をそれぞれ通過して形成される仮想線が直線状をなすと共に、その直線（仮想線）が被ガイド部５３０の延設方向（接続の方向、図２９（ｂ）上下方向）に対して、第４実施形態の場合とは逆方向に傾斜される。
【０２９３】
これにより、第５実施形態によれば、各接点部材５５２０，８２０の接続および解除のタイミングをそれぞれ異ならせることができる。即ち、第４実施形態において説明したように、遊技盤ユニット１３が内枠１２へ向けて直線方向（被ガイド部５３０及びガイド溝８３０の延設方向）に沿って変位されることで、第１オスコネクタ５５００及び第１メスコネクタ８００の接続が開始される。この場合、第１オスコネクタ５５００は、各接点部材５５２０の接続方向先端側の一端の位置が接続方向に沿ってそれぞれ異なる位置に配置されるので、第４実施形態の場合とは逆に、複数組の接点部材５５２０，８２０に対し、遊技盤ユニット１３の幅方向他側（挿入部１２８及び側部６０ａに近い側、図３０右側）に位置する組から順に接続させることができる。遊技盤ユニット１３が取付完了位置に配置されると、複数組の接点部材５５２０，８２０のうちのすべての組が接続され、第１オスコネクタ５５００及び第１メスコネクタ８００の接続が完了される。
【０２９４】
一方、その接続状態から、遊技盤ユニット１３が直線方向（被ガイド部５３０及びガイド溝８３０の延設方向）に沿いつつ内枠１２から離間する方向へ向けて変位されることで、遊技盤ユニット１３が取付完了位置から変位され、第１オスコネクタ５５００及び第１メスコネクタ８００の接続の解除が開始される。この解除の場合には、第４実施形態の場合とは逆に、複数組の接点部材５５２０，８２０に対して、遊技盤ユニット１３の幅方向一側（挿入部１２８及び側部６０ａと反対側、図３０左側）に位置する組から順に接続を解除させることができる。遊技盤ユニット１３が取付完了位置から所定位置まで変位されると、複数組の接点部材５５２０，８２０のうちのすべての組の接続が解除され、第１オスコネクタ５５００及び第１メスコネクタ８００の接続の解除が完了される。
【０２９５】
このように、第５実施形態においても、第１オスコネクタ５５００の各接点部材５５２０に対し、その延設長さをそれぞれ異なる延設長さとすることで、複数組の接点部材５５２０，８２０における接続および解除のタイミングをそれぞれ異ならせることができる。即ち、ハウジング５１０やケース体８１０の形状などを変更する必要がなく、接点部材５５２０を除くすべての構成を、第１実施形態における構成と共通とすることができる。よって、構造を簡素化して、製品コストの削減を図ることができる。
【０２９６】
ここで、上述したように、例えば、ホールの店員が、遊技中に、前面枠１４を開いて何らかの作業（例えば、不正行為の有無の確認など）を行おうとした際に、遊技盤ユニット１３が取付完了位置から不用意に変位されると、第１オスコネクタ５５００及び第１メスコネクタ８００の接続が解除され、遊技に影響を与えるおそれがある。
【０２９７】
これに対し、本実施形態によれば、遊技盤ユニット１３が取付完了位置から変位され、第１オスコネクタ５５００及び第１メスコネクタ８００の接続が解除される際には、複数組の接点部材５５２０，８２０のうちの列設方向他側（図３０右側）に位置する組ほど、列設方向一側（図３０左側）に位置する組よりも、その接続が解除されるタイミングを後とできる（遅くできる）。よって、遊技盤ユニット１３が取付完了位置から不用意に少し変位されてしまったとしても、一部（列設方向他側、図３０右側）の接点部材５５２０，８２０の組において、その接続を維持できる可能性を確保できる。
【０２９８】
したがって、第４実施形態の場合とは逆に、複数組の接点部材５５２０，８２０のうち、その接続が解除されることで遊技へ比較的大きな影響を与える電気的信号線または電力供給線については、列設方向他側の接点部材５５２０，８２０を利用し、遊技への影響が比較的小さい電気的信号線または電力供給線については、列設方向一側の接点部材５５２０，８２０を利用することで、遊技盤ユニット１３の不用意な操作（変位）による遊技への影響を抑制できる。
【０２９９】
なお、このように、第５実施形態では、複数組の接点部材５５２０，８２０における解除のタイミングを、第４実施形態の場合とは逆に、列設方向他側に位置するものを列設方向一側に位置するものよりも遅くすることができる。即ち、例えば、電気的信号線または電力供給線の取り回し（配線位置）を設計する際に、他の部材と干渉したり、配線スペースが確保できないなどの理由により、第４実施形態における第１オスコネクタ４５００では、遊技へ比較的大きな影響を与える電気的信号線または電力供給線を、複数組の接点部材５５２０，８２０のうちの列設方向一側の組に接続できない場合がある。この場合には、第５実施形態を採用することで、列設方向他側の組に接続することができる。これにより、遊技へ比較的大きな影響を与える電気的信号線または電力供給線が解除されるタイミングを遅らせつつ、電気的信号線または電力供給線の設計の自由度を確保することができる。
【０３００】
また、第１オスコネクタ５５００及び第２メスコネクタ８００は、接続の方向に沿って直線状に延設される被ガイド部５３０及びガイド溝８３０を備え、複数組の接点部材５５２０，８２０は、被ガイド部５３０及びガイド溝８３０の延設方向に沿って延設されるので、第４実施形態の場合と同様に、遊技盤ユニット１３が取付完了位置から変位される際に、接点部材５５２０，８２０の各組において、それら一対の接点部材５５２０，８２０どうしを接続された状態に維持しやすくできる。
【０３０１】
ここで、接続の解除時は、第４実施形態の場合と同様に、第１オスコネクタ５５００が、第２メスコネクタ８００に対して、直線方向（被ガイド部５３０及びガイド溝８３０の延設方向）に沿って移動されることが理想であるが、実際には、遊技盤ユニット１３が、内枠１２に対し、挿入部１２８及び側部６０ａを回動の中心として、回動（変位）される操作が作業者により行われるのが通常であり、この場合には、第１オスコネクタ５５００も、第２メスコネクタ８００に対して、挿入部１２８及び側部６０ａを回動の中心として、円弧状の軌跡に沿って移動される。この態様について、図３０を参照して説明する。
【０３０２】
図３０は、第１オスコネクタ５５００及び第１メスコネクタ８００の接続および解除の動作を説明するための模式図であり、図２６（ｂ）に示す第１メスコネクタ８００及び図２９（ｂ）に示す第１オスコネクタ５５００に対応する。即ち、図３０は、内枠１２及び遊技盤ユニット１３の底面方向視（矢印ＩＸ方向視、図８参照）に対応する（図９参照）。なお、図３０では、内枠１２及び遊技盤ユニット１３（ベース板６０）を二点鎖線を用いて模式的に図示する。
【０３０３】
図３０に示すように、側部６０ａ及び挿入部１２８を回動の中心として、遊技盤ユニット１３が内枠１２から離間する方向へ向けて回動（変位）される態様では、第４実施形態で説明した通り、回動先端側（図３０左側）に位置する接点部材５５２０，８２０の組ほど先に接続が解除されやすい。
【０３０４】
言い換えれば、回動基端側（図３０右側）に位置する接点部材５５２０，８２０の組ほど接続が解除される順が後となりやすい。第５実施形態では、この回動に伴う特性と接点部材５５２０の配置順とを利用することで、複数組の接点部材５５２０，８２０のうちで接続が解除される順が後となりやすい位置（回動基端側）に配置される組に対し、その接続が解除されるタイミングを更に遅らせることができるように構成される。よって、本実施形態において、不用意に解除されることで遊技への影響が大きな重要な電気的信号線を回動基端側に配設することが、その接続が不用意に解除されることを抑制する形態として特に有効となる。
【０３０５】
即ち、遊技盤ユニット１３が回動される態様では、遊技盤ユニット１３の回転基端側（図３０右側）に配置される組（接点部材５５２０，８２０）ほどその接続の解除が最後となりやすいところ、かかる接続の解除が最後となりやすい位置の接点部材５５２０ほど、その延設長さが長くされている（接続方向先端側の一端の位置が第１メスコネクタ８００側に位置する）ので、かかる回動基端側に配設される接点部材５５２０，８２０の組における接続が解除されるタイミングを更に遅くすることができる。即ち、もともと接続が解除されるタイミングの遅い接点部材５５２０，８２０の組に対して、接点部材５５２０，８２０の延設長さを長くすることで、かかる接点部材５５２０，８２０の組における接続が解除されるタイミングを更に遅くすることができる。
【０３０６】
これにより、遊技盤ユニット１３が取付完了位置から不用意に少し変位されとしても、かかる回動基端側に位置する接点部材５５２０，８２０の組における接続が不用意に解除されることを更に発生し難くでき、その接続を維持できる可能性を更に確保しやすくできる。よって、本実施形態において、不用意に解除されることで遊技への影響が大きな重要な電気的信号線を回動基端側に配設することが、その接続が不用意に解除されることを抑制する形態として特に有効となる。
【０３０７】
なお、遊技中に、ホールの店員が前面枠１４を内枠１２に対して隣の遊技者の邪魔とならない程度に少し開いた状態として作業を行う場合には、第４実施形態の場合と同様に、遊技盤ユニット１３は、挿入部１２８及び側部６０ａを回動の中心として回動される態様が顕著となるため、第１オスコネクタ５５００も、第２メスコネクタ８００に対して、挿入部１２８及び側部６０ａを回動の中心として、円弧状の軌跡に沿って移動される態様のみとなりやすい。従って、本実施形態が特に有効となる。
【０３０８】
また、複数組の接点部材５５２０，８２０のうち、その接続が解除されることで遊技へ比較的大きな影響を与える電気的信号線または電力供給線、及び、遊技への影響が比較的小さい電気的信号線または電力供給線としては、第４実施形態における例示と同様であるので、その説明は省略する。
【０３０９】
ここで、第５実施形態においては、回動先端側（図３０左側、即ち、先に接続が解除されやすい側）には、他の制御装置（例えば、払出制御装置１１１、音声ランプ制御装置１１３など）と第２の装置のうちの音声出力、表示手段または発光手段（例えば、音声出力装置２２６、ランプ表示装置２２７、その他装置２２８、表示制御装置１１４など）に関すものとの間を接続する電気的信号線または電力供給線を接続する接点部材５５２０，８２０の組を配設することが好ましい。遊技盤ユニット１３が取付完了位置から不用意に変位され、複数組の接点部材５５２０，８２０における接続の解除が一部の組で開始された場合に、遊技盤ユニット１３の不用意な変位を早期に停止させやすくできる。
【０３１０】
即ち、遊技盤ユニット１３の不用意な変位により先に接続の解除が開始される接点部材５５２０，８２０の組が、音声出力、表示手段または発光手段に関するものであるので、遊技中に、遊技盤ユニット１３が取付完了位置から不用意に変位されると、遊技における音声出力、表示または発光が停止されるので、かかる音声出力、表示または発光が停止されることに基づいて、ホールの店員などの作業者に対して、遊技盤ユニット１３を不用意に変位させていることを気付かせることができる。これにより、遊技盤ユニット１３の不用意な変位を早期に停止させやすくでき、その結果、複数組の接点部材５５２０，８２０の接続がすべて解除されることを回避して、遊技への影響を抑制できる。
【０３１１】
次いで、図３１を参照して、第６実施形態について説明する。第４実施形態では、各接点部材４５２０の延設長さが幅方向（矢印Ｒ−Ｌ方向）に沿って連続的に変化する場合を説明したが、第６実施形態における各接点部材６５２０は、その延設長さが幅方向（矢印Ｒ−Ｌ方向）に沿って階段状に変化する。なお、上述した各実施形態と同一の部分には同一の符号を付して、その説明は省略する。
【０３１２】
図３１（ａ）は、第６実施形態における第１オスコネクタ６５００の正面図であり、図３１（ｂ）は、図３１（ａ）の矢印ＸＸＸＩｂ方向視における第１オスコネクタ６５００の側面図である。
【０３１３】
図３１に示すように、第１オスコネクタ６５００には、隣接する複数本（本実施形態では５本）の接点部材６５２０からなる群が複数群（３群）形成され、一の群においては、その群を構成する複数本（本実施形態では５本）の接点部材６５２０の一端（第１オスコネクタ６５００の接続方向先端側（図３１（ｂ）上側）の一端）の配設位置が、矢印Ｒ−Ｌに沿って横一列とされ、接続の方向（図３１（ｂ）上下方向）において、それぞれ同じ位置とされる。図３１（ｂ）に示す側面視において、各接点部材６５２０の一端をそれぞれ通過して形成される仮想線が直線状をなすと共に、その直線（仮想線）が被ガイド部５３０の延設方向（接続の方向、図３１（ｂ）上下方向）に直交される。
【０３１４】
一方、群どうしを比較すると、各群は、他の群に対して、接点部材６５２０の一端（第１オスコネクタ６５００の接続方向先端側（図３１（ｂ）上側）の一端）の配設位置が、接続の方向（図３１（ｂ）上下方向）において、それぞれ異なる位置とされる。具体的には、幅方向一側（接点部材６５２０の列設方向一側、図３１（ｂ）左側）に位置する群ほど、幅方向他側（接点部材６５２０の列設方向他側、図３１（ｂ）右側）に位置する群よりも、延設長さが長くされる。
【０３１５】
これにより、第６実施形態によれば、遊技盤ユニット１３が直線方向（被ガイド部５３０及びガイド溝８３０の延設方向）に沿いつつ変位されることで、第１オスコネクタ６５００及び第１メスコネクタ８００（図２６参照）の接続および解除される場合には、一の群においては、その群を構成する複数本（本実施形態では５本）の接点部材６５２０を、接点部材８２０にそれぞれ同時に接続および解除することができる。このように、一の群の中において、各接点部材６５２０，８２０の電気的な接続または解除のタイミングが同時となることで、電気的に接続（導通）されている箇所と解除（切断）されている箇所とが混在せず、導通や切断のタイムラグ（タイミングの差）を発生させないので、遊技の制御を適切に行うことができる。
【０３１６】
ここで、上述したように、遊技盤ユニット１３が、内枠１２に対し、挿入部１２８及び側部６０ａを回動の中心として、回動（変位）され操作が作業者により行われ、第１オスコネクタ４５００が、第２メスコネクタ８００に対して、挿入部１２８及び側部６０ａを回動の中心として、円弧状の軌跡に沿って移動される場合には、複数の群のうちの回動先端側（幅方向一側、図３１（ｂ）左側）に位置する群ほど、回動基端側（幅方向他側、図３１（ｂ）右側）に位置する群よりも先に接続が解除されやすい。
【０３１７】
この場合、本実施形態では、複数の群のうちの回動先端側（幅方向一側、図３１（ｂ）左側）に位置する群ほど、回動基端側（幅方向他側、図３１（ｂ）右側）に位置する群よりも、その群を構成する接点部材６５２０の延設長さが長くされるので、回動基端側に位置する群の接続が解除されるタイミングを後とできる（遅くできる）。即ち、第４実施形態の場合と同様に、遊技盤ユニット１３が取付完了位置から不用意に少し変位されてしまったとしても、一部（幅方向一側、図３１（ｂ）左側）の群において、その接続を維持できる可能性を確保できる。したがって、複数組の接点部材６５２０，８２０のうち、その接続が解除されることで遊技へ比較的大きな影響を与える電気的信号線または電力供給線については、幅方向一側（図３１（ｂ）左側）の群（接点部材６５２０，８２０）を利用し、遊技への影響が比較的小さい電気的信号線または電力供給線については、幅方向他側（図３１（ｂ）右側）の群（接点部材６５２０，８２０）を利用することで、遊技盤ユニット１３の不用意な操作（変位）による遊技への影響を抑制できる。
【０３１８】
なお、その接続が解除されることで遊技へ比較的大きな影響を与える電気的信号線または電力供給線、及び、遊技への影響が比較的小さい電気的信号線または電力供給線としては、第４実施形態における例示と同様であるので、その説明は省略する。
【０３１９】
次いで、図３２及び図３３を参照して、第７実施形態について説明する。第４実施形態では、ハウジング５１０の高さ寸法が接点部材４５２０の列設方向に沿って一定とされる場合を説明したが、第７実施形態におけるハウジング５１０は、その高さ寸法が接点部材７５２０の列設方向に沿って変化される。なお、上述した各実施形態と同一の部分には同一の符号を付して、その説明は省略する。
【０３２０】
図３２は、第７実施形態における第１オスコネクタ７５００の正面斜視図である。図３３（ａ）は、第１オスコネクタ６５００の正面図であり、図３３（ｂ）は、図３３（ａ）の矢印ＸＸＸＩＩＩｂ方向視における第１オスコネクタ７５００の側面図である。
【０３２１】
図３２及び図３３に示すように、第１オスコネクタ７５００には、隣接する複数本（本実施形態では５本）の接点部材７５２０からなる第１の群と、残りの複数本（本実施形態では１０本）の接点部材７５２０からなる第２の群とが形成され、一の群においては、その群を構成する複数本（本実施形態では５本または１０本）の接点部材７５２０の一端（第１オスコネクタ７５００の接続方向先端側（図３３（ｂ）上側）の一端）の配設位置が、矢印Ｒ−Ｌに沿って横一列とされ、接続の方向（図３３（ｂ）上下方向）において、それぞれ同じ位置とされる。即ち、図３３（ｂ）に示す側面視において、各接点部材６５２０の一端をそれぞれ通過して形成される仮想線が直線状をなすと共に、その直線（仮想線）が被ガイド部５３０の延設方向（接続の方向、図３３（ｂ）上下方向）に直交される。
【０３２２】
一方、群どうしを比較すると、第１の群は、第２の群に対して、接点部材６５２０の一端（第１オスコネクタ７５００の接続方向先端側（図３３（ｂ）上側）の一端）の配設位置が前方（矢印Ｆ側）に突出して配設される。即ち、第１の群は、第２の群よりも、接点部材７５２０の延設長さが長くされる。
【０３２３】
この場合、ハウジング５１０の高さ寸法（接点部材７５２０の延設方向（矢印Ｆ−Ｂ方向）における寸法、図３３（ｂ）上下方向の寸法）は、第１の群に対応する部分が、第２の群に対応する部分よりも大きく（高く）される。このように、第７実施形態では、接点部材７５２０の延設長さに応じて、ハウジング５１０の高さ寸法を設定するので、ハウジング５１０の接点部材７５２０が配設されない部分（第２の群に対応する部分）については、無駄な素材が使用されることを抑制して、その分、材料コストの削減を図ることができる。一方、第１の群に対応する部分については、ハウジング５１０の高さ寸法が大きくされていることから、その分、接点部材７５２０の配設スペースを確保することができ、その分、かかる接点部材７５２０の延設長さを長くすることができる。その結果、上述したように、接続が解除されるタイミングをより遅らせることができる。
【０３２４】
次いで、図３４から図３８を参照して、第８実施形態について説明する。第１実施形態では、台座４００の第１開口４２１へ第１オスコネクタ５００を挿通する挿通工程と、その挿通工程による挿通の方向と直交する方向へ第１オスコネクタ５００を台座４００に対して変位させる変位工程との二工程により、台座４００へ第１オスコネクタ５００を組み付ける場合を説明したが、第８実施形態は、台座８４００の第１開口８４２１へ第１オスコネクタ８５００を挿通する挿通工程のみにより、台座８４００へ第１オスコネクタ８５００を組み付けることができ、変位工程を省略可能とされる。なお、上述した各実施形態と同一の部分には同一の符号を付して、その説明は省略する。
【０３２５】
図３４（ａ）は、第８実施形態における遊技盤側コネクタ８３００Ａの正面図であり、図３４（ｂ）は、図３４（ａ）のＸＸＸＩＶｂ−ＸＸＸＩＶｂ線における遊技盤側コネクタ８３００Ａの断面図である。
【０３２６】
図３４に示すように、遊技盤側コネクタ８３００Ａは、箱状に形成される台座８４００と、その台座８４００に保持される第１オスコネクタ８５００及び第２オスコネクタ８６００とを備える。台座８４００は、第１正面板８４１１及び第２正面板８４１２の第１開口８４２１及び第２開口８４２２に第１オスコネクタ８５００及び第２オスコネクタ８６００をそれぞれ挿通させることで、第１実施形態の場合と同様に、第１オスコネクタ８５００及び第２オスコネクタ８６００を接続の方向（矢印Ｆ−Ｂ方向）に直交する方向（矢印Ｒ−Ｌ方向又は矢印Ｕ−Ｄ方向）に変位可能に保持する。ここで、図３５を参照して、台座８４００の詳細構成について説明する。
【０３２７】
図３５（ａ）は、台座８４００の正面図であり、図３５（ｂ）は、図３５（ａ）のＸＸＸＶｂ−ＸＸＸＶｂ線における台座８４００の断面図である。なお、図３５（ｂ）では、遊技機ユニット１３の背面であって遊技盤側コネクタ８３００Ａが取り付けられる取付面ＢＥが二点鎖線を用いて模式的図に図示される。
【０３２８】
ここで、第８実施形態における台座８４００は、第１実施形態における台座４００に対し、その台座４００の第１基端側弾性片４４１及び第１先端側弾性片４５１と第２基端側弾性片４４２及び第２先端側弾性片４５２とを（いずれも図１２から図１４参照）、第１基端側弾性片８４４１及び第１先端側弾性片８４５１と第２基端側弾性片８４４２及び第２先端側弾性片８４５２とに置き換えて構成される。また、第８実施形態における台座８４００は、その基端側開口８４２１ｂ，４２２ｂが、第１実施形態における台座４００の基端側開口４２１ｂ，４２２ｂを短手側壁板４１４側（矢印Ｌ側）へ延長（拡大）した開口として形成され、その分、台座８４００の長手方向（矢印Ｒ−Ｌ方向、図３５（ａ）左右方向）における基端側正面板８４１１ｂの幅寸法（矢印Ｒ−Ｌ方向寸法）が小さくされる。なお、これらを除く他の構成は、第８実施形態における台座８４００と第１実施形態における台座４００とで同一である。よって、以下においては、異なる部分のみを説明し、同一の部分の説明は省略する。
【０３２９】
図３５に示すように、台座８４００には、第１開口８４２１に対応して、第１基端側弾性片８４４１及び第１先端側弾性片８４５１が形成されると共に、第２開口８４２２に対応して、第２基端側弾性片８４４２及び第２先端側弾性片８４５２が形成される。第１基端側弾性片８４４１及び第１先端側弾性片８４５１は、第１開口８４２１に挿通される第１オスコネクタ８５００に対し、第２基端側弾性片８４４２及び第２先端側弾性片８４５２は、第２開口４２２に挿通される第２オスコネクタ８６００に対し、それらの位置決め及び初期位置への復帰のための付勢と台座８４００に対する矢印Ｆ方向への変位の規制とをそれぞれ行うための部位である（図３４参照）。
【０３３０】
第１基端側弾性片８４４１は、側面視Ｌ字状に形成される弾性片であり、短手側壁板４１４の内壁面に一体に形成される。詳細には、第１基端側弾性片８４４１は、短手側壁板４１４の最も背面側（図３５（ｂ）の下側）における内壁面に一端（第１基端側弾性片８４４１の基端）が接続され第１先端側弾性片８４５１（図３５（ｂ）左側）へ向けて張り出す側面視直線状の張出部分８４４１ａと、その張出部分８４４１ａの他端に一端が接続され側面視直線状に形成されると共に短手側壁板４１４の内壁面に所定間隔を隔てつつ平行に対向配置される直線部分８４４１ｂと、その直線部分８４４１ｂの他端から第１先端側弾性片８４５１（図３５（ｂ）左側）へ向けて延設される延設部分８４４１ｃとを備える。
【０３３１】
直線部分８４４１ｂの他端側の端面および延設部分８４４１ｃの正面（いずれも図３５（ｂ）上側の面）は、第１先端側弾性片８４５１（図３５（ｂ）左側）へ向けて下降傾斜する平坦面（以下「傾斜面ＳＬ１」と称す）として形成される。なお、張出部分８４４１ａ、直線部分８４４１ｂ及び延設部分８４４１ｃは、その幅寸法（図３５（ａ）上下方向寸法）が全体にわたって略一定に形成される。また、張出部分８４４１ａ及び直線部分８４４１ｂの厚み寸法は、基端から先端までの範囲にわたって略一定に形成される。
【０３３２】
第１先端側弾性片８４５１は、上述した第１基端側弾性片８４４１と矢印Ｒ−Ｌ方向において所定間隔を隔てつつ対向配置されると共に側面視Ｌ字状に形成される弾性片であり、中間固定部４３２の外壁面に一体に形成される。詳細には、第１先端側弾性片８４５１は、中間固定部４３２の最も背面側（図３５（ｂ）の下側）における外壁面に一端（第１先端側弾性片８４４１の基端）が接続され第１基端側弾性片８４４１（図３５（ｂ）右側）へ向けて張り出す側面視直線状の張出部分８４５１ａと、その張出部分８４５１ａの他端に一端が接続され側面視直線状に形成されると共に中間固定部４３２の外壁面に所定間隔を隔てつつ平行に対向配置される直線部分８４５１ｂと、その直線部分８４５１ｂの他端から第１基端側弾性片８４４１（図３５（ｂ）右側）へ向けて延設される延設部分８４５１ｃとを備える。
【０３３３】
直線部分８４５１ｂの他端側の端面および延設部分８４５１ｃの正面（いずれも図３５（ｂ）上側の面）は、第１基端側壁板８４５１（図３５（ｂ）右側）へ向けて下降傾斜する平坦面（以下「傾斜面ＳＲ１」と称す）として形成される。なお、張出部分８４５１ａ、直線部分８４５１ｂ及び延設部分８４５１ｃは、その幅寸法（図３５（ａ）上下方向寸法）が全体にわたって略一定に形成される。また、張出部分８４５１ａ及び直線部分８４５１ｂの厚み寸法は、基端から先端までの範囲にわたって略一定に形成される。
【０３３４】
第１基端側弾性片８４４１及び第１先端側弾性片８４５１は、互いの直線部分８４４１ｂ，８４５１ｂが平行に対向配置される姿勢で形成され、それら直線部分８４４１ｂ，８４５１ｂの対向間隔が第１オスコネクタ８５００（ハウジング５１０）の長手方向寸法よりも若干小さくされる。これにより、第１基端側弾性片８４４１及び第１先端側弾性片８４５１の間に第１オスコネクタ８５００を挟み込むことができるので、かかる第１オスコネクタ８５００を矢印Ｒ−Ｌ方向における初期位置に位置決めすることができる。
【０３３５】
また、台座８４００に対して第１オスコネクタ８５００を矢印Ｒ−Ｌ方向へ変位させる外力が第１オスコネクタ８５００に作用される場合には、第１基端側弾性片８４４１又は第１先端側弾性片８４５１が弾性変形することで、第１オスコネクタ８５００の台座４００に対する変位を許容して、破損を防止できる一方、外力が解除された後は、第１基端側弾性片８４４１又は第１先端側弾性片８４５１の弾性回復力により第１オスコネクタ８５００を初期位置へ復帰させることができる（図３４参照）。
【０３３６】
さらに、直線部分８４４１ｂ，８４５１ｂの対向面には、延設部分８４４１ｃ，８４５１ｃが対向空間へ向けてそれぞれ延設されるので、第１基端側弾性片８４４１及び第１先端側弾性片８４５１の直線部分８４４１ｂ，８４５１ｂの間に第１オスコネクタ８５００を挟み込んだ状態では、延設部分８４４１ｃ，８４５１ｃの背面（図３５（ｂ）下側の面）を第１オスコネクタ８５００（ハウジング５１０）の一部（基部側背面板５５１及び側部背面板５５３）の正面に配置できる（図３４（ｂ）参照）。即ち、延設部分８４４１ｃ，８４５１ｃを第１オスコネクタ８５００に係合（当接）させて、第１オスコネクタ８５００が第１開口８４２１から矢印Ｆ方向へ抜け出ることを規制することができる。
【０３３７】
第１基端側弾性片８４４１及び第１先端側弾性片８４５１の板厚寸法は、第１実施形態の場合と同様に、第１正面板８４１１や短手側壁４１４，４１５などの台座８００の外殻を形成する部位の板厚寸法よりも小さくされる。これにより、上述したように、成型金型内での素材の流動性が悪化しやすい各弾性片８４４１，８４５１における成型性を確保して、成型時の歩留まりの向上を図りつつ、外殻の剛性を確保して、各弾性片８４４１，８４５１や第１オスコネクタ８５００の弾性変形や変位を安定して保持することができる。
【０３３８】
第２基端側弾性片８４４２は、張出部分８４４２ａ、直線部分８４４２ｂ、張出部分８４４２ｃ及び傾斜面ＳＬ２を備え、中間固定部４３２の外壁面に一体に形成される。第２先端側弾性片８４５２は、張出部分８４５２ａ、直線部分８４５２ｂ、張出部分８４５２ｃ及び傾斜面ＳＲ２を備え、短手壁板４１５の内壁面に一体に形成される。これら第２基端側弾性片８４４２及び第２先端側弾性片８４５２は、上述した第１基端側弾性片８４４１及び第１先端側弾性片８４５１とそれぞれ実質的に同一の構成であるので、その説明は省略する。
【０３３９】
図３４に戻って説明する。図３４に示すように、台座８４００には、第１オスコネクタ８５００及び第２オスコネクタ８６００がその長手方向を台座８４００の長手方向に沿わせて一列に配設される。ここで、図３６及び図３７を参照して、第１オスコネクタ８５００の詳細構成について説明する。
【０３４０】
図３６は、第１オスコネクタ８５００の正面斜視図である。図３７（ａ）は、第１オスコネクタ８５００の正面図であり、図３７（ｂ）は、図３７（ａ）の矢印ＸＸＸＶＩＩｂ方向視における第１オスコネクタ８５００の側面図である。なお、図３６及び図３７では、第１オスコネクタ８５００の電気的接続線ＷＨの図示が省略される。
【０３４１】
図３６及び図３７に示すように、第８実施形態における第１オスコネクタ８５００は、第１実施形態における第１オスコネクタ５００に対し、その第１オスコネクタ５００の一対の先端側背面板５５２（図１５から図１７参照）を省略して構成される。即ち、かかる省略した部分（一対の先端側背面板５５２）を除く他の構成は、第８実施形態における第１オスコネクタ８５００と第１実施形態における第１オスコネクタ５００とで同一である。
【０３４２】
第８実施形態では、第１オスコネクタ８５００から一対の先端側背面板５５２（図１５から図１７参照）が省略されることで、かかる第１オスコネクタ８５００を、台座８４００の第１正面板８４１１における正面側（図３４（ａ）紙面手前側）から第１開口８４２１へ挿通可能とされる。即ち、第１オスコネクタ８５００のハウジング５１０は、一対の先端側背面板５５２が省略される部分における幅寸法（図３７（ａ）上下方向寸法）が、台座８４００の中央開口４２１ａの幅寸法（中間正面板８４１１ａの間の隙間寸法、図３５（ａ）上下方向寸法）よりも小さくされる（図３４（ａ）参照）。
【０３４３】
なお、上述したように、台座８４００は、第１開口８４２１における基端側開口８４２１ｂ，４２２ｂの開口寸法が短手側壁板４１４側（矢印Ｌ側）へ延長（拡大）され、その分、基端側正面板８４１１ｂの短手側壁板４１４からの突出量が小さくされる。よって、第１オスコネクタ８５００は、その基端側背面板５５１を、台座８４００の基端側正面板８４１１ｂに干渉させることなく、第１正面板８４１１における正面側（図３４（ａ）紙面手前側）から第１開口８４２１へ挿通可能とされる。
【０３４４】
また、第８実施形態では、背面板の群が、基端側背面板５５１及び側部背面板５５３からなる。第１オスコネクタ８５００は、これら基端側背面板５５１及び側部背面板５５３の正面が、第１基端側弾性片８４４１及び第１先端側弾性片８４５１の延設部分８４４１ｃ，８４５１ｃの背面により係合（当接）されることで、台座８４００に対して正面方向（矢印Ｆ方向）へ変位することが規制される。これにより、第１オスコネクタ８５００が台座８４００の第１開口８４２１から抜け出ることを抑制し、かかる第１オスコネクタ８５００を第１メスコネクタ８００（図７参照）の接続口（受入口）から確実に抜き取ることができる。
【０３４５】
図３４に戻って説明する。第２オスコネクタ８６００は、第１実施形態における第２オスコネクタ６００に対し、その第２オスコネクタ６００の一対の先端側背面板５５２（図１８参照）を省略して構成される。即ち、かかる省略した部分（一対の先端側背面板５５２）を除く他の構成は、第８実施形態における第２オスコネクタ８６００と第１実施形態における第２オスコネクタ６００とで同一である。よって、その説明は省略する。
【０３４６】
第１オスコネクタ８５００は、第１実施形態の場合と同様に、台座８４００に対して、その初期位置が規定可能に形成され、また、台座８４００に対する接続の方向と直交する方向（矢印Ｕ−Ｄ方向または矢印Ｒ−Ｌ方向）への変位が許容されると共に、台座８４００に対する接続の方向と直交する方向への変位が所定の範囲内で規制される。これら初期位置を規定する構造、変位を許容する構造、及び、その変位の許容範囲を所定範囲内に規制する構造は、第１実施形態の場合と同様であるので、その説明は省略する。
【０３４７】
次いで、図３８を参照して、遊技盤側コネクタ８３００Ａの組み立て方法について説明する。なお、上述したように、第１オスコネクタ８５００と第２オスコネクタ８６００とは、実質的に同一の構成であり、よって、台座８４００へ組み付ける方法も両者において実質的に同一であるので、以下においては、第１オスコネクタ８５００を台座８４００に組み付ける方法のみを説明して、第２オスコネクタ８６００についての説明は省略する。
【０３４８】
図３８は、遊技盤側コネクタ８３００Ａの組み立て工程を時系列で示す台座８４００及び第１オスコネクタ８５００の断面図である。なお、図３８に図示される台座８４００及び第１オスコネクタ８５００の断面は、図３４（ａ）のＸＸＸＩＶｂ−ＸＸＸＩＶｂ線における断面に対応する。
【０３４９】
図３８（ａ）に示すように、遊技盤側コネクタ８３００Ａの組み立ては、まず、台座８４００における第１正面板８４１１の正面（図３８（ａ）上側の面）に第１オスコネクタ８５００の背面を対面させ、台座８４００に対して第１オスコネクタ８５００を矢印Ｂ方向へ向けて押し下げる。これにより、第１オスコネクタ８５００の基端側背面板５５１の背面が台座８４００の第１基端側弾性片８４４１の傾斜面ＳＬ１に、第１オスコネクタ８５００の側部背面板５５３の背面が台座８４００の第１先端側弾性片８４５１の傾斜面ＳＲ１に、それぞれ当接される。
【０３５０】
図３８（ｂ）に示すように、台座８４００に対して第１オスコネクタ８５００を矢印Ｂ方向へ向けて更に押し下げると、第１オスコネクタ８５００の基端側背面板５５１及び先端側背面板５５３の背面が、台座８４００の第１基端側弾性片８４４１及び第１先端側弾性片８４５１の傾斜面ＳＬ１，ＳＲ１上を摺動され、かかる摺動により、第１基端側弾性片８４４１及び第１先端側弾性片８４５１が互いに離間する方向（第１オスコネクタ８５００からそれぞれ離間する方向）へ向けて弾性変形される。
【０３５１】
このように、本実施形態では、第１基端側弾性片８４４１及び第１先端側弾性片８４５１に傾斜面ＳＬ１，ＳＲ１を設け、それら両傾斜面ＳＬ１，ＳＲ１に第１オスコネクタ８５００の基端側背面板５５１及び先端側背面板５５３を当接させることで、第１開口８４２１へ第１オスコネクタ８５００を挿通する過程において第１基端側弾性片８４４１及び第１先端側弾性片８４５１を互いに離間する方向へ弾性変形させることができる。即ち、例えば、組み付け作業者が第１基端側弾性片８４４１及び第１先端側弾性片８４５１を手で押し広げるなど、第１基端側弾性片８４４１及び第１先端側弾性片８４５１を弾性変形させるための動作を別途行う必要がなく、第１オスコネクタ８５００を台座８４００に対して矢印Ｂ方向へ押し下げる動作のみで、第１基端側弾性片８４４１及び第１先端側弾性片８４５１に所定の弾性変形を付与することができる。
【０３５２】
よって、台座８４００に第１オスコネクタ８５００を組み付けるために必要な工程を、台座８４００に対して第１オスコネクタ８５００を一方向（矢印Ｂ方向）へ変位させる動作のみとすることができる。これにより、組み立て工程を簡素として、その分、組み立てコストの削減を図ることができる。
【０３５３】
図３８（ｃ）に示すように、台座８４００に対する第１オスコネクタ８５００の矢印Ｂ方向への押し下げ位置が所定位置に達すると、第１オスコネクタ８５００の基端側背面板５５１及び先端側背面板５５３が、台座８４００の第１基端側弾性片８４４１及び第１先端側弾性片８４５１の傾斜面ＳＬ１，ＳＲ１を通過する。これにより、第１基端側弾性片８４４１及び第１先端側弾性片８４５１が、互いに近接する方向（第１オスコネクタ８５００へ近づく方向）へ向けて弾性回復されて初期位置へ復帰される。
【０３５４】
即ち、台座８４００の第１基端側弾性片８４４１及び第１先端側弾性片８４５１における延設部分８４４１ｃ，８４５１ｃの背面が、第１オスコネクタ８５００の基端側背面板５５１及び側部背面板５５３の正面に対面され、これら延設部分８４４１ｃ，８４５１ｃの背面と基端側背面板５５１及び側部背面板５５３の正面とが係合（当接）可能な状態とされる。これにより、台座８４００への第１オスコネクタ８５００の組み付け（遊技盤側コネクタ８３００Ａの組み立て）が完了される。
【０３５５】
このように、本実施形態では、台座８４００の第１開口８４２１へ第１オスコネクタ８５００を正面側から挿通する工程（挿通工程）を行うのみで、台座８４００への第１オスコネクタ８５００の組み付けを完了することができ、第１実施形態の場合のように、挿通工程により所定位置まで挿通された第１オスコネクタ８５００を台座８４００に対して挿入の方向（接続の方向）と直交する方向へ変位させる変位工程（図２４（ｂ）参照）を行う必要がない。よって、組み付け工数を低減して、その分、製品コストの削減を図ることができる。
【０３５６】
この場合、台座８４００に対し第１オスコネクタ８５００を矢印Ｂ方向へ押し下げて所定位置に配置する際には、第１オスコネクタ８５００の基端側正面板５４１、先端側正面板５４２及び側部正面板５４３の背面が台座８４００の中間正面板４１１ａ及び先端側正面板４１１ｃの正面に当接される位置（即ち、それ以上の矢印Ｂ方向への押し下げができなくなる位置）まで第１オスコネクタ８５００を押し下げれば良く、第１オスコネクタ８５００の挿通位置（押し下げ位置）を制御する必要がない。これにより、作業を簡素化して、組み付け工数の低減を図ることができる。
【０３５７】
台座８４００に第１オスコネクタ８５００が組み付けられた状態では、台座８４００に対する第１オスコネクタ８５００の挿通の方向（矢印Ｂ方向）への変位は、第１実施形態の場合と同様に、台座８４００の中間正面板４１１ａ及び先端側正面板４１１ｃに第１オスコネクタ８５００の基端側正面板５４１、先端側正面板５４２及び側部正面板５４３が当接されることで規制可能とされる。一方、第８実施形態では、台座８４００に対する第１オスコネクタ８５００の挿通の方向と反対方向（第１開口８４２１から抜け出る方向、矢印Ｆ方向）への変位は、台座８４００の第１基端側弾性片８４４１及び第１先端側弾性片８４５１の延設部分８４４１ｃ，８４５１ｃに第１オスコネクタ８５００の基端側背面板５５１及び側部背面板５５３が当接することで規制可能とされる。
【０３５８】
よって、遊技盤ユニット１３を取付完了位置へ変位させて、第１オスコネクタ８５００及び第１メスコネクタ８００を接続する際、及び、取付完了位置から遊技盤ユニット１３を変位させて、第１オスコネクタ８５００及び第１メスコネクタ８００の接続を解除する際には、台座８４００に対する第１オスコネクタ８５００の接続の方向または解除の方向への変位を規制可能とでき、接続およびその接続の解除を確実に行うことができる。
【０３５９】
このように、第８実施形態では、第１基端側弾性片８４４１及び第１先端側弾性片８４５１が、台座８４００の第１開口８４２１から第１オスコネクタ８５００が抜け出ることを規制する手段と、台座８４００に対する第１オスコネクタ８５００の配設位置を位置決めする手段との２つの手段を兼用可能とされる。これにより、それぞれの手段を達成するための部材を別々に設ける必要がないので、部品点数を低減でき、その分、部品コストや組み立て工数の削減を図ることができる。
【０３６０】
更に、第１基端側弾性片８４４１及び第１先端側弾性片８４５１が、上述の２つの手段を兼用する場合に、これら第１基端側弾性片８４４１及び第１先端側弾性片８４５１は、台座８４００から第１オスコネクタ８５００へ向けて張り出す張出部分８４４１ａ，８４５１ａと、その張出部分８４４１ａ，８４５１ａから第１オスコネクタ８５００の挿通の方向にほぼ沿う方向へ延設される直線部分８４４１ｂ，８４５１ｂと、その直線部分８４４１ｂ，８４５１ｂの延設先端に形成され第１オスコネクタ８５００の挿通の方向と反対方向（矢印Ｆ方向）への変位を規制する延設部分８４４１ｃ，８４５１ｃとからなるため、上述の２つの手段に必要な機能を確実に発揮させることができる。
【０３６１】
特に、第１基端側弾性片８４４１及び第１先端側弾性片８４５１は、張出部分８４４１ａ，８４５１ａの張り出し方向（図３８（ａ）左右方向）における長さ寸法に対して、直線部分８４４１ｂ，８４５１ｂの延設方向（図３８（ａ）上下方向）における長さ寸法が大きくされるので、台座８４００の短手側壁板４１４又は中間固定部４３２へ近接または離間する方向には、直線部分８４４１ｂ，８４５１ｂの変形性を確保して、第１オスコネクタ８５００の接続の方向と直交する方向（矢印Ｒ−Ｌ方向）への変位を許容しやすくできる。一方、直線部分８４４１ｂ，８４５１ｂの延設方向（挿通の方向、矢印Ｆ−Ｂ方向）には、第１基端側弾性片８４４１及び第１先端側弾性片８４５１全体としての変形を抑制できる。これにより、延設部分８４４１ｃ，８４５１ｃの背面と基端側背面板５５１及び側部背面板５５３の正面との係合（当接）が解除されることを抑制でき、その結果、第１オスコネクタ８５００の挿通の方向と反対方向（矢印Ｆ方向）への変位を確実に規制することができる。
【０３６２】
次いで、図３９から図４３を参照して、第９実施形態について説明する。第８実施形態では、台座８４００に対して第１オスコネクタ８５００が、台座８４００の正面側から組み付けられる（第１開口８４２１へ挿通される）場合を説明したが、第９実施形態における第１オスコネクタ９５００は、台座８４００の背面側から組み付けられる（第１開口８４２１へ挿通される）。なお、上述した各実施形態と同一の部分には同一の符号を付して、その説明は省略する。
【０３６３】
図３９（ａ）は、第９実施形態における遊技盤側コネクタ９３００Ａの正面図であり、図３９（ｂ）は、図３９（ａ）のＸＸＸＩＸｂ−ＸＸＸＩＸｂ線における遊技盤側コネクタ９３００Ａの断面図である。
【０３６４】
図３９に示すように、遊技盤側コネクタ９３００Ａは、箱状に形成される台座９４００と、その台座９４００に保持される第１オスコネクタ９５００及び第２オスコネクタ９６００とを備える。台座９４００は、第１正面板４１１及び第２正面板４１２の第１開口４２１及び第２開口４２２に第１オスコネクタ９５００及び第２オスコネクタ９６００をそれぞれ挿通させることで、第１実施形態の場合と同様に、第１オスコネクタ９５００及び第２オスコネクタ９６００を接続の方向（矢印Ｆ−Ｂ方向）に直交する方向（矢印Ｒ−Ｌ方向又は矢印Ｕ−Ｄ方向）に変位可能に保持する。ここで、図４０を参照して、台座９４００の詳細構成について説明する。
【０３６５】
図４０（ａ）は、台座９４００の正面図であり、図４０（ｂ）は、図４０（ａ）のＸＸＸＸｂ−ＸＸＸＸｂ線における台座９４００の断面図である。なお、図４０（ｂ）では、遊技機ユニット１３の背面であって遊技盤側コネクタ９３００Ａが取り付けられる取付面ＢＥが二点鎖線を用いて模式的図に図示される。
【０３６６】
ここで、第９実施形態における台座９４００は、第１実施形態における台座４００の第１基端側弾性片４４１及び第１先端側弾性片４５１と第２基端側弾性片４４２及び第２先端側弾性片４５２とに対し（いずれも図１２から図１４参照）、延設部分９４４１ｃ，９４５１ｃ，９４４２ｃ，９４５２ｃが追加されて構成される。即ち、かかる延設部分９４４１ｃ，９４５１ｃ，９４４２ｃ，９４５２ｃの追加を除く他の構成は、第９実施形態における台座９４００と第１実施形態における台座４００とで同一である。よって、以下においては、異なる部分のみを説明し、同一の部分の説明は省略する。
【０３６７】
図４０に示すように、第１基端側弾性片９４４１の直線部分４４１ｂには、第１先端側弾性片９４５１（図４０（ｂ）左側）へ向けて延設される延設部分９４４１ｃが配設される。この延設部分９４４１ｃの背面および直線部分４４１ｂの下端面（いずれも図４０（ｂ）下側の面）は、第１先端側弾性片９４５１（図４０（ｂ）左側）へ向けて上昇傾斜する平坦面（以下「傾斜面ＳＬ１」と称す）として形成される。なお、延設部分９４４１ｃの幅寸法（図４０（ａ）上下方向寸法）は、湾曲部分４４１ａ及び直線部分４４１ｂの幅寸法と同一に形成される。
【０３６８】
第１先端側弾性片８４５１の直線部分４５１ｂには、第１基端側弾性片８４４１（図３５（ｂ）右側）へ向けて延設されると共に、延設部分４５１ｃとの間に所定間隔を隔てた位置に、延設部分９４５１ｃが配設される。この延設部分９４４１ｃの背面（図４０（ｂ）下側の面）は、第１基端側弾性片９４４１（図４０（ｂ）右側）へ向けて上昇傾斜する平坦面（以下「傾斜面ＳＲ１」と称す）として形成される。延設部分４５１ｃと延設部分９４５１ｃとの間の対向間隔は、第１オスコネクタ９５００の側部背面板５５３が挿入可能な寸法に設定される（図３９（ｂ）参照）。なお、延設部分９４５１ｃの幅寸法（図４０（ａ）上下方向寸法）は、張出部分４５１ａ、直線部分４５１ｂ及び延設部分４５１ｃの幅寸法と同一に形成される。
【０３６９】
第１基端側弾性片９４４１及び第１先端側弾性片９４５１は、第１実施形態の場合と同様に、それらの間に挟み込んだ第１オスコネクタ９５００を、矢印Ｒ−Ｌ方向における初期位置に位置決めできる。また、第１オスコネクタ９５００の矢印Ｒ−Ｌ方向への変位を許容して、破損を防止できる一方、弾性回復力により第１オスコネクタ９５００を初期位置へ復帰させることができる（図３９参照）。
【０３７０】
さらに、第９実施形態では、延設部分９４４１ｃ，９４５１ｃの正面（図４０（ｂ）上側の面）を第１オスコネクタ９５００（ハウジング５１０）の一部（基部側背面板５５１及び側部背面板５５３）の背面に配置できる（図３９（ｂ）参照）。即ち、延設部分９４４１ｃ，９４５１ｃを第１オスコネクタ９５００に係合（当接）させて、第１オスコネクタ９５００が第１開口８４２１から矢印Ｂ方向へ抜け出ることを規制できる。
【０３７１】
第２基端側弾性片９４４２及び第２先端側弾性片９４５２には、延設部分９４４２ｃ，９４５２ｃがそれぞれ配設される。これら第２基端側弾性片９４４２及び第２先端側弾性片９４５２は、上述した第１基端側弾性片９４４１及び第１先端側弾性片９４５１とそれぞれ実質的に同一の構成であるので、その説明は省略する。
【０３７２】
図３９に戻って説明する。図３９に示すように、台座９４００には、第１オスコネクタ９５００及び第２オスコネクタ９６００がその長手方向を台座９４００の長手方向に沿わせて一列に配設される。ここで、図４１及び図４２を参照して、第１オスコネクタ９５００の詳細構成について説明する。
【０３７３】
図４１は、第１オスコネクタ９５００の正面斜視図である。図４２（ａ）は、第１オスコネクタ９５００の正面図であり、図４２（ｂ）は、図４２（ａ）の矢印ＸＸＸＸＩＩｂ方向視における第１オスコネクタ９５００の側面図である。なお、図４１及び図４２では、第１オスコネクタ９５００の電気的接続線ＷＨの図示が省略される。
【０３７４】
図４１及び図４２に示すように、第９実施形態における第１オスコネクタ９５００は、第１実施形態における第１オスコネクタ５００に対し、その第１オスコネクタ５００の正面板の群（一対の基端側正面板５４１、一対の先端側正面板５４２及び一対の側部正面板５４３）と基端側正面板５５１の背面から突設される突部とを省略して構成される（いずれも図１５から図１７参照）。即ち、かかる省略した部分（基端側正面板５４１、先端側正面板５４２及び側部正面板５４３と突部と）を除く他の構成は、第９実施形態における第１オスコネクタ９５００と第１実施形態における第１オスコネクタ５００とで同一である。
【０３７５】
第９実施形態では、第１オスコネクタ９５００から一対の基端側正面板５４１及び一対の先端側正面板５４２（いずれも図１５から図１７参照）が省略されることで、かかる第１オスコネクタ９５００を、台座９４００の第１正面板４１１における背面側（図３９（ｂ）下側）から第１開口４２１へ挿通可能とされる。即ち、第１オスコネクタ９５００のハウジング５１０は、一対の基端側正面板５４１及び一対の先端側正面板５４２が省略される部分における幅寸法（図４２（ａ）上下方向寸法）が、台座９４００の中央開口４２１ａの幅寸法（先端側正面板４１１ｃの間の隙間寸法および中間正面板４１１ａの間の隙間寸法、図４０（ａ）上下方向寸法）よりも小さくされる（図３９（ａ）参照）。
【０３７６】
また、第９実施形態では、背面板の群が、基端側背面板５５１、先端側背面板５５２及び側部背面板５５３からなる。第１オスコネクタ９５００は、第１実施形態の場合と同様に、先端側背面板５５２の正面が中央正面板４１１ａの背面に当接される一方、基端側背面板５５１及び側部背面板５５３の背面が、第１基端側弾性片９４４１及び第１先端側弾性片９４５１の延設部分９４４１ｃ，９４５１ｃの正面により係合（当接）されることで、台座９４００に対して背面方向（矢印Ｂ方向）へ変位することが規制される。これにより、第１オスコネクタ９５００が台座９４００の第１開口４２１から抜け出ることを抑制し、かかる第１オスコネクタ９５００を第１メスコネクタ８００（図７参照）の接続口（受入口）へ確実に挿入させることができる。
【０３７７】
図３９に戻って説明する。第２オスコネクタ９６００は、第１実施形態における第２オスコネクタ６００に対し、その第２オスコネクタ６００の一対の基端側正面板５４２及び一対の先端側正面板５５２と基端側背面板５５１の背面から突設される突部を省略して構成される（いずれも図１８及び図１９参照）。即ち、かかる省略した部分（一対の基端側正面板５４２及び一対の先端側正面板５５２と基端側背面板５５１の背面から突設される突部）を除く他の構成は、第９実施形態における第２オスコネクタ９６００と第１実施形態における第２オスコネクタ６００とで同一である。よって、その説明は省略する。
【０３７８】
第１オスコネクタ９５００は、第１実施形態の場合と同様に、台座９４００に対して、その初期位置が規定可能に形成され、また、台座９４００に対する接続の方向と直交する方向（矢印Ｕ−Ｄ方向または矢印Ｒ−Ｌ方向）への変位が許容されると共に、台座９４００に対する接続の方向と直交する方向への変位が所定の範囲内で規制される。これら初期位置を規定する構造、変位を許容する構造、及び、その変位の許容範囲を所定範囲内に規制する構造は、第１実施形態の場合と同様であるので、その説明は省略する。
【０３７９】
次いで、図４３を参照して、遊技盤側コネクタ９３００Ａの組み立て方法について説明する。なお、上述したように、第１オスコネクタ９５００と第２オスコネクタ９６００とは、実質的に同一の構成であり、よって、台座９４００へ組み付ける方法も両者において実質的に同一であるので、以下においては、第１オスコネクタ９５００を台座９４００に組み付ける方法のみを説明して、第２オスコネクタ９６００についての説明は省略する。
【０３８０】
図４３は、遊技盤側コネクタ９３００Ａの組み立て工程を時系列で示す台座９４００及び第１オスコネクタ９５００の断面図である。なお、図４３に図示される台座９４００及び第１オスコネクタ９５００の断面は、図３９（ａ）のＸＸＸＩＸｂ−ＸＸＸＩＸｂ線における断面に対応する。
【０３８１】
図４３（ａ）に示すように、第９実施形態における遊技盤側コネクタ９３００Ａの組み立ては、第８実施形態の場合とは逆に、台座９４００における第１正面板４１１の背面（図４３（ａ）下側の面）に第１オスコネクタ９５００の正面を対面させ、台座９４００に対して第１オスコネクタ９５００を矢印Ｆ方向へ向けて押し上げる。これにより、第１オスコネクタ９５００の基端側背面板５５１の正面が台座９４００の第１基端側弾性片９４４１の傾斜面ＳＬ１に、第１オスコネクタ９５００の側部背面板５５３の正面が台座９４００の第１先端側弾性片９４５１の傾斜面ＳＲ１に、それぞれ当接される。
【０３８２】
図４３（ｂ）に示すように、台座９４００に対して第１オスコネクタ９５００を矢印Ｆ方向へ向けて更に押し上げると、第１オスコネクタ９５００の基端側背面板５５１及び先端側背面板５５３の正面が、台座９４００の第１基端側弾性片９４４１及び第１先端側弾性片９４５１の傾斜面ＳＬ１，ＳＲ１上を摺動され、かかる摺動により、第１基端側弾性片９４４１及び第１先端側弾性片９４５１が互いに離間する方向（第１オスコネクタ９５００からそれぞれ離間する方向）へ向けて弾性変形される。
【０３８３】
このように、第９実施形態においても、第８実施形態の場合と同様に、第１基端側弾性片９４４１及び第１先端側弾性片９４５１に傾斜面ＳＬ１，ＳＲ１を設け、それら両傾斜面ＳＬ１，ＳＲ１に第１オスコネクタ９５００の基端側背面板５５１及び先端側背面板５５３を当接させることで、第１開口４２１へ第１オスコネクタ９５００を挿通する過程において第１基端側弾性片９４４１及び第１先端側弾性片９４５１を互いに離間する方向へ弾性変形させることができる。即ち、例えば、組み付け作業者が第１基端側弾性片９４４１及び第１先端側弾性片９４５１を手で押し広げるなど、第１基端側弾性片９４４１及び第１先端側弾性片９４５１を弾性変形させるための動作を別途行う必要がなく、第１オスコネクタ９５００を台座９４００に対して矢印Ｆ方向へ押し上げる動作のみで、第１基端側弾性片９４４１及び第１先端側弾性片９４５１に所定の弾性変形を付与することができる。
【０３８４】
よって、台座９４００に第１オスコネクタ９５００を組み付けるために必要な工程を、台座９４００に対して第１オスコネクタ９５００を一方向（矢印Ｆ方向）へ変位させる動作のみとすることができる。これにより、組み立て工程を簡素として、その分、組み立てコストの削減を図ることができる。
【０３８５】
図４３（ｃ）に示すように、台座９４００に対する第１オスコネクタ９５００の矢印Ｆ方向への押し上げ位置が所定位置に達すると、第１オスコネクタ９５００の基端側背面板５５１及び先端側背面板５５３が、台座９４００の第１基端側弾性片９４４１及び第１先端側弾性片９４５１の傾斜面ＳＬ１，ＳＲ１を通過する。これにより、第１基端側弾性片９４４１及び第１先端側弾性片９４５１が、互いに近接する方向（第１オスコネクタ９５００へ近づく方向）へ向けて弾性回復されて初期位置へ復帰される。
【０３８６】
即ち、台座９４００の第１基端側弾性片９４４１及び第１先端側弾性片９４５１における延設部分９４４１ｃ，９４５１ｃの正面が、第１オスコネクタ９５００の基端側背面板５５１及び側部背面板５５３の背面に対面され、これら延設部分９４４１ｃ，９４５１ｃの正面と基端側背面板５５１及び側部背面板５５３の背面とが係合（当接）可能な状態とされる。これにより、台座９４００への第１オスコネクタ９５００の組み付け（遊技盤側コネクタ９３００Ａの組み立て）が完了される。
【０３８７】
このように、第９実施形態においても、第８実施形態の場合と同様に、台座９４００の第１開口４２１へ第１オスコネクタ９５００を背面側から挿通する工程（挿通工程）を行うのみで、台座９４００への第１オスコネクタ９５００の組み付けを完了することができ、第１実施形態の場合のように、挿通工程により所定位置まで挿通された第１オスコネクタ９５００を台座９４００に対して挿入の方向（接続の方向）と直交する方向へ変位させる変位工程（図２４（ｂ）参照）を行う必要がない。よって、組み付け工数を低減して、その分、製品コストの削減を図ることができる。
【０３８８】
また、第９実施形態では、台座９４００の背面側から第１オスコネクタ９５００を挿通させる（即ち、第１オスコネクタ９５００の正面側を台座９４００の第１開口４２１へ挿通させる）構造なので、第８実施形態の場合のように、台座８４００の第１開口４２１へ先に電気的接続線（図示せず）を挿通させておく必要がない。よって、この点においても、組み付け工数を低減して、製品コストの削減を図ることができる。
【０３８９】
この場合、台座９４００に対し第１オスコネクタ９５００を矢印Ｆ方向へ押し上げて所定位置に配置する際には、第１オスコネクタ９５００の基端側背面板５５１、先端側背面板５５２及び側部背面板５５３の正面が、台座９４００の基端側正面板４１１ｂ及び中間正面板４１１ａの背面と第１先端側弾性片９４５１の延設部分４５１ｃの背面とに当接される位置（即ち、それ以上の矢印Ｆ方向への押し上げができなくなる位置）まで第１オスコネクタ９５００を押し上げれば良く、第１オスコネクタ９５００の挿通位置（押し上げ位置）を制御する必要がない。これにより、作業を簡素化して、組み付け工数の低減を図ることができる。
【０３９０】
台座９４００に第１オスコネクタ９５００が組み付けられた状態では、台座９４００に対する第１オスコネクタ９５００の挿通の方向（矢印Ｆ方向）への変位は、第１実施形態の場合と同様に、台座９４００の基端側正面板４１１ｂ及び中間正面板４１１ａの背面と第１先端側弾性片９４５１の延設部分４５１ｃの背面とに、第１オスコネクタ９５００の基端側背面板５５１、先端側背面板５５２及び側部背面板５５３の正面が当接されることで規制可能とされる。一方、第９実施形態では、台座９４００に対する第１オスコネクタ９５００の挿通の方向と反対方向（第１開口８４２１から抜け出る方向、矢印Ｂ方向）への変位は、台座９４００の第１基端側弾性片９４４１及び第１先端側弾性片９４５１の延設部分９４４１ｃ，９４５１ｃに、第１オスコネクタ９５００の基端側背面板５５１及び側部背面板５５３が当接することで規制可能とされる。
【０３９１】
よって、遊技盤ユニット１３を取付完了位置へ変位させて、第１オスコネクタ９５００及び第１メスコネクタ８００を接続する際、及び、取付完了位置から遊技盤ユニット１３を変位させて、第１オスコネクタ９５００及び第１メスコネクタ８００の接続を解除する際には、台座９４００に対する第１オスコネクタ９５００の接続の方向または解除の方向への変位を規制可能とでき、接続およびその接続の解除を確実に行うことができる。
【０３９２】
このように、第９実施形態においても、第８実施形態の場合と同様に、第１基端側弾性片９４４１及び第１先端側弾性片９４５１が、台座９４００の第１開口４２１から第１オスコネクタ９５００が抜け出ることを規制する手段と、台座９４００に対する第１オスコネクタ９５００の配設位置を位置決めする手段との２つの手段を兼用可能とされる。これにより、それぞれの手段を達成するための部材を別々に設ける必要がないので、部品点数を低減でき、その分、部品コストや組み立て工数の削減を図ることができる。
【０３９３】
更に、第１基端側弾性片９４４１及び第１先端側弾性片９４５１が、上述の２つの手段を兼用する場合に、これら第１基端側弾性片９４４１及び第１先端側弾性片９４５１は、台座９４００から第１オスコネクタ９５００へ向けて延びる（張り出す）湾曲部分４４１ａ及び張出部分４５１ａと、それら湾曲部分４４１ａ及び張出部分４５１ａから第１オスコネクタ９５００の挿通の方向にほぼ沿う方向へ延設される直線部分４４１ｂ，４５１ｂと、その直線部分４４１ｂ，４５１ｂに形成され第１オスコネクタ９５００の挿通の方向と反対方向（矢印Ｂ方向）への変位を規制する延設部分９４４１ｃ，９４５１ｃとからなるため、上述の２つの手段に必要な機能を確実に発揮させることができる。
【０３９４】
特に、第１基端側弾性片９４４１は、湾曲部分４４１ａが矢印Ｆ方向へ凸の円弧状に湾曲され、第１先端側弾性片９４５１は、張出部分８４５１ａの張り出し方向（図４３（ａ）左右方向）における長さ寸法に対して、直線部分４５１ｂの延設方向（図４３（ａ）上下方向）における長さ寸法が大きくされるので、台座９４００の短手側壁板４１４又は中間固定部４３２へ近接または離間する方向には、直線部分４４１ｂ，４５１ｂの変形性を確保して、第１オスコネクタ９５００の接続の方向と直交する方向（矢印Ｒ−Ｌ方向）への変位を許容しやすくできる。一方、直線部分４４１ｂ，４５１ｂの延設方向（挿通の方向、矢印Ｆ−Ｂ方向）には、第１基端側弾性片９４４１及び第１先端側弾性片９４５１全体としての変形を抑制できる。これにより、延設部分９４４１ｃ，９４５１ｃの正面と基端側背面板５５１及び側部背面板５５３の背面との係合（当接）が解除されることを抑制でき、その結果、第１オスコネクタ９５００の挿通の方向と反対方向（矢印Ｆ方向）への変位を確実に規制することができる。
【０３９５】
次いで、図４４及び図４５を参照して、第１０実施形態について説明する。第１実施形態では、第１オスコネクタ５００の正面板の群（基端側正面板５４１、先端側正面板５４２及び側部正面板５４３）と背面板の群（基端側背面板５５１、先端側背面板５５２及び側部背面板５５３）との間の対向間隔が、台座４００の第１正面板４１１の板厚寸法と略同等に設定される（即ち、正面板の群と背面板の群との間に第１正面板４１１がほぼ隙間のない状態で挟装され、台座４００に対する第１オスコネクタ５００の矢印Ｆ−Ｂ方向への変位が規制される）場合を説明した（図２４（ｂ）参照）。
【０３９６】
これに対し、第１０実施形態では、第１オスコネクタ５００の正面板の群（基端側正面板５４１、先端側正面板５４２及び側部正面板５４３）と背面板の群（基端側背面板５５１、先端側背面板１０５５２及び側部背面板１０５５３）との間の対向間隔が、台座４００の第１正面板４１１の板厚寸法よりも大きな寸法に設定され（即ち、正面板の群と背面板の群との間に第１正面板４１１が隙間を有する状態で挟装され）、その隙間の分、台座４００に対する第１オスコネクタ１０５００の矢印Ｆ−Ｂ方向への変位が許容される。なお、上述した各実施形態と同一の部分には同一の符号を付して、その説明は省略する。
【０３９７】
図４４（ａ）は、第１０実施形態における第１オスコネクタ１０５００の正面図であり、図４４（ｂ）は、図４４（ａ）のＸＸＸＸＩＶｂ−ＸＸＸＸＩＶｂ線における第１オスコネクタ１０５００の断面図である。なお、図４４（ｂ）では、台座４００の第１正面板４１１が二点鎖線を用いて模式的に図示されると共に、第１オスコネクタ１０５００の先端側背面板１０５５２（接続部１０５５２ａ及び延設部１０５５２ｂ）及び側部背面板１０５５３の正面を連ねて形成される仮想平面（以下「傾斜面Ｆ」と称す）が破線を用いて模式的に図示される。
【０３９８】
なお、第１０実施形態における第１オスコネクタ１０５００は、その先端側背面板１０５５２及び側部背面板１０５５３の配設位置が、第１実施形態における第１オスコネクタ５００の先端側背面板５５２及び側部背面板５５３の配設位置よりも背面側（図４４（ｂ）下側）に後退して配置される点のみが異なり、他の構成については、第１実施形態における第１オスコネクタ５００と同一であるので、その説明は省略する。
【０３９９】
図４４に示すように、先端側背面板１０５４２は、ハウジング５１０の外壁面に接続される接続部１０５５２ａと、その接続部１０５５２ａから基端側背面板１０５５１と反対側（矢印Ｒ方向）へ向けて延設される延設部１０５５２ｂと、その延設部１０５５２ｂの延設先端からハウジング５１０の正面（矢印Ｆ方向）へ向けて突設される係合部１０５５２ｃとからなる。
【０４００】
接続部１０５４２ａ及び延設部１０５５２ｂは、第１実施形態における接続部５４２ａ及び延設部５５２ｂの配設位置よりも背面側（矢印Ｂ側）に後退して配置されると共に（図１６参照）、基端側背面板５５１と反対側（矢印Ｒ方向）へ向けて下降傾斜して形成される。また、側部背面板１０５５３は、ハウジング５１０の背面（図４４（ｂ）下側面）に配設され、基端側背面板５５１と反対側（矢印Ｒ方向）へ向けて下降傾斜しつつ、ハウジング５１０の一側（矢印Ｒ側）の外壁面から外方へ張り出される。
【０４０１】
そのため、接続部１０５４２ａ及び延設部１０５５２ｂの正面と台座４００の第１正面板４１１の背面との間、及び、側部背面板１０５５３の正面と台座４００の第１正面板４１１の背面との間、即ち、傾斜面Ｆと第１正面板４１１との間には、図４４（ｂ）に示すように、基端側背面板５１１と反対側へ向かうほど漸次間隔が大きくなる隙間が形成される。よって、この隙間の分、台座４００に対する第１オスコネクタ１０５００の矢印Ｆ−Ｂ方向への変位を許容することができる（図４５参照）。また、第１オスコネクタ１０５００は、基端側背面板５５１側よりも側部背面板１０５５３側ほど矢印Ｆ−Ｂ方向への許容変位が大きくされる。
【０４０２】
なお、先端側背面板１０５５２の係合部１０５５２ｃは、ハウジング５１０の正面（矢印Ｆ方向）へ向けて延設部１０５５２ｂから突設される突設高さが、第１実施形態における係合部５５２ｂ（図１６参照）の突設高さよりも大きくされる。よって、第１オスコネクタ１０５００が台座４００に取り付けられると共に図４４（ｂ）に示すように台座４００に対して第１オスコネクタ１０５００が矢印Ｂ方向へ最大に変位された場合であっても、台座４００の第１開口４２１における先端側開口４２１ｃ内に係合部１０５５２ｃを配置させることができ（図４５（ａ）参照）、これにより、第１オスコネクタ１０５００の台座４００に対する矢印Ｌ方向への変位を規制することができる（図２１参照）。
【０４０３】
次いで、図４５を参照して、第１オスコネクタ１０５００の接続およびその接続の解除における動作について説明する。図４５（ａ）及び図４５（ｂ）は、台座４００の一部を断面視した状態における遊技盤側コネクタ１０３００Ａの部分拡大側面図であり、図４５（ａ）は台座４００に対して第１オスコネクタ１０５００が矢印Ｂ方向へ変位された状態が、図４５（ｂ）は台座４００に対して第１オスコネクタ１０５００が矢印Ｆ方向へ変位された状態が、それぞれ図示される。
【０４０４】
なお、図４５（ａ）及び図４５（ｂ）に図示される台座４００の断面は、図１３（ａ）のＸＩＶｂ−ＸＩＶｂ線における台座４００の断面に対応する。即ち、図４５（ａ）及び図４５（ｂ）に図示される台座４００は、図１４（ｂ）に図示される台座４００の一部に対応する。また、図４５（ａ）及び図４５（ｂ）は、遊技盤ユニット１３の底面方向視（矢印ＩＸ方向視、図８参照）に対応する（図９参照）。よって、遊技盤ユニット１３の側部６０ａは図４５（ａ）及び図４５（ｂ）における右側に位置される（図２８参照）。
【０４０５】
上述したように、第１オスコネクタ１０５００は、遊技盤ユニット１３（ベース板６０）の側部６０ａが内枠１２の挿入部１２８に挿入され、それら側部６０ａ及び挿入部１２８を回動の中心として、遊技盤ユニット１３が内枠１２へ向けて回動（変位）されることで（図２８参照）、第１メスコネクタ８００への接続が開始されると共に、遊技盤ユニット１３が取付完了位置に配置されることで、第１オスコネクタ１０５００及び第１メスコネクタ８００の接続が完了される。
【０４０６】
この場合、図４５（ａ）に示すように、第１オスコネクタ１０５００は、その正面板の群（基端側正面板５４１、先端側正面板５４２及び側部正面板５４３）の背面が、台座４００の第１正面板４１１の各部（中央正面板４１１ａ及び先端側正面板４１１ｃ）の正面に当接される。これにより、第１オスコネクタ１０５００と第１メスコネクタ６００との接続時には、第１オスコネクタ１０５００が台座４００に対して接続の方向（矢印Ｆ−Ｂ方向）へ変位することが規制できるので、第１オスコネクタ１０５００を第１メスコネクタ８００に確実に押し込める（挿入できる）と共に、第１オスコネクタ１０５００の第１メスコネクタ８００に対する相対的な姿勢（位置）を適正とできる。よって、両者の接続を確実に行うことができる。
【０４０７】
一方、第１オスコネクタ１０５００は、側部６０ａ及び挿入部１２８を回動の中心として、遊技盤ユニット１３が内枠１２から離間する方向へ向けて回動（変位）され、遊技盤ユニット１３が取付完了位置から変位されることで、第１メスコネクタ８００との接続の解除が開始されると共に、遊技盤ユニット１３が取付完了位置から所定位置まで変位されることで、複数組の接点部材５２０，８２０のうちのすべての組の接続が解除され、第１オスコネクタ４５００及び第１メスコネクタ８００の接続の解除が完了される（図２８参照）。
【０４０８】
この場合、図４５（ｂ）に示すように、第１オスコネクタ１０５００は、その背面板の群（基端側背面板５５１、先端側背面板１０５５２及び側部背面板１０５５３）の正面が、台座４００の第１正面板４１１の各部（中央正面板４１１ａ及び基端側正面板４１１ｂ）の背面および第１先端側弾性片４５１の延設部分４５１ｃに当接される。これにより、第１オスコネクタ１０５００と第１メスコネクタ６００との接続の解除時には、第１オスコネクタ１０５００が台座４００に対して接続の方向（矢印Ｆ−Ｂ方向）へ変位することが規制できるので、第１オスコネクタ１０５００を第１メスコネクタ８００から確実に抜き取ることができる。よって、両者の接続の解除を確実に行うことができる。
【０４０９】
ここで、上述したように、例えば、ホールの店員が、遊技中に、前面枠１４を開いて何らかの作業（例えば、不正行為の有無の確認など）を行おうとした際に、遊技盤ユニット１３が取付完了位置から不用意に変位されると、第１オスコネクタ１０５００及び第１メスコネクタ８００の接続が解除され、遊技に影響を与えるおそれがある。
【０４１０】
これに対し、本実施形態では、第１オスコネクタ１０５００において、正面板の群（基端側正面板５４１、先端側正面板５４２及び側部正面板５４３）と背面板の群（基端側背面板５５１、先端側背面板１０５５２及び側部背面板１０５５３）との間の対向間隔が、台座４００の第１正面板４１１の板厚寸法よりも大きな寸法に設定されることで、これら正面板の群および背面板の群と第１正面板４１１との間に隙間を形成しておくことができる（図４４参照）。
【０４１１】
よって、遊技盤ユニット１３が取付完了位置から不用意に変位されたとしても、かかる変位が、上述した正面板の群および背面板の群と第１正面板４１１との間の隙間に相当する距離に達するまでの間（即ち、隙間が詰まるまでの間）は、第１オスコネクタ１０５００及び第１メスコネクタ８００の接続の解除が開始されることを抑制できる。即ち、上述した隙間が詰まるまでの間は、遊技盤ユニット１３と第１オスコネクタ１０５００とを切り離しておく（分離させておく）ことができ、かかる遊技盤ユニット１３の変位が第１オスコネクタ１０５００に伝達されないようにすることができる。その結果、遊技への影響を抑制できる。
【０４１２】
即ち、遊技盤ユニット１３の取付完了位置からの不用意な変位を起因とする接続の解除を抑制するためには、接点部材の延設長さを長くして、遊技盤ユニット１３が多少変位されても、一対の接点部材どうしの接続（接触）が維持されるようにする態様も考えられる。しかしながら、接点部材５の延設長さを長くする態様では、かかる接点部材の材料コストが嵩むだけでなく、例えば、第１実施形態における場合を例に説明すると、接点部材５２０の長さ寸法の増大に伴い、第１オスコネクタ５００（ハウジング５１０）の接続方向（矢印Ｆ−Ｂ方向）の長さ寸法も大きくなり、かかる第１オスコネクタ５００の遊技盤ユニット１３からの突出量が長くなる。これは、第１オスコネクタ５００が大型化するだけでなく、接続時には、第１オスコネクタ５００を第１メスコネクタ８００へ挿入させる動作が困難になる一方、接続の解除時には、第１メスコネクタ８００から第１オスコネクタ５００を抜き取ることが困難になる。特に、挿入部１２８及び側部６０ａを中心として、遊技盤ユニット１３を回動させることで、接続およびその接続の解除を行う場合には、第１メスコネクタ８００に対する第１オスコネクタ５００の相対的な変位が回動の成分を有することになるため、第１メスコネクタ８００に対して第１オスコネクタ５００を挿入できない及び抜き取れないという事態を招く。
【０４１３】
これに対し、本実施形態では、上述した隙間を有する状態で第１オスコネクタ１０５００を台座４００に保持させる構造を採用し、かかる隙間を形成するための構造を、第１オスコネクタ１０５０と台座４００とが重なる領域（即ち、台座４００の内部空間）に設けるので、かかる台座４００のデッドスペースとなる内部空間を有効に活用できる。よって、第１オスコネクタ１０５００を小型化できるだけでなく、第１オスコネクタ１０５００の遊技盤ユニット１３からの突出量も短くでき、その結果、挿入部１２８及び側部６０ａを中心として、遊技盤ユニット１３を回動させる場合であっても、接続およびその接続の解除を適正に行うことができる。
【０４１４】
ここで、接続の解除時は、第４及び第５実施形態において説明したように、第１オスコネクタ１０５００が、第２メスコネクタ８００に対して、直線方向（被ガイド部５３０及びガイド溝８３０の延設方向）に沿って移動されることが理想であるが、実際には、遊技盤ユニット１３が、内枠１２に対し、挿入部１２８及び側部６０ａを回動の中心として、回動（変位）されることから（図２８参照）、第１オスコネクタ１０５００も、第２メスコネクタ８００に対して、挿入部１２８及び側部６０ａを回動の中心として、円弧状の軌跡に沿って移動される。そのため、上述したように、回動先端側（図４５左側）に位置する接点部材５２０，８２０の組ほど先に接続が解除されやすい。
【０４１５】
これに対し、第１０実施形態では、かかる先に接続が解除されやすい回動先端側（図４５左側）ほど、上述した正面板の群および背面板の群と第１正面板４１１との間の隙間が大きくされているので、遊技盤ユニット１３が取付完了位置から不用意に変位された場合に、先に接続が解除されやすい回動先端側に配置される接点部材５２０，８２０の組における接続が解除されるタイミングを遅らせることができ、その結果、その接続を維持できる可能性を確保できる。
【０４１６】
即ち、遊技盤ユニット１３が内枠１２に対して挿入部１２８及び側部６０ａを中心として回動され（図２８参照）、かかる遊技盤ユニット１３が取付完了位置から不用意に変位される場合には、図４５（ａ）に示す状態から台座４００が矢印Ｂ方向へ変位されるところ、回動基端側（図４５右側）ほど上述した隙間が小さいことから、まず、台座４００の第１正面板４１１（基端側正面板４１１ｂ）の背面により第１オスコネクタ１０５００の基端側背面板５５１が矢印Ｂ方向へ押し下げられ、次いで、台座４００の第１正面板４１１（中央側正面板４１１ａ）の背面により第１オスコネクタ１０５００の先端側背面板５５２が矢印Ｂ方向へ押し下げられ、最後に、台座４００の第１先端側弾性片４５１（延設部分４５１ｃ）の背面により第１オスコネクタ１０５００の側部背面板５５３が矢印Ｂ方向へ押し下げられる。これにより、先に接続が解除されやすい回動先端側（図４５左側）に配置される接点部材５２０，８２０の組における接続が解除されるタイミングを遅らせることができ、その結果、その接続を維持できる可能性を確保できる。
【０４１７】
次いで、図４６及び図４７を参照して、第１１実施形態について説明する。第１０実施形態では、台座４００に対する第１オスコネクタ１０５００の矢印Ｆ−Ｂ方向への変位が許容される場合を説明したが、第１１実施形態の第１オスコネクタ１１５００は、第１０実施形態における構成に加え、台座４００に対する第１オスコネクタ１１５００の矢印Ｆ−Ｂ方向における位置決め構造を更に備える。なお、上述した各実施形態と同一の部分には同一の符号を付して、その説明は省略する。
【０４１８】
図４６（ａ）は、第１１実施形態における第１オスコネクタ１１５００の正面図であり、図４６（ｂ）は、図４６（ａ）のＸＸＸＸＶＩｂ−ＸＸＸＸＶＩｂ線における第１オスコネクタ１１５００の断面図である。なお、図４６（ｂ）では、台座４００の第１正面板４１１が二点鎖線を用いて模式的に図示されると共に、第１オスコネクタ１１５００の先端側背面板１０５５２（接続部１０５５２ａ及び延設部１０５５２ｂ）及び側部背面板１０５５３の正面を連ねて形成される仮想平面（以下「傾斜面Ｆ」と称す）が破線を用いて模式的に図示される。
【０４１９】
なお、第１１実施形態における第１オスコネクタ１１５００は、第１０実施形態における第１オスコネクタ１０５００に対し、位置決め突部１０５５２ｂ１が追加される点のみが異なり、他の構成については、第１０実施形態における第１オスコネクタ１０５００と同一であるので、同一の部分には同一の符号を付してその説明を省略する。
【０４２０】
図４６（ａ）及び図４６（ｂ）に示すように、第１１実施形態の第１オスコネクタ１１５００は、位置決め突部１０５５２ｂ１を備える。位置決め突部１０５５２ｂ１は、台座４００に対して第１オスコネクタ１１５００を矢印Ｆ−Ｂ方向に位置決めする役割を担う部位であり、先端側背面板１０５５２における延設部１０５５２ｂからハウジング５１０の正面（矢印Ｆ方向）へ向けて突設される。なお、位置決め突部１０５５２ｂ１は、側面視において突設先端が円弧状に湾曲される。これにより、台座４００の第１正面板４１１との間の摺動抵抗を抑止して、先端側背面板１０５５２（延設部１０５５２ｂ）の変形性を確保できる（図４７（ｂ）参照）。
【０４２１】
位置決め突部１０５５２ｂ１の突設寸法は、図４６（ｂ）に示すように、第１オスコネクタ１１５００が台座４００の第１基端側弾性片４４１及び第１先端側弾性片４５１により矢印Ｒ−Ｌ方向に位置決めされ（図４７（ａ）参照）、且つ、第１オスコネクタ１１５００の正面板の群（基端側正面板５４１、先端側正面板５４２及び側部正面板５４３）の背面が台座４００の第１正面板４１１の正面に当接された状態において、位置決め突部１０５５２ｂ１の突設先端が第１正面板４１１の背面に当接するか、又は、位置決め突部１０５５２ｂ１の突設先端と第１正面板４１１の背面との間に若干の隙間が形成される寸法に設定される。
【０４２２】
これにより、第１オスコネクタ１１５００を、その正面板の群（基端側正面板５４１、先端側正面板５４２及び側部正面板５４３）の背面が台座４００の第１正面板４１１の正面に当接された状態に維持することができる。即ち、かかる第１オスコネクタ１１５００を矢印Ｆ−Ｂ方向における初期位置に位置決めすることができる。また、台座４００に対して第１オスコネクタ１１５００を矢印Ｆ−Ｂ方向へ変位させる外力が作用される場合には、先端側背面板１０５５２（延設部１０５５２ｂ）が弾性変形することで、第１オスコネクタ１１５００の矢印Ｆ−Ｂ方向への変位を許容できる一方、外力が解除された後は、先端側背面板１０５５２（延設部１０５５２ｂ）の弾性回復力により第１オスコネクタ１１５００を矢印Ｆ−Ｂ方向における初期位置へ復帰させることができる（図４７（ａ）及び図４７（ｂ）参照）。
【０４２３】
次いで、このように構成された第１オスコネクタ１１５００の接続およびその接続の解除における動作について、図４７を参照して説明する。図４７（ａ）及び図４７（ｂ）は、台座４００の一部を断面視した状態における遊技盤側コネクタ１１３００Ａの部分拡大側面図であり、図４７（ａ）は台座４００に対して第１オスコネクタ１１５００が矢印Ｂ方向へ変位された状態（即ち、矢印Ｆ−Ｂ方向における初期位置に位置決めされた状態）が、図４７（ｂ）は台座４００に対して第１オスコネクタ１１５００が矢印Ｆ方向へ変位された状態が、それぞれ図示される。
【０４２４】
上述したように、遊技盤ユニット１３が内枠１２へ向けて回動（変位）されることで（図２８参照）、第１オスコネクタ１１５００と第１メスコネクタ８００との接続が開始される。この場合、第１オスコネクタ１１５００の矢印Ｆ−Ｂ方向における配設位置を所定位置（初期位置）に位置決めできることで、第１オスコネクタ１１５００及び第１メスコネクタ８００の接続が開始される前に、例えば、遊技盤ユニット１３を変位させる際の振動などに起因して、台座４００に対する第１オスコネクタ１１５００の配設位置が不用意に変化する（位置ずれする）ことを抑制できる。特に、第１オスコネクタ１１５００の矢印Ｆ−Ｂ方向における初期位置は、図４７（ａ）に示すように、取付完了位置（第２メスコネクタ８００との接続が完了した状態）において第１オスコネクタ１１５００が台座４００に対して位置すべき配設位置であるので、台座４００に対する第１オスコネクタ１１５００の配設位置を、第１メスコネクタ８００との接続を開始するのに適した位置に配置することができる。その結果、第１オスコネクタ１１５００と第１メスコネクタ８００との接続開始時に、これら両コネクタ１１５００，８００どうしが衝突して破損することを抑制することができる。
【０４２５】
一方、台座４００に対する第１オスコネクタ１１５００の矢印Ｆ方向への変位は、図４７（ｂ）に示すように、先端側背面板１０５５２が弾性変形されることで、その矢印Ｆ方向への変位を確保することができる。即ち、第１０実施形態の場合と同様に、遊技盤ユニット１３が取付完了位置から不用意に変位された場合でも、第１０実施形態で説明した隙間を利用して、回動先端側（図４７左側）に配置される接点部材５２０，８２０の組における接続が解除されるタイミングを遅らせることができ、その結果、その接続を維持できる可能性を確保できる。
【０４２６】
なお、上述した第１０実施形態における第１オスコネクタ１０５００及び第１１実施形態における第１オスコネクタ１１５００の台座４００への組み付け方法は、第１実施形態における第１オスコネクタ５００の台座４００への組み付け方法と実質的に同一であるので、その説明を省略する（図２３及び図２４参照）。
【０４２７】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０４２８】
上記第２及び第３実施形態では、台座４００に対する第１オスコネクタ５００及び第２オスコネクタ６００の初期位置を、上下方向（矢印Ｕ−Ｄ方向）における可動範囲の上端または下端に設定する場合を説明したが、必ずしもこれに限られるものではなく、上下方向における可動範囲内の任意の位置に設定することができる。また、各実施形態では、第１オスコネクタ５００及び第２オスコネクタ６００の初期位置が同一の位置に設定される場合を説明したが、これらの初期位置を互いに異なる位置に設定することは当然可能である。
【０４２９】
上記第２及び第３実施形態では、遊技盤ユニット１３の重心位置がその正面側または背面側に偏っている場合を説明したが、このような重心位置の正面側または背面側への偏りが生じない遊技盤ユニット１３に対しても、上記第２実施形態または第３実施形態を適用しても良い。重心位置の正面側または背面側への偏りが生じていない場合であっても、台座４００と第１コネクタ５００との間のがたつき（第１開口４１２の内周面と第１コネクタ５００の外形との間の隙間）に起因して、台座４００に対し第１コネクタ５００が重力の作用により前傾姿勢（下降傾斜）又は電気的接続線ＷＨの姿勢保持力により仰傾姿勢（上昇傾斜）となる場合があり、この場合に、初期位置を上方または下方に設定することが上記第２実施形態または第３実施形態の場合と同様に有効となる。
【０４３０】
詳細には、第３実施形態では、第１オスコネクタ５００及び第２オスコネクタ６００の矢印Ｕ−Ｄ方向における初期位置が、矢印Ｕ−Ｄ方向における可動範囲の下端（矢印Ｄ方向の端部）に設定され、その高さ位置が予め低くされているので、遊技盤ユニット１３が背面側へ傾斜した姿勢となり、第１オスコネクタ５００及び第２オスコネクタ６００が上昇傾斜される場合でも、その傾斜した姿勢において、第１オスコネクタ５００及び第２オスコネクタ６００の先端の高さ位置を、第１メスコネクタ８００及び第２メスコネクタ９００の接続口（受入口）の高さ位置に一致させることができる。その結果、遊技盤ユニット１３を第２仮置き部７０２に沿って（即ち、図２４（ｂ）の矢印Ｓ方向へ）スライドさせることで、第１オスコネクタ５００及び第２オスコネクタ６００の先端を、第１メスコネクタ８００及び第２メスコネクタ９００の接続口（受入口）に挿入することができ、遊技盤側コネクタ３００Ａを内枠側コネクタ３００Ｂに接続する際の作業性の向上を図ることができる。
【０４３１】
上記第４から第７実施形態では、第１オスコネクタ４５００〜７５００における接点部材５２０〜７５２０の配置を変更する場合を説明したが、必ずしもこれに限られるものではなく、これに代えて、或いは、これに加えて、第２オスコネクタ８００における接点部材８２０の配置を変更しても良い。かかる配置を変更する態様としては、上記第４から第７実施形態で説明した形態、これら各形態どうしを組み合わせた形態などが例示される。
【０４３２】
上記第４及び第５実施形態では、各接点部材４５２０，５５２０の一端をそれぞれ通過して形成される仮想線が直線状をなす場合を説明したが、必ずしもこれに限られるものではなく、仮想線が曲線状（矢印Ｆ方向または矢印Ｂ方向へ凸の円弧状）をなす形態でも良く、或いは、仮想線が曲線と直線とを組み合わせた形状をなす形態でも良い。他の各実施形態においても同様である。
【０４３３】
上記第６及び第７実施形態では、各群において、その群をなす接点部材６５２０，７５２０の一端をそれぞれ通過して形成される仮想線が直線状をなすと共に、その直線（仮想線）が矢印Ｒ−Ｌ方向に平行とされる場合を説明したが、必ずしもこれに限られるものではなく、仮想線（直線）が矢印Ｒ−Ｌ方向に対して傾斜する形態であっても良い。また、仮想線は、直線状をなす形態である必要はなく、例えば、一の群において、曲線状（矢印Ｆ方向または矢印Ｂ方向へ凸の円弧状）をなす形態でも良く、或いは、曲線と直線とを組み合わせた形状をなす形態でも良い。各群において、仮想線の形態が異なるものであっても良い。
【０４３４】
上記第４実施形態では、側部６０ａ及び挿入部１２８を回動の中心として、遊技盤ユニット１３が内枠１２から離間する方向へ向けて回動（変位）される場合に、複数組の接点部材４５２０，８２０における接続の解除がそれぞれ異なるタイミングで行われる（回動先端側（図２８左側）に位置する組ほど解除のタイミングが遅くされる）ように、各接点部材４５２０の延設長さ（接続方向先端側の一端の位置）がそれぞれ設定される場合を説明したが、必ずしもこれに限られるものではなく、複数組の接点部材４５２０，８２０の接続の解除がそれぞれ同一のタイミングで行われるように、各接点部材４５２０の延設長さ（接続方向先端側の一端の位置）をそれぞれ設定しても良い。
【０４３５】
具体的には、第１オスコネクタ４５００において、列設方向一側（図２７（ｂ）左側）に位置する接点部材４５２０ほど、列設方向他側（図２７（ｂ）右側）に位置する接点部材４５２０よりも、延設長さを長くする（一端を接続方向先端側に位置させる）一方で、各接点部材４５２０の一端をそれぞれ通過して形成される仮想線（直線）と矢印Ｒ−Ｌ方向とのなす傾斜角度を、第４実施形態の場合における傾斜角度よりも小さな傾斜角度に設定し、かつ、被ガイド部５３０の延設方向（接続の方向、図２７（ｂ）上下方向）に対して非直角とする。
【０４３６】
これにより、本変形形態によれば、遊技盤ユニット１３の側部６０ａが内枠１２の挿入部１２８に挿入され、これら側部６０ａ及び挿入部１２８を回動の中心として、遊技盤ユニット１３が内枠１２（取付完了位置）から離間する方向へ向けて回動（変位）される場合に、第１オスコネクタ４５００及び第１メスコネクタ８００における接続の解除を、複数組の接点部材４５２０，８２０のうちの全ての組において同一のタイミングで行わせることができる。その結果、複数組の接点部材４５２０，８２０において、電気的に接続（導通）されている組と解除（切断）されている組とが混在せず、導通や切断のタイムラグ（タイミングの差）を発生させないので、遊技の制御を適切に行うことができる。
【０４３７】
また、本変形形態によれば、電気的信号線または電力供給線の接続先を、複数組の接点部材４５２０，８２０のうちの全ての組から任意に選択できるので、設計の自由度を高めることができる。即ち、上述したように、遊技への影響が比較的大きな電気的信号線または電力供給線については、例えば、第４実施形態では、回動先端側（図２８左側）に位置する接点部材４５２０，８２０の組に接続する必要がある一方、第５実施形態では、回動基端側（図３０右側）に位置する接点部材５５２０，８２０の組に接続する必要がある。そのため、電気的信号線または電力供給線の接続先が制約され、設計の自由度が低い。例えば、電気的信号線または電力供給線を所定の接続先まで取り回すために、その長さ寸法を不必要に長くする必要が生じ、また、これに起因して、電気的信号線または電力供給線が複雑に交差された状態で配線する必要が生じる。
【０４３８】
これに対し、本変形形態によれば、複数組の接点部材４５２０，８２０のうちの全ての組において、その接続の解除が同一のタイミングで行われるので、電気的信号線または電力供給線の接続先が制約されない。即ち、遊技への影響が大きな電気的信号線または電力供給線であるか否かに関わらず、複数組の接点部材４５２０，８２０のうちのいずれの組も接続先として選択可能とされる。よって、例えば、それぞれの電気的信号線または電力供給線に適した接続先をそれぞれ選択することで、電気的信号線または電力供給線の長さ寸法を最適化できると共に、電気的信号線または電力供給線が複雑に交差されることを抑制し、整列状態で配線することができる。
【０４３９】
上記第６実施形態では、隣接する複数本の接点部材６５２０からなる群が複数群（３群）形成され、接点部材６５２０の列設方向一側（図３１（ｂ）左側）に位置する群ほど、接点部材６５２０の列設方向他側（図３１（ｂ）右側）に位置する群よりも、延設長さが長くされる（一端が接続方向前方側に位置される）場合を説明したが、必ずしもこれに限られるものではなく、これとは逆に、接点部材６５２０の列設方向他側（図３１（ｂ）右側）に位置する群ほど、接点部材６５２０の列設方向一側（図３１（ｂ）左側）に位置する群よりも、延設長さが長くされる（一端が接続方向前方側に位置される）ように構成しても良い。これにより、技盤ユニット１３の側部６０ａが内枠１２の挿入部１２８に挿入され、これら側部６０ａ及び挿入部１２８を回動の中心として、遊技盤ユニット１３が内枠１２（取付完了位置）から離間する方向へ向けて回動（変位）される場合に、列設方向他側（図３１（ｂ）右側）に位置にする群における接続の解除が行われるタイミングを他の群における接続の解除と比較して遅らせることができる。即ち、第５実施形態における場合と同様の効果を奏することができる。
【０４４０】
上記第７実施形態では、第１オスコネクタ７５００の長手方向（矢印Ｒ−Ｌ方向）端部（図３３（ｂ）左側）の一部の延設長さが長くする場合を説明したが、必ずしもこれに限られるものではなく、第１オスコネクタ７５００の長手方向中央部分の延設長さを長くしても良い。
【０４４１】
上記第１０及び第１１実施形態では、上述した隙間（正面板の群の背面と背面板の群の正面との間の間隔）が、遊技盤ユニット１３が回動される際の回転基端側よりも回転先端側で大きくされる場合を説明したが、必ずしもこれに限られるものではなく、上述した隙間を、遊技盤ユニット１３が回動される際の回転基端側が回転先端側よりも大きくなるように形成しても良い。これにより、複数組の接点部材５２０，８２０のうちで接続が解除される順が後となりやすい位置（回動基端側）に配置される組に対し、その接続が解除されるタイミングを更に遅らせることができる。
【０４４２】
上記第１０及び第１１実施形態では、上述した隙間（正面板の群の背面と背面板の群の正面との間の間隔）が、遊技盤ユニット１３が回動される際の回転基端側よりも回転先端側で大きくされる場合を説明したが、必ずしもこれに限られるものではなく、上述した隙間を、遊技盤ユニット１３が回動される際の回転基端側および回転先端側で同一となるよに形成しても良い。即ち、矢印Ｒ−Ｌ方向に沿って隙間を均等としても良い。これによっても、第１０及び第１１実施形態における効果と同様の効果を奏する。なお、上述した隙間は、上記各実施形態または変形例のいずれにおいても、少なくとも最大の隙間が接点部材５２０の幅寸法よりも大きいことが好ましい。
【０４４３】
上記第１０及び第１１実施形態では、側部６０ａ及び挿入部１２８を回動の中心として、遊技盤ユニット１３が内枠１２から離間する方向へ向けて回動（変位）される場合に、複数組の接点部材５２０，８２０における接続の解除がそれぞれ異なるタイミングで行われる（回動先端側（図４４左側）に位置する組ほど解除のタイミングが遅くされる）場合を説明したが、必ずしもこれに限られるものではなく、複数組の接点部材５２０，８２０の接続の解除がそれぞれ同一のタイミングで行われるように、各接点部材５２０の延設長さ（接続方向先端側の一端の位置）をそれぞれ設定しても良い。
【０４４４】
具体的には、第１オスコネクタ１０５００において、各接点部材５２０の一端をそれぞれ通過して形成される仮想線が直線状をなすと共に、その直線（仮想線）を矢印Ｒ−Ｌ方向に平行とする、或いは、列設方向一側（図４４左側）に位置する接点部材５２０ほど、列設方向他側（図４４右側）に位置する接点部材５２０よりも、延設長さを長くし（一端を接続方向先端側に位置させ）、各接点部材５２０の一端をそれぞれ通過して形成される仮想線（直線）を矢印Ｒ−Ｌ方向に対して傾斜させ、かつ、被ガイド部５３０の延設方向（接続の方向、図４４上下方向）に対して非直角とする。
【０４４５】
これにより、本変形形態によれば、遊技盤ユニット１３の側部６０ａが内枠１２の挿入部１２８に挿入され、これら側部６０ａ及び挿入部１２８を回動の中心として、遊技盤ユニット１３が内枠１２（取付完了位置）から離間する方向へ向けて回動（変位）される場合に、第１オスコネクタ１０５００及び第１メスコネクタ８００における接続の解除を、複数組の接点部材５２０，８２０のうちの全ての組において同一のタイミングで行わせることができる。その結果、複数組の接点部材５２０，８２０において、電気的に接続（導通）されている組と解除（切断）されている組とが混在せず、導通や切断のタイムラグ（タイミングの差）を発生させないので、遊技の制御を適切に行うことができる。
【０４４６】
また、本変形形態によれば、電気的信号線または電力供給線の接続先を、複数組の接点部材５２０，８２０のうちの全ての組から任意に選択できるので、設計の自由度を高めることができる。即ち、上述したように、遊技への影響が比較的大きな電気的信号線または電力供給線については、例えば、第１０実施形態では、回動先端側（図４４左側）に位置する接点部材５２０，８２０の組に接続する必要がある。そのため、電気的信号線または電力供給線の接続先が制約され、設計の自由度が低い。例えば、電気的信号線または電力供給線を所定の接続先まで取り回すために、その長さ寸法を不必要に長くする必要が生じ、また、これに起因して、電気的信号線または電力供給線が複雑に交差された状態で配線する必要が生じる。
【０４４７】
これに対し、本変形形態によれば、複数組の接点部材５２０，８２０のうちの全ての組において、その接続の解除が同一のタイミングで行われるので、電気的信号線または電力供給線の接続先が制約されない。即ち、遊技への影響が大きな電気的信号線または電力供給線であるか否かに関わらず、複数組の接点部材５２０，８２０のうちのいずれの組も接続先として選択可能とされる。よって、例えば、それぞれの電気的信号線または電力供給線に適した接続先をそれぞれ選択することで、電気的信号線または電力供給線の長さ寸法を最適化できると共に、電気的信号線または電力供給線が複雑に交差されることを抑制し、整列状態で配線することができる。
【０４４８】
上記第１１実施形態では、位置決め突部１１５２２ｂ１を先端側背面板１０５２２に一体に形成する場合を説明したが、必ずしもこれに限られるものではなく、先端側背面板１０５２２と別体とすることは当然可能である。例えば、弾性部材（コイルスプリング、板バネ、ゴム状弾性体など）が例示される。
【０４４９】
上記各実施形態では、ガイド部８３０及び被ガイド部５３０を設ける場合を説明したが、必ずしもこれに限られるものではなく、これら各部５３０，８３０を省略することは当然可能である。
【０４５０】
上記各実施形態では、台座４００に対する第１オスコネクタ５００及び第２オスコネクタ６００の上下方向（矢印Ｕ−Ｄ方向）における初期位置を、電気的接続線ＷＨの姿勢保持力を利用して設定する場合を説明したが、必ずしもこれに限られるものではなく、これに代えて、或いは、これに加えて、左右方向（矢印Ｒ−Ｌ方向）における初期位置を設定する一対の弾性片（例えば、第１基端側弾性片４４１及び第１先端側弾性片４５１）を流用して、上下方向（矢印Ｕ−Ｄ方向）における初期位置も設定するように構成しても良い。
【０４５１】
この場合には、上下方向の両側に弾性片を設ける必要はなく、例えば、第１オスコネクタ５００及び第２オスコネクタ６００の下側のみに弾性片を設ける構成とすることが好ましい。これにより、自重による下方への移動のみを弾性爪により規制することで、部品点数を削減しつつ、上下方向における初期位置を設定できるからである。
【０４５２】
また、弾性片は台座に設ける必要はなく、遊技盤ユニット１３に設けても良く、第１オスコネクタ５００又は第２オスコネクタ６００に設けても良い。
【０４５３】
上記各実施形態では、台座４００における長手側壁部４１６の切り欠き部４１６ａ（図１０参照）と、配線保持部材７５の開口７５ａ（図８及び図９参照）との間で保持される場合を説明したが、これら両保持位置の間に更に電気的接続線ＷＨを保持する保持手段を配設しても良い。この保持手段を更に設けることで、電気的接続線ＷＨの姿勢を所定の姿勢に設定しやすくでき、第１オスコネクタ５００等の初期位置をより正確に規定できると共に、伝記的配線ＷＨの長さが冗長である場合に、その長さを調整することができる。
【０４５４】
上記各実施形態では、先端側背面板５５２，６５２に係合部５５２ｃが形成される場合を説明したが、係合部５５２ｃの形成を省略しても良い。第１基端側弾性片４４１に基端側背面板５５１が当接されているので、係合部５５２ｃの形成が省略されても、基端側背面板５５１の矢印Ｒ方向への弾性回復力を利用して、台座４００からの第１オスコネクタ５００及び第２オスコネクタ６００が矢印Ｌ方向へ脱落する（抜け出る）ことを抑制できるからである。
【０４５５】
なお、この場合には、先端側背面板５５２において、延設部５５２ｂを省略すると共に、その省略により形成されるスペースの分、接続部５５２ｃ，６５２ｃを大型化することが好ましい。その分、中間正面板４１１ａとの当接面積を拡大して、第１オスコネクタ５００及び第２オスコネクタ６００が台座４００の第１開口８４２１及び第２開口４２２から矢印Ｆ方向に抜け出ることを抑制できるからである。
【０４５６】
上記各実施形態では、遊技盤側コネクタ３００Ａが可動式のコネクタ（即ち、台座４００に対して第１オスコネクタ５００及び第２オスコネクタ６００が変位可能とされるコネクタ）として、内枠側コネクタ３００Ｂが固定式のコネクタ（即ち、台座７００に対して第１メスコネクタ８００及び第２メスコネクタ９００が固定される）として、それぞれ構成される場合を説明したが、必ずしもこれに限られるものではなく、例えば、各実施形態の場合とは逆に、遊技盤側コネクタ３００Ａを固定式のコネクタとして、内枠側コネクタ３００Ｂを可動式のコネクタとして構成しても良い。或いは、両者を可動式のコネクタとして構成しても良い。
【０４５７】
上記各実施形態では、台座４００に第１基端側弾性片４４１などの各弾性片４４１，４５１，４４２，４５２を形成する場合を説明したが、必ずしもこれに限られるものではなく、これら各弾性片４４１，４５１，４４２，４５２のうちの一部または全部を第１オスコネクタ５００又は第２オスコネクタ６００のハウジング５１０，６１０に形成しても良い。
【０４５８】
上記各実施形態では、遊技盤ユニット１３におけるベース板６０の側部６０ａを内枠１２の挿入部１２８に挿入し、遊技盤ユニット１３を接続完了位置へ変位（回動）させることで、遊技盤側コネクタ３００Ａ（第１オスコネクタ５００及び第２オスコネクタ６００）を内枠側コネクタ３００Ｂ（第１メスコネクタ８００及び第２メスコネクタ９００）に接続すると共に、遊技盤ユニット１３を接続完了位置から変位（回動）させることで、遊技盤側コネクタ３００Ａ（第１オスコネクタ５００及び第２オスコネクタ６００）と内枠側コネクタ３００Ｂ（第１メスコネクタ８００及び第２メスコネクタ９００）との接続を解除する。かかる接続または解除の動作において、上記各実施形態では、第１オスコネクタ５００の複数の接点部材５２０が第１メスコネクタ８００の複数の接点部材８２０にそれぞれ同時に接続されると共にそれぞれ同時に接続が解除される場合を説明した。このように、各接点部材５２０，８２０の電気的な接続または解除のタイミングが同時となることで、電気的に接続（導通）されている箇所と解除（切断）されている箇所とが混在せず、導通や切断のタイムラグ（タイミングの差）を発生させないので、遊技の制御を適切に行うことができる。なお、第２オスコネクタ６００及び第２メスコネクタ９００の接続および解除においても同様である。よって、以下においても、第１オスコネクタ５００及び第２コネクタ８００を例に説明する。
【０４５９】
一方で、各接点部材５２０，８２０の電気的な接続または解除のタイミングを異ならせても良い。例えば、第１オスコネクタ５００の複数の接点部材５２０が第１メスコネクタ８００の複数の接点部材８２０に対してその列設方向一側に位置するものから順に接続または解除が進行するように構成しても良い。「順に」は、接点部材５２０，８２０の対が一組ずつ接続または解除されるものであっても良く、接点部材５２０，８２０の対が複数組ずつ接続または解除されるものであっても良い。
【０４６０】
例えば、複数の接点部材５２０，８２０のうちの先に解除されるものを所定の接点部材５２０、８２０に設定しておくことで、前面枠１４を遊技中に開放して作業者（例えば、ホールの担当者）が作業を行う必要が生じた場合に、その作業者が遊技盤ユニット１３を不用意に変位させ、第１オスコネクタ５００及び第１メスコネクタ８００においてその一部の接点部材５２０，８２０が解除されてしまった場合でも、遊技に与える影響を最小限に抑制できる。具体的には、例えば、解除の順序が先とされるものとして、ランプなどの発光手段やスピーカなどの音声出力装置などの信号線または電力供給を設定しておく形態が例示される。この例示の場合によれば、一部の接点部材５２０，８２０が解除されたとしても、ランプの発光や音声の出力が停止される程度として、例えば、保留球や払出球の数、抽選結果などに関する情報の伝達が途中で寸断されるなど、遊技に重大な影響を与えることを抑制できる。
【０４６１】
なお、解除の順序が後とされるものとしては、例えば、主制御基板と各装置（例えば、払出制御装置１１１、音声乱舞制御装置１１３、各種スイッチ２０８、ソレノイド２０９、第１図柄表示装置３７ａ，３７ｂ、第２図柄表示装置、第２図柄保留ランプなど）との間を接続する電気的信号線または電力供給線が例示され、解除の順が先とされるものとしては、例えば、払出制御装置１１１と各装置（例えば、払出モータ２１６、発射制御装置１１２など）との間を接続する電気的信号線または電力供給線や、音声ランプ制御装置１１３と各装置（例えば、音声出力装置２２６、ランプ表示装置２２７、その他装置２２８、枠ボタン２２、表示制御装置１１４など）との間を接続する電気的信号線または電力供給線が例示される。
【０４６２】
具体的構成としては、上記各実施形態では、ハウジング５１０（又はケース体８１０）における複数の接点部材５２０（又は接点部材８２０）の先端位置が矢印Ｒ−Ｌ方向に添って横一列に配置される場合を説明したが、これに代えて、ハウジング５１０（又はケース体８１０）における複数の接点部材５２０（又は接点部材８２０）の先端位置が矢印Ｒ−Ｌ方向に添って傾斜する直線上に配置するものが例示される。
【０４６３】
或いは、上記各実施形態では、台座４００の第１正面板４１１に対しハウジング５１０を直立させる（矢印Ｆ−Ｂ方向に沿って立設される）場合を説明したが、これに代えて、台座４００の第１正面板４１１に対しハウジング５１０を傾斜させることで、各接点部材５２０，８２０が列設方向一側に位置するものから順に接続または解除されるようにしても良い。
【０４６４】
上記各実施形態では、台座４００が別体に形成され遊技盤ユニット１３（ベース板６０）の背面に締結固定される場合を説明したが、必ずしもこれに限られるものではなく、台座４００が遊技盤ユニット１３（ベース板６０）の背面に一体に形成されても良い。
【０４６５】
上記各実施形態では、台座４００に変位可能に取り付けられる対象が、第１オスコネクタ５００及び第２オスコネクタ６００である場合を説明したが、必ずしもこれに限られるものではなく、第１オスコネクタ５００及び第２オスコネクタ６００に代えて、他の構成部材を取付対象としても良い。他の構成部材としては、例えば、装飾部材が例示される。装飾部材は、ＬＥＤなどの発光手段が配設されていても良い。これによれば、装飾部材の取り付けを容易に行うことを可能として、取り付けコストの削減を図ることができると共に、変位可能であることから、遊技中の振動などに起因して装飾部材に振動や揺れを発生させ、演出効果を高めることができる。
【０４６６】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０４６７】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０４６８】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０４６９】
以下に、本発明の遊技機に加えて上述した実施形態に含まれる各種発明の概念を示す。
【０４７０】
電気部品が搭載される遊技ユニットと、その遊技ユニットを支持する支持部材とを備える遊技機において、前記遊技ユニットの前記支持部材に対面する側に配設されるユニット側コネクタと、前記支持部材の前記遊技ユニットに対面する側に配設され、前記支持部材における取付完了位置へ向けて前記遊技ユニットが変位されることで前記ユニット側コネクタと接続されると共に、前記支持部材における取付完了位置から前記遊技ユニットが変位されることで前記ユニット側コネクタとの接続が解除される支持側コネクタと、を備え、前記ユニット側コネクタ又は支持側コネクタの少なくとも一方は、前記接続の方向と直交する方向への変位が許容されるコネクタと、前記コネクタを前記接続の方向と直交する方向において位置決めする位置決め手段と、を備えることを特徴とする遊技機Ａ１。
【０４７１】
遊技機Ａ１によれば、支持部材における取付完了位置へ向けて遊技ユニットが変位されると、遊技ユニットのユニット側コネクタが支持部材の支持側コネクタに接続される一方、支持部材における取付完了位置から遊技ユニットが変位されると、遊技ユニットのユニット側コネクタと支持部材の支持側コネクタとの接続が解除される。
【０４７２】
ここで、ユニット側コネクタ又は支持側コネクタの少なくとも一方が、接続の方向と直交する方向への変位が許容された状態で保持される遊技機が知られている（特開２０１３−８１８１８号）。これによれば、支持部材における取付完了位置において、ユニット側コネクタと支持側コネクタとの間に位置ばらつきがある場合でも、コネクタが接続の方向と直行する方向へ変位されることで、位置ばらつきを吸収することができ、その結果、支持部材における取付完了地位において、ユニット側コネクタと支持側コネクタとの接続を可能とすることができる。しかしながら、上述した従来の遊技機のように、コネクタの変位が許容されると、コネクタの配設位置が不安定となり、ユニット側コネクタと支持側コネクタとの接続を開始する際に、これら両コネクタどうしが衝突して破損するおそれがあるという問題点があった。
【０４７３】
これに対し、遊技機Ａ１によれば、コネクタの配設位置を位置決め手段により所定位置（初期位置）に位置決めできるので、ユニット側コネクタと支持側コネクタとの接続を開始する際に、台座に対してコネクタの配設位置が不用意に変化することを抑制できる。その結果、台座に対するコネクタの配設位置を安定させ、ユニット側コネクタと支持側コネクタとの接続開始時に、これら両コネクタどうしが衝突して破損することを抑制することができる。
【０４７４】
前記ユニット側コネクタ又は支持側コネクタの少なくとも一方は、前記遊技ユニットまたは支持部材に配設されると共に前記コネクタを前記接続の方向と直交する方向への変位を許容した状態で保持する台座と、前記台座またはコネクタの一方に形成されると共に、前記台座に対して前記コネクタが前記接続の方向と直交する方向へ変位される場合に前記台座またはコネクタの他方に当接して弾性変形される弾性片と、を備えることを特徴とする遊技機Ａ２。
【０４７５】
遊技機Ａ２によれば、台座に対するコネクタの配設位置を弾性片により所定位置（初期位置）に位置決めできるので、ユニット側コネクタと支持側コネクタとの接続を開始する際に、台座に対してコネクタの配設位置が不用意に変化することを抑制できる。その結果、台座に対するコネクタの配設位置を安定させ、ユニット側コネクタと支持側コネクタとの接続開始時に、これら両コネクタどうしが衝突して破損することを抑制することができる。
【０４７６】
遊技機Ａ２において、前記弾性片は、前記接続の方向と直交する方向のうちの第１の方向に沿って一対が配設されると共に、それら一対の弾性片の間に前記コネクタが配設されることを特徴とする遊技機Ａ３。
【０４７７】
遊技機Ａ３によれば、遊技機Ａ２の奏する効果に加え、一対の弾性片の間にコネクタが配設されるので、台座に対するコネクタの第１の方向における配設位置を一対の弾性片により両方向から所定位置（初期位置）に位置決めでき、台座に対してコネクタの配設位置が変化することを第１の方向における両方向で抑制できる。その結果、台座に対するコネクタの配設位置が更に安定するので、ユニット側コネクタと支持側コネクタとの接続を開始する際に、これら両コネクタどうしが衝突して破損することをより確実に抑制することができる。また、コネクタが第１の方向における一方または他方のいずれの方向へ変位される場合であっても、弾性片の弾性回復力を利用して、コネクタを所定位置（初期位置）へ復帰させることができる。
【０４７８】
遊技機Ａ３において、前記コネクタは、前記第１の方向に直交する第２の方向への変位が許容された状態で前記台座に保持されることを特徴とする遊技機Ａ４。
【０４７９】
遊技機Ａ４によれば、遊技機Ａ３の奏する効果に加え、コネクタは、第１の方向に直交する第２の方向への変位が許容された状態で台座に保持されるので、台座に対するコネクタの可動範囲を確保できる。その結果、支持部材における取付完了位置において、ユニット側コネクタと支持側コネクタとの間に位置ばらつきがある場合に、台座に対するコネクタの変位による位置ばらつきを吸収可能な範囲を確保して、ユニット側コネクタと支持側コネクタとの接続を可能とすることができる。
【０４８０】
遊技機Ａ４において、前記台座に対して前記コネクタが前記第２の方向へ変位される場合には、前記第１の方向に沿って配設される弾性片が弾性変形されないことを特徴とする遊技機Ａ５。
【０４８１】
遊技機Ａ５によれば、遊技機Ａ４の奏する効果に加え、台座に対してコネクタが第２の方向へ変位される場合には、第１の方向に沿って配設される一対の弾性片が弾性変形されないので、かかる一対の弾性片の形状を、第１の方向および第２の方向の両方向への変位に対して弾性変形可能な形状とする必要がなく、第１の方向への変位に対してのみ弾性変形可能な形状とすることができる。その結果、一対の弾性片の形状を簡素化して、その成型性および耐久性の向上を図ることができる。
【０４８２】
遊技機Ａ２からＡ５のいずれかにおいて、前記弾性片を弾性変形させる方向へ前記コネクタが前記台座に対して変位される場合に、その変位を所定量以下に規制するストッパ手段を備えることを特徴とする遊技機Ａ６。
【０４８３】
遊技機Ａ６によれば、遊技機Ａ２からＡ５のいずれかにおいて、弾性片を弾性変形させる方向へコネクタが台座に対して変位される場合には、その変位を所定量以下にストッパ手段によって規制できるので、弾性片が過大に弾性変形して破損することを未然に抑制できる。
【０４８４】
遊技機Ａ６において、前記ストッパ手段は、前記台座に形成される台座側ストッパ手段と、前記コネクタに形成されるコネクタ側ストッパ手段とを備え、前記弾性片を弾性変形させる方向へ前記コネクタが前記台座に対して変位される場合には、前記台座側ストッパ手段にコネクタ側ストッパ手段が当接されることで、前記変位が所定量以下に規制されることを特徴とする遊技機Ａ７。
【０４８５】
遊技機Ａ７によれば、遊技機Ａ６の奏する効果に加え、ストッパ手段は、台座側ストッパ手段が台座に形成されると共に、コネクタ側ストッパ手段がコネクタに形成されるので、台座およびコネクタを組み立てる組立工程において作業者が不用意な組み立て作業を行った場合でも、弾性片の破損を抑制できる。
【０４８６】
例えば、コネクタ側ストッパ手段に当接する部位を、台座ではなく、台座が配設される遊技ユニットまたは支持ユニットに形成することも可能である。しかし、この場合には、遊技ユニットまたは支持ユニットに対して台座およびコネクタの両者を装着した後でなければストッパ機能を発揮できず、台座およびコネクタを組み立てる組立工程においては、ストッパ機能を発揮させることができない。
【０４８７】
これに対し、遊技機Ａ７によれば、ストッパ手段が、台座に形成される部位（台座側ストッパ手段）とコネクタに形成される部位（コネクタ側ストッパ手段）とからなるので、台座およびコネクタを組み立てる組立工程においても、両部位（台座側ストッパ手段およびコネクタ側ストッパ手段）どうしを当接させ、ストッパ機能を発揮させることができる。その結果、組立工程において作業者が不用意な組み立て作業を行った場合でも、弾性片の破損を抑制できる。
【０４８８】
遊技機Ａ３において、前記支持部材の前面に配設されると共に幅方向一方の側縁が前記支持部材の幅方向一方の側縁に回転可能に軸支され前記幅方向一方の側縁を中心に回転されることで前記支持部材に対して開閉される前面側部材を備え、前記第１の方向が前記支持部材の幅方向に沿う方向とされることを特徴とする遊技機Ａ８。
【０４８９】
遊技機Ａ８によれば、遊技機Ａ３の奏する効果に加え、第１の方向が支持部材の幅方向に沿う方向とされるので、支持部材における取付完了位置へ向けて前記遊技ユニットを変位させる動作として、例えば、支持部材に対して前面側部材を少し開いた状態で、それら前面側部材と支持部材との間の開放部分から遊技ユニットの幅方向一方の側縁を挿入し、その挿入した遊技ユニットの幅方向一方の側縁を支持部材の幅方向一方の側縁に配置すると共に、幅方向一方の側縁を中心として遊技ユニットを支部部材へ向けて回転させる動作を採用する場合に、台座に対するコネクタの配設位置を、一対の弾性片により支持部材の幅方向における所定位置（初期位置）に位置決めしておくことができる。その結果、上記動作によって、ユニット側コネクタと支持側コネクタとの接続を開始する際に、これら両コネクタどうしが衝突して破損することを抑制しやすくすることができる。
【０４９０】
なお、支持部材の幅方向とは、遊技機を正面視した際の左右方向を意味する。
【０４９１】
遊技機Ａ２からＡ８のいずれかにおいて、前記台座は、前記支持部材または遊技ユニットに締結ねじにより締結固定される被締結部を備え、その被締結部に前記弾性片が形成されることを特徴とする遊技機Ａ９。
【０４９２】
遊技機Ａ９によれば、遊技機Ａ２からＡ８の奏する効果に加え、台座は、支持部材または遊技ユニットに締結ねじにより締結固定される被締結部を備え、その被締結部に弾性片が形成されるので、弾性片が比較的大きく弾性変形された際に台座が破損することを抑制できる。即ち、被締結部は、支持部材または遊技ユニットに締結ねじに締結固定されるため、弾性片が比較的大きく弾性変形される場合には、その弾性変形に伴う荷重を、被締結部だけでなく、支持部材または遊技ユニットの剛性も利用して支えることができ、その結果、台座の破損を抑制できる。
【０４９３】
遊技機Ａ９において、前記被締結部は、前記締結ねじの座面から締結力を受ける受け面を備え、その被締結部の受け面に前記弾性片の基端が接続されることを特徴とする遊技機Ａ１０。
【０４９４】
遊技機Ａ１０によれば、遊技機Ａ９において、被締結部は、締結ねじの座面から締結力を受ける受け面を備え、その被締結部の受け面に弾性片の基端が接続されるので、弾性片が比較的大きく弾性変形された際に台座が破損することを抑制できる。即ち、弾性片が比較的大きく弾性変形される場合には、その弾性変形に伴う荷重を、被締結部だけでなく、締結ねじの剛性も利用して支えることができ、その結果、台座の破損を抑制できる。
【０４９５】
遊技機Ａ２からＡ１０のいずれかにおいて、前記台座は、前記支持部材または遊技ユニットに取り付けられる際にその支持部材または遊技ユニットに当接される取付面を備え、その取付面に前記弾性片が接続されることを特徴とする遊技機Ａ１１。
【０４９６】
遊技機Ａ１１によれば、遊技機Ａ２からＡ１０の奏する効果に加え、台座は、支持部材または遊技ユニットに取り付けられる際にその支持部材または遊技ユニットに当接される取付面を備え、その取付面に前記弾性片が接続されるので、弾性片が比較的大きく弾性変形された際に台座が破損することを抑制できる。即ち、取付面は、支持部材または遊技ユニットへの台座の取付時にその支持部材または遊技ユニットに当接される部位であるため、弾性片が比較的大きく弾性変形される場合には、その弾性変形に伴う荷重を、取付面だけでなく、支持部材または遊技ユニットの剛性も利用して支えることができ、その結果、台座の破損を抑制できる。
【０４９７】
遊技機Ａ２からＡ１１のいずれかにおいて、前記台座は、正面視矩形の正面壁と、その正面壁の４辺にそれぞれ連設される複数の側壁と、それら複数の側壁のうちの１の側壁に配設され前記支持部材または遊技ユニットに締結ねじにより締結固定される被締結部とを備え、前記複数枚の側壁のうちの前記被締結部が配設される側壁に前記弾性片が形成されることを特徴とする遊技機Ａ１２。
【０４９８】
遊技機Ａ１２によれば、遊技機Ａ２からＡ１１の奏する効果に加え、台座は、正面視矩形の正面壁と、その正面壁の４辺にそれぞれ連設される複数の側壁と、それら複数の側壁のうちの１の側壁に配設され支持部材または遊技ユニットに締結ねじにより締結固定される被締結部とを備え、複数枚の側壁のうちの被締結部が配設される側壁に弾性片が形成されるので、弾性片が比較的大きく弾性変形された際に台座が破損することを抑制できる。即ち、台座の複数の側壁は、比較的剛性が弱い部位であるところ、これら複数の側壁のうちの弾性片が形成される側壁には、被締結部が配設されるので、弾性片が比較的大きく弾性変形される場合には、その弾性変形に伴う荷重を、側壁だけでなく、被締結部を介して、支持部材または遊技ユニットの剛性も利用して支えることができ、その結果、台座の破損を抑制できる。
【０４９９】
遊技機Ａ２からＡ１２のいずれかにおいて、前記台座は、前記接続の方向への前記コネクタの変位を規制する接続側規制部を備え、その接続側規制部が片持ち形状とされることを特徴とする遊技機Ａ１３。
【０５００】
遊技機Ａ１３によれば、遊技機Ａ２からＡ１２のいずれかの奏する効果に加え、台座は、接続の方向へのコネクタの変位を規制する接続側規制部を備え、その接続側規制部が片持ち形状とされるので、かかる接続側規制部を弾性変形させやすくできる。これにより、支持側コネクタ及びユニット側コネクタが接続される際の衝撃を、接続側規制部の弾性変形により吸収することができ、その結果、台座の破損を抑制できる。また、接続側規制部の弾性変形により、台座（接続の方向に直交する平面）に対してコネクタを傾斜させることができるので、例えば、支持側コネクタ及びユニット側コネクタの間の位置ずれであって、台座に対してコネクタが接続の方向と直交する方向へ変位されるのみでは吸収できない位置ずれであっても、かかる位置ずれを接続側規制部の弾性変形を利用して吸収可能とできる。
【０５０１】
遊技機Ａ２からＡ１３のいずれかにおいて、前記台座は、前記解除の方向への前記コネクタの変位を規制する解除側規制部を備え、その解除側規制部が片持ち形状とされることを特徴とする遊技機Ａ１４。
【０５０２】
遊技機Ａ１４によれば、遊技機Ａ２からＡ１３のいずれかの奏する効果に加え、台座は、解除の方向へのコネクタの変位を規制する解除側規制部を備え、その解除側規制部が片持ち形状とされるので、支持側コネクタ及びユニット側コネクタの接続が解除される際にコネクタを解除側規制部により保持して、両コネクタの接続を確実に解除させることができる。
【０５０３】
この場合、接続側規制部が弾性変形することにより、台座に対してコネクタを接続方向に対して傾斜させることができるので、例えば、支持側コネクタ及びユニット側コネクタの解除の方向と支持部材における取付完了位置から遊技ユニットが変位される方向とが一致されておらず（方向がずれていて）、台座に対してコネクタが接続の方向と直交する方向へ変位されるのみでは吸収できない場合であっても、かかる方向のずれを吸収可能とできる。
【０５０４】
遊技機Ａ２からＡ１４のいずれかにおいて、前記弾性片は、その延設先端に形成され前記解除の方向への前記コネクタの変位を規制する解除側規制部を備えることを特徴とする遊技機Ａ１５。
【０５０５】
遊技機Ａ１５によれば、遊技機Ａ２からＡ１４のいずれかの奏する効果に加え、弾性片は、その延設先端に形成され、解除の方向へのコネクタの変位を規制する解除側規制部を備えるので、支持側コネクタ及びユニット側コネクタの接続が解除される際にコネクタを解除側規制部により保持して、両コネクタの接続を確実に解除させることができる。
【０５０６】
一方で、弾性片は、比較的大きく弾性変形が可能なので、台座およびコネクタを組み立てる組立工程においては、弾性片を弾性変形させ解除側規制部を退避させておくことで、台座およびコネクタの組み立て作業が解除側規制部に阻害されることを抑制できる。その結果、弾性片の延設先端に解除側規制部が形成されている場合であっても、台座およびコネクタを組み立てる際の作業性の向上を図ることができる。
【０５０７】
更に、弾性片が弾性変形することにより、台座に対してコネクタを接続方向に対して傾斜させることができるので、例えば、支持側コネクタ及びユニット側コネクタの解除の方向と支持部材における取付完了位置から遊技ユニットが変位される方向とが一致されておらず（方向がずれていて）、台座に対してコネクタが接続の方向と直交する方向へ変位されるのみでは吸収できない場合であっても、かかる方向のずれを吸収可能とできる。
【０５０８】
遊技機Ａ２からＡ１５のいずれかにおいて、前記支持部材は、前記遊技ユニットの底面が載置可能に形成されると共に前記遊技ユニットを前記支持部材における取付完了位置へ向けて案内する案内面部材を備えることを特徴とする遊技機Ａ１６。
【０５０９】
遊技機Ａ１６によれば、遊技機Ａ２からＡ１５のいずれかの奏する効果に加え、支持部材は、遊技ユニットの底面が載置可能に形成されると共に遊技ユニットを支持部材における取付完了位置へ向けて案内する案内面部材を備えるので、遊技ユニットを案内面部材に載置した上でその案内面部材に沿ってスライド移動させることができる。これにより、比較的重量の嵩む遊技ユニットを前記支持部材における取付完了位置へ向けて正確に変位させやすくなるので、ユニット側コネクタと支持側コネクタとの接続を開始する際に、これら両コネクタどうしが衝突して破損することを抑制することができる。また、ユニット側コネクタと支持側コネクタとの接続動作中およびその接続の解除動作中には、遊技ユニットを支持部材に対して一定の姿勢で変位させやすくすることができるので、ユニット側コネクタと支持側コネクタとの間に無理な力が作用して破損することを抑制できる。
【０５１０】
遊技機Ａ１６において、前記支持部材の案内面部材に前記遊技ユニットの底面が載置され、且つ、前記支持側コネクタ及びユニット側コネクタの接続が解除された状態を形成可能とされることを特徴とする遊技機Ａ１７。
【０５１１】
遊技機Ａ１７によれば、遊技機Ａ１６の奏する効果に加え、支持部材の案内面部材に遊技ユニットの底面が載置され、且つ、支持側コネクタ及びユニット側コネクタの接続が解除された状態を形成可能とされるので、先に遊技ユニットを支持部材の案内面部材に載置し、その後、遊技ユニットを案内面部材に沿ってスライド移動させて、支持側コネクタ及びユニット側コネクタの接続を行うことができると共に、支持側コネクタ及びユニット側コネクタの接続を解除した際には遊技ユニットを案内面部材に載置された状態とすることができる。その結果、比較的重い遊技ユニットの支持部材への取り付け及び取り外しと、支持側コネクタ及びユニット側コネクタの接続および解除との作業性の向上を図ることができる。
【０５１２】
電気部品が搭載される遊技ユニットと、その遊技ユニットを支持する支持部材とを備える遊技機において、前記遊技ユニットの前記支持部材に対面する側に配設されるユニット側コネクタと、前記支持部材の前記遊技ユニットに対面する側に配設され、前記支持部材における取付完了位置へ向けて前記遊技ユニットが変位されることで前記ユニット側コネクタと接続されると共に、前記支持部材における取付完了位置から前記遊技ユニットが変位されることで前記ユニット側コネクタとの接続が解除される支持側コネクタと、を備え、前記ユニット側コネクタ又は支持側コネクタの少なくとも一方は、前記遊技ユニットまたは支持部材に配設される台座と、その台座に前記接続の方向と直交する方向への変位が許容された状態で保持されるコネクタと、を備え、そのコネクタの上下方向における初期位置が、前記変位が許容される範囲における上下方向中央よりも上方または下方に設定されることを特徴とする遊技機Ｂ１。
【０５１３】
遊技機Ｂ１によれば、支持部材における取付完了位置へ向けて遊技ユニットが変位されると、遊技ユニットのユニット側コネクタが支持部材の支持側コネクタに接続される一方、支持部材における取付完了位置から遊技ユニットが変位されると、遊技ユニットのユニット側コネクタと支持部材の支持側コネクタとの接続が解除される。
【０５１４】
ここで、ユニット側コネクタ又は支持側コネクタの少なくとも一方が、遊技ユニットまたは支持部材に配設される台座と、その台座に接続の方向と直交する方向への変位が許容された状態で保持されるコネクタと、を備える遊技機が知られている（特開２０１３−８１８１８号）。これによれば、支持部材における取付完了位置において、ユニット側コネクタと支持側コネクタとの間に位置ばらつきがある場合でも、コネクタが台座に対して接続の方向と直行する方向へ変位されることで、位置ばらつきを吸収することができ、その結果、支持部材における取付完了地位において、ユニット側コネクタと支持側コネクタとの接続を可能とすることができる。この場合、遊技ユニットには、異なる形態の電気部品を複数搭載するため、均等に配置することが困難であり、遊技ユニットの重心は、その遊技ユニットの前面側または背面側に偏って位置する傾向がある。そのため、支持部材における取付完了位置へ向けて遊技ユニットを変位させる際には、かかる遊技ユニットが前面側または背面側（即ち、重心が位置する側）へ傾斜した姿勢となりやすい。このように遊技ユニットが前面側または背面側へ傾斜した姿勢になると、その姿勢に対応して、ユニット側コネクタが上昇傾斜または下降傾斜されるため、ユニット側コネクタと支持側コネクタとを接続させる際の作業性が悪いという問題点があった。
【０５１５】
これに対し、遊技機Ｂ１によれば、支持部材における取付完了位置へ向けて遊技ユニットを変位させる際に、その遊技ユニットが前面側または背面側へ傾斜した姿勢となり、ユニット側コネクタが上昇傾斜または下降傾斜される場合でも、コネクタの上下方向における初期位置が、変位が許容される範囲における上下方向中央よりも上方または下方に設定されるので、その分、両コネクタの接続先端における上下方向位置を同じ位置としやすくできる。その結果、ユニット側コネクタと支持側コネクタとを接続させる際の作業性の向上を図ることができる。
【０５１６】
遊技機Ｂ１において、前記コネクタから延設される電気的接続線を備え、その電気的接続線の姿勢保持力がコネクタに作用されることで、前記コネクタの上下方向における初期位置が、前記変位が許容される範囲における上下方向中央よりも上方または下方に設定されることを特徴とする遊技機Ｂ２。
【０５１７】
遊技機Ｂ２によれば、遊技機Ｂ１の奏する効果に加え、電気的接続線の姿勢保持力がコネクタに作用されることで、コネクタの上下方向における初期位置が上方または下方に設定されるので、部品点数を低減して、その分、製品コストの削減を図ることができる。即ち、弾性変形可能な弾性片を台座またはコネクタの一方に設け、その弾性片によりコネクタの初期位置を設定することも可能であるが、この場合には、弾性片を別途設ける必要があり、部品点数が増加する。これに対し、遊技機Ｂ２では、電気的接続線の姿勢保持力を利用してコネクタを初期位置に保持する構成なので、既存の部品を流用することができ、別途部品を設ける必要がない。また、支持側コネクタ及びユニット側コネクタの接続の動作において、コネクタが台座に対して変位される場合には、その変位を電気的接続線の姿勢変化で許容することができる。
【０５１８】
なお、電気的接続線の姿勢保持力とは、電気的接続線が所定の姿勢（初期姿勢）を維持しようとする力（所定の姿勢に復帰しようとする力）を意味する。例えば、電気的接続線が所定の姿勢（初期姿勢）から変形された姿勢で配置されると、電気的接続線が所定の姿勢（初期姿勢）に復帰しようとする力（姿勢保持力）が発生し、その力（姿勢保持力）がコネクタに作用される。また、電気的接続線としては、例えば、信号線や電力供給線などが例示される。電気的接続線は、信号線または電力供給線の一方のみから形成されても良く、或いは、両方を含んで形成されても良い。
【０５１９】
遊技機Ｂ２において、前記台座は、前記電気的接続線に当接する当接部を備えることを特徴とする遊技機Ｂ３。
【０５２０】
遊技機Ｂ３によれば、遊技機Ｂ２の奏する効果に加え、電気的接続線に当接する当接部を台座が備えるので、コネクタにより近い位置で電気的接続線に当接部を当接させることができる。これにより、電気的接続線の姿勢保持力をコネクタに効果的に作用させることが可能な姿勢に電気的接続線を変形させることができ、その結果、コネクタの初期位置を適正な位置に保持しやすくできる。また、コネクタに近い位置となる当接部は、電気的接続線に当接する構成であり、かかる電気的接続線の変形を許容するので、台座に対してコネクタが変位される際に、その変位が阻害されることを抑制できる。
【０５２１】
遊技機Ｂ２又はＢ３において、前記遊技ユニットまたは支持部材は、前記電気的接続線を保持する保持部を備えることを特徴とする遊技機Ｂ４。
【０５２２】
遊技機Ｂ４によれば、遊技機Ｂ２又はＢ３の奏する効果に加え、電気的接続線を保持する保持部を遊技ユニットまたは支持部材が備えるので、かかる保持部により電気的接続線を拘束することで、コネクタまでの電気的接続線の長さを一定に保つことができる。その結果、電気的接続線の姿勢を安定させることができるので、コネクタの初期位置を適正な位置に保持しやすくできる。
【０５２３】
遊技機Ｂ１からＢ４のいずれかにおいて、前記支持部材は、前記遊技ユニットの底面が載置可能に形成されると共に前記遊技ユニットを前記支持部材における取付完了位置へ向けて案内する案内面部材を備えることを特徴とする遊技機Ｂ５。
【０５２４】
遊技機Ｂ５によれば、遊技機Ｂ１からＢ４のいずれかの奏する効果に加え、支持部材は、遊技ユニットの底面が載置可能に形成されると共に遊技ユニットを支持部材における取付完了位置へ向けて案内する案内面部材を備えるので、遊技ユニットを案内面部材に載置した上でその案内面部材に沿ってスライド移動させることができる。これにより、比較的重量の嵩む遊技ユニットを前記支持部材における取付完了位置へ向けて正確に変位させやすくなるので、ユニット側コネクタと支持側コネクタとの接続を開始する際に、これら両コネクタどうしが衝突して破損することを抑制することができる。また、ユニット側コネクタと支持側コネクタとの接続動作中およびその接続の解除動作中には、遊技ユニットを支持部材に対して一定の姿勢で変位させやすくすることができるので、ユニット側コネクタと支持側コネクタとの間に無理な力が作用して破損することを抑制できる。
【０５２５】
遊技機Ｂ５において、前記支持部材の案内面部材に前記遊技ユニットの底面が載置され、且つ、前記支持側コネクタ及びユニット側コネクタの接続が解除された状態を形成可能とされることを特徴とする遊技機Ｂ６。
【０５２６】
遊技機Ｂ６によれば、遊技機Ｂ５の奏する効果に加え、支持部材の案内面部材に遊技ユニットの底面が載置され、且つ、支持側コネクタ及びユニット側コネクタの接続が解除された状態を形成可能とされるので、先に遊技ユニットを支持部材の案内面部材に載置し、その後、遊技ユニットを案内面部材に沿ってスライド移動させて、支持側コネクタ及びユニット側コネクタの接続を行うことができると共に、支持側コネクタ及びユニット側コネクタの接続を解除した際には遊技ユニットを案内面部材に載置された状態とすることができる。その結果、比較的重い遊技ユニットの支持部材への取り付け及び取り外しと、支持側コネクタ及びユニット側コネクタの接続および解除との作業性の向上を図ることができる。
【０５２７】
電気部品が搭載される遊技ユニットと、その遊技ユニットを支持する支持部材とを備える遊技機において、前記遊技ユニットの前記支持部材に対面する側に配設されるユニット側コネクタと、前記支持部材の前記遊技ユニットに対面する側に配設され、前記支持部材における取付完了位置へ向けて前記遊技ユニットが変位されることで前記ユニット側コネクタと接続されると共に、前記支持部材における取付完了位置から前記遊技ユニットが変位されることで前記ユニット側コネクタとの接続が解除される支持側コネクタと、を備え、前記ユニット側コネクタ又は支持側コネクタの少なくとも一方は、前記遊技ユニットまたは支持部材に配設される台座と、その台座に前記接続の方向と直交する方向への変位が許容された状態で保持されるコネクタと、を備え、前記台座は、開口を有する正面壁を備え、前記コネクタは、前記正面壁の開口に挿通可能に形成される本体部と、その本体部から張り出す第１壁部と、その第１壁部から前記接続の方向に離間して位置すると共に前記本体部から張り出す第２壁部と、を備え、前記台座の正面壁の正面または背面から前記コネクタの本体部および第１壁部が前記正面壁の開口に挿通された後、前記台座に対して前記コネクタが前記接続の方向と直交する方向へ変位されることで組み立てられ、前記正面壁の正面に前記第１壁部または第２壁部の一方が配設されると共に、前記正面壁の背面に前記第１壁部または第２壁部の他方が配設されることを特徴とする遊技機Ｃ１。
【０５２８】
遊技機Ｃ１によれば、支持部材における取付完了位置へ向けて遊技ユニットが変位されると、遊技ユニットのユニット側コネクタが支持部材の支持側コネクタに接続される一方、支持部材における取付完了位置から遊技ユニットが変位されると、遊技ユニットのユニット側コネクタと支持部材の支持側コネクタとの接続が解除される。
【０５２９】
ここで、ユニット側コネクタ又は支持側コネクタの少なくとも一方が、遊技ユニットまたは支持部材に配設される台座と、その台座に接続の方向と直交する方向への変位が許容された状態で保持されるコネクタと、を備える遊技機が知られている（特開２０１３−８１８１８号）。これによれば、支持部材における取付完了位置において、ユニット側コネクタと支持側コネクタとの間に位置ばらつきがある場合でも、コネクタが台座に対して接続の方向と直行する方向へ変位されることで、位置ばらつきを吸収することができ、その結果、支持部材における取付完了地位において、ユニット側コネクタと支持側コネクタとの接続を可能とすることができる。しかしながら、上述した従来の遊技機のように、台座に対してコネクタが接続の方向と直交する方向への変位が許容された状態とするためには、構造が複雑化して、組み立てコストが嵩むという問題点があった。
【０５３０】
これに対し、遊技機Ｃ１によれば、コネクタは、正面壁の開口に挿通可能に形成される本体部から第１壁部および第２壁部を張り出させるので、台座の正面壁の正面または背面からコネクタの本体部および第１壁部を前記正面壁の開口に挿通した後、台座に対してコネクタを接続の方向と直交する方向へ変位させることで、台座およびコネクタの組み立てを完了することができ、その分、組み立てコストの削減を図ることができる。
【０５３１】
この場合、台座の正面壁の正面および背面にはコネクタ（本体部）の第１壁部または第２壁部の一方および他方が配設されるので、支持部材における取付完了位置へ向けて又は取付完了位置から遊技ユニットを変位させる際には、台座の正面または背面と第１壁部または第２壁部の一方または背面との当接により台座に対するコネクタ（本体部）の接続の方向または解除の方向への変位を規制できるので、ユニット側コネクタ及び支持側コネクタの接続およびその解除を確実に行うことができる。
【０５３２】
遊技機Ｃ１において、前記台座またはコネクタの一方に形成されると共に、前記台座に対して前記コネクタが前記接続の方向と直交する方向であって第１の方向へ変位される場合に前記台座またはコネクタの他方に当接して弾性変形される弾性片を備え、
前記台座およびコネクタを組み立てる際に、前記台座に対して前記コネクタを前記接続の方向と直交する方向へ変位させる方向が前記第１の方向と反対方向となる第２の方向とされることを特徴とする遊技機Ｃ２。
【０５３３】
遊技機Ｃ２によれば、遊技機Ｃ１の奏する効果に加え、台座に対してコネクタが接続の方向と直行する方向であって第１の方向へ変位される場合に台座またはコネクタの他方に当接して弾性変形される弾性片を備えるので、ユニット側コネクタと支持側コネクタとの接続開始時に、これら両コネクタどうしが衝突して破損することを抑制することができる。
【０５３４】
即ち、台座に対するコネクタの変位が許容されると、台座に対するコネクタの配設位置が不安定となり、ユニット側コネクタと支持側コネクタとの接続を開始する際に、これら両コネクタどうしが衝突して破損するおそれがあるという問題点があった。
【０５３５】
これに対し、遊技機Ｃ２によれば、台座に対するコネクタの配設位置を弾性片により所定位置（初期位置）に位置決めできるので、ユニット側コネクタと支持側コネクタとの接続を開始する際に、台座に対してコネクタの配設位置が不用意に変化することを抑制できる。その結果、台座に対するコネクタの配設位置を安定させ、ユニット側コネクタと支持側コネクタとの接続開始時に、これら両コネクタどうしが衝突して破損することを抑制することができる。
【０５３６】
この場合、台座およびコネクタを組み立てる際に、台座に対してコネクタを接続の方向と直交する方向へ変位させる方向が第１の方向と反対方向となる第２の方向とされるので、台座に対してコネクタ（本体部）が組み立て時の方向と反対の方向となる第１の方向へ変位される場合には、弾性片を弾性変形させ、かかる弾性片の弾性回復力を、コネクタ（本体部）を第１の方向と反対方向となる第２の方向へ押し戻す反発力としてコネクタ（本体部）へ作用させることができる。これにより、台座の正面壁における開口からコネクタ（本体部）が脱落することを抑制できる。
【０５３７】
即ち、遊技機Ｃ２によれば、ユニット側コネクタと支持側コネクタとの接続開始時における衝突を抑制するための手段と、台座からコネクタが脱落することを抑制するための手段との両者を弾性片に兼用させることができる。
【０５３８】
遊技機Ｃ１又はＣ２において、前記コネクタは、先端に係合部を有し弾性変形可能に形成される弾性係合片を備え、台座およびコネクタを組み立てるために、前記台座の正面壁の正面または背面から前記コネクタの本体部および第１壁部が前記正面壁の開口に挿通され、前記台座に対して前記コネクタが前記接続の方向と直交する方向へ変位される際には、前記弾性係合片の係合部が前記正面壁の正面または背面に押圧され前記弾性係合片が弾性変形されると共に、前記台座に対して所定位置まで前記コネクタが前記接続の方向と直交する方向へ変位されることで、前記弾性係合片が弾性回復され、前記弾性係合片の係合部が前記正面壁の開口の内縁に係止可能とされることを特徴とする遊技機Ｃ３。
【０５３９】
遊技機Ｃ３によれば、遊技機Ｃ１又はＣ２の奏する効果に加え、前記台座およびコネクタを組み立てるために、台座の正面壁の正面または背面からコネクタの本体部および第１壁部が正面壁の開口に挿通され、台座に対してコネクタが接続の方向と直交する方向へ変位される際には、弾性係合片の係合部が正面壁の正面または背面に押圧され弾性係合片が弾性変形されると共に、台座に対する所定位置までコネクタが接続の方向と直交する方向へ変位されることで、弾性係合片が弾性回復され、弾性係合片の係合部が正面壁の開口の内縁に係止可能とされるので、弾性係合片に対する操作を別途行う必要がなく、台座に対してコネクタ（本体部）を変位させるのみで、弾性係合片の係合部が正面壁の開口の内縁に係止させ、抜け止めとすることができる。これにより、台座およびコネクタの構造および組み立ての工程の簡素化を図りつつ、台座の正面壁における開口からコネクタ（本体部）が脱落することを確実に抑制できる。
【０５４０】
遊技機Ｃ３において、前記台座またはコネクタの一方に形成されると共に、前記台座に対して前記コネクタが前記接続の方向と直交する方向であって第１の方向へ変位される場合に前記台座またはコネクタの他方に当接して弾性変形される弾性片を備え、前記台座およびコネクタを組み立てる際に、前記台座に対して前記コネクタを前記接続の方向と直交する方向へ変位させる方向が前記第１の方向と反対方向となる第２の方向とされることを特徴とする遊技機Ｃ４。
【０５４１】
遊技機Ｃ４によれば、遊技機Ｃ３の奏する効果に加え、台座に対してコネクタが第１の方向へ変位される場合に台座またはコネクタの他方に当接して弾性変形される弾性片を備え、台座およびコネクタを組み立てるために、台座に対してコネクタを変位させる方向が第１の方向と反対方向となる第２の方向とされるので、弾性係合片の係合部による抜け止め効果を、弾性片の弾性力を利用して、確実に維持することができる。
【０５４２】
即ち、台座に対してコネクタ（本体部）が組み立て時の方向と反対の方向となる第１の方向へ変位されると、弾性係合片の係合部が正面壁の開口の内縁に係止され、抜け止めとして機能することで、台座の正面壁における開口からコネクタ（本体部）が脱落することを抑制するところ、コネクタ（本体部）へ第１の方向へ大きな荷重が作用されると、その荷重が弾性係合片に作用され、かかる弾性係合片が弾性変形されることで、弾性係合片の係合部と正面壁の開口の内縁との係止が解除される恐れがある。
【０５４３】
これに対し、遊技機Ｃ４によれば、台座に対してコネクタ（本体部）が組み立て時の方向と反対の方向となる第１の方向へ変位される場合には、弾性片を弾性変形させることができるので、かかる弾性片の弾性回復力を、コネクタ（本体部）を第１の方向と反対方向となる第２の方向へ押し戻す反発力としてコネクタ（本体部）へ作用させることができる。これにより、弾性係合片に作用される第１の方向への荷重を軽減して、かかる弾性係合片が弾性変形されることを抑制できるので、その分、弾性係合片の係合部と正面壁の開口の内縁との係止が解除され難くすることができる。その結果、弾性片の弾性力を利用できる分、弾性係合片の係合部による抜け止め効果を高めることができる。
【０５４４】
なお、台座に対するコネクタの変位が許容されると、台座に対するコネクタの配設位置が不安定となり、ユニット側コネクタと支持側コネクタとの接続を開始する際に、これら両コネクタどうしが衝突して破損するおそれがあるという問題点があった。
【０５４５】
これに対し、遊技機Ｃ４によれば、台座に対するコネクタの配設位置を弾性片により所定位置（初期位置）に位置決めできるので、ユニット側コネクタと支持側コネクタとの接続を開始する際に、台座に対してコネクタの配設位置が不用意に変化することを抑制できる。その結果、台座に対するコネクタの配設位置を安定させ、ユニット側コネクタと支持側コネクタとの接続開始時に、これら両コネクタどうしが衝突して破損することを抑制することができる。
【０５４６】
遊技機Ｃ２において、前記弾性片は、その延設先端に形成され前記接続の方向または解除の方向への前記コネクタの変位を規制する規制部を備えることを特徴とする遊技機Ｃ５。
【０５４７】
遊技機Ｃ５によれば、遊技機Ｃ２の奏する効果に加え、弾性片は、その延設先端に形成され、接続の方向または解除の方向へのコネクタの変位を規制する規制部を備えるので、支持側コネクタ及びユニット側コネクタを接続する際またはその接続を解除する際にコネクタを解除側規制部により保持して、両コネクタの接続および接続の解除を確実に実行することができる。
【０５４８】
一方で、弾性片は、比較的大きく弾性変形が可能なので、台座およびコネクタを組み立てる組み立て工程においては、弾性片を弾性変形させ規制部を退避させておくことで、台座およびコネクタの組み立て作業が規制部に阻害されることを抑制できる。その結果、弾性片の延設先端に規制部が形成されている場合であっても、台座およびコネクタを組み立てる際の作業性の向上を図ることができる。
【０５４９】
特に、遊技機Ｃ５によれば、台座の正面壁の正面または背面からコネクタの本体部および第１壁部を前記正面壁の開口に挿通し、台座に対してコネクタを接続の方向と直交する方向へ変位させることで、台座およびコネクタを組み立てる構造であるが故に、第１壁部または第２壁部とそれらに当接して接続の方向または解除の方向への変位を規制するための正面壁（即ち、開口が非形成とされる部位）との両者の面積を十分に確保することが困難である。この場合、弾性片の先端を利用して規制部が形成されることで、その分、上記変位を規制するための面積を拡大することができ、その結果、支持側コネクタ及びユニット側コネクタを接続する際またはその接続を解除する際にコネクタを確実に保持して、両コネクタの接続および接続の解除の信頼性を高めることができる。
【０５５０】
遊技機Ｃ３又はＣ４において、前記弾性係合片は、その基部が前記第１壁部または第２壁部に接続されると共に、前記台座およびコネクタを組み立てる際に前記台座に対して前記コネクタを前記接続の方向と直交する方向へ変位させる方向と平行に延設されることを特徴とする遊技機Ｃ６。
【０５５１】
遊技機Ｃ６によれば、遊技機Ｃ３又はＣ４の奏する効果に加え、弾性係合片は、その基部が第１壁部または第２壁部に接続されると共に、台座およびコネクタを組み立てる際に台座に対してコネクタを接続の方向と直交する方向へ変位させる方向と平行に延設されるので、弾性係合片の延設長さを効率的に確保することができる。その結果、台座およびコネクタの大型化を抑制しつつ、弾性係合片の変形性の向上に伴い、台座およびコネクタの組み立て作業性の向上を図ることができる。
【０５５２】
電気部品が搭載される遊技ユニットと、その遊技ユニットを支持する支持部材とを備える遊技機において、前記遊技ユニットの前記支持部材に対面する側に配設されるユニット側コネクタと、前記支持部材の前記遊技ユニットに対面する側に配設され、前記支持部材における取付完了位置へ向けて前記遊技ユニットが変位されることで前記ユニット側コネクタと接続されると共に、前記支持部材における取付完了位置から前記遊技ユニットが変位されることで前記ユニット側コネクタとの接続が解除される支持側コネクタと、を備え、前記ユニット側コネクタおよび支持側コネクタは、それらユニット側コネクタ及び支持側コネクタのそれぞれに配設される一対一組の接点を複数組備え、前記支持部材における取付完了位置から前記遊技ユニットが変位され、前記ユニット側コネクタ及び支持側コネクタの接続が解除される際には、前記複数組の接点のうちの少なくとも一の組における接続の解除が、他の組における接続の解除よりも後に行われることを特徴とする遊技機Ｄ１。
【０５５３】
ここで、支持部材における取付完了位置へ向けて遊技ユニットが変位されることで、遊技ユニットのユニット側コネクタと支持部材の支持側コネクタとが接続される一方、支持部材における取付完了位置から遊技ユニットが変位されることで、遊技ユニットのユニット側コネクタと支持部材の支持側コネクタとの接続が解除される遊技機が知られている（特開２０１３−８１８１８号）。また、支持部材の前面には、前面側部材（前面枠）が配設されており、前面側部材は、幅方向一方の側縁が支持部材の幅方向一方の側縁に回転可能に軸支され、その軸支部分を中心に回転されることで、支持部材に対して開閉可能とされる。この場合、上述した遊技機では、例えば、遊技中に前面側部材を開いて作業を行おうとした際に、遊技ユニットが取付完了位置から不用意に変位されると、ユニット側コネクタ及び支持側コネクタの接続が解除され、遊技に影響を与えるおそれがあるという問題点があった。
【０５５４】
これに対し、遊技機Ｄ１によれば、支持部材における取付完了位置から遊技ユニットが変位され、ユニット側コネクタ及び支持側コネクタの接続が解除される際には、複数組の接点のうちの少なくとも一の組における接続の解除を、他の組における接続の解除よりも後とできる。よって、遊技ユニットが取付完了位置から不用意に変位され、ユニット側コネクタ及び支持側コネクタの接続が少し解除されてしまったとしても、一の組における接続を維持できる可能性を確保できる。その結果、複数組の接点のうちの少なくとも一の組における接続を維持できることで、その分、遊技への影響を抑制できる。
【０５５５】
遊技機Ｄ１において、前記一の組における一対の接点のうちの一方の接点の一端は、前記他の組における一対の接点のうちの一方の接点の一端よりも接続方向先端側に位置されることを特徴とする遊技機Ｄ２。
【０５５６】
遊技機Ｄ２によれば、遊技機Ｄ１の奏する効果に加え、一の組における一対の接点のうちの一方の接点の一端は、他の組における一対の接点のうちの一方の接点の一端よりも接続方向先端側に位置されるので、遊技ユニットが取付完了位置から変位される際に、一の組における接点の接続が解除されるタイミングを、他の組における接点のタイミングよりも遅らせることができる。この場合、遊技機Ｄ２によれば、一の組における接点の延設長さを他の組における接点の延設長さよりも長くするか、一の組における接点を他の組における接点よりも接続方向先端側に配設すれば良く、複雑な構造を採用する必要がない。よって、構造の簡素化を図ることができる。
【０５５７】
遊技機Ｄ２において、前記ユニット側コネクタ又は支持側コネクタの一方は、直線状に延設されるガイド溝を備えると共に、前記ユニット側コネクタ又は支持側コネクタの他方は、前記ガイド溝に沿って案内される被ガイド部を備え、前記複数組の接点は、前記ガイド溝の延設方向に沿って延設されることを特徴とする遊技機Ｄ３。
【０５５８】
遊技機Ｄ３によれば、遊技機Ｄ２の奏する効果に加え、ガイド溝が直線状に延設され、そのガイド溝の延設方向に沿って被ガイド部が案内されることで、ユニット側コネクタ及び支持側コネクタの解除が進行されるところ、複数組の接点は、ガイド溝の延設方向に沿って延設されるので、遊技ユニットが取付完了位置から変位される際に、一の組における接点を接続された状態に維持しやすくでき、その結果、かかる一の組における接点の接続が解除されるタイミングを、他の組における接点のタイミングよりも確実に遅らせることができる。
【０５５９】
遊技機Ｄ１からＤ３のいずれかにおいて、前記支持部材の前面に配設されると共に幅方向一方の側縁が前記支持部材の幅方向一方の側縁に回転可能に軸支され前記幅方向一方の側縁を中心に回転されることで前記支持部材に対して開閉される前面側部材を備え、前記一の組における接点が少なくとも前記複数組の接点の列設方向中央よりも前記支持部材の幅方向一方の側縁から遠い側に配設されることを特徴とする遊技機Ｄ４。
【０５６０】
遊技機Ｄ４によれば、遊技機Ｄ１からＤ３のいずれかの奏する効果に加え、遊技ユニットが取付完了位置から変位される際に、複数組の接点のうちで先に接続が解除されやすい位置に配置される組（一の組）の接続が解除されるタイミングを極力遅らせることができる。
【０５６１】
即ち、例えば、遊技中に、支持部材に対して前面側部材を隣の遊技者の邪魔とならない程度に少し開いた状態として作業を行う場合、それら前面側部材と支持部材との間の開放部分から作業を行うこととなる。そのため、開放部分から遊技ユニットも操作されることから、作業者が遊技ユニットを不用意に変位させる態様としては、開放部分側となる遊技ユニットの幅方向他方の側縁を支部部材へ向けて変位させ、開放部分の奥側となる遊技ユニットの幅方向一方の側縁（支持部材の幅方向一方の側縁側）を中心として遊技ユニットが回転動作される態様となる。
【０５６２】
このように遊技ユニットが回転動作される態様では、複数組の接点は、遊技ユニットの回転先端側（支持部材の幅方向一方の側縁から遠い側）に配置されるものほど先に接続が解除されやすくなるところ、かかる先に接続が解除されやすい位置には一の組が配置されるので、遊技ユニットが取付完了位置から不用意に少し変位されとしても、先に接続が解除されやすい位置に配置される組（一の組）における接続が解除されるタイミングを遅らせることができ、その結果、一の組における接続を維持できる可能性を確保できる。
【０５６３】
遊技機Ｄ１からＤ３のいずれかにおいて、前記支持部材の前面に配設されると共に幅方向一方の側縁が前記支持部材の幅方向一方の側縁に回転可能に軸支され前記幅方向一方の側縁を中心に回転されることで前記支持部材に対して開閉される前面側部材を備え、前記一の組における接点が少なくとも前記複数組の接点の列設方向中央よりも前記支持部材の幅方向一方の側縁に近い側に配設されることを特徴とする遊技機Ｄ５。
【０５６４】
遊技機Ｄ５によれば、遊技機Ｄ１からＤ３のいずれかの奏する効果に加え、遊技ユニットが取付完了位置から変位される際に、複数組の接点のうちで接続の解除が最後となりやすい位置に配置される組（一の組）の接続が解除されるタイミングを更に遅らせることができるので、かかる一の組の接続が不用意に解除されることを更に発生し難くできる。よって、不用意に解除されることで遊技への影響が大きな重要な信号線に対して本構成が特に有効となる。
【０５６５】
即ち、例えば、遊技中に、支持部材に対して前面側部材を遊技中に隣の遊技者の邪魔とならない程度に少し開いた状態で作業を行う場合、それら前面側部材と支持部材との間の開放部分から作業を行うこととなる。そのため、開放部分から遊技ユニットも操作されることから、作業者が遊技ユニットを不用意に変位させる態様としては、開放部分側となる遊技ユニットの幅方向他方の側縁を支部部材へ向けて変位させ、開放部分の奥側となる遊技ユニットの幅方向一方の側縁（支持部材の幅方向一方の側縁側）を中心として遊技ユニットが回転動作される態様となる。
【０５６６】
このように遊技ユニットが回転動作される態様では、複数組の接点は、遊技ユニットの回転基端側（支持部材の幅方向一方の側縁に近い側）に配置されるものほど接続の解除が最後となりやすいところ、かかる接続の解除が最後となりやすい位置に一の組が配置されることで、かかる位置に配置される接点（一の組）の接続が解除されるタイミングを更に遅らせることができる。即ち、もともと接続が解除されるタイミングの遅い部位に対して、一の組を設定することで、かかる部位の接続が解除されるタイミングを更に遅くすることができる。
【０５６７】
これにより、遊技ユニットが取付完了位置から不用意に少し変位されとしても、かかる一の組の接続が不用意に解除されることを更に発生し難くでき、その接続を維持できる可能性を更に確保しやすくできる。よって、不用意に解除されることで遊技への影響が大きな重要な信号線に対して本構成が特に有効となる。
【０５６８】
遊技機Ｄ１からＤ５のいずれかにおいて、遊技の主たる制御を行う主制御手段と、その主制御手段からの指示に従った制御を行う副制御手段と、その副制御手段に接続される副側装置と、前記主制御装置に接続される主側装置と、を備え、前記一の組における接点により連結される電気的接続線は、前記主制御手段と副制御手段との間または前記主制御手段と主側装置との間を接続する電気的接続線であり、前記他の組における接点により連結される電気的接続線は、前記副制御手段と副側装置との間を接続する電気的接続線であることを特徴とする遊技機Ｄ６。
【０５６９】
遊技機Ｄ６によれば、遊技機Ｄ１からＤ５の奏する効果に加え、一の組における接点により連結される電気的接続線は、主制御手段と副制御手段との間または主制御手段と主側装置との間を接続する電気的接続線であり、他の組における接点により連結される電気的接続線は、副制御手段と副側装置との間を接続する電気的接続線であるので、接続が解除されると遊技への影響が比較的大きな部位となる接点（一の組）の接続が解除されるタイミングを、接続が解除されたとしても遊技への影響が比較的小さな部位となる接点（他の組）の接続が解除されるタイミングよりも遅らせることができる。これにより、遊技ユニットが取付完了位置から不用意に変位された場合の遊技への影響を抑制できる。
【０５７０】
遊技機Ｄ６において、前記副側装置が音声出力、表示手段または発光手段に関するものであることを特徴とする遊技機Ｄ７。
【０５７１】
遊技機Ｄ７によれば、遊技機Ｄ６の奏する効果に加え、遊技ユニットが取付完了位置から不用意に変位され、ユニット側コネクタ及び支持側コネクタの接続の解除が複数組の接点の一部で開始された場合に、遊技ユニットの不用意な変位を早期に停止させやすくできる。その結果、ユニット側コネクタ及び支持側コネクタの接続が完全に解除されることを回避して、遊技への影響を抑制できる。
【０５７２】
即ち、他の組における接点により連結される電気的接続線が、副制御手段と副側装置との間を接続する電気的接続線であり、その副側装置が、音声出力、表示または発光に関するものであるので、遊技中に、遊技ユニットが取付完了位置から不用意に変位され、ユニット側コネクタ及び支持側コネクタの接続の解除が一部で開始されることで、先に他の組における接点の接続が解除されると、遊技における音声出力、表示または発光が停止されるので、かかる音声出力、表示または発光が停止されることに基づいて、作業者に対して、遊技ユニットを不用意に変位させていることを気付かせることができる。これにより、遊技ユニットの不用意な変位を早期に停止させやすくでき、その結果、ユニット側コネクタ及び支持側コネクタの接続が完全に解除されることを回避して、遊技への影響を抑制できる。
【０５７３】
電気部品が搭載される遊技ユニットと、その遊技ユニットを支持する支持部材とを備える遊技機において、前記遊技ユニットの前記支持部材に対面する側に配設されるユニット側コネクタと、前記支持部材の前記遊技ユニットに対面する側に配設され、前記支持部材における取付完了位置へ向けて前記遊技ユニットが変位されることで前記ユニット側コネクタと接続されると共に、前記支持部材における取付完了位置から前記遊技ユニットが変位されることで前記ユニット側コネクタとの接続が解除される支持側コネクタと、を備え、前記ユニット側コネクタ又は支持側コネクタの少なくとも一方は、前記遊技ユニットまたは支持部材に配設される台座と、その台座に前記接続の方向と直交する方向への変位が許容された状態で保持されるコネクタと、を備え、前記コネクタは、本体部と、その本体部から張り出す壁部と、を備え、前記台座は、前記コネクタの本体部が挿通可能に形成される開口を有する正面壁と、その正面壁の開口に前記コネクタの本体部が挿通される過程において弾性変形される弾性片と、を備え、前記台座の正面壁の正面または背面から前記コネクタの本体部が前記台座の弾性片を弾性変形させつつ前記正面壁の開口に挿通されると共に、前記コネクタの本体部が所定位置に達して前記弾性片が弾性回復されることで、前記台座とコネクタとの組み立てが完了され、前記コネクタの前記挿通の方向への変位が、前記台座の正面壁に前記コネクタの壁部が当接されることで規制可能とされると共に、前記コネクタの前記挿通の方向と反対方向への変位が、前記台座の弾性片に前記コネクタの本体部または壁部が当接されることで規制可能とされることを特徴とする遊技機Ｅ１。
【０５７４】
ここで、ユニット側コネクタ又は支持側コネクタの少なくとも一方が、遊技ユニットまたは支持部材に配設される台座と、その台座に接続の方向と直交する方向への変位が許容された状態で保持されるコネクタと、を備える遊技機が知られている（特開２０１３−８１８１８号）。これによれば、支持部材における取付完了位置において、ユニット側コネクタと支持側コネクタとの間に位置ばらつきがある場合でも、コネクタが台座に対して接続の方向と直行する方向へ変位されることで、位置ばらつきを吸収することができ、その結果、支持部材における取付完了地位において、ユニット側コネクタと支持側コネクタとの接続を可能とすることができる。しかしながら、上述した従来の遊技機のように、台座に対してコネクタが接続の方向と直交する方向への変位が許容された状態とするためには、構造が複雑化して、組み立てコストが嵩むという問題点があった。
【０５７５】
これに対し、遊技機Ｅ１によれば、コネクタが、本体部と、その本体部から張り出される壁部とを備えて形成されると共に、台座が、コネクタの本体部を挿通可能な開口を有する正面壁と、その正面壁にコネクタの本体部が挿通される際に弾性変形される弾性片とを備えて形成されるので、コネクタの本体部を、台座の正面壁の正面または背面から正面壁の開口に挿通すれば、その挿通の過程において弾性片を弾性変形させることができると共に、台座に対するコネクタの挿通位置が所定位置に達すれば、弾性片が弾性回復され、台座とコネクタとの組み立てを完了することができる。即ち、台座に対してコネクタを組み付けるための動作を、コネクタを一方向へ挿通させる動作のみとすることができるので、台座とコネクタとの組み立て工程を簡素とできる。よって、その分、組み立てコストの削減を図ることができる。
【０５７６】
この場合、コネクタの挿通の方向への変位は、台座の正面壁にコネクタの壁部が当接されることで規制可能とされ、コネクタの挿通の方向と反対方向への変位は、台座の弾性片にコネクタの本体部または壁部が当接されることで規制可能とされるので、支持部材における取付完了位置へ向けて遊技ユニットを変位させる際、及び、取付完了位置から遊技ユニットを変位させる際には、台座に対するコネクタ（本体部）の接続の方向または解除の方向への変位を規制できるので、ユニット側コネクタ及び支持側コネクタの接続およびその接続の解除を確実に行うことができる。
【０５７７】
遊技機Ｅ１において、前記台座に対して前記コネクタを前記接続の方向と直交する方向に位置決めする位置決め手段を備えることを特徴とする遊技機Ｅ２。
【０５７８】
ここで、上述した遊技機（特開２０１３−８１８１８号）、即ち、ユニット側コネクタ又は支持側コネクタの少なくとも一方が、接続の方向と直交する方向への変位が許容された状態で保持される遊技機では、コネクタの配設位置が不安定となり、ユニット側コネクタと支持側コネクタとの接続を開始する際に、これら両コネクタどうしが衝突して破損するおそれがあるという問題点があった。
【０５７９】
これに対し、遊技機Ｅ２によれば、遊技機Ｅ１の奏する効果に加え、コネクタの接続の方向に直交する方向における配設位置を位置決め手段により所定位置（初期位置）に位置決めできるので、ユニット側コネクタと支持側コネクタとの接続を開始する際に、台座に対してコネクタの配設位置が不用意に変化することを抑制できる。その結果、台座に対するコネクタの配設位置を安定させ、ユニット側コネクタと支持側コネクタとの接続開始時に、これら両コネクタどうしが衝突して破損することを抑制することができる。
【０５８０】
遊技機Ｅ２において、前記台座の弾性片は、前記台座に対して前記コネクタが前記接続の方向と直交する方向へ変位される場合に前記コネクタに当接にして弾性変形可能とされることで、前記位置決め手段として形成されることを特徴とする遊技機Ｅ３。
【０５８１】
遊技機Ｅ３によれば、遊技機Ｅ２の奏する効果に加え、台座の弾性片が、台座に対してコネクタが接続の方向と直交する方向へ変位される場合にコネクタに当接にして弾性変形可能に形成されるので、台座に対するコネクタの配設位置を弾性片により所定位置（初期位置）に位置決めできる。即ち、台座に対するコネクタの接続の方向または解除の方向への変位を規制する手段と、台座に対するコネクタの接続の方向と直交する方向における配設位置を位置決めする手段（即ち、位置決め手段）との２つの手段を台座の弾性片に兼用させることができる。これにより、それぞれの手段を別々に設ける必要がないので、部品点数を低減でき、その分、部品コストや組み立て工数の削減を図ることができる。
【０５８２】
遊技機Ｅ３において、前記弾性片は、前記台座の内壁部から前記コネクタへ向けて張り出す張出部分と、その張出部分の張り出し先端から前記コネクタの前記挿通の方向に沿って延設され前記コネクタの前記接続の方向と直交する方向への変位に伴って前記台座の内壁部に近接または離間する方向へ向けて弾性変形される直線部分と、その直線部分の延設先端に形成され前記コネクタの本体部または壁部に当接されることで前記コネクタの前記挿通の方向と反対方向への変位を規制する延設部分と、を備えることを特徴とする遊技機Ｅ４。
【０５８３】
遊技機Ｅ４によれば、遊技機Ｅ３の奏する効果に加え、弾性片が、台座の内壁部からコネクタへ向けて張り出す張出部分と、その張出部分の張り出し先端からコネクタの挿通の方向に沿って延設される直線部分と、その直線部分の延設先端に形成され延設部分とからなるので、直線部分が台座の内壁部に近接または離間する方向へ向けて弾性変形することで、コネクタの接続方向と直交する方向における配設位置を位置決めすることができると共に、延設部分がコネクタの本体部または壁部に当接されることで、コネクタの挿通の方向と反対方向への変位を規制することができる。
即ち、台座に対するコネクタの接続の方向または解除の方向への変位を規制する手段と、台座に対するコネクタの接続の方向と直交する方向における配設位置を位置決めする手段（即ち、位置決め手段）との２つの手段を台座の弾性片が兼用する場合に、これら変位の規制の機能および位置決めの機能を弾性片に確実に発揮させることができる。
【０５８４】
遊技機Ｅ４において、前記弾性片は、前記張出部分の張り出し方向における長さ寸法に対して、前記直線部分の延設方向における長さ寸法が大きくされることを特徴とする遊技機Ｅ５。
【０５８５】
遊技機Ｅ５によれば、遊技機Ｅ４の奏する効果に加え、前記張出部分の張り出し方向における長さ寸法に対して、前記直線部分の延設方向における長さ寸法が大きくされるので、台座の内壁面へ近接または離間する方向には、直線部分の変形性を確保することができ、コネクタの接続の方向と直交する方向への変位を許容しやすくできる一方、直線部分の延設方向（即ち、コネクタの挿通の方向に沿う方向）には、弾性片全体としての変形を抑制することができるので、コネクタの本体部または壁部と規制部との当接が解除されることを抑制でき、その結果、コネクタの挿通の方向と反対方向への変位を延設部分により確実に規制することができる。
【０５８６】
遊技機Ｅ３からＥ５のいずれかにおいて、前記弾性片は、前記接続の方向と直交する方向のうちの第１の方向に沿って一対が配設されると共に、それら一対の弾性片の間に前記コネクタが配設されることを特徴とする遊技機Ｅ６。
【０５８７】
遊技機Ｅ６によれば、遊技機Ｅ３からＥ５のいずれかの奏する効果に加え、一対の弾性片の間にコネクタが配設されるので、台座に対するコネクタの第１の方向における配設位置を一対の弾性片により両方向から所定位置（初期位置）に位置決めでき、台座に対してコネクタの配設位置が変化することを第１の方向における両方向で抑制できる。その結果、台座に対するコネクタの配設位置が更に安定するので、ユニット側コネクタと支持側コネクタとの接続を開始する際に、これら両コネクタどうしが衝突して破損することをより確実に抑制することができる。
【０５８８】
また、台座に対するコネクタの挿通の方向と反対方向への変位を一対の弾性片によりコネクタの両側２か所で規制できるので、かかるコネクタの挿通の方向と反対方向への変位を確実に規制できる。即ち、支持部材における取付完了位置へ向けて遊技ユニットを変位させる際、又は、取付完了位置から遊技ユニットを変位させる際には、台座に対するコネクタ（本体部）の接続の方向または解除の方向への変位をコネクタの両側の２か所で規制できるので、ユニット側コネクタ及び支持側コネクタの接続またはその接続の解除を確実に行うことができる。
【０５８９】
遊技機Ｅ１からＥ６のいずれかにおいて、前記弾性片は、前記コネクタの挿通の方向に沿って傾斜する傾斜面を備え、その傾斜面に前記コネクタが当接されることで、前記正面壁の開口に前記コネクタの本体部が挿通される過程において前記弾性片が弾性変形されることを特徴とする遊技機Ｅ７。
【０５９０】
遊技機Ｅ７によれば、遊技機Ｅ１からＥ６の奏する効果に加え、弾性片が、コネクタの挿通の方向に沿って傾斜する傾斜面を備え、その傾斜面にコネクタが当接されることで、正面壁の開口にコネクタの本体部が挿通される過程において弾性片が弾性変形されるので、かかる弾性片を弾性変形させるための動作を別途行う必要がなく、台座の開口へコネクタを挿通させる動作に伴って、弾性片を弾性変形させることができる。よって、台座に対してコネクタを組み付ける（開口へ挿通させる）動作と同時に弾性片を弾性変形させることができるので、台座とコネクタとの組み立てるために必要な工程を、台座に対してコネクタを一方向へ挿通させる動作のみとすることができる。これにより、台座とコネクタとの組み立て工程を簡素として、その分、組み立てコストの削減を図ることができる。
【０５９１】
電気部品が搭載される遊技ユニットと、その遊技ユニットを支持する支持部材とを備える遊技機において、前記遊技ユニットの前記支持部材に対面する側に配設されるユニット側コネクタと、前記支持部材の前記遊技ユニットに対面する側に配設され、前記支持部材における取付完了位置へ向けて前記遊技ユニットが変位されることで前記ユニット側コネクタと接続されると共に、前記支持部材における取付完了位置から前記遊技ユニットが変位されることで前記ユニット側コネクタとの接続が解除される支持側コネクタと、を備え、前記ユニット側コネクタ又は支持側コネクタの少なくとも一方は、前記遊技ユニットまたは支持部材に配設される台座と、その台座に前記接続の方向と直交する方向への変位が許容された状態で保持されるコネクタと、前記台座に対して前記コネクタが前記接続時に前記接続の方向に沿って変位することを規制する接続側規制手段と、前記台座に対して前記コネクタが前記接続の解除時に前記接続の方向に沿って変位することを規制する解除側規制手段と、を備え、前記接続側規制手段による規制位置と前記解除側規制手段による規制位置との間に所定の隙間が形成されていることを特徴とする遊技機Ｆ１。
【０５９２】
ここで、支持部材における取付完了位置へ向けて遊技ユニットが変位されることで、遊技ユニットのユニット側コネクタと支持部材の支持側コネクタとが接続される一方、支持部材における取付完了位置から遊技ユニットが変位されることで、遊技ユニットのユニット側コネクタと支持部材の支持側コネクタとの接続が解除される遊技機が知られている（特開２０１３−８１８１８号）。また、支持部材の前面には、前面側部材（前面枠）が配設されており、前面側部材は、幅方向一方の側縁が支持部材の幅方向一方の側縁に回転可能に軸支され、その軸支部分を中心に回転されることで、支持部材に対して開閉可能とされる。この場合、上述した遊技機では、例えば、遊技中に前面側部材を開いて作業を行おうとした際に、遊技ユニットが取付完了位置から不用意に変位されると、ユニット側コネクタ及び支持側コネクタの接続が解除され、遊技に影響を与えるおそれがあるという問題点があった。
【０５９３】
これに対し、遊技機Ｆ１によれば、接続側規制手段による規制位置と解除側規制手段による規制位置との間に所定の隙間が形成されているので、支持部材における取付完了位置から遊技ユニットが不用意に変位されたとしても、その変位が両規制手段による規制位置の間の隙間に相当する距離に達するまでの間（即ち、隙間が詰まるまでの間）は、ユニット側コネクタ及び支持側コネクタの接続の解除が開始されることを抑制できる。その結果、複数組の接点における接続を維持して、遊技への影響を抑制できる。
【０５９４】
遊技機Ｆ１において、前記ユニット側コネクタおよび支持側コネクタは、それらユニット側コネクタ及び支持側コネクタのそれぞれに配設される一対一組の接点を複数組備え、前記接続側規制手段による規制位置と前記解除側規制手段による規制位置との間に形成される所定の隙間は、前記複数組の接点の列設方向一側における隙間が、前記複数組の接点の列設方向他側における隙間よりも大きくされることを特徴とする遊技機Ｆ２。
【０５９５】
遊技機Ｆ２によれば、遊技機Ｆ１の奏する効果に加え、接続側規制手段による規制位置と解除側規制手段による規制位置との間に形成される所定の隙間は、複数組の接点の列設方向一側における隙間が、複数組の接点の列設方向他側における隙間よりも大きくされるので、支持部材における取付完了位置から遊技ユニットが変位された際には、複数組の接点の列設方向一側に配設される接点における接続の解除を、複数組の接点の列設方向他側に配設される接点における接続の解除よりも後とできる。よって、遊技ユニットが取付完了位置から不用意に変位され、ユニット側コネクタ及び支持側コネクタの接続が少し解除されてしまったとしても、複数組の接点の列設方向一側に配設される接点における接続を維持できる可能性を確保できる。その結果、複数組の接点のうちの少なくとも複数組の接点の列設方向一側に配設される接点における接続を維持できることで、その分、遊技への影響を抑制できる。
【０５９６】
遊技機Ｆ１又はＦ２において、前記支持部材の前面に配設されると共に幅方向一方の側縁が前記支持部材の幅方向一方の側縁に回転可能に軸支され前記幅方向一方の側縁を中心に回転されることで前記支持部材に対して開閉される前面側部材を備え、前記複数組の接点の列設方向が前記支持部材の幅方向に沿って配設されると共に、前記接続側規制手段による規制位置と前記解除側規制手段による規制位置との間に形成される所定の隙間は、前記支持部材の幅方向一方の側縁から遠い側における隙間が、前記支持部材の幅方向一方の側縁に近い側における隙間よりも大きくされることを特徴とする遊技機Ｆ３。
【０５９７】
遊技機Ｆ３によれば、遊技機Ｆ１又はＦ２の奏する効果に加え、遊技ユニットが取付完了位置から変位される際に、複数組の接点のうちで先に接続が解除されやすい位置（支持部材の幅方向一方の側縁から遠い側）に配置される接点の接続が解除されるタイミングを極力遅らせることができる。
【０５９８】
即ち、例えば、遊技中に、支持部材に対して前面側部材を遊技中に隣の遊技者の邪魔とならない程度に少し開いた状態で作業を行う場合、それら前面側部材と支持部材との間の開放部分から作業を行うこととなる。そのため、開放部分から遊技ユニットも操作されることから、作業者が遊技ユニットを不用意に変位させる態様としては、開放部分側となる遊技ユニットの幅方向他方の側縁を支部部材へ向けて変位させ、開放部分の奥側となる遊技ユニットの幅方向一方の側縁（支持部材の幅方向一方の側縁に近い側）を中心として遊技ユニットが回転動作される態様となる。
【０５９９】
このように遊技ユニットが回転動作される態様では、複数組の接点は、遊技ユニットの回転先端側（支持部材の幅方向一方の側縁から遠い側）に配置されるものほど先に接続が解除されやすくなるところ、かかる先に接続が解除されやすい側は、接続側規制手段による規制位置と解除側規制手段による規制位置との間に形成される所定の隙間が大きくされるので、遊技ユニットが取付完了位置から不用意に少し変位されとしても、先に接続が解除されやすい側における接続が解除されるタイミングを遅らせることができ、その結果、接続を維持できる可能性を確保できる。
【０６００】
遊技機Ｆ１又はＦ２において、前記支持部材の前面に配設されると共に幅方向一方の側縁が前記支持部材の幅方向一方の側縁に回転可能に軸支され前記幅方向一方の側縁を中心に回転されることで前記支持部材に対して開閉される前面側部材を備え、前記複数組の接点の列設方向が前記支持部材の幅方向に沿って配設されると共に、前記接続側規制手段による規制位置と前記解除側規制手段による規制位置との間に形成される所定の隙間は、前記支持部材の幅方向一方の側縁に近い側における隙間が、前記支持部材の幅方向一方の側縁から遠い側における隙間よりも大きくされることを特徴とする遊技機Ｆ４。
【０６０１】
遊技機Ｆ４によれば、遊技機Ｆ１又はＦ２の奏する効果に加え、遊技ユニットが取付完了位置から変位される際に、複数組の接点のうちで接続の解除が最後となりやすい位置（支持部材の幅方向一方の側縁に近い側）に配置される接点の接続が解除されるタイミングを更に遅らせることができるので、かかる接点の接続が不用意に解除されることを更に発生し難くできる。よって、不用意に解除されることで遊技への影響が大きな重要な信号線に対して本構成が特に有効となる。
【０６０２】
即ち、例えば、遊技中に、支持部材に対して前面側部材を遊技中に隣の遊技者の邪魔とならない程度に少し開いた状態で作業を行う場合、それら前面側部材と支持部材との間の開放部分から作業を行うこととなる。そのため、開放部分から遊技ユニットも操作されることから、作業者が遊技ユニットを不用意に変位させる態様としては、開放部分側となる遊技ユニットの幅方向他方の側縁を支部部材へ向けて変位させ、開放部分の奥側となる遊技ユニットの幅方向一方の側縁（支持部材の幅方向一方の側縁に近い側）を中心として遊技ユニットが回転動作される態様となる。
【０６０３】
このように遊技ユニットが回転動作される態様では、複数組の接点は、遊技ユニットの回転基端側（支持部材の幅方向一方の側縁に近い側）に配置されるものほど接続の解除が最後となりやすいところ、かかる接続の解除が最後となりやすい側は、接続側規制手段による規制位置と解除側規制手段による規制位置との間に形成される所定の隙間が大きくされるので、接続が解除されるタイミングを更に遅らせることができる。即ち、もともと接続が解除されるタイミングの遅い側に対して、隙間を大きく設定することで、その接続が解除されるタイミングを更に遅くすることができる。
【０６０４】
これにより、遊技ユニットが取付完了位置から不用意に少し変位されとしても、もともと接続が解除され難い側での接続が解除されることを更に発生し難くでき、その接続を維持できる可能性を更に確保しやすくできる。よって、不用意に解除されることで遊技への影響が大きな重要な信号線に対して本構成が特に有効となる。
【０６０５】
遊技機Ｆ２において、遊技の主たる制御を行う主制御手段と、その主制御手段からの指示に従った制御を行う副制御手段と、その副制御手段に接続される副側装置と、前記主制御装置に接続される主側装置と、を備え、複数組の接点の列設方向中央よりも少なくとも前記列設方向一側における接点により連結される電気的接続線は、前記主制御手段と副制御手段との間または前記主制御手段と主側装置との間を接続する電気的接続線であり、複数組の接点の列設方向中央よりも少なくとも前記列設方向他側における接点により連結される電気的接続線は、前記副制御手段と副側装置との間を接続する電気的接続線であることを特徴とする遊技機Ｆ５。
【０６０６】
遊技機Ｆ５によれば、遊技機Ｆ２の奏する効果に加え、複数組の接点の列設方向中央よりも少なくとも列設方向一側（隙間が大きくされる側）における接点により連結される電気的接続線は、主制御手段と副制御手段との間または主制御手段と主側装置との間を接続する電気的接続線であり、複数組の接点の列設方向中央よりも少なくとも列設方向他側（隙間が小さくされる側）における接点により連結される電気的接続線は、副制御手段と副側装置との間を接続する電気的接続線であるので、接続が解除されると遊技への影響が比較的大きな部位となる接点（列設方向一側）の接続が解除されるタイミングを、接続が解除されたとしても遊技への影響が比較的小さな部位となる接点（列設方向他側）の接続が解除されるタイミングよりも遅らせることができる。これにより、遊技ユニットが取付完了位置から不用意に変位された場合の遊技への影響を抑制できる。
【０６０７】
遊技機Ｆ５において、前記副側装置が音声出力、表示手段または発光手段に関するものであることを特徴とする遊技機Ｆ６。
【０６０８】
遊技機Ｆ６によれば、遊技機Ｆ５の奏する効果に加え、遊技ユニットが取付完了位置から不用意に変位され、ユニット側コネクタ及び支持側コネクタの接続の解除が複数組の接点の一部で開始された場合に、遊技ユニットの不用意な変位を早期に停止させやすくできる。その結果、ユニット側コネクタ及び支持側コネクタの接続が完全に解除されることを回避して、遊技への影響を抑制できる。
【０６０９】
即ち、複数組の接点の列設方向中央よりも少なくとも列設方向他側（隙間が小さくされる側）における接点により連結される電気的接続線が、副制御手段と副側装置との間を接続する電気的接続線であり、その副側装置が、音声出力、表示または発光に関するものであるので、遊技中に、遊技ユニットが取付完了位置から不用意に変位され、ユニット側コネクタ及び支持側コネクタの接続の解除が一部で開始されることで、先に、複数組の接点の列設方向中央よりも少なくとも列設方向他側（隙間が小さくされる側）における接点の接続が解除されると、遊技における音声出力、表示または発光が停止されるので、かかる音声出力、表示または発光が停止されることに基づいて、作業者に対して、遊技ユニットを不用意に変位させていることを気付かせることができる。これにより、遊技ユニットの不用意な変位を早期に停止させやすくでき、その結果、ユニット側コネクタ及び支持側コネクタの接続が完全に解除されることを回避して、遊技への影響を抑制できる。
【０６１０】
遊技機Ｆ１からＦ６のいずれかにおいて、前記接続の方向に沿って弾性変形可能に形成され、前記接続の方向における前記コネクタの前記台座に対する配設位置を、前記接続側規制手段により前記コネクタの変位が規制される位置に位置決めする位置決め突部を備えることを特徴とする遊技機Ｆ７。
【０６１１】
遊技機Ｆ７によれば、遊技機Ｆ１からＦ６のいずれかの奏する効果に加え、コネクタの接続の方向における配設位置を位置決め突部により所定位置（初期位置）に位置決めできるので、ユニット側コネクタと支持側コネクタとの接続を開始する際に、台座に対してコネクタの配設位置が不用意に変化することを抑制できる。特に、位置決め突部により設定される初期位置が、接続側規制手段によりコネクタの変位が規制される位置であるので、台座に対するコネクタの配設位置を相手のコネクタとの接続を開始するのに適した位置に配置することができる。その結果、ユニット側コネクタと支持側コネクタとの接続開始時に、これら両コネクタどうしが衝突して破損することを抑制することができる。
【０６１２】
電気部品が搭載される遊技ユニットと、その遊技ユニットを支持する支持部材とを備える遊技機において、前記遊技ユニットの前記支持部材に対面する側に配設されるユニット側コネクタと、前記支持部材の前記遊技ユニットに対面する側に配設され、前記支持部材における取付完了位置へ向けて前記遊技ユニットが変位されることで前記ユニット側コネクタと接続されると共に、前記支持部材における取付完了位置から前記遊技ユニットが変位されることで前記ユニット側コネクタとの接続が解除される支持側コネクタと、を備え、前記ユニット側コネクタおよび支持側コネクタは、それらユニット側コネクタ及び支持側コネクタのそれぞれに配設される一対一組の接点を複数組備え、前記支持部材における取付完了位置から前記遊技ユニットが変位され、前記ユニット側コネクタ及び支持側コネクタの接続の解除が行われる場合には、かかる接続の解除が前記複数組の接点において同時に行われることを特徴とする遊技機Ｇ１。
【０６１３】
ここで、支持部材における取付完了位置へ向けて遊技ユニットが変位されることで、遊技ユニットのユニット側コネクタと支持部材の支持側コネクタとが接続される一方、支持部材における取付完了位置から遊技ユニットが変位されることで、遊技ユニットのユニット側コネクタと支持部材の支持側コネクタとの接続が解除される遊技機が知られている（特開２０１３−８１８１８号）。また、支持部材の前面には、前面側部材（前面枠）が配設されており、前面側部材は、幅方向一方の側縁が支持部材の幅方向一方の側縁に回転可能に軸支され、その軸支部分を中心に回転されることで、支持部材に対して開閉可能とされる。この場合、上述した遊技機では、例えば、遊技中に前面側部材を開いて作業を行おうとした際に、遊技ユニットが取付完了位置から不用意に変位されると、ユニット側コネクタ及び支持側コネクタの接続が、複数組の接点のうちの一部の組において解除され、遊技に影響を与えるおそれがあるという問題点があった。
【０６１４】
これに対し、遊技機Ｇ１によれば、支持部材における取付完了位置から遊技ユニットが変位され、ユニット側コネクタ及び支持側コネクタの接続の解除が行われる場合には、かかる接続の解除が複数組の接点において同時に行われるので、複数組の接点において、電気的に接続（導通）されている組と解除（切断）されている組とが混在せず、導通や切断のタイムラグ（タイミングの差）を発生させないので、遊技への影響を抑制することができる。
【０６１５】
遊技機Ｇ１において、前記複数組の接点は、前記一対の接点のうちの一方の接点の一端が、前記接続方向に沿ってそれぞれ異なる位置に配置されることを特徴とする遊技機Ｇ２。
【０６１６】
遊技機Ｇ２によれば、遊技機Ｇ１の奏する効果に加え、複数組の接点は、一対の接点のうちの一方の接点の一端が、接続方向に沿ってそれぞれ異なる位置に配置されるので、遊技ユニットが取付完了位置から変位され、ユニット側コネクタ及び支持側コネクタの接続の解除が行われる場合には、かかる接続の解除を複数組の接点において同時に行わせることができる。この場合、遊技機Ｄ２によれば、遊技機Ｇ１の奏する効果に加え、各接点の延設長さをそれぞれ異なる延設長さに設定するか、各接点の配設位置をそれぞれ接続の方向に沿ってずらしておけば良く、複雑な構造を採用する必要がない。よって、構造の簡素化を図ることができる。
【０６１７】
遊技機Ｇ２において、前記ユニット側コネクタ又は支持側コネクタの一方は、直線状に延設されるガイド溝を備えると共に、前記ユニット側コネクタ又は支持側コネクタの他方は、前記ガイド溝に沿って案内される被ガイド部を備え、前記複数組の接点は、前記ガイド溝の延設方向に沿って延設されることを特徴とする遊技機Ｇ３。
【０６１８】
遊技機Ｄ３によれば、遊技機Ｄ２の奏する効果に加え、ガイド溝が直線状に延設され、そのガイド溝の延設方向に沿って被ガイド部が案内されることで、ユニット側コネクタ及び支持側コネクタの解除が進行されるところ、複数組の接点は、ガイド溝の延設方向に沿って延設されるので、遊技ユニットが取付完了位置から変位される際に、一の組における接点を接続された状態に維持しやすくでき、その結果、ユニット側コネクタ及び支持側コネクタの接続の解除が行われる場合に、かかる接続の解除を複数組の接点において同時に行わせやすくできる。
【０６１９】
遊技機Ｇ１からＧ３のいずれかにおいて、前記支持部材の前面に配設されると共に幅方向一方の側縁が前記支持部材の幅方向一方の側縁に回転可能に軸支され前記幅方向一方の側縁を中心に回転されることで前記支持部材に対して開閉される前面側部材を備え、前記複数組の接点は、前記一対の接点のうちの一方の接点の一端が、前記支持部材の幅方向一方の側縁から離間するものほど前記接続方向先端側に配置されることを特徴とする遊技機Ｇ４。
【０６２０】
遊技機Ｇ４によれば、遊技機Ｇ１からＧ３のいずれかの奏する効果に加え、遊技ユニットが取付完了位置から変位され、ユニット側コネクタ及び支持側コネクタの接続の解除が行われる場合には、かかる接続の解除を複数組の接点において同時に行わせることができる。
【０６２１】
即ち、例えば、遊技中に、支持部材に対して前面側部材を隣の遊技者の邪魔とならない程度に少し開いた状態として作業を行う場合、それら前面側部材と支持部材との間の開放部分から作業を行うこととなる。そのため、開放部分から遊技ユニットも操作されることから、作業者が遊技ユニットを不用意に変位させる態様としては、開放部分側となる遊技ユニットの幅方向他方の側縁を支部部材へ向けて変位させ、開放部分の奥側となる遊技ユニットの幅方向一方の側縁（支持部材の幅方向一方の側縁側）を中心として遊技ユニットが回転動作される態様となる。
【０６２２】
このように遊技ユニットが回転動作される態様では、複数組の接点は、遊技ユニットの回転先端側（支持部材の幅方向一方の側縁から遠い側）に配置されるものほど先に接続が解除されやすくなるところ、一対の接点のうちの一方の接点の一端は、支持部材の幅方向一方の側縁から離間するものほど接続方向先端側に配置されるので、遊技ユニットが取付完了位置から不用意に変位され、ユニット側コネクタ及び支持側コネクタの接続の解除が行われる場合には、かかる接続の解除を複数組の接点において同時に行わせやすくすることができる。
【０６２３】
遊技機Ｇ１からＧ４のいずれかにおいて、前記遊技ユニットの幅方向一方の側縁が前記支持部材の幅方向一方の側縁に回転可能に軸支され、前記複数組の接点は、前記一対の接点のうちの一方の接点の一端が、前記遊技ユニットの幅方向一方の側縁から離間するものほど前記接続方向先端側に配置されることを特徴とする遊技機Ｇ５。
【０６２４】
遊技機Ｇ５によれば、遊技機Ｇ１からＧ４のいずれかの奏する効果に加え、遊技ユニットが取付完了位置から変位され、ユニット側コネクタ及び支持側コネクタの接続の解除が行われる場合には、かかる接続の解除を複数組の接点において同時に行わせることができる。即ち、遊技ユニットの幅方向一方の側縁が支持部材の幅方向一方の側縁に回転可能に軸支されるので、複数組の接点は、遊技ユニットの回転先端側（遊技ユニットおよび支持部材の幅方向一方の側縁から遠い側）に配置されるものほど先に接続が解除されやすくなるところ、一対の接点のうちの一方の接点の一端は、遊技ユニット（支持部材）の幅方向一方の側縁から離間するものほど接続方向先端側に配置されるので、遊技ユニットが取付完了位置から不用意に変位され、ユニット側コネクタ及び支持側コネクタの接続の解除が行われる場合には、かかる接続の解除を複数組の接点において同時に行わせやすくすることができる。
【０６２５】
なお、遊技機Ｇ４又はＧ５において、一対の接点のうちの一方の接点の一端を、接続の方向に沿ってそれぞれ位置をずらして配置する場合に、それぞれの接点の一端を通過して形成される仮想線は、直線状であっても良く、曲線状であっても良く、或いは、直線および曲線を組み合わせた形状であっても良い。
【０６２６】
遊技機Ａ１からＡ１７，Ｂ１からＢ６，Ｃ１からＣ６，Ｄ１からＤ７，Ｅ１からＥ７，Ｆ１からＦ７，Ｇ１からＧ５のいずれかにおいて、前記遊技機はスロットマシンであることを特徴とする遊技機Ｋ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０６２７】
遊技機Ａ１からＡ１７，Ｂ１からＢ６，Ｃ１からＣ６，Ｄ１からＤ７，Ｅ１からＥ７，Ｆ１からＦ７，Ｇ１からＧ５のいずれかにおいて、前記遊技機はパチンコ遊技機であることを特徴とする遊技機Ｋ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示される識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０６２８】
遊技機Ａ１からＡ１７，Ｂ１からＢ６，Ｃ１からＣ６，Ｄ１からＤ７，Ｅ１からＥ７，Ｆ１からＦ７，Ｇ１からＧ５のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成される遊技機」となる。
【符号の説明】
【０６２９】
１０                パチンコ機（遊技機）
１２                内枠（支持部材）
１３                遊技盤ユニット（遊技ユニット）
１４                前面枠（前面側部材）
２２                枠ボタン（副側装置）
６０ｂ              底面
６０ｂ２            第２底面（底面）
７５                配線保持部材（保持部）
１１０              主制御装置（主制御手段）
１１１              払出制御装置（副制御手段）
１１２              発射制御装置（副側装置）
１１３              音声ランプ制御装置（副制御手段）
１１４              表示制御装置（福制御手段）
１１５              電源装置（主側装置）
２０８              各種スイッチ（主側装置）
２０９              ソレノイド（主側装置）
２１６              払出モータ２１６（副側装置）
２２６              音声出力装置（副側装置）
２２７              ランプ表示装置（副側装置）
２２８              その他装置（副側装置）
３７１，３７ｂ      第１図柄表示装置（主側装置）
３００Ａ，８３００Ａ，９３００Ａ，１０３００Ａ，１１３００Ａ  遊技盤側コネクタ（ユニット側コネクタ）
４００              台座
４１１              第１正面板（正面壁の一部）
４１１ａ，４１２ａ  中間正面板（接続側規制部、解除側規制部、ストッパ手段および台座側ストッパ手段の一部）
４１１ｂ，４１２ｂ  基端側正面板（接続側規制部、解除側規制部）
４１１ｃ，４１２ｃ  先端側正面板（接続側規制部、ストッパ手段および台座側ストッパ手段の一部）
４１２              第２正面板（正面壁の一部）
４１４，４１５      短手側壁板（側壁）
４１６，４１７      長手側壁板（側壁）
４１６ａ            切り欠き部（当接部）
４２１              第１開口（開口）
４２２              第２開口（開口）
４２１ａ，４２２ａ  中央開口（開口の一部）
４２１ｂ，４２２ｂ  基端側開口（開口の一部）
４２１ｃ，４２２ｃ  先端側開口（開口の一部）
４３１              基端側固定部（被締結部）
４３２              中間固定部（被締結部）
４３２ａ            受け面
４３３              先端側固定部（被締結部）
４４１，８４４１，９４４１  第１基端側弾性片（弾性片、位置決め手段）
８４４１ａ，８４５１ａ  張出部分
８４４１ｂ，８４５１ｂ  直線部分
８４４１ｃ，８４５１ｃ  延設部分
ＳＬ１，ＳＲ１      傾斜面
４５１，８４５１，９４５１  第１先端側弾性片（弾性片、位置決め手段）
４５１ｃ            延設部分（解除側規制部、規制部）
４４２，８４４２，９４４２  第２基端側弾性片（弾性片、位置決め手段）
８４４２ａ，８４５２ａ  張出部分
８４４２ｂ，８４５２ｂ  直線部分
８４４２ｃ，８４５２ｃ  延設部分
ＳＬ２，ＳＲ２      傾斜面
４５２，８４５２，９４５２  第２先端側弾性片（弾性片、位置決め手段）
５００              第１オスコネクタ（コネクタ）
５１０，６１０      ハウジング（本体部）
５２０，４５２０，５５２０，６５２０，７５２０  接点部材（接点）
５３０              被ガイド部
５４１              基端側正面板（第１壁部またた第２壁部の一方、壁部）
５４２              先端側正面板（第１壁部またた第２壁部の一方、壁部）
５４３              側部正面板（第１壁部またた第２壁部の一方、壁部）
５５１              基端側背面板（第１壁部またた第２壁部の他方、壁部）
５５２              先端側背面板（第１壁部またた第２壁部の他方、壁部）
５５２ｂ            延設部（弾性係合片）
１０５５２ｂ１      位置決め突部
５５２ｃ            係合部（ストッパ手段およびコネクタ側ストッパ手段の一部）
５５３              側部背面板（第１壁部またた第２壁部の他方、壁部）
５６１              基端側係合面（ストッパ手段およびコネクタ側ストッパ手段の一部）
５６２              先端側係合面（ストッパ手段およびコネクタ側ストッパ手段の一部）
６００              第２オスコネクタ（コネクタ）
３００Ｂ            内枠側コネクタ（支持側コネクタ）
７０２              第２仮置き部（案内面部材）
８２０              接点部材（接点）
８３０              ガイド溝
ＷＨ                電気的接続線
【図１】
2020058907.tif 000003
【図２】
2020058907.tif 000004
【図３】
2020058907.tif 000005
【図４】
2020058907.tif 000006
【図５】
2020058907.tif 000007
【図６】
2020058907.tif 000008
【図７】
2020058907.tif 000009
【図８】
2020058907.tif 000010
【図９】
2020058907.tif 000011
【図１０】
2020058907.tif 000012
【図１１】
2020058907.tif 000013
【図１２】
2020058907.tif 000014
【図１３】
2020058907.tif 000015
【図１４】
2020058907.tif 000016
【図１５】
2020058907.tif 000017
【図１６】
2020058907.tif 000018
【図１７】
2020058907.tif 000019
【図１８】
2020058907.tif 000020
【図１９】
2020058907.tif 000021
【図２０】
2020058907.tif 000022
【図２１】
2020058907.tif 000023
【図２２】
2020058907.tif 000024
【図２３】
2020058907.tif 000025
【図２４】
2020058907.tif 000026
【図２５】
2020058907.tif 000027
【図２６】
2020058907.tif 000028
【図２７】
2020058907.tif 000029
【図２８】
2020058907.tif 000030
【図２９】
2020058907.tif 000031
【図３０】
2020058907.tif 000032
【図３１】
2020058907.tif 000033
【図３２】
2020058907.tif 000034
【図３３】
2020058907.tif 000035
【図３４】
2020058907.tif 000036
【図３５】
2020058907.tif 000037
【図３６】
2020058907.tif 000038
【図３７】
2020058907.tif 000039
【図３８】
2020058907.tif 000040
【図３９】
2020058907.tif 000041
【図４０】
2020058907.tif 000042
【図４１】
2020058907.tif 000043
【図４２】
2020058907.tif 000044
【図４３】
2020058907.tif 000045
【図４４】
2020058907.tif 000046
【図４５】
2020058907.tif 000047
【図４６】
2020058907.tif 000048
【図４７】
2020058907.tif 000049
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
電気部品が搭載される遊技ユニットと、その遊技ユニットを支持する支持部材とを備える遊技機において、
前記遊技ユニットの前記支持部材に対面する側に配設されるユニット側コネクタと、
前記支持部材の前記遊技ユニットに対面する側に配設され、前記支持部材における取付完了位置へ向けて前記遊技ユニットが変位されることで前記ユニット側コネクタと接続され、前記支持部材における取付完了位置から前記遊技ユニットが変位されることで前記ユニット側コネクタとの接続が解除される支持側コネクタと、を備え、
前記ユニット側コネクタ又は支持側コネクタの少なくとも一方は、前記遊技ユニットまたは支持部材に配設される台座と、その台座に前記接続の方向と直交する方向への変位が許容された状態で保持されるコネクタと、を備え、
前記コネクタは、本体部と、その本体部から張り出す張出部と、を備え、
前記台座は、前記コネクタの本体部が挿通可能に形成される開口を有する正面壁と、その正面壁の開口に前記コネクタの本体部が挿通される過程において弾性変形される弾性片と、を備え、
前記弾性片は、前記台座の内壁に一体に形成され前記コネクタ側へ張り出す第２張出部と、その第２張出部に一端が接続され前記台座の内壁に所定間隔を隔てて対向配置される直線部と、その直線部の他端から前記コネクタ側へ向けて延設される延設部とを備え、
前記台座の正面壁の正面または背面から前記コネクタの本体部が前記台座の弾性片を弾性変形させつつ前記正面壁の開口に挿通され、前記コネクタの本体部が所定位置に達して前記弾性片が弾性回復されることで、前記台座とコネクタとの組み立てが完了され、前記コネクタの前記挿通の方向への変位が、前記台座の正面壁に前記コネクタの張出部が当接されることで規制可能とされ、前記コネクタの前記挿通の方向と反対方向への変位が、前記台座の弾性片の前記延設部に前記コネクタの本体部または張出部が当接されることで規制可能とされることを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機などの遊技機に関するものである。
【背景技術】
【０００２】
パチンコ機等の遊技機において、支持部材における取付完了位置へ向けて遊技ユニットが変位されることで、遊技ユニットのユニット側コネクタと支持部材の支持側コネクタとが接続される一方、支持部材における取付完了位置から遊技ユニットが変位されることで、遊技ユニットのユニット側コネクタと支持部材の支持側コネクタとの接続が解除される遊技機が知られている（特許文献１）。
【０００３】
支持部材の前面には、前面側部材（前面枠）が配設されており、前面側部材は、幅方向一方の側縁が支持部材の幅方向一方の側縁に回転可能に軸支され、その軸支部分を中心に回転されることで、支持部材に対して開閉可能とされる。
【先行技術文献】
【特許文献】
【０００４】
【特許文献１】特開２０１３−８１８１８号公報
【発明の概要】
【発明が解決しようとする課題】
【０００５】
しかしながら、上述した従来の遊技機では、組み立てコストが嵩むという問題点があった。
【０００６】
本発明は、上記例示した問題点を解決するためになされたものであり、組み立てコストを抑制できる遊技機を提供することを目的とする。
【課題を解決するための手段】
【０００７】
この目的を達成するために請求項１記載の遊技機は、電気部品が搭載される遊技ユニットと、その遊技ユニットを支持する支持部材とを備えるものであり、前記遊技ユニットの前記支持部材に対面する側に配設されるユニット側コネクタと、前記支持部材の前記遊技ユニットに対面する側に配設され、前記支持部材における取付完了位置へ向けて前記遊技ユニットが変位されることで前記ユニット側コネクタと接続され、前記支持部材における取付完了位置から前記遊技ユニットが変位されることで前記ユニット側コネクタとの接続が解除される支持側コネクタと、を備え、前記ユニット側コネクタ又は支持側コネクタの少なくとも一方は、前記遊技ユニットまたは支持部材に配設される台座と、その台座に前記接続の方向と直交する方向への変位が許容された状態で保持されるコネクタと、を備え、前記コネクタは、本体部と、その本体部から張り出す張出部と、を備え、前記台座は、前記コネクタの本体部が挿通可能に形成される開口を有する正面壁と、その正面壁の開口に前記コネクタの本体部が挿通される過程において弾性変形される弾性片と、を備え、前記弾性片は、前記台座の内壁に一体に形成され前記コネクタ側へ張り出す第２張出部と、その第２張出部に一端が接続され前記台座の内壁に所定間隔を隔てて対向配置される直線部と、その直線部の他端から前記コネクタ側へ向けて延設される延設部とを備え、前記台座の正面壁の正面または背面から前記コネクタの本体部が前記台座の弾性片を弾性変形させつつ前記正面壁の開口に挿通され、前記コネクタの本体部が所定位置に達して前記弾性片が弾性回復されることで、前記台座とコネクタとの組み立てが完了され、前記コネクタの前記挿通の方向への変位が、前記台座の正面壁に前記コネクタの張出部が当接されることで規制可能とされ、前記コネクタの前記挿通の方向と反対方向への変位が、前記台座の弾性片の前記延設部に前記コネクタの本体部または張出部が当接されることで規制可能とされる。
【０００８】
【０００９】
【発明の効果】
【００１０】
請求項１記載の遊技機によれば、組み立てコストの削減を図ることできる。
【００１１】
【００１２】
【００１３】
【００１４】
【図面の簡単な説明】
【００１５】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】遊技盤ユニットが取り外された状態における内枠の斜視図である。
【図６】遊技盤ユニットが取り外された状態における内枠の正面図である。
【図７】内枠側コネクタの正面斜視図である。
【図８】遊技盤ユニットの背面図である。
【図９】図８の矢印ＩＸ方向視における遊技盤ユニットの底面図である。
【図１０】遊技盤側コネクタの正面斜視図である。
【図１１】（ａ）は、遊技盤側コネクタの正面図であり、（ｂ）は、図１１（ａ）の矢印ＸＩｂ方向視における遊技盤側コネクタの側面図である。
【図１２】台座の正面斜視図である。
【図１３】（ａ）は、台座の正面図であり、（ｂ）は、図１３（ａ）の矢印ＸＩＩＩｂ方向視における台座の側面図である。
【図１４】（ａ）は、図１３（ａ）のＸＩＶａ−ＸＩＶａ線における台座０の断面図であり、（ｂ）は、図１３（ａ）のＸＩＶｂ−ＸＩＶｂ線における台座の断面図である。
【図１５】第１オスコネクタの正面斜視図である。
【図１６】（ａ）は、第１オスコネクタの正面図であり、（ｂ）は、図１６（ａ）の矢印ＸＶＩｂ方向視における第１オスコネクタの側面図である。
【図１７】（ａ）は、図１６（ａ）の矢印ＸＶＩＩａ方向視における第１オスコネクタの側面図である。（ｂ）は、図１６（ａ）の矢印ＸＶＩＩｂ方向視における第１オスコネクタの側面図である。
【図１８】第２オスコネクタの正面斜視図である。
【図１９】図１１（ａ）のＸＩＸ−ＸＩＸ線における遊技盤側コネクタの断面図である。
【図２０】（ａ）は、台座に対して第１オスコネクタ及び第２オスコネクタが矢印Ｒ方向へ変位された状態における遊技盤側コネクタの正面図であり、（ｂ）は、図２０（ａ）におけるＸＸｂ−ＸＸｂ線における遊技盤側コネクタの断面図である。
【図２１】（ａ）は、台座に対して第１オスコネクタ及び第２オスコネクタが矢印Ｌ方向へ変位された状態における遊技盤側コネクタの正面図であり、（ｂ）は、図２１（ａ）におけるＸＸＩｂ−ＸＸＩｂ線における遊技盤側コネクタの断面図である。
【図２２】（ａ）は、台座に対して第１オスコネクタ及び第２オスコネクタが矢印Ｕ方向へ変位された状態における遊技盤側コネクタの正面図であり、（ｂ）は、台座に対して第１オスコネクタ及び第２オスコネクタが矢印Ｕ方向へ変位された状態における遊技盤側コネクタの正面図である。
【図２３】遊技盤側コネクタ３００Ａの組み立て工程を時系列で示す台座および第１オスコネクタの部分断面側面図である。
【図２４】遊技盤側コネクタ３００Ａの組み立て工程を時系列で示す台座および第１オスコネクタの部分断面側面図である。
【図２５】（ａ）は、第２実施形態における内枠および遊技盤ユニットの側面模式図であり、（ｂ）は、第３実施形態における内枠および遊技盤ユニットの側面模式図でありる。
【図２６】（ａ）は、第１メスコネクタの正面図であり、（ｂ）は、図２６（ａ）のＸＸＶＩｂ−ＸＸＶＩｂ線における第１メスコネクタの断面図である。
【図２７】（ａ）は、第４実施形態における第１オスコネクタの正面図であり、（ｂ）は、図２７（ａ）の矢印ＸＸＶＩＩｂ方向視における第１オスコネクタの側面図である。
【図２８】第１オスコネクタ及び第１メスコネクタの接続および解除の動作を説明するための模式図である。
【図２９】（ａ）は、第５実施形態における第１オスコネクタの正面図であり、（ｂ）は、図２９（ａ）の矢印ＸＸＩＸｂ方向視における第１オスコネクタの側面図である。
【図３０】第１オスコネクタ及び第１メスコネクタの接続および解除の動作を説明するための模式図である。
【図３１】（ａ）は、第６実施形態における第１オスコネクタの正面図であり、（ｂ）は、図３１（ａ）の矢印ＸＸＸＩｂ方向視における第１オスコネクタの側面図である。
【図３２】第７実施形態における第１オスコネクタの正面斜視図である。
【図３３】（ａ）は、第１オスコネクタの正面図であり、（ｂ）は、図３３（ａ）の矢印ＸＸＸＩＩＩｂ方向視における第１オスコネクタの側面図である。
【図３４】（ａ）は、第８実施形態における遊技盤側コネクタの正面図であり、（ｂ）は、図３４（ａ）のＸＸＸＩＶｂ−ＸＸＸＩＶｂ線における遊技盤側コネクタの断面図である。
【図３５】（ａ）は、台座の正面図であり、（ｂ）は、図３５（ａ）のＸＸＸＶｂ−ＸＸＸＶｂ線における台座の断面図である。
【図３６】第１オスコネクタの正面斜視図である。
【図３７】（ａ）は、第１オスコネクタの正面図であり、（ｂ）は、図３７（ａ）の矢印ＸＸＸＶＩＩｂ方向視における第１オスコネクタの側面図である。
【図３８】遊技盤側コネクタの組み立て工程を時系列で示す台座および第１オスコネクタの断面図である。
【図３９】（ａ）は、第９実施形態における遊技盤側コネクタの正面図であり、（ｂ）は、図３９（ａ）のＸＸＸＩＸｂ−ＸＸＸＩＸｂ線における遊技盤側コネクタの断面図である。
【図４０】（ａ）は、台座の正面図であり、（ｂ）は、図４０（ａ）のＸＸＸＸｂ−ＸＸＸＸｂ線における台座の断面図である。
【図４１】第１オスコネクタの正面斜視図である。
【図４２】（ａ）は、第１オスコネクタの正面図であり、（ｂ）は、図４２（ａ）の矢印ＸＸＸＸＩＩｂ方向視における第１オスコネクタの側面図である。
【図４３】遊技盤側コネクタの組み立て工程を時系列で示す台座および第１オスコネクタの断面図である。
【図４４】（ａ）は、第１０実施形態における第１オスコネクタの正面図であり、（ｂ）は、図４４（ａ）のＸＸＸＸＩＶｂ−ＸＸＸＸＩＶｂ線における第１オスコネクタの断面図である。
【図４５】（ａ）及び（ｂ）は、台座の一部を断面視した状態における遊技盤側コネクタの部分拡大側面図である。
【図４６】（ａ）は、第１１実施形態における第１オスコネクタの正面図であり、（ｂ）は、図４６（ａ）のＸＸＸＸＶＩｂ−ＸＸＸＸＶＩｂ線における第１オスコネクタの断面図である。
【図４７】（ａ）及び（ｂ）は、台座の一部を断面視した状態における遊技盤側コネクタの部分拡大側面図である。
【発明を実施するための形態】
【００１６】
以下、本発明の実施形態について、添付図面を参照して説明する。まず、図１から図３５を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤ユニット１３の正面図であり、図３はパチンコ機１０の背面図である。
【００１７】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持される。
【００１８】
内枠１２には、多数の釘や入賞口６３，６４、可変入賞装置６５，６５０等の電気部品を有する遊技盤ユニット１３（図２参照）が正面側から着脱可能に装着される。この遊技盤ユニット１３（ベース板６０）の前面を球（遊技球）が流下することにより弾球遊技が行われる。なお、内枠１２には、球を遊技盤ユニット１３の前面領域に発射する球発射ユニット１１２ａ（図４及び図５参照）やその球発射ユニット１１２ａから発射された球を遊技盤ユニット１３の前面領域まで誘導する発射レール１１２ａ１（図５参照）等が取り付けられている。
【００１９】
内枠１２の前面側には、その前面上側を覆う前面枠１４と、その下側を覆う下皿ユニット１５とが設けられている。前面枠１４及び下皿ユニット１５を支持するために正面視（図１参照）左側の上下２カ所に金属製のヒンジ１９が取り付けられ、そのヒンジ１９が設けられた側を開閉の軸として前面枠１４及び下皿ユニット１５が正面手前側へ開閉可能に支持される。なお、内枠１２の施錠と前面枠１４の施錠とは、シリンダ錠２０の鍵穴２１に専用の鍵を差し込んで所定の操作を行うことでそれぞれ解除される。
【００２０】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１６が配設され、そのガラスユニット１６を介して遊技盤ユニット１３の前面がパチンコ機１０の正面側に視認可能となっている。
【００２１】
前面枠１４には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００２２】
前面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前面枠１４の正面視（図１参照）左上部には、ＬＥＤ等の発光手段が内蔵され賞球の払い出し中とエラー発生時とを表示可能な表示ランプ３４が設けられている。
【００２３】
また、右側の電飾部３２下側には、前面枠１４の裏面側を視認できるように裏面側より透明樹脂を取り付けて小窓３５が形成され、遊技盤ユニット１３（ベース板６０）前面の貼着スペースＫ１（図２参照）に貼付される証紙等がパチンコ機１０の前面から視認可能とされる。また、パチンコ機１０においては、より煌びやかさを醸し出すために、電飾部２９〜３３の周りの領域にクロムメッキを施したＡＢＳ樹脂製のメッキ部材３６が取り付けられている。
【００２４】
窓部１４ｃの下方には、貸球操作部４０が配設される。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２５】
上皿１７の下側に位置する下皿ユニット１５には、その中央部に上皿１７に貯留しきれなかった球を貯留するための下皿５０が上面を開放した略箱状に形成される。下皿５０の右側には、球を遊技盤ユニット１３（ベース板６０）の前面へ打ち込むために遊技者によって操作される操作ハンドル５１が配設される。
【００２６】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵される。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤ユニット１３（ベース板６０）の前面へ球が打ち込まれる。また、操作ハンドル５１が遊技者により操作されていない状態においては、タッチセンサ５１ａおよび発射停止スイッチ５１ｂがオフとなっている。
【００２７】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２８】
図２に示すように、遊技盤ユニット１３は、正面視略正方形状に切削加工したベース板６０に、球案内用の多数の釘（図示せず）や風車の他、レール６１，６２、一般入賞口６３、第１入賞口６４、第２入賞口６４０、第一可変入賞装置６５、第２可変入賞装置６５０、スルーゲート６７、可変表示装置ユニット８０等、各種構造部品や電気部品を組み付けて構成され、その周縁部が内枠１２（図１参照）に着脱可能に取り付けられる。
【００２９】
ベース板６０は光透過性の樹脂材料からなり、その正面側からベース板６０の背面側に配設された各種構造体を遊技者に視認させることが可能に形成される。一般入賞口６３、第１入賞口６４、第２入賞口６４０、第１可変入賞装置６５、第２可変入賞装置６５０、可変表示装置ユニット８０は、ルータ加工によってベース板６０に形成された貫通穴に配設され、遊技盤ユニット１３のベース板６０にその前面側からタッピングネジ等により固定される。
【００３０】
遊技盤ユニット１３の前面中央部分は、前面枠１４の窓部１４ｃ（図１参照）を通じて内枠１２の前面側から視認することができる。以下に、主に図２を参照して、遊技盤ユニット１３の構成について説明する。
【００３１】
遊技盤ユニット１３（ベース板６０）の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤ユニット１３（ベース板６０）の前面外周が囲まれ、遊技盤ユニット１３（ベース板６０）とガラスユニット１６（図１参照）とにより前後が囲まれることにより、遊技盤ユニット１３（ベース板６０）の前面には、球の挙動により遊技が行われる遊技領域が形成される。遊技領域は、遊技盤ユニット１３の前面であって２本のレール６１，６２とレール間を繋ぐ樹脂製の外縁部材７３とにより区画して形成される領域（入賞口等が配設され、発射された球が流下する領域）である。
【００３２】
２本のレール６１，６２は、球発射ユニット１１２ａ（図４参照）から発射された球を遊技盤ユニット１３（ベース板６０）上部へ案内するために設けられたものである。内レール６１の先端部分（図２の左上部）には戻り球防止部材６８が取り付けられ、一旦、遊技盤ユニット１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００３３】
遊技領域の正面視左側下部（図２の左側下部）には、発光手段である複数のＬＥＤ及び７セグメント表示器を備える第１図柄表示装置３７Ａ，３７Ｂが配設される。第１図柄表示装置３７Ａ，３７Ｂは、主制御装置１１０（図４参照）で行われる各制御に応じた表示がなされるものであり、主にパチンコ機１０の遊技状態の表示が行われる。本実施形態では、第１図柄表示装置３７Ａ，３７Ｂは、球が、第１入賞口６４へ入賞したか、第２入賞口６４０へ入賞したかに応じて使い分けられるように構成される。具体的には、球が、第１入賞口６４へ入賞した場合には、第１図柄表示装置３７Ａが作動し、一方で、球が、第２入賞口６４０へ入賞した場合には、第１図柄表示装置３７Ｂが作動するように構成される。
【００３４】
また、第１図柄表示装置３７Ａ，３７Ｂは、ＬＥＤにより、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３５】
尚、本パチンコ機１０では、第１入賞口６４及び第２入賞口６４０へ入賞があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意される。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３６】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３７】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０へ球が入賞し易い遊技の状態のことをいう。一方、パチンコ機１０が通常中とは、確変中でも時短中でもない遊技の状態（大当たり確率も第２図柄の当たり確率もアップしていない状態）である。
【００３８】
確変中や時短中は、第２図柄の当たり確率がアップするだけではなく、第２入賞口６４０に付随する電動役物６４０ａが開放される時間も変更され、通常中と比して長い時間が設定される。電動役物６４０ａが開放された状態（開放状態）にある場合は、その電動役物６４０ａが閉鎖された状態（閉鎖状態）にある場合と比して、第２入賞口６４０へ球が入賞しやすい状態となる。よって、確変中や時短中は、第２入賞口６４０へ球が入賞し易い状態となり、大当たり抽選が行われる回数を増やすことができる。
【００３９】
なお、確変中や時短中において、第２入賞口６４０に付随する電動役物６４０ａの開放時間を変更するのではなく、または、その開放時間を変更することに加えて、１回の当たりで電動役物６４０ａが開放する回数を通常中よりも増やす変更を行うものとしてもよい。また、確変中や時短中において、第２図柄の当たり確率は変更せず、第２入賞口６４０に付随する電動役物６４０ａが開放される時間および１回の当たりで電動役物６４０ａが開放する回数の少なくとも一方を変更するものとしてもよい。また、確変中や時短中において、第２入賞口６４０に付随する電動役物６４０ａが開放される時間や、１回の当たりで電動役物６４０ａを開放する回数はせず、第２図柄の当たり確率だけを、通常中と比してアップするよう変更するものであってもよい。
【００４０】
遊技領域には、球が入賞することにより５個から１５個の球が賞球として払い出される複数の一般入賞口６３が配設される。また、遊技領域の中央部分には、可変表示装置ユニット８０が配設される。可変表示装置ユニット８０には、第１入賞口６４及び第２入賞口６４０への入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、スルーゲート６７の球の通過をトリガとして第２図柄を変動表示するＬＥＤで構成される第２図柄表示装置（図示せず）とが設けられている。また、可変表示装置ユニット８０には、第３図柄表示装置８１の外周を囲むようにして、センターフレーム８６が配設される。
【００４１】
第３図柄表示装置８１は９インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００４２】
第２図柄表示装置は、球がスルーゲート６７を通過する毎に表示図柄（第２図柄（図示せず））としての「○」の図柄と「×」の図柄とを所定時間交互に点灯させる変動表示を行うものである。パチンコ機１０では、球がスルーゲート６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００４３】
パチンコ機１０は、第２図柄表示装置における変動表示が所定図柄（本実施形態においては「○」の図柄）で停止した場合に、第２入賞口６４０に付随された電動役物６４０ａが所定時間だけ作動状態となる（開放される）よう構成される。
【００４４】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０の電動役物６４０ａが開放状態となる機会を遊技者に多く与えることができる。よって、確変中および時短中は、第２入賞口６４０へ球が入賞しやすい状態とすることができる。
【００４５】
なお、確変中または時短中において、当たり確率を高める、１回に当たりに対する電動役物６４０ａの開放時間や開放回数を増やすなど、その他の方法によっても、確変中または時短中に第２入賞口６４０へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する電動役物６４０ａの開放時間や開放回数を遊技状態にかかわらず一定にしてもよい。
【００４６】
スルーゲート６７は、可変表示装置ユニット８０の下側の領域における右方において遊技盤に組み付けられ、遊技盤に発射された球のうち、遊技盤の右方を流下する球の一部が通過可能に構成される。スルーゲート６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４７】
球のスルーゲート６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設される。
【００４８】
なお、第２図柄の変動表示は、本実施形態のように、第２図柄表示装置において複数のランプの点灯と非点灯を切り換えることにより行うものの他、第１図柄表示装置３７Ａ，３７Ｂ及び第３図柄表示装置８１の一部を使用して行うようにしても良い。同様に、第２図柄保留ランプの点灯を第３図柄表示装置８１の一部で行うようにしても良い。また、スルーゲート６７の球の通過に対する最大保留球数は４回に限定されるものでなく、３回以下、又は、５回以上の回数（例えば、８回）に設定しても良い。また、スルーゲート６７の組み付け数は１つに限定されるものではなく、複数（例えば、２つ）であっても良い。また、スルーゲート６７の組み付け位置は可変表示装置ユニット８０の右方に限定されるものではなく、例えば、可変表示装置ユニット８０の左方でも良い。また、第１図柄表示装置３７Ａ，３７Ｂにより保留球数が示されるので、第２図柄保留ランプにより点灯表示を行わないものとしてもよい。
【００４９】
可変表示装置ユニット８０の下方には、球が入賞し得る第１入賞口６４が配設される。この第１入賞口６４へ球が入賞すると遊技盤ユニット１３（ベース板６０）の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００５０】
一方、第１入賞口６４の正面視右方には、球が入賞し得る第２入賞口６４０が配設される。この第２入賞口６４０へ球が入賞すると遊技盤ユニット１３（ベース板６０）の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００５１】
また、第１入賞口６４および第２入賞口６４０は、それぞれ、球が入賞すると５個の球が賞球として払い出される入賞口の１つにもなっている。なお、本実施形態においては、第１入賞口６４へ球が入賞した場合に払い出される賞球数と第２入賞口６４０へ球が入賞した場合に払い出される賞球数とを同じに構成したが、第１入賞口６４へ球が入賞した場合に払い出される賞球数と第２入賞口６４０へ球が入賞した場合に払い出される賞球数とを異なる数、例えば、第１入賞口６４へ球が入賞した場合に払い出される賞球数を３個とし、第２入賞口６４０へ球が入賞した場合に払い出される賞球数を５個として構成してもよい。
【００５２】
第２入賞口６４０には電動役物６４０ａが付随される。この電動役物６４０ａは開閉可能に構成されており、通常は電動役物６４０ａが閉鎖状態（縮小状態）となって、球が第２入賞口６４０へ入賞しにくい状態となっている。一方、スルーゲート６７への球の通過を契機として行われる第２図柄の変動表示の結果、「○」の図柄が第２図柄表示装置に表示された場合、電動役物６４０ａが開放状態（拡大状態）となり、球が第２入賞口６４０へ入賞しやすい状態となる。
【００５３】
上述した通り、確変中および時短中は、通常中と比して第２図柄の当たり確率が高く、また、第２図柄の変動表示にかかる時間も短いので、第２図柄の変動表示において「○」の図柄が表示され易くなって、電動役物６４０ａが開放状態（拡大状態）となる回数が増える。更に、確変中および時短中は、電動役物６４０ａが開放される時間も、通常中より長くなる。よって、確変中および時短中は、通常時と比して、第２入賞口６４０へ球が入賞しやすい状態を作ることができる。
【００５４】
ここで、第１入賞口６４に球が入賞した場合と第２入賞口６４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０へ球が入賞した場合のほうが第１入賞口６４へ球が入賞した場合よりも高く設定される。一方、第１入賞口６４は、第２入賞口６４０にあるような電動役物は有しておらず、球が常時入賞可能な状態となっている。
【００５５】
よって、通常中においては、第２入賞口６４０に付随する電動役物が閉鎖状態にある場合が多く、第２入賞口６４０に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【００５６】
一方、確変中や時短中は、スルーゲート６７に球を通過させることで、第２入賞口６４０に付随する電動役物６４０ａが開放状態となりやすく、第２入賞口６４０に入賞しやすい状態であるので、第２入賞口６４０へ向けて、可変表示装置８０の右方を球が通過するように球を発射し（所謂「右打ち」）、スルーゲート６７を通過させて電動役物を開放状態にすると共に、第２入賞口６４０への入賞によって１５Ｒ確変大当たりとなることを狙った方が、遊技者にとって有利となる。
【００５７】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００５８】
第１入賞口６４の下方右側には第１可変入賞装置６５が配設されており、その略中央部分に横長矩形状の第１特定入賞口（大開放口）６５ａが設けられている。また、第１入賞口６４の下方左側には第２可変入賞装置６５０が配設されており、その略中央部分に他の入賞口６３，６４，６４０と同程度の大きさの円形形状からなる第２特定入賞口６５０ａが設けられている。パチンコ機１０においては、第１入賞口６４又は第２入賞口６４０への入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖される特定入賞口６５ａ，６５０ａが、所定時間（例えば、３０秒経過するまで、或いは、球が１０個入賞するまで）開放される。
【００５９】
この特定入賞口６５ａ，６５０ａは、所定時間が経過すると閉鎖され、その閉鎖後、再度、その特定入賞口６５ａ，６５０ａが所定時間開放される。この特定入賞口６５ａ，６５０ａの開閉動作は、最高で例えば１５回（１５ラウンド）繰り返し可能にされる。この開閉動作が行われている状態が、遊技者にとって有利な特別遊技状態の一形態であり、遊技者には、遊技上の価値（遊技価値）の付与として通常時より多量の賞球の払い出しが行われる。
【００６０】
第１可変入賞装置６５は、具体的には、第１特定入賞口６５ａを覆う横長矩形状の開閉板と、その開閉板の下辺を軸として前方側に開閉駆動するための大開放口ソレノイド（図示せず）とを備えている。第１特定入賞口６５ａは、通常時は、球が入賞できないか又は入賞し難い閉状態になっている。大当たりの際には大開放口ソレノイドを駆動して開閉板を前面下側に傾倒し、球が第１特定入賞口６５ａに入賞しやすい開状態を一時的に形成し、その開状態と通常時の閉状態との状態を交互に繰り返すように作動する。
【００６１】
第２可変入賞装置６５０は、具体的には、第２特定入賞口６５０ａへ球を案内する案内路と、その案内路の第２特定入賞口６５０ａ側とは反対側となる開口部である開口６５１と、その開口６５１の開放および閉鎖を行うための駆動役物６５０ｂと、その駆動役物６５０ｂを開口６５１の下辺を軸に左右方向に開閉駆動するための小開放口ソレノイド（図示せず）とを備えている。第２特定入賞口６５０ａは、通常時は、球が入賞できないか又は入賞し難い閉状態になっている。大当たりの際には小開放口ソレノイドを駆動して駆動役物６５０ｂを右方に傾倒し、球が第２特定入賞口６５０ａに入賞しやすい開状態を一時的に形成し、その開状態と通常時の閉状態との状態を交互に繰り返すように作動する。
【００６２】
なお、上記した形態に特別遊技状態は限定されるものではない。特定入賞口６５ａ，６５０ａとは別に開閉される大開放口を遊技領域に設け、第１図柄表示装置３７Ａ，３７Ｂにおいて大当たりに対応したＬＥＤが点灯した場合に、特定入賞口６５ａ，６５０ａが所定時間開放され、その特定入賞口６５ａ，６５０ａの開放中に、球が特定入賞口６５ａ，６５０ａ内へ入賞することを契機として特定入賞口６５ａ，６５０ａとは別に設けられた大開放口が所定時間、所定回数開放される遊技状態を特別遊技状態として形成するようにしても良い。また、特定入賞口６５ａ，６５０ａは１つに限るものではなく、１つ若しくは２以上の複数（例えば３つ）を配置しても良く、また配置位置も第１入賞口６４の下方右側や、第１入賞口６４の下方左側に限らず、例えば、可変表示装置ユニット８０の左方でも良い。
【００６３】
遊技盤ユニット１３（ベース板６０）の下側における右隅部には、証紙や識別ラベル等を貼着するための貼着スペースＫ１が設けられ、貼着スペースＫ１に貼られた証紙等は、前面枠１４の小窓３５（図１参照）を通じて視認することができる。
【００６４】
遊技盤ユニット１３（ベース板６０）には、第１アウト口７１及び第２アウト口７２が設けられている。遊技領域を流下する球であって、いずれの入賞口６３，６４，６５ａ，６４０，６５０ａにも入賞しなかった球は、第１アウト口７１又は第２アウト口７２を通って図示しない球排出路へと案内される。第１アウト口７１は、第１入賞口６４の下方に配設される一方、第２アウト口７２は、第２特定入賞口６５０ａの左側に配設される。即ち、第２アウト口７２は、第２特定入賞口６５０ａを挟んで第１アウト口７１の反対側に配設される。
【００６５】
よって、遊技領域を流下する球であって、第２特定入賞口６５０ａよりも正面視右側（図２右側）において遊技領域の下端（内レール６１又は外縁部材７３）に達した球は、内レール６１又は外縁部材７３の傾斜に沿って流下され、第１アウト口７１を通って球排出路へ案内される一方、第２特定入賞口６５０ａよりも正面視左側において遊技領域の下端（内レール６１）に達した球は、内レール６１の傾斜（湾曲）に沿って流下され、第２アウト口７２を通って球排出路へ案内される。
【００６６】
遊技盤ユニット１３（ベース板６０）には、球の落下方向を適宜分散、調整等するために多数の釘が植設されるとともに、風車等の各種部材（役物）とが配設される。
【００６７】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化される。制御基板ユニット９１は、払出制御基板（払出制御装置１１１）と発射制御基板（発射制御装置１１２）と電源基板（電源装置１１５）とカードユニット接続基板１１６とが搭載されてユニット化される。
【００６８】
裏パックユニット９４は、保護カバー部を形成する裏パック９２と払出ユニット９３とがユニット化される。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載される。
【００６９】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納される。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００７０】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着される。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００７１】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００７２】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００７３】
次に、図４を参照して、本パチンコ機１０の電気的構成について説明する。図４は、パチンコ機１０の電気的構成を示すブロック図である。
【００７４】
主制御装置１１０には、演算装置である１チップマイコンとしてのＭＰＵ２０１が搭載される。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵される。主制御装置１１０では、ＭＰＵ２０１によって、大当たり抽選や第１図柄表示装置３７Ａ，３７Ｂ及び第３図柄表示装置８１における表示の設定、第２図柄表示装置における表示結果の抽選といったパチンコ機１０の主要な処理を実行する。
【００７５】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７６】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００７７】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７８】
主制御装置１１０のＭＰＵ２０１には、アドレスバス及びデータバスで構成されるバスライン２０４を介して入出力ポート２０５が接続される。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７９】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００８０】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００８１】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００８２】
払出制御装置１１１のＭＰＵ２１１には、アドレスバス及びデータバスで構成されるバスライン２１４を介して入出力ポート２１５が接続される。入出力ポート２１５には、主制御装置１１０や払出モータ２１６、発射制御装置１１２などがそれぞれ接続される。また、図示はしないが、払出制御装置１１１には、払い出された賞球を検出するための賞球検出スイッチが接続される。なお、該賞球検出スイッチは、払出制御装置１１１に接続されるが、主制御装置１１０には接続されていない。
【００８３】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００８４】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８５】
音声ランプ制御装置１１３のＭＰＵ２２１には、アドレスバス及びデータバスで構成されるバスライン２２４を介して入出力ポート２２５が接続される。入出力ポート２２５には、主制御装置１１０、表示制御装置１１４、音声出力装置２２６、ランプ表示装置２２７、その他装置２２８、枠ボタン２２などがそれぞれ接続される。その他装置２２８には、駆動モータ３４０，４３０，５２２，６４０，７４０，８３０が含まれる。
【００８６】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００８７】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８８】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８９】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００９０】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成される。よって、主制御装置１１０及び払出制御装置１１１は、ＮＭＩ割込処理（図示せず）を正常に実行し完了することができる。
【００９１】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００９２】
次いで、図５から図９を参照して、内枠１２に対する遊技盤ユニット１３の取付構造について説明する。上述したように、内枠１２には、遊技盤ユニット１３が正面側から着脱可能に配設される。この場合、内枠１２における取付完了位置に遊技盤ユニット１３が変位（配置）されることで、遊技盤ユニット１３に設けられる遊技盤側コネクタ３００Ａと内枠１２に設けられる内枠側コネクタ３００Ｂとが接続される一方、内枠１２における取付完了位置から遊技盤ユニット１３が変位されるとで、遊技盤側コネクタ３００Ａと内枠側コネクタ３００Ｂとの接続が解除される。
【００９３】
まず、図５から図７を参照して、内枠１２について説明する。図５は、遊技盤ユニット１３が取り外された状態における内枠１２の斜視図であり、図６は、遊技盤ユニット１３が取り外された状態における内枠１２の正面図である。
【００９４】
図５及び図６に示すように、内枠１２は、遊技盤ユニット１３（ベース板６０）の周囲（端面）を囲む周壁部１２４と、その周壁部１２４から内枠１２の内方へ向けて立設され遊技盤ユニット１３におけるベース板６０の背面に対向する背面板部１２５とからなる。周壁部１２４は、遊技盤ユニット１３におけるベース板６０の上下左右の各端面に対してそれぞれ対向する内壁面を有して形成され、全体として遊技盤ユニット１３（ベース板６０の端面）を囲む環状をなす。
【００９５】
内枠１２の周壁部１２４のうちの正面視左側（図５及び図６左側）に位置する壁部（即ち、前扉枠１４（図１参照）を回動可能に支持する側の壁部）には、遊技盤ユニット１３（ベース板６０）の前方（図５紙面手前左側）への変位を規制する複数（本実施形態では２個）のストッパ部１２６が上下に離間して配設される。各ストッパ部１２６は、周壁部１２４の内壁面から内枠１２の内方へ向けて突出され、遊技盤ユニット１３におけるベース板６０の前面に当接される。また、各ストッパ部１２６は、周壁部１２４の内壁面の幅内に収まるように形成され、前扉枠１４側となる前方への突出が規制される。
【００９６】
ストッパ部１２６は、遊技盤ユニット１３の上端寄り及び下端寄りとなる位置に配置され、遊技盤ユニット１３の変位を安定して規制することが可能とされる。この場合、遊技盤ユニット１３の外レール６２は、遊技盤ユニット１３の回動基端側（図２の正面視左側）へ向けて凸となる正面視円弧状に湾曲されるところ（図２参照）、上端寄りのストッパ部１２６は外レール６２の凸となる部分よりも上方に配置され、下端寄りのストッパ部１２６は外レール６２の凸となる部分よりも下方に配置される。これにより、遊技盤ユニット１３（ベース板６０）の正面側であって外レール６２の外方に形成されるデッドスペースを、各ストッパ部１２６の配置スペースとして利用できるので、ストッパ部１２６の配設に起因して外レール６２の配置が圧迫されることを抑制し、その結果、遊技領域の大きさを最大限確保できる。
【００９７】
また、内枠１２の背面板部１２５には、各ストッパ部１２６に対応する位置に背面保持部１２７がそれぞれ配設される。各背面保持部１２７は、各ストッパ部１２６との間に所定間隔を隔てつつ、背面板部１２５の内壁面から内枠１２の内方へ向けて突出され、遊技盤ユニット１３におけるベース板６０の背面に当接される。この場合、背面保持部１２７は、ストッパ部１２６に対応する位置（即ち、対面する位置）に配設されるので、これらストッパ部１２６及び背面保持部１２７の間で遊技盤ユニット１３におけるベース板６０を挟持して、その遊技盤ユニット１３の変位を安定して規制することができる。
【００９８】
このように、内枠１２の周壁部１２４のうちの正面視左側（図５及び図６左側）に位置する壁部（即ち、前扉枠１４（図１参照）を回動可能に支持する側の壁部）には、遊技盤ユニット１３におけるベース板６０の正面視左側（図２左側）の側部６０ａを挿入可能な挿入部１２８が、ストッパ部１２６と背面板部１２５及び背面保持部１２７との間に形成される。
【００９９】
挿入部１２８は、前扉枠１４（図１参照）の回動先端側（図５紙面右手前側）が開放された形状に形成されることで、かかる挿入部１２８へ遊技盤ユニット１３（ベース板６０の側部６０ａ）を前扉枠１４の回動先端側から挿入可能とされる。即ち、前扉枠１４を全開にできない場合であっても、前扉枠１４を所定の角度だけ開放し、その開放側（前扉枠１４の回動先端側）から内枠１２の挿入部１２８へ遊技盤ユニット１３（ベース板６０の側部６０ａ）を挿入することができる。
【０１００】
詳細には、ストッパ部１２６と背面板部１２５及び背面保持部１２７との間の対向間隔（隙間寸法）は、挿入部１２８の挿入奥側（周壁部１２４の内壁面側）では遊技盤ユニット１３におけるベース板６０の厚さ寸法と略同一に設定される一方、挿入手前側（挿入部１２８の入口部分側）では遊技盤ユニット１３におけるベース板６０の厚さ寸法よりも大きく設定される。これにより、遊技盤ユニット１３（ベース板６０）を挿入部１２８に対して斜め前方から挿入可能とすると共に、挿入部１２８に挿入された遊技盤ユニット１３をその挿入部１２８を中心として回動可能とすることができる。
【０１０１】
即ち、ストッパ部１２６は、その先端側において遊技盤ユニット１３（ベース板６０の側部６０ａ）と対向する背面に面取りが施され、背面保持部１２７との間の対向間隔が先端側へ向かうほど大きくなるように傾斜されることで、挿入部１２８の入口部分が拡張される。これにより、挿入部１２８の入口部分において、ストッパ部１２６と背面保持部１２７との間の対向間隔（隙間寸法）を大きくし、遊技盤ユニット１３を斜めに挿入する際のストッパ部１２６と遊技盤ユニット１３（ベース板６０の側部６０ａ）との引っ掛かりを抑制できる。また、挿入部１２８の入口部分を斜め前方に向けることにより、遊技盤ユニット１３の挿入時にその遊技盤ユニット１３が前扉枠１４の後方への張出部分や内枠１２の右側部分（図５右側）等に干渉することを抑制できる。その結果、遊技盤ユニット１３を内枠１２に装着する際の作業性の向上を図ることができる。
【０１０２】
挿入部１２８（ストッパ部１２６）の下方（詳細には、周壁部１２４のうちの遊技盤ユニット１３（ベース板６０の底面６０ｂ）に対向する壁部における回動基端側の端部）には、挿入部１２８に挿入された遊技盤ユニット１３（ベース板６０）の底面を仮置き可能な第１仮置き部１２９が設けられる。第１仮置き部１２９は、上方を向く平坦面として形成され、挿入部１２８の直下に配設されることで、遊技盤ユニット１３（ベース板６０）の底面６０ｂのうちの回動基部側に位置する第１底面６０ｂ１（図８参照）を支持する。これにより、遊技盤ユニット１３（ベース板６０の側部６０ａ）を挿入部１２８へ挿入する際の作業者の作業負担を減らすことができると共に、挿入後の遊技盤ユニット１３の回動操作を容易とすることができる。
【０１０３】
第１仮置き部１２９の反対側（周壁部１２４のうちの遊技盤ユニット１３（ベース板６０の底面６０ｂ）に対向する壁部における回動先端側の端部）には、挿入部１２８に挿入された遊技盤ユニット１３（ベース板６０の底面６０ｂ）を仮置き可能な第２仮置き部７０２が設けられる（図７参照）。第２仮置き部７０２は、上方を向く平坦面として形成され、ベース板６０の底面６０ｂのうちの回動先端側に位置する第２底面６０ｂ２（図８参照）を支持する。
【０１０４】
第１仮置き部１２９は、第２仮置き部７０２に対し上方に位置し、これら第１仮置き部１２９及び第２仮置き部７０２の配置に対応して、遊技盤ユニット１３におけるベース板６０の底面６０ｂは、第１底面６０ｂ１が第２底面６０ｂ２よりも上方に位置する階段状に形成される（図７参照）。遊技盤ユニット１３におけるベース板６０の側部６０ａを挿入部１２８に挿入し回動させる際には、第１仮置き部１２９に遊技盤ユニット１３（ベース板６０）の第１底面６０ｂ１が仮置き（一時的に載置）されることで、遊技盤ユニット１３の重量の少なくとも一部を内枠１２に支持させることができる。これにより、遊技盤ユニット１３を装着する際の作業者の作業負担を減らすことができると共に、遊技盤ユニット１３の回動操作を容易とすることができる。
【０１０５】
一方、遊技盤ユニット１３の回動動作における終期では、遊技盤ユニット１３（ベース板６０）の第２底面６０ｂ２が第２仮置き部７０２に仮置き（一時的に載置）されることで、内枠側コネクタ３００Ｂ（第１メスコネクタ８００及び第２メスコネクタ９００）に対する遊技盤側コネクタ３００Ａ（第１オスコネクタ５００及び第２オスコネクタ６００）の高さ位置を位置決めすることができる。これにより、接続を開始する際に、両コネクタ３００Ａ，３００Ｂが衝突して損傷することを抑制できると共に、接続を解除する際に、両コネクタ３００Ａ，３００Ｂが無理な姿勢となり変形することで損傷を招くことを抑制できる。
【０１０６】
ここで、図７を参照して、内枠側コネクタ３００Ｂについて説明する。図７は、内枠側コネクタ３００Ｂの正面斜視図であり、内枠１２から取り外された状態の内枠側コネクタ３００Ｂが図示される。
【０１０７】
図７に示すように、内枠側コネクタ３００Ｂは、箱状に形成される台座７００と、その台座７００に固着されるコネクタ用基板（図示せず）と、そのコネクタ用基板に搭載される第１メスコネクタ８００及び第２メスコネクタ９００とを備える。コネクタ用基板は、一方の板面に第１メスコネクタ８００及び第２メスコネクタ９００が搭載されると共に、他方の板面が半田面とされ、一方の板面（搭載面）を遊技機正面側（遊技盤ユニット１３側、図６紙面手前側）へ向けた姿勢で配設される。台座７００には、上側部分に開口７０１が開口形成され、この台座７００の開口７０１を介して、第１メスコネクタ８００及び第２メスコネクタ９００の接続口（受入口）が遊技機前方（遊技盤ユニット１３側）に露出した状態とされる。これにより、内枠側コネクタ３００Ｂは、遊技盤ユニット１３の遊技盤側コネクタ３００Ａと接続可能とされる。
【０１０８】
第１メスコネクタ８００及び第２メスコネクタ９００は、一面側に接続口（受入口）を有する箱状のケース体８１０，９１０と、そのケース体８１０，９１０の上下の内壁面にそれぞれ幅方向（図６左右方向）に沿って等間隔に列設されると共に導電性材料からなる複数の接点部材８２０，９２０とを備える。
【０１０９】
第１メスコネクタ８００及び第２メスコネクタ９００は、その接続口（受入口）を遊技機斜め前方（内枠１２に遊技盤ユニット１３を取り付ける際の遊技盤ユニット１３の回動先端側）へ向けた傾斜姿勢でそれぞれ配設される一方、それらの前後位置（図６紙面垂直方向位置）は略同一の位置に設定される。これにより、内枠１２に対する遊技盤ユニット１３の回動動作に伴う遊技盤側コネクタ３００Ａ及び内枠側コネクタ３００Ｂの接続およびその解除をスムーズに行うことができると共に、両コネクタ３００Ａ，３００Ｂに歪等が発生することを抑制でき、また、第１メスコネクタ８００及び第２メスコネクタ９００の配設に要するスペース（占有空間）が上下および左右に拡がることを抑制できる。
【０１１０】
ケース体８１０，９１０には、幅方向に対向する左右の内壁面にガイド溝部８３０，９３０が凹設される。ガイド溝部８３０，９３０は、第１オスコネクタ５００及び第２オスコネクタ６００の被ガイド部５３０を受け入れる断面コ字状の凹溝であり、直線状に延設される２本が所定間隔を隔てつつ平行に並設される。また、ガイド溝８３０，９３０の開口端には、内方へ向けて下降傾斜する傾斜面（案内面８３０ａ，９３０ａ）が形成され、ケース体８１０，９１０の上下の内壁面における開口端には、内方へ向けて下降傾斜すると共に案内面８３０ａ，９３０ａに連なる傾斜面（案内面８１０ａ，９１０ａ）が形成される。
【０１１１】
よって、接続初期においては、被ガイド部５３０の先端（案内面５３０ａ，５３０ｂ）を案内面８１０ａ，８３０ａ，９１０ａ，９３０ａによりガイド溝部８３０，９３０へ向けて案内可能として、接続初期における被ガイド部５３０とガイド溝部８３０，９３０との間の位置ズレを許容できる。被ガイド部５３０の先端がガイド溝部８３０，９３０へ挿入された後は、被ガイド部５３０がガイド溝８３０，９３０の延設方向に沿って嵌入されることで、第１メスコネクタ８００及び第２メスコネクタ９００に対する第１オスコネクタ５００及び第２オスコネクタ６００の傾斜を矯正でき、両者の接点部材５２０，８２０を適切な状態で接触させることができる。
【０１１２】
なお、ガイド溝部８３０，９３０は、並設される２本の溝幅寸法が互いに異なる寸法値に設定される。これにより、第１オスコネクタ５００及び第２オスコネクタ６００が正規の姿勢から上下反転された姿勢で第１メスコネクタ８００及び第２メスコネクタ９００に接続されることを規制することができる。
【０１１３】
台座７００の前面には、上述した第２仮置き部７０２が形成される。第２仮置き部７０２は、台座７００の横幅に対して、その一部に部分的に形成されると共に、内枠１２に遊技盤ユニット１３を取り付ける際の遊技盤ユニット１３の回動先端側（図５及び図６右側）に配設される。これにより、第１仮置き部１２９と第２仮置き部７０２との間の距離を大きくして、遊技盤ユニット１３の安定した支持を可能としつつ、第２仮置き部７０２の占有空間を抑制でき、その分、第２仮置き部７０２の非形成領域を利用して、台座７００の前面に他の部材を配設することができる。
【０１１４】
仮置き部７０２は、上述したように、遊技盤ユニット１３の底面６０（第２底面６０ｂ２）が載置可能に形成され、その遊技盤ユニット１３を内枠１２における取付完了位置へ変位させる際の案内面として機能する。即ち、遊技盤ユニット１３を仮置き部７０２に載置した上でその仮置き部７０２に沿ってスライドさせることができる。これにより、比較的重量の嵩む遊技盤ユニット１３を、内枠１２における取付完了位置へ向けて正確に変位させやすくできるので、遊技盤側コネクタ３００Ａ及び内枠側コネクタ３００Ｂの接続を開始する際に、これら両コネクタ３００Ａ，３００Ｂどうしが衝突して破損することを抑制できる。また、遊技盤側コネクタ３００Ａ及び内枠側コネクタ３００Ｂの接続が開始された後やその接続を解除する際には、遊技盤ユニット１３を内枠１２に対して一定の姿勢で変位させやすくすることができるので、遊技盤側コネクタ３００Ａ及び内枠側コネクタ３００Ｂの間に無理な力が作用して破損することを抑制できる。
【０１１５】
なお、第２仮置き部７０２が台座７００の前面へ向けて張り出す張り出し寸法は、その第２仮置き部７０２に遊技盤ユニット１３の底面６０ｂ（第２底面６０ｂ２）が載置され、かつ、遊技盤側コネクタ３００Ａ及び内枠側コネクタ３００Ｂの接続が解除された状態を形成可能な長さ寸法に設定される。よって、先に遊技盤ユニット１３の底面６０ｂを第２仮置き部７０２に載置し、その後、遊技盤ユニット１３を第２仮置き部７０２に沿ってスライドさせ、遊技盤側コネクタ３００Ａ及び内枠側コネクタ３００Ｂの接続を行うことができる。また、遊技盤側コネクタ３００Ａ及び内枠側コネクタ３００Ｂの接続の解除が完了された際に、遊技盤ユニット１３を第２仮置き部７０２に載置された状態で保持することができる。その結果、比較的重い遊技盤ユニット１３の内枠１２への取り付け及び取り外しの作業と、遊技盤側コネクタ３００Ａ及び内枠側コネクタ３００Ｂの接続および解除との作業性の向上を図ることができる。
【０１１６】
ここで、パチンコ機１０は、遊技球の遊技領域でのスムーズな転動（流下）を考慮して、上端側を後方（背面側）へ位置させる傾斜姿勢（後方へ傾斜した姿勢）で設置される。この場合、第２仮置き部７０２は、パチンコ機１０が設置された状態において水平な平坦面となるように、台座７００の前面（遊技機前方）へ向けて下降傾斜する平坦面として形成される。この場合、パチンコ機１０が設置された状態において、内枠１２における取付完了位置へ向けて遊技盤ユニット１３を変位させる際に、その取付完了位置へ向けて第２仮置き部７０２が下降傾斜されると、遊技盤ユニット１３を回動操作する際に不用意に勢いがついて、両コネクタ３００Ａ，３００Ｂを接続する際の衝撃が大きくなる一方、取付完了位置へ向けて第２仮置き部７０２が上昇傾斜されると、遊技盤ユニット１３を回動操作する作業者の負荷が大きくなるところ、本字実施形態では、第２仮置き部７０２が水平とされることで、接続時の衝撃発生の抑制と作業者の負荷低減との両立を図ることができる。
【０１１７】
次いで、図８及び図９を参照して、遊技盤ユニット１３について説明する。図８は、遊技盤ユニット１３の背面図であり、図９は、図８の矢印ＩＸ方向視における遊技盤ユニット１３の底面図である。
【０１１８】
図８及び図９に示すように、遊技盤ユニット１３は、樹脂材料から形成されるカバー部材７４がベース板６０の背面に配設され、ベース板６０の背面に配設される各種構造部品や電気部品がカバー部材７４の内部空間に収容される。カバー部材７４は、背面視において、ベース板６０の外形よりも小さな外形に設定され、ベース板６０の側部６０ａがカバー部材７４の外縁よりも突出される。これにより、遊技盤ユニット１３を内枠１２に取り付ける際には、内枠１２の挿入部１２８（ストッパ部１２６と背面板部１２５及び背面保持部１２７との間）にベース板６０の側部６０ａが挿入可能とされる。
【０１１９】
また、ベース板６０の背面のうちの取付面ＢＥには、遊技盤側コネクタ３００Ａが配設される。遊技盤側コネクタ３００Ａは、上述したように、内枠１２における取付完了位置へ遊技盤ユニット１３が変位されることで、内枠１２の内枠側コネクタ３００Ｂに接続されると共に、内枠１２における取付完了位置から遊技盤ユニット１３が変位されることで、内枠１２の内枠側コネクタ３００Ｂとの接続が解除されるものであり、カバー部材７４の下方（図８下側）であって、側部６０ａと反対側（即ち、内枠１２へ遊技盤ユニット１３を取り付ける際の回動先端側、図８左側）となる端部に配設される。
【０１２０】
遊技盤側コネクタ３００Ａは、箱状に形成される台座４００と、その台座４００に遊動可能な状態（接続の方向に直交する方向（矢印Ｒ−Ｌ及び矢印Ｕ−Ｄの方向、図１０及び図１１参照）への変位が許容された状態）で装着される第１オスコネクタ５００及び第２オスコネクタ６００とを備える。
【０１２１】
台座４００は、ベース板６０の幅方向（図８左右方向）において側部６０ａと反対側の端部（遊技盤ユニット１３の回動先端側、図８左側）に配設される。台座４００には、第１開口４２１及び第２開口４２２が開口形成され、第１オスコネクタ５００及び第２オスコネクタ６００は、この台座４００の第１開口４２１及び第２開口４２２を介して、遊技機後方（内枠１２側）へ突出される。これにより、内枠１２に対し遊技盤ユニット１３を回動させる（取付完了位置へ変位させる）ことで、第１オスコネクタ５００及び第２オスコネクタ６００の先端側が第１メスコネクタ８００及び第２メスコネクタ９００の接続口（受入口）にそれぞれ挿入され、遊技盤側コネクタ３００Ａは、内枠１２の内枠側コネクタ３００Ｂと接続可能とされる。
【０１２２】
第１オスコネクタ５００及び第２オスコネクタ６００は、遊技機斜め後方（内枠１２に遊技盤ユニット１３を取り付ける際の遊技盤ユニット１３の回動基端側、図９右上側）へ向けた傾斜姿勢でそれぞれ配設される一方、それらの前後位置（図９上下方向位置）は略同一の位置に設定される。これにより、内枠１２に対する遊技盤ユニット１３の回動動作に伴う遊技盤側コネクタ３００Ａ及び内枠側コネクタ３００Ｂの接続およびその解除をスムーズに行うことができると共に、両コネクタ３００Ａ，３００Ｂに歪等が発生することを抑制でき、また、第１オスコネクタ５００及び第２オスコネクタ６００の配設に要するスペース（占有空間）が上下および左右に拡がることを抑制できる。
【０１２３】
ベース板６０の背面には、配線保持部材７５が配設される。配線保持部材７５は、第１オスコネクタ５００及び第２オスコネクタ６００の電気的接続線ＷＨを保持するための部材であり、遊技盤側コネクタ３００Ａの上方（図８上側）であって、遊技盤側コネクタ３００Ａよりもベース板６０の背面側（図９上側）へ突出する位置に配設される。
【０１２４】
配線保持部材７５の底面（遊技盤側コネクタ３００Ａ側の面、図８下側の面）には、開口７５ａが正面視横長の矩形状の開口として形成され、その開口７５ａに第１オスコネクタ５００及び第２オスコネクタ６００の電気的接続線ＷＨが挿通される。電気的接続線ＷＨは、開口７５ａの内周面に当接されることで保持される。これにより、電気的接続線ＷＨを拘束して、第１オスコネクタ５００及び第２オスコネクタ６００までの電気的接続線ＷＨの長さを一定に保つことができる。
【０１２５】
ベース板６０は、上述したように、その底面６０ｂが段差を有する階段状に形成される。詳細には、底面６０ｂは、側部６０ａ側（遊技盤ユニット１３の回動先端側）に配設される第１底面６０ｂ１とその第１底面６０ｂ１に連設されると共に遊技盤側コネクタ３００Ａ側（遊技盤ユニット１３の回動基端側）に配設される第２底面６０ｂ２とからなり、第１底面６０ｂ１が第２底面６０ｂ２よりも上方（図８上側）に配置される。遊技盤ユニット１３（ベース板６０の側部６０ａ）を内枠１２の挿入部１２８（図５参照）に挿入し回動させる際には、先に、底面６０ｂのうちの第１底面６０ｂ１が第１仮置き部１２９（図５参照）に仮置きされ、その状態から遊技盤ユニット１３の回動（取付完了位置への変位）が更に進行されると、次いで、底面６０ｂのうちの第２底面６０ｂ２が第２仮置き部７０２（図７参照）に仮置きされ、その後、遊技盤側コネクタ３００Ａと内枠１２の内枠側コネクタ３００Ｂとの接続が開始される。
【０１２６】
この場合、本実施形態では、ベース板６０の底面６０ｂにおいて、第１底面６０ｂ１と第２底面６０ｂ２との間の高低差（図８上下方向における高さ位置の差）は、内枠１２における第１仮置き部１２９と第２仮置き部７０２との間の高低差（図６上下方向における高さ位置の差）よりも大きく設定される。そのため、第１底面６０ｂ１が第１仮置き部１２９に仮置きされた状態から遊技盤ユニット１３の回動（取付完了位置への変位）が更に進行されると、第２底面６０ｂ２が第２仮置き部７０２に乗り上げた状態となり、これに伴って、第１底面６０ｂ１が第１仮置き部１２９から離間される。
【０１２７】
即ち、内枠１２の内枠側コネクタ３００ｂにおける前方（正面）において、ベース板６０の第２底面６０ｂ２と第２仮置き部７０２との接触が確保された後に、遊技盤ユニット１３の遊技盤側コネクタ３００Ａと内枠１２の内枠側コネクタ３００Ｂとの接続を開始させることができる。よって、第１仮置き部１２９と第１底面６０ｂ１との間の関係（寸法公差）に影響を受けず、第２仮置き部７０２と第２底面６０ｂ２との間の関係（寸法公差）のみで両コネクタ３００Ａ，３００Ｂの高さ位置を規定することができる。その結果、両コネクタ３００Ａ，３００Ｂの接続が開始される際に、少なくとも遊技盤ユニット１３（ベース板６０）の回動先端側の内枠１２に対する高さ方向位置（上下位置）のばらつきを抑制することができるので、その分、両コネクタ３００Ａ，３００Ｂの接続を円滑に開始させることができる。
【０１２８】
次いで、図１０から図２４を参照して、遊技盤側コネクタ３００Ａの詳細構成について説明する。図１０は、遊技盤側コネクタ３００Ａの正面斜視図である。また、図１１（ａ）は、遊技盤側コネクタ３００Ａの正面図であり、図１１（ｂ）は、図１１（ａ）の矢印ＸＩｂ方向視における遊技盤側コネクタ３００Ａの側面図である。
【０１２９】
なお、図１０及び図１１において、矢印Ｒ−Ｌ、矢印Ｕ−Ｄ及び矢印Ｌ−Ｒは、互いに直交する方向を示しており、矢印Ｒ−Ｌは、台座４００の第１正面板４１１及び第２正面板４１２に平行で且つ台座４００の長手方向に平行な方向を示し、矢印Ｕ−Ｄは、台座４００の第１正面板４１１及び第２正面板４１２に平行で且つ台座４００の短手方向に平行な方向を示し、矢印Ｆ−Ｂは、台座４００の第１正面板４１１及び第２正面板４１２に垂直な方向を示す。図１２以降の各図においても同様であるので、その説明は省略する。
【０１３０】
図１０及び図１１に示すように、遊技盤側コネクタ３００Ａは、箱状に形成される台座４００と、その台座４００に保持される第１オスコネクタ５００及び第２オスコネクタ６００とを備える。台座４００は、第１正面板４１１及び第２正面板４１２の第１開口４２１及び第２開口４２２に第１オスコネクタ５００及び第２オスコネクタ６００をそれぞれ挿通させることで、上述したように、第１オスコネクタ５００及び第２オスコネクタ６００を接続の方向（矢印Ｆ−Ｂ方向）に直交する方向（矢印Ｒ−Ｌ方向又は矢印Ｕ−Ｄ方向）に変位可能に保持する。ここで、図１２から図１４を参照して、台座４００の詳細構成について説明する。
【０１３１】
図１２は、台座４００の正面斜視図であり、図１３（ａ）は、台座４００の正面図であり、図１３（ｂ）は、図１３（ａ）の矢印ＸＩＩＩｂ方向視における台座４００の側面図である。また、図１４（ａ）は、図１３（ａ）のＸＩＶａ−ＸＩＶａ線における台座４００の断面図であり、図１４（ｂ）は、図１３（ａ）のＸＩＶｂ−ＸＩＶｂ線における台座４００の断面図である。なお、図１３（ｂ）、図１４（ａ）及び図１４（ｂ）では、遊技機ユニット１３の背面であって遊技盤側コネクタ３００Ａが取り付けられる取付面ＢＥが二点鎖線を用いて模式的図に図示される。
【０１３２】
図１２から図１４に示すように、台座４００は、遊技盤ユニット１３（図８及び図９参照）の背面に所定間隔を隔てて対向配置される平板状の第１正面板４１１及び第２正面板４１２と、それら第１正面板４１１及び第２正面板４１２の間を接続する接続板４１３と、第１正面板４１１及び第２正面板４１２の正面視矩形の４辺のうちの互いに対向する短辺（図１３（ａ）の右側および左側の辺）にそれぞれ接続される短手側壁４１４，４１５及び４辺のうちの互いに対向する長辺（図１３（ａ）の上側および下側の辺）にそれぞれ接続される長手側壁４１６，４１７と、を備え、これら各部位が樹脂材料から一体に形成されることで、背面側（図１４（ａ）及び図１４（ｂ）の下側）が開放された箱状に形成される。
【０１３３】
第１正面板４１１、第２正面板４１２、接続板４１３、短手側壁４１４，４１５及び長手側壁４１６，４１７は、互いに同一の板厚寸法に設定されると共に、これらの板厚寸法は、後述する第１基端側弾性片４４１などの各弾性片４４１，４５１，４４２，４５２の板厚寸法よりも大きくされる。このように、台座４００の外殻を形成する部位の板厚寸法を全体に同一の板厚寸法に設定すると共に、基端が固定され先端が自由端となる片持ち片として形成される各弾性片４４１，４５１，４４２，４５２と外殻を形成する部位との間に板厚寸法の差を設けることで、成型金型内での素材の流動性が悪化しやすい各弾性片４４１，４５１，４４２，４５２における成型性を確保して、成型時の歩留まりの向上を図りつつ、外殻の剛性を確保して、各弾性片４４１，４５１，４４２，４５２や第１及び第２オスコネクタ５００，６００の弾性変形や変位を安定して保持することができる。
【０１３４】
第１正面板４１１及び第２正面板４１２は、矢印Ｆ−Ｂ方向に位置を異ならせつつ互いに平行に配設される。詳細には、第１正面板４１１及び第２正面板４１２は、台座４００が遊技盤ユニット１３の取付面ＢＥに取り付けられた状態では（図９参照）、ベース板６０の側部６０ａへ向けて下降傾斜される一方、遊技盤ユニット１３における前後位置（図１４（ａ）及び図１４（ｂ）の上下方向位置）が略同一の位置となるように形成される。これにより、上述したように、第１オスコネクタ５００及び第２オスコネクタ６００を、遊技機斜め後方へ向けた傾斜姿勢でそれぞれ配設すると共に、それらの前後位置を略同一の位置に設定できる（図９参照）。
【０１３５】
第１正面板４１１には、第１開口４２１が開口形成される。第１開口４２１は、第１オスコネクタ５００を挿通するための開口であり（図１０参照）、正面視横長の矩形状に形成される中央開口４２１ａの外縁に正面視横長の矩形状に形成される一対の基端側開口４２１ｂ及び一対の先端側開口４２１ｃがそれぞれ連なることで１の開口として形状とされる。これにより、第１正面板４１１には、基端が長手側壁板４１６，４１７側に保持されると共に先端が第１開口４２１内に突出される一対の中間正面板４１１ａと、基端が長手側壁板４１６，４１７及び短手側壁板４１４側に保持されると共に先端が第１開口４２１内に突出される一対の基端側正面板４１１ｂ及び一対の先端側正面板４１１ｃとが形成される。
【０１３６】
第２正面板４１２には、第２開口４２２が開口形成される。第２開口４２２は、第２オスコネクタ６００を挿通するための開口であり（図１０参照）、正面視横長の矩形状に形成される中央開口４２２ａの外縁に正面視横長の矩形状に形成される一対の基端側開口４２２ｂ及び一対の先端側開口４２２ｃがそれぞれ連なることで１の開口として形状とされる。これにより、第２正面板４１２には、基端が長手側壁板４１６，４１７側に保持されると共に先端が第２開口４２１内に突出される一対の中間正面板４１２ａと、基端が長手側壁板４１６，４１７及び短手側壁板４１５側に保持されると共に先端が第２開口４２２内に突出される一対の基端側正面板４１２ｂ及び一対の先端側正面板４１２ｃとが形成される。
【０１３７】
ここで、第２正面板４１２は、中間正面板４１２ａの矢印Ｒ−Ｌ方向における長さ寸法が、第１正面板４１１における中間正面板４１１ａの矢印Ｒ−Ｌ方向における長さ寸法よりも長くされる点を除き、第１正面板４１１と略同一に構成される。よって、これに伴い、第２開口４２２についても、中央開口４２２ａの矢印Ｒ−Ｌ方向における長さ寸法が、第１開口４２１における中央開口４２１ａの矢印Ｒ−Ｌ方向における長さ寸法よりも長くされる点を除き、第１開口４２１と略同一に構成される。
【０１３８】
第１正面板４１１及び第２正面板４１２の中間正面板４１１ａ，４１２ａには、基端側開口４２１ｂ，４２２ｂに接する外縁であってその外縁の正面（図１４（ａ）及び図１４（ｂ）の上側）に、基端側開口４２１ｂ，４２２ｂへ向かうに従って下降傾斜する傾斜面４１１ａ１，４１２ａ１が形成される。これにより、後述するように、第１オスコネクタ５００及び第２オスコネクタ６００を台座４００に組み付ける際の作業性の向上を図ることができる。
【０１３９】
但し、第１正面板４１１の中間正面板４１１ａに対し、傾斜面４１１ａ１の形成を省略しても良い。上述したように、第１開口４２１は、第２開口４２２に対し、矢印Ｒ−Ｌ方向における長さ寸法が短くされるので、基端側開口４２１ｂ及び先端側開口４２１ｃの離間距離も短くされ、その分、傾斜面４１１ａ１が省略されたとしても、第１オスコネクタ５００を台座４００に組み付ける際の作業性を確保できるからである。一方、傾斜面４１１ａ１の形成を省略する（板厚寸法を一定とする）ことで、その分、中間正面板４１１ａの剛性を高め、耐久性の向上を図ることができる。
【０１４０】
短手側壁板４１４，４１５及び長手側壁板４１６，４１７は、第１正面板４１１及び第２正面板４１２と反対側となる背面側（図１４（ａ）及び図１４（ｂ）の下側）の端面が全体に面一に形成され、後述する基端側固定部４３１、中間固定部４３２及び先端側固定部４３３が遊技盤ユニット１３に締結固定されることで、短手側壁板４１４，４１５及び長手側壁板４１６，４１７の背面側の端面が遊技盤ユニット１３の取付面ＢＥに密着される。これにより、第１オスコネクタ５００及び第２オスコネクタ６００の変位または後述する第１基準側弾性片４４１などの各弾性片４４１，４５１，４４２，４５２の弾性変形に対する台座４００の支持剛性を高めることができる。
【０１４１】
長手側壁板４１６には、第１正面板４１１及び第２正面板４１２と反対側となる背面側（図１４（ａ）及び図１４（ｂ）の下側）の端面に切り欠き部４１６ａが切り欠き形成される。切り欠き部４１６ａは、遊技盤ユニット１３の取付面ＢＥとの間に、第１オスコネクタ５００及び第２オスコネクタ６００の電気的接続線ＷＨを通過させる通路を形成するための部位であり、正面視横長の矩形に形成される。
【０１４２】
台座４００には、基端側固定部４３１、中間固定部４３２及び先端側固定部４３３が形成される。これら各固定部４３１〜４３３は、遊技盤ユニット１３へ締結固定される部位であり、基部側固定部４３１及び先端側固定部４３３は、短手側壁板４１４及び長手側壁板４１６の外面にそれぞれ一体に配設される一方、中間固定部４３２は、第１正面板４１１及び第２正面板４１２の接続部分（即ち、接続板４１３）に一体に配設される。
【０１４３】
これら各固定部４３１〜４３３は、背面（図１４（ａ）及び図１４（ｂ）の下側）が開放されており、その開放部分を介して、遊技盤ユニット１３の背面から突出される突出部（図示せず）が各固定部４３１〜４３３の内部にそれぞれ挿入されると共に、それら挿入された突出部に各固定部４３１〜４３３の挿通孔に挿通された締結ねじが締結固定される。即ち、突出部に対して各固定部４３１〜４３３がそれぞれ締結ねじにより締結固定されるだけでなく、各固定部４３１〜４３３の内部に突出部が内嵌されて係合されるので、遊技盤ユニット１３に対して台座４００を強固に固定して、第１オスコネクタ５００及び第２オスコネクタ６００の変位または後述する第１基準側弾性片４４１などの各弾性片４４１，４５１，４４２，４５２の弾性変形に対する台座４００の支持剛性を高めることができる。
【０１４４】
各固定部４３１〜４３３の背面側（図１４（ａ）及び図１４（ｂ）の下側）の端面は、短手側壁板４１４，４１５及び長手側壁板４１６，４１７の背面側の端面と面一に形成され、短手側壁板４１４，４１５及び長手側壁板４１６，４１７と共に、遊技盤ユニット１３の取付面ＢＥに密着される。これにより、第１オスコネクタ５００及び第２オスコネクタ６００の変位または後述する第１基準側弾性片４４１などの各弾性片４４１，４５１，４４２，４５２の弾性変形に対する台座４００の支持剛性を高めることができる。
【０１４５】
また、台座４００には、第１開口４２１に対応して、第１基端側弾性片４４１及び第１先端側弾性片４５１が形成されると共に、第２開口４２２に対応して、第２基端側弾性片４４２及び第２先端側弾性片４５２が形成される。第１基端側弾性片４４１及び第１先端側弾性片４５１は、第１開口４２１に挿通される第１オスコネクタ５００に対し、第２基端側弾性片４４２及び第２先端側弾性片４５２は、第２開口４２２に挿通される第２オスコネクタ６００に対し、それらの位置決め及び初期位置への復帰のための付勢をそれぞれ行うための部位である（図１９参照）。
【０１４６】
第１基端側弾性片４４１は、側面視Ｊ字状に形成される弾性片であり、厚み寸法および幅寸法が基端から先端までの範囲にわたって略一定に形成される。詳細には、第１基端側弾性片４４１は、側面視円弧状に湾曲して形成され一端（第１基端側弾性片４４１の基端）を短手側壁板４１４の正面側（図１４（ａ）及び図１４（ｂ）の上側）の端面に接続する湾曲部分４４１ａと、その湾曲部分４４１ａの他端に一端が接続され側面視直線状に形成されると共に短手側壁板４１４の内面に所定間隔を隔てつつ平行に対向配置される直線部分４４１ｂとを備える。
【０１４７】
第１先端側弾性片４５１は、側面視Ｌ字状に形成される弾性片であり、矢印Ｒ−Ｌ方向において第１基端側弾性片４４１と所定間隔を隔てつつ対向配置されると共に、厚み寸法および幅寸法が基端から先端までの範囲にわたって略一定に形成される。詳細には、第１先端側弾性片４５１は、中間固定部４３２の最も背面側（図１４（ａ）及び図１４（ｂ）の下側）における外面に一端（第１先端側弾性片４５１の基端）が接続され第１基端側弾性片４４１へ向けて張り出す側面視直線状の張出部分４５１ａと、その張出部分４５１ａの他端に一端が接続され側面視直線状に形成されると共に中間固定部４３２の外面に所定間隔を隔てつつ平行に対向配置される直線部分４５１ｂと、その直線部分４５１ｂの他端から第１基端側弾性片４４１へ向けて側面視直線状に延設される延設部分４５１ｃとを備える。
【０１４８】
第１基端側弾性片４４１及び第１先端側弾性片４５１は、互いの直線部分４４１ｂ，４５１ｂが平行に対向配置される姿勢で形成され、それら直線部分４４１ｂ，４５１ｂの対向間隔が第１オスコネクタ５００の長手方向寸法よりも若干小さくされる。これにより、第１基端側弾性片４４１及び第１先端側弾性片４５１の間に第１オスコネクタ５００を挟み込むことができるので、かかる第１オスコネクタ５００を矢印Ｒ−Ｌ方向における初期位置に位置決めすることができる。また、台座４００に対して第１オスコネクタ５００を矢印Ｒ−Ｌ方向へ変位させる外力が作用される場合には、第１基端側弾性片４４１又は第１先端側弾性片４５１が弾性変形することで、第１オスコネクタ５００の変位を許容して、破損を防止できる一方、外力が解除された後は、第１基端側弾性片４４１又は第１先端側弾性片４５１の弾性回復力により第１オスコネクタ５００を初期位置へ復帰させることができる（図１９から図２１参照）。
【０１４９】
第２基端側弾性片４４２及び第２先端側弾性片４５２は、それぞれ上述した第１基端側弾性片４４１及び第１先端側弾性片４５１と実質的に同一に形成される。即ち、第２基端側弾性片４４２は、側面視Ｊ字状に形成される弾性片であり、厚み寸法および幅寸法が基端から先端までの範囲にわたって略一定に形成される。詳細には、第２基端側弾性片４４２は、側面視円弧状に湾曲して形成され一端（第２基端側弾性片４４２の基端）を中間固定部４３２の正面側（図１４（ａ）及び図１４（ｂ）の上側）の端面に接続する湾曲部分４４２ａと、その湾曲部分４４２ａの他端に一端が接続され側面視直線状に形成されると共に中間固定部４３２の外面に所定間隔を隔てつつ平行に対向配置される直線部分４４２ｂとを備える。
【０１５０】
第２先端側弾性片４５２は、側面視Ｌ字状に形成される弾性片であり、矢印Ｒ−Ｌ方向において第２基端側弾性片４４２と所定間隔を隔てつつ対向配置されると共に、厚み寸法および幅寸法が基端から先端までの範囲にわたって略一定に形成される。詳細には、第２先端側弾性片４５２は、短手側壁板４１５の最も背面側（図１４（ａ）及び図１４（ｂ）の下側）における内面に一端（第２先端側弾性片４５２の基端）が接続され第２基端側弾性片４４２へ向けて張り出す側面視直線状の張出部分４５２ａと、その張出部分４５２ａの他端に一端が接続され側面視直線状に形成されると共に短手側壁板４１５の内面に所定間隔を隔てつつ平行に対向配置される直線部分４５２ｂとを備える。
【０１５１】
ここで、第１先端側弾性片４５１の延設部分４５１ｃは、後述するように、第１正面板４１１の中間正面板４１１ａ及び基端側正面板４１１ｂと共に、第１オスコネクタ５００に係合（当接）して、かかる第１オスコネクタ５００が第１開口４２１から矢印Ｆ方向へ抜け出ることを規制するための部位である（図１９参照）。本実施形態では、第１先端側弾性片４５１には、直線部分４５１ｂの他端に延設部分４５１ｃが形成されるが、第２先端側弾性片４５２には、直線部分４５２ｂの他端への延設部分の形成が省略される。
【０１５２】
これは、本実施形態では、第２正面板４１２の中間正面板４１２ａは、第１正面板４１１の中間正面板４１１ａよりも、矢印Ｒ−Ｌ方向における長さ寸法が長くされるため、その分、第２オスコネクタ６００との係合（当接）面積を確保でき、第２オスコネクタ６００が第２開口４２２から矢印Ｆ方向へ抜け出ることを第２正面板４１２の中間正面板４１２ａ及び基端側正面板４１２ｂのみにより規制することができるからである。即ち、本実施形態によれば、第２先端側弾性片４５２への延設部分の形成を省略することができ、その分、第２先端側弾性片４５２の形状を簡素化して、成型時の歩留まりを高めることができると共に、素材量を軽減して、材料コストの削減を図ることができる。但し、第２先端側弾性片４５２に延設部分を設けても良い。
【０１５３】
第２基端側弾性片４４２及び第１先端側弾性片４５２は、互いの直線部分４４２ｂ，４５２ｂが平行に対向配置される姿勢で形成され、それら直線部分４４２ｂ，４５２ｂの対向間隔が第２オスコネクタ６００の長手方向寸法よりも若干小さくされる。これにより、上述した第１オスコネクタ５００の場合と同様に、第２基端側弾性片４４２及び第２先端側弾性片４５２の間に第２オスコネクタ６００を挟み込むことができるので、かかる第２オスコネクタ６００を矢印Ｒ−Ｌ方向における初期位置に位置決めすることができる。また、台座４００に対して第２オスコネクタ６００を矢印Ｒ−Ｌ方向へ変位させる外力が作用される場合には、第２基端側弾性片４４２又は第２先端側弾性片４５２が弾性変形することで、第２オスコネクタ６００の変位を許容して、破損を防止できる一方、外力が解除された後は、第２基端側弾性片４４２又は第２先端側弾性片４５２の弾性回復力により第２オスコネクタ６００を初期位置へ復帰させることができる（図１９から図２１参照）。
【０１５４】
図１０及び図１１に戻って説明する。上述したように、台座４００は、正面視横長の矩形状に形成され、台座４００の長手方向に対し、第１オスコネクタ５００及び第２オスコネクタ６００がその長手方向を沿わせて一列に配設される。ここで、図１５から図１８を参照して、第１オスコネクタ５００及び第２オスコネクタ６００の詳細構成について説明する。
【０１５５】
図１５は、第１オスコネクタ５００の正面斜視図である。図１６（ａ）は、第１オスコネクタ５００の正面図であり、図１６（ｂ）は、図１６（ａ）の矢印ＸＶＩｂ方向視における第１オスコネクタ５００の側面図である。また、図１７（ａ）及び図１７（ｂ）は、図１６（ａ）の矢印ＸＶＩＩａ方向視および矢印ＸＶＩＩｂ方向視における第１オスコネクタ５００の側面図である。なお、図１５から図１７では、第１オスコネクタ５００の電気的接続線ＷＨの図示が省略される。
【０１５６】
図１５から図１７に示すように、第１オスコネクタ５００は、正面視横長の矩形状に形成されるハウジング５１０と、そのハウジング５１０の上下（矢印Ｕ−Ｄ側）の外壁面に幅方向（矢印Ｒ−Ｌ方向）に沿って等間隔に列設されると共に導電性材料からなる複数の接点部材５２０とを備える。
【０１５７】
ハウジング５１０には、幅方向（矢印Ｒ−Ｌ）両側の側壁面から被ガイド部５３０が突設される。被ガイド部５３０は、第１メスコネクタ８００及び第２メスコネクタ９００のガイド溝部８３０に嵌入される断面コ字状の凸部であり、接続の方向（矢印Ｆ−Ｂ方向）に沿って直線状に延設される２本が所定間隔を隔てつつ平行に並設される。また、被ガイド部５３０の先端には、先端へ向けて下降傾斜する傾斜面（案内面５３０ａ及び案内面５３０ｂ）が形成されることで、先細形状に形成される。
【０１５８】
よって、上述したように、接続初期においては、被ガイド部５３０の先端（案内面５３０ａ，５３０ｂ）を第１メスコネクタ８００の案内面８１０ａ，８３０ａによりガイド溝部８３０へ向けて案内可能として、接続初期における被ガイド部５３０とガイド溝部８３０との間の位置ズレを許容できる。被ガイド部５３０の先端（案内面５３０ａ，５３０ｂ）がガイド溝部８３０へ挿入された後（即ち、案内面８１０ａ，８３０ａを通過した後）は、被ガイド部５３０がガイド溝８３０の延設方向に沿って嵌入されることで、第１メスコネクタ８００に対する第１オスコネクタ５００の傾斜を矯正でき、両者の接点部材８２０，５２０を適切な状態で接触させることができる。
【０１５９】
なお、被ガイド部５３０は、並設される２本の幅寸法が互いに異なる寸法値に設定される。これにより、上述したように、第１オスコネクタ５００及び第２オスコネクタ６００が正規の姿勢から上下反転された姿勢で第１メスコネクタ８００及び第２メスコネクタ９００に接続されることを規制することができる。
【０１６０】
ハウジング５１０の背面側（矢印Ｂ側）には、基端側正面板５４１、先端側正面板５４２及び側部正面板５４３からなる正面板の群と、その正面板の群よりも背面側に更に後退して配設される基端側背面板５５１、先端側背面板５５２及び側部背面板５５３からなる背面板の群とが形成される。
【０１６１】
第１オスコネクタ５００の正面板の群は、第１オスコネクタ５００が台座４００に取り付けられた状態（即ち、第１開口４２１に挿通された状態）において、台座４００の第１正面板４１１の正面側に配置される部位であり、台座４００の第１正面板４１１に対して正面視において重なる部分を有して形成される（図１１参照）。よって、第１オスコネクタ５００及び第１メスコネクタ８００を接続する際に、第１オスコネクタ５００の正面板の群を台座４００の第１正面板４１１に当接させて、第１オスコネクタ５００の台座４００に対する背面方向（矢印Ｂ方向）への変位を規制することができる。これにより、第１オスコネクタ５００を第１メスコネクタ８００の接続口（受入口）内の所定位置まで確実に挿入させ、適正な接続状態を形成することができる。
【０１６２】
詳細には、基端側正面板５４１は、ハウジング５１０の上下（矢印Ｕ−Ｄ側）の外壁面からそれぞれ外方へ張り出す正面視矩形の一対の板状体として形成される。同様に、先端側正面板５４２は、ハウジング５１０の上下（矢印Ｕ−Ｄ側）の外壁面からそれぞれ外方へ張り出す正面視矩形の一対の板状体として形成され、基端側正面板５４１に対して、ハウジング５１０の長手方向（矢印Ｒ−Ｌ方向）に所定間隔を隔てて配設される。一方、側部正面板５４３は、ハウジング５１０の長手方向一側（矢印Ｒ側）の外壁面から外方へ張り出すと共にハウジング５１０の上下（矢印Ｕ−Ｄ方向）に所定間隔を隔てて配設される正面視矩形の一対の板状体として形成される。
【０１６３】
これら各正面板５４１，５４２，５４３は、それぞれ同一の厚み寸法（矢印Ｆ−Ｂ方向寸法）を有して形成され、互いに平行となる姿勢で配設されると共に、互いに同一の前後方向（矢印Ｆ−Ｂ方向）位置に配設される。即ち、各正面板５４１，５４２，５４３の背面（図１６（ｂ）下側の面）が面一に配設されるので、かかる背面を台座４００の第１正面板４１１の正面に均一に当接させることができる。これにより、荷重が一部に偏ることを抑制して、耐久性の向上を図ることができると共に、台座４００に対して第１オスコネクタ５００を接続の方向と直交する方向（矢印Ｕ−Ｄ方向または矢印Ｒ−Ｌ方向）へスムーズに変位させることができる。
【０１６４】
第１オスコネクタ５００の背面板の群は、第１オスコネクタ５００が台座４００に取り付けられた状態（即ち、第１開口４２１に挿通された状態）において、台座４００の第１正面板４１１の背面側（即ち、台座４００の第１正面板４１１を挟んで第１オスコネクタ５００の正面板の群の反対側）に配置される部位であり、台座４００の第１正面板４１１に対して正面視において重なる部分を有して形成される（図１１参照）。よって、第１オスコネクタ５００及び第１メスコネクタ８００の接続を解除する際に、第１オスコネクタ５００の背面板の群を台座４００の第１正面板４１１及び第１先端側弾性片４５１の延設部分４５１ｃに当接させて、第１オスコネクタ５００の台座４００に対する正面方向（矢印Ｆ方向）への変位を規制することができる。これにより、第１オスコネクタ５００が台座４００の第１開口４２１から抜け出ることを抑制し、かかる第１オスコネクタ５００を第１メスコネクタ８００の接続口（受入口）から確実に抜き取ることができる。
【０１６５】
詳細には、基端側背面板５５１は、ハウジング５１０の長手方向他側（矢印Ｌ側）の外壁面から外方へ張り出す正面視矩形の板状体として形成される。先端側背面板５５２は、ハウジング５１０の上下（矢印Ｕ−Ｄ側）の外壁面からそれぞれ外方へ張り出す正面視矩形の一対の板状体として形成されると共に、正面視において、上述した基端側正面板５４１と先端側正面板５４２との対向間に配設される。また、側部背面板５５３は、ハウジング５１０の長手方向一側（矢印Ｒ側）の外壁面から外方へ張り出す正面視矩形の板状体として形成され、正面視において、上述した側部正面板５４３（一対の板状体）の対向間に配設される。
【０１６６】
これら各背面板５５１，５５２，５５３は、それぞれ同一の厚み寸法（矢印Ｆ−Ｂ方向寸法）を有して形成され、互いに平行となる姿勢で配設されると共に、互いに同一の前後方向（矢印Ｆ−Ｂ方向）位置に配設される。即ち、各背面板５５１，５５２，５５３の正面（図１６（ｂ）上側の面）が面一に配設されるので、かかる正面を台座４００の第１正面板４１１の背面に均一に当接させることができる。これにより、荷重が一部に偏ることを抑制して、耐久性の向上を図ることができると共に、台座４００に対して第１オスコネクタ５００を接続の方向と直交する方向（矢印Ｕ−Ｄ方向または矢印Ｒ−Ｌ方向）へスムーズに変位させることができる。
【０１６７】
なお、第１オスコネクタ５００の正面板の群（各正面板５４１〜５４３）に対して背面板の群（各背面板５５１〜５５３）が背面側（矢印Ｂ方向）に後退する後退量（即ち、各正面板５４１〜５４３の背面と各背面板５５１〜５５３の正面との間の矢印Ｆ−Ｂ方向における間隔）は、台座４００の第１正面板４１１の板厚寸法と略同一の値または第１正面板４１１の板厚寸法より若干大きな値に設定され、正面板の群と背面板の群との間に台座４００の第１正面板４１１が挟装可能とされる。
【０１６８】
また、先端側背面板５４２は、ハウジング５１０の上下（矢印Ｕ−Ｄ側）の外壁面に接続される接続部５４２ａと、その接続部５４２ａから基端側背面板５４１と反対側へ向へてハウジング５１０の長手方向（矢印Ｒ−Ｌ方向）と平行に延設される延設部５５２ｂと、その延設部５５２ｂの延設先端からハウジング５１０の正面（矢印Ｆ方向）へ突設される係合部５５２ｃとからなる。
【０１６９】
先端側背面板５４２の係合部５５２ｂは、第１オスコネクタ５００が台座４００に取り付けられた状態（即ち、第１開口４２１に挿通された状態）において、台座４００の第１開口４２１における先端側開口４２１ｃ内に配置される。即ち、先端側背面板５４２の係合部５５２ｂは、その側面（図１６（ａ）及び図１６（ｂ）右側の面）が台座４００の第１開口４２１における先端側開口４２１ｃの内周面に対面される。よって、台座４００に対して第１オスコネクタ５００がその長手方向他側（矢印Ｌ方向）へ向けて変位される場合には、先端側背面板５４２の係合部５４２ｂが先端側開口４２１ｃの内周面に当接して係合されることで、第１オスコネクタ５００の台座４００に対する矢印Ｌ方向への変位を規制することができる（図２１参照）。
【０１７０】
なお、本実施形態では、係合部５５２ｂが延設部５５２ｂから突設される突設寸法は、台座４００の第１正面板４１１の板厚寸法と略同一とされる。これにより、係合部５５２ｂの側面と台座４００の先端側開口４２１ｃの内周面との係合面積を最大に確保しつつ、台座４００に第１オスコネクタ５００を組み付ける際に必要とされる先端側背面板５４２の弾性変形量（即ち、係合部５４２ｃの後退量）を抑制して、その組み付け性の向上を図ることができる。
【０１７１】
この場合、先端側背面板５４２は、接続部５４２ａと係合部５４２ｃとの間に延設部５４２ｂが介設されるので、延設部５４２ｂを弾性変形させることで、係合部５４２ｃを前後（矢印Ｆ−Ｂ方向）に変位させることができる。これにより、台座４００に第１オスコネクタ５００を組み付ける際には、後述するように、延設部５４２ｂの弾性変形を利用して、係合部５４２ｃを、後方（矢印Ｂ方向）へ退避させつつ、台座４００の先端側開口４２１ｃ内に配置させることができる（図２４参照）。その結果、台座４００への第１オスコネクタ５００の組み付け性の向上が図られる。
【０１７２】
基部側正面壁５４１の背面および先端側正面壁５４２の背面には、基端側係合面５６１及び先端側係合面５６２がそれぞれ形成される。これら基端側係合面５６１及び先端側係合面５６２は、第１オスコネクタ５００が台座４００に取り付けられた状態（即ち、第１開口４２１に挿通された状態）において、台座４００の第１開口４２１における基端側開口４２１ｂ及び先端側開口４２１ｃ内にそれぞれ配置される（図１１参照）。
【０１７３】
即ち、基端側係合面５６１は、先端側背面板５４２における係合部５４２ｃの側面（図１６（ａ）及び図１６（ｂ）右側の面）に対向配置されると共に、台座４００の第１開口４２１における基端側開口４２１ｂの内周面に対面される。また、先端側係合面５６２は、基端側係合部５６１と同じ方向を向いて配置され、台座４００の第１開口４２１における先端側開口４２１ｃの内周面に対面される。
【０１７４】
これにより、台座４００に対して第１オスコネクタ５００がその長手方向一側（矢印Ｒ方向）へ向けて変位される場合には、基端側係合面５６１が基端側開口５４１ｂの内周面に、先端側係合面５６２が先端側開口５４１ｃの内周面に、それぞれ係合されることで、第１オスコネクタ５００の台座４００に対する矢印Ｒ方向への変位を規制することができる。即ち、基端側係合面５６１及び先端側係合面５６２が基端側開口５４１ｂの内周面および先端側開口５４１ｃの内周面にそれぞれ係合されるまで、第１オスコネクタ５００の台座４００に対する矢印Ｒ方向への変位が許容される。
【０１７５】
次いで、図１８を参照して、第２オスコネクタ６００について説明する。図１８は、第２オスコネクタ６００の正面斜視図である。なお、図１８では、第２オスコネクタ６００の電気的接続線ＷＨの図示が省略される。
【０１７６】
図１８に示すように、第２オスコネクタ６００は、正面視横長の矩形状に形成されるハウジング６１０と、そのハウジング６１０の上下（矢印Ｕ−Ｄ側）の外壁面に幅方向（矢印Ｒ−Ｌ方向）に沿って等間隔に列設されると共に導電性材料からなる複数の接点部材５２０とを備える。
【０１７７】
ここで、第２オスコネクタ６００は、第１オスコネクタ５００に対し、接点部材５２０の列設間隔が同一とされる一方、列設数が多くされる。そのため、第２オスコネクタ６００のハウジング６１０は、第１オスコネクタ５００のハウジング５１０よりも、その長手方向（矢印Ｒ−Ｌ方向）寸法が長くされる。この場合、第２オスコネクタ６００は、その先端側背面板６５２における接続部６５２ａの長さ寸法（矢印Ｒ−Ｌ方向寸法）を、第１オスコネクタ５００の先端側背面板５５２における接続部６５２ａの長さ寸法（矢印Ｒ−Ｌ方向寸法）よりも長くすることで、ハウジング６１０の長手方向寸法の拡大に対応される。
【０１７８】
このように、本実施形態では、先端側背面板６５２において、接続部６５２ａの長さ寸法を延長することで、ハウジング６１０の長手方向寸法の拡大に対応するので、第２オスコネクタ６００の背面板の群を台座４００の正面板４１２に当接させて、第２オスコネクタ６００の台座４００に対する正面方向（矢印Ｆ方向）への変位を規制する際には、その規制に寄与する部位（接続部６５２ａ）の面積を効果的に確保できる。
【０１７９】
これにより、接点部材５２０の列設数が増加される分、解除の際の抵抗が大きくなる場合であっても、第２オスコネクタ６００及び第２メスコネクタ９００の接続を解除する際に、第２オスコネクタ６００が台座４００の第２開口４２２から抜け出ることを抑制でき、その結果、かかる第２オスコネクタ６００を第２メスコネクタ９００の接続口（受入口）から確実に抜き取ることができる。
【０１８０】
また、接続部６５２ａの長さ寸法が延長されることで、上述の通り、規制に寄与する部位の面積を確保できるので、その分、側部背面板５５３に当接するための部分を先端側弾性片４５２に形成することを省略できる。即ち、第２先端側弾性片４５２では、第１先端側弾性片４５１で設けた延設部分４５１ｃを省略できる。これにより、先端側弾性片４５２の形状を簡素化して、成型性を高めることができ、その分、成型時の歩留まりの向上を図ることができる。同時に、このように、第２先端側弾性片４５２への延設部の形成が省略されることで、その分、長手方向（矢印Ｒ−Ｌ方向）寸法が比較的長くされる第２オスコネクタ６００であっても、かかる第２オスコネクタ６００を台座４００（第２開口４２２）に組み付ける（挿通させる）際の作業性の向上を図ることができる。
【０１８１】
なお、第２オスコネクタ６００は、ハウジング６１０及び先端側背面板６５２の接続部６５２ａの構成（長手方向（矢印Ｒ−Ｌ方向）寸法）が、第１オスコネクタ５００におけるハウジング５１０及び先端側背面板５５２の接続部５５２ａと異なる点を除き、他の構成については、第１オスコネクタ５００における各構成と同一であるので、同一の構成には同一の符号を付して、その説明は省略する。
【０１８２】
図１０及び図１１に戻って説明する。遊技盤側コネクタ３００Ａでは、台座４００に対して第１オスコネクタ５００及び第２オスコネクタ６００の初期位置が規定可能に形成され、また、台座４００に対して第１オスコネクタ５００及び第２オスコネクタ６００が接続の方向と直交する方向（矢印Ｕ−Ｄ方向または矢印Ｒ−Ｌ方向）へ変位可能に形成されると共に、台座４００に対する第１オスコネクタ５００及び第２オスコネクタ６００の接続の方向と直交する方向への変位が所定の範囲内で規制可能に形成される。
【０１８３】
この場合、本実施形態では、台座４００に対する初期位置を規定する構造、台座４００に対する変位を許容する構造、及び、その変位の許容範囲を所定範囲内に規制する構造が、第１オスコネクタ５００及び第２オスコネクタ６００の両者において実質的に同一であるので、以下においては、第１オスコネクタ５００における構造のみを説明して、第２オスコネクタ６００における構造の説明は省略する。
【０１８４】
まず、台座４００に対する第１オスコネクタ５００の初期位置を規定する構造について説明する。なお、この説明においては、図１９を適宜参照する。図１９は、図１１（ａ）のＸＩＸ−ＸＩＸ線における遊技盤側コネクタ３００Ａの断面図である。図１９では、図面を簡素化して、理解を容易とするために、第１オスコネクタ５００及び第２オスコネクタ６００の断面形状をその全体にハッチングを付して模式的に図示する。
【０１８５】
図１０、図１１及び図１９に示すように、遊技盤側コネクタ３００Ａは、台座４００に対して第１オスコネクタ５００が組み付けられた状態（即ち、台座４００の第１開口４１１に第１オスコネクタ５００が挿通された状態）では、矢印Ｒ−Ｌ方向において、第１オスコネクタ５００が第１基端側弾性片４４１と第１先端側弾性片４５１との対向間に挟装される。
【０１８６】
詳細には、第１オスコネクタ５００は、基端側背面板５５１の側面を第１基端側弾性片４４１の直線部分４４１ｂに、側部背面板５５３の側面を第１先端側弾性片４４１の直線部分４５１ｂに、それぞれ当接させ、これら第１基端側弾性片４４１及び第１先端側弾性片４５１を互いに離間する方向へ若干弾性変形させた状態で配設される。これにより、台座４００に対する第１オスコネクタ５００の矢印Ｒ−Ｌ方向における初期位置を規定できる。
【０１８７】
ここで、台座４００に対する第１オスコネクタ５００の接続の方向と直交する方向（矢印Ｕ−Ｄ方向または矢印Ｒ−Ｌ方向）への変位が許容される構造では、内枠１２における取付完了位置に遊技盤ユニット１３が配置された状態で、第１オスコネクタ５００と第１メスコネクタ８００との間に位置ばらつきがある場合でも、第１オスコネクタ５００が台座４００に対して接続の方向と直行する方向へ変位されることで、位置ばらつきを吸収することができ、その結果、第１オスコネクタ５００と第１メスコネクタ８００とを接続させることができる。
【０１８８】
しかしながら、このように、台座４００に対する第１オスコネクタ５００の接続の方向と直交する方向（矢印Ｕ−Ｄ方向または矢印Ｒ−Ｌ方向）への変位が許容されると、台座４００に対する第１オスコネクタ５００の配設位置が不安定となるため、内枠１２における取付完了位置へ遊技盤ユニット１３を変位させ、第１オスコネクタ５００及び第１メスコネクタ８００の接続を開始する際に、これら両コネクタ５００，８００どうしが衝突して破損する事態が発生しやすくなる。
【０１８９】
これに対し、本実施形態によれば、台座４００に対する第１オスコネクタ５００の配設位置を、第１基端側弾性片４４１及び第１先端側弾性片４５１を利用して、矢印Ｒ−Ｌ方向における所定位置（初期位置）に位置決めできる。よって、内枠１２における取付完了位置へ遊技盤ユニット１３を変位させ、第１オスコネクタ５００及び第１メスコネクタ８００の接続を開始する際に、台座４００に対して第１オスコネクタ５００の配設位置が初期位置から矢印Ｒ−Ｌ方向へ不用意に変化する（位置ずれする）ことを抑制できる。その結果、台座４００に対する第１オスコネクタ５００の配設位置を安定させることができ、第１オスコネクタ５００と第１メスコネクタ８００との接続開始時に、これら両コネクタ５００，８００どうしが衝突して破損することを抑制できる。
【０１９０】
また、台座４００に対して、第１オスコネクタ５００を、第１基端側弾性片４４１及び第１先端側弾性片４５１を介して弾性支持させることができるので、接続の際の衝撃や遊技盤ユニット１３の回動時の遠心力を、各弾性片４４１，４５１による弾性支持により緩和して、台座４００や第１オスコネクタ５００の損傷を抑制できる。
【０１９１】
本実施形態では、一対の弾性片（第１基端側弾性片４４１及び第１先端側弾性片４５１）の間に第１オスコネクタ５００が配設されるので、台座４００に対する第１オスコネクタ５００の配設位置が変化することを矢印Ｒ方向および矢印Ｌ方向の両方向において抑制できる。その結果、第１オスコネクタ５００及び第１メスコネクタ８００が接続開始時に衝突して破損することをより確実に抑制できる。
【０１９２】
また、第１オスコネクタ５００が矢印Ｒ方向または矢印Ｌ方向のいずれの方向へ変位される場合であっても、一対の弾性片（第１基端側弾性片４４１及び第１先端側弾性片４５１）の弾性回復力を利用して、第１オスコネクタ５００を初期位置へ復帰させることができる。
【０１９３】
特に、本実施形態では、一対の弾性片（第１基端側弾性片４４１及び第１先端側弾性片４５１）が配設される方向（矢印Ｒ−Ｌ方向）が、遊技盤ユニット１３の幅方向に沿う方向とされるので、前扉枠１４を全開にできず、かかる前扉枠１４を所定の角度だけ開放し、その開放側（前扉枠１４の回動先端側）から内枠１２の挿入部１２８へ遊技盤ユニット１３（ベース板６０の側部６０ａ）を挿入すると共に、挿入部１２８に挿入されたベース板６０の側部６０ａを中心として遊技盤ユニット１３を回動して、第１オスコネクタ５００を第１メスコネクタ８００へ接続する場合に、これら両コネクタ５００，８００どうしが衝突して破損することを抑制しやすくすることができる。
【０１９４】
上述したように、第１オスコネクタ５００の電気的接続線ＷＨは、第１オスコネクタ５００の背面から延出され、台座４００における長手側壁部４１６の切り欠き部４１６ａ（図１０参照）に挿通された後、その切り欠き部４１６ａから配線保持部材７５へ向けて取り回され、その配線保持部材７５の開口７５ａに挿通される（図８及び図９参照）。これにより、電気的接続線ＷＨが切り欠き部４１６ａの内周面および開口７５ａの内周面にそれぞれ当接されて保持されることで、かかる電気的接続線ＷＨの姿勢を所定の姿勢に設定することができる。その結果、電気的接続線ＷＨの姿勢保持力が第１コネクタ５００に作用されることで、台座４００に対する第１オスコネクタ５００の矢印Ｕ−Ｄ方向における初期位置を規定できる。
【０１９５】
なお、本実施形態では、第１オスコネクタ５００の矢印Ｕ−Ｄ方向における初期位置が、その第１オスコネクタ５００の矢印Ｕ−Ｄ方向における可動範囲（即ち、矢印Ｕ−Ｄ方向における第１開口４２１の開口寸法）の中央に設定される。
【０１９６】
このように、本実施形態によれば、電気的接続線ＷＨの姿勢保持力を利用することで、台座４００に対する第１オスコネクタ５００の矢印Ｕ−Ｄ方向における初期位置も位置決めすることができる。よって、内枠１２における取付完了位置へ遊技盤ユニット１３を変位させ、第１オスコネクタ５００及び第１メスコネクタ８００の接続を開始する際に、台座４００に対して第１オスコネクタ５００の配設位置が初期位置から不用意に変化する（位置ずれする）ことを矢印Ｕ−Ｄ方向においても抑制できる。その結果、第１オスコネクタ５００と第１メスコネクタ８００との接続開始時に、これら両コネクタ５００，８００どうしが衝突して破損することをより確実に抑制できる。
【０１９７】
また、電気的接続線ＷＨの姿勢保持力を利用することで、部品点数を低減して、構造を簡素化することができ、その分、製品コストの削減を図ることができる。即ち、矢印Ｕ−Ｄ方向においても、矢印Ｒ−Ｌ方向の場合と同様に、弾性変形可能な弾性片を設け、その弾性片により第１オスコネクタ５００の初期位置を規定することも可能であるが、この場合には、弾性片を別途設ける必要があり、部品点数が増加して、構造の複雑化を招く。
【０１９８】
これに対し、本実施形態によれば、電気的接続線ＷＨの姿勢保持力を利用して第１オスコネクタ５００を初期位置に保持する構成なので、既存の部品を流用する（即ち、電気的接続線ＷＨに電気的な信号線や電力供給線としての役割だけでなく、初期位置を規定するための機械的構造物としての役割も担わせる）ことができ、別途部品（弾性片）を設ける必要がない。これにより、構造を簡素化して、その分、製品コストの削減を図ることができる。なお、第１オスコネクタ５００が台座４００に対して変位される場合には、その変位を電気的接続線ＷＨの姿勢変化で許容することができる。
【０１９９】
この場合、本実施形態では、台座４００の長手側壁板４１６に切り欠き部４１６ａを設け（図１０参照）、かかる切り欠き部４１６ａの内周面を電気的接続線ＷＨに当接させて保持するので（図８参照）、第１オスコネクタ５００により近い位置で電気的接続線ＷＨを保持（切り欠き部４１６ａを当接）することができる。これにより、電気的接続線ＷＨの姿勢保持力を第１オスコネクタ５００に効果的に作用させることが可能な姿勢に電気的接続線ＷＨを設定することができ、その結果、第１オスコネクタ５００を初期位置に正確に保持しやすくできる。なお、切り欠き部４１６ａは、その内周面を電気的接続線ＷＨに当接する構成であり、かかる電気的接続線ＷＨの変形を許容するので、台座４００に対して第１オスコネクタ５００が変位される際に、その変位が阻害されることを抑制できる。
【０２００】
また、配線保持部材７５は、台座４００の上方であって、台座４００よりもベース板６０の背面側へ突出する位置に配設されると共に、その開口７５ａを台座４００の切り欠き部４１６ａに対面させる姿勢で配設されるので（図８及び図９参照）、電気的接続線ＷＨの姿勢を安定させることができ、第１オスコネクタ５００の初期位置を適正な位置に保持しやすくできる。
【０２０１】
次いで、台座４００に対する第１オスコネクタ５００の矢印Ｆ−Ｂ方向（即ち、第１オスコネクタ５００を第１メスコネクタ８００に接続する方向およびその接続を解除する方向）への変位を規制する構造について説明する。
【０２０２】
図１０、図１１及び図１９に示すように、遊技盤側コネクタ３００Ａは、台座４００に第１オスコネクタ５００が組み付けられた状態（即ち、台座４００の第１開口４１１に第１オスコネクタ５００が挿通された状態）では、第１オスコネクタ５００の正面板の群（基板側正面板５４１、先端側正面板５４２及び側部正面板５４３）が、台座４００の第１正面板４１１（中間正面板４１１ａ、基端側正面板４１１ｂ及び先端側正面板４１１ｃ）の正面側（矢印Ｆ側）に配置される。
【０２０３】
詳細には、第１オスコネクタ５００における基端側正面板５４１は第１正面板４１１における中間正面板４１１ａの正面側に、第１オスコネクタ５００における先端側正面板５４２及び側部正面板５４３は第１正面板４１１における先端側正面板４１１ｂの正面側に、それぞれ正面視においてその一部を重ならせて配設される。
【０２０４】
よって、内枠１２における取付完了位置へ遊技盤ユニット１３を変位させ、第１オスコネクタ５００を第１メスコネクタ８００に接続する際には、第１オスコネクタ５００の正面板の群を台座４００の第１正面板４１１に当接させて、第１オスコネクタ５００の台座４００に対する背面方向（矢印Ｂ方向）への変位を規制することができる。これにより、第１オスコネクタ５００を第１メスコネクタ８００の接続口（受入口）内の所定位置まで確実に挿入させ、適正な接続状態を形成することができる。
【０２０５】
一方、遊技盤側コネクタ３００Ａは、第１オスコネクタ５００の背面板の群（基板側背面板５５１、先端側背面板５５２及び側部背面板５５３）が、台座４００の第１正面板４１１（中間正面板４１１ａ、基端側正面板４１１ｂ及び先端側正面板４１１ｃ）及び第１先端側弾性片４５２（延設部４５２ｃ）の背面側（矢印Ｂ側）に配置される。
【０２０６】
詳細には、第１オスコネクタ５００における基端側背面板５５１は第１正面板４１１における基端側正面板４１１ｂの背面側に、第１オスコネクタ５００における先端側背面板５５２は第１正面板４１１における先端側正面板４１１ｂの背面側に、第１オスコネクタ５００における側部背面板５５３は第１先端側弾性片４５２における延設部４５２ｃの背面側に、それぞれ正面視においてその一部を重ならせて配設される。
【０２０７】
よって、内枠１２における取付完了位置から遊技盤ユニット１３を変位させ、第１オスコネクタ５００及び第１メスコネクタ８００の接続を解除する際には、第１オスコネクタ５００の背面板の群を台座４００の第１正面板４１１及び第１先端側弾性片４５１の延設部分４５１ｃに当接させて、第１オスコネクタ５００の台座４００に対する正面方向（矢印Ｆ方向）への変位を規制することができる。これにより、第１オスコネクタ５００が台座４００の第１開口４２１から抜け出ることを抑制し、かかる第１オスコネクタ５００を第１メスコネクタ８００の接続口（受入口）から確実に抜き取ることができる。
【０２０８】
本実施形態では、上述したように、第１先端側弾性片４５１に延設部分４５１ｃを設け、この延設部分４５１ｃが第１オスコネクタ５００の側部背面壁５５３を当接することで、正面方向（矢印Ｆ方向）への変位を規制することができる。よって、第１正面壁４１１の中間正面壁４１１ａ及び基端側正面壁４１１ｂのみを第１オスコネクタ５００の背面板の群に当接させる場合と比較して、当接面積を大きくして、変位の規制をより確実に行うことができる。
【０２０９】
特に、本実施形態では、内枠１２の挿入部１２８に挿入したベース板６０の側部６０ａを中心として遊技盤ユニット１３を取付完了位置から回動させることで、第１オスコネクタ５００及び第１メスコネクタ８００の接続を解除する（第１オスコネクタ５００が第１メスコネクタ８００から引き抜かれる）構造であるところ、その回動基端側（ベース板６０の側部６０ａ）に近い側となる第１オスコネクタ５００は、第１メスコネクタ８００との接続を解除する方向（矢印Ｂ方向）と、遊技盤ユニット１３の回動に伴い自身が変位される方向との相違が、回動先端側に位置する第２オスコネクタ６００と比較して大きくなる。その結果、第１オスコネクタ５００を第１メスコネクタ８００から抜き取る際の抵抗が大きくなることに起因して、第１オスコネクタ５００が台座４００の第１開口４２１から抜け出やすくなる。よって、第１先端側弾性片４５１に延設部分４５１ｃを設け、この延設部分４５１ｃを第１オスコネクタ５００の側部背面壁５５３に当接させることによっても、正面方向（矢印Ｆ方向）への変位を規制する構造が特に有効となる。
【０２１０】
第１先端側弾性片４５１に延設部分４５１ｃを設けた場合であっても、かかる第１先端側弾性片４５１は、比較的大きな弾性変形が可能であると共に、第１オスコネクタ５００から離間する方向への弾性変形が可能であるので、台座４００に第１オスコネクタ５００を組み付ける工程においては、第１先端側弾性片４５１を弾性変形させて延設部分４５１ｃを第１オスコネクタ５００の取り付け領域から退避させておくことで、台座４００への第１オスコネクタ５００の組み付け作業が延設部分４５１ｃにより阻害されることを抑制できる。即ち、第１オスコネクタ５００の矢印Ｆ方向への変位を規制するための部位を、第１先端側弾性片４５１に延設部分４５１ｃとして設けることで、かかる第１オスコネクタ５００の変位を規制する能力を確保しつつ、台座４００に第１オスコネクタ５００を組み付ける際の作業性の向上を図ることができる。
【０２１１】
第１オスコネクタ５００の正面板の群および背面板の群は、ハウジング５１０に基端が支持されると共にその基端から延設される先端が自由端とされる片持ち形状とされ、弾性変形しやすくされる。同様に、台座４００の第１正面板４１１の各部（中間正面板４１１ａ、基端側正面板４１１ｂ及び先端側正面板４１１ｃ）は、短手側側壁４１４、長手側側壁４１６，４１７又は（及び）接続板４１３に連なる第１正面板４１１部分に基端が支持されると共にその基端から延設される先端が自由端とされる片持ち形状とされ、弾性変形しやすくされる。
【０２１２】
これにより、内枠１２における取付完了位置へ遊技盤ユニット１３を変位させ、第１オスコネクタ４００を第１メスコネクタ８００に接続する際には、その接続時の衝撃を、第１オスコネクタ５００の正面板の群と台座４００の第１正面板４１１の各部との弾性変形により吸収することができる。その結果、台座４００の破損を抑制できる。
【０２１３】
また、第１オスコネクタ５００の正面板の群と台座４００の第１正面板４１１の各部との弾性変形により、接続の方向（矢印Ｆ方向）に対して第１オスコネクタ５００を傾斜させることができるので、例えば、第１オスコネクタ５００及び第１メスコネクタ８００の間の位置ずれであって、台座４００に対して第１オスコネクタ５００が接続の方向と直交する方向（矢印Ｒ−Ｌ方向または矢印Ｕ−Ｄ方向）へ変位されるのみでは吸収できない位置ずれであっても、かかる位置ずれを第１オスコネクタ５００の傾斜により吸収することができる。その結果、位置ずれによる歪の発生を抑制し、各部の破損を抑制できる。
【０２１４】
同様に、内枠１２における取付完了位置から遊技盤ユニット１３を変位させ、第１オスコネクタ４００及び第１メスコネクタ８００の接続を解除する際には、第１オスコネクタ５００の背面板の群と台座４００の第１正面板４１１の各部との弾性変形により、接続を解除する方向（矢印Ｂ方向）に対して第１オスコネクタ５００を傾斜させることができるので、例えば、第１オスコネクタ５００及び第１メスコネクタ８００の接続を解除する方向（矢印Ｂ方向）と、内枠１２における取付完了位置から遊技盤ユニット１３が変位される方向とが一致されておらず（方向がずれていて）、台座４００に対して第１オスコネクタ５００が接続の方向と直交する方向（矢印Ｒ−Ｌ方向または矢印Ｕ−Ｄ方向）へ変位されるのみでは吸収できない場合であっても、かかる方向のずれを吸収することができる。その結果、位置ずれによる歪の発生を抑制し、各部の破損を抑制できる。
【０２１５】
特に、本実施形態では、
遊技盤側コネクタ３００Ａは、第１オスコネクタ５００の正面板の群（基板側正面板５４１、先端側正面板５４２及び側部正面板５４３）及び基板側背面板５５１と、台座４００の第１正面板４１１（中間正面板４１１ａ、基端側正面板４１１ｂ及び先端側正面板４１１ｃ）とが互いの角部（隅部）どうしを正面視において重ね合わせる構成なので、これら各部どうしが当接される場合の弾性変形を形成しやすくできる。その結果、上述した弾性変形を利用することによる奏する効果をより顕著に発揮させることができる。
【０２１６】
次いで、台座４００に対する第１オスコネクタ５００の矢印Ｒ−Ｌ方向および矢印Ｕ−Ｄ方向への変位を許容する構造およびその変位を所定の範囲に規制する構造について説明する。
【０２１７】
図２０（ａ）は、台座４００に対して第１オスコネクタ５００及び第２オスコネクタ６００が矢印Ｒ方向へ変位された状態における遊技盤側コネクタ３００Ａの正面図であり、図２０（ｂ）は、図２０（ａ）におけるＸＸｂ−ＸＸｂ線における遊技盤側コネクタ３００Ａの断面図である。図２１（ａ）は、台座４００に対して第１オスコネクタ５００及び第２オスコネクタ６００が矢印Ｌ方向へ変位された状態における遊技盤側コネクタ３００Ａの正面図であり、図２１（ｂ）は、図２１（ａ）におけるＸＸＩｂ−ＸＸＩｂ線における遊技盤側コネクタ３００Ａの断面図である。
【０２１８】
図２０に示すように、台座４００に対して第１オスコネクタ５００が初期位置（図１０、図１１及び図１９参照）から矢印Ｒ方向へ変位されると、台座４００の第１先端側弾性片４５１が第１オスコネクタ５００の側部背面板５５３の側面（図２０（ａ）及び図２０（ｂ）左側の面）により矢印Ｒ方向へ押し込まれ、かかる第１先端側弾性片４５１が弾性変形されることで、台座４００に対する第１オスコネクタ５００の矢印Ｒ方向への変位が許容される。その後、台座４００の第１先端側弾性片４５１が中間固定部４３２に当接され、それ以上の弾性変形が不可能とされることで、台座４００に対する第１オスコネクタ５００の矢印Ｒ方向への変位が規制される。即ち、第１オスコネクタ５００は、台座４００に対して、矢印Ｒ方向への可動範囲の終端に到達される。
【０２１９】
この場合、本実施形態では、台座４００の第１先端側弾性片４５１が中間固定部４３２に当接されると、同時に、第１オスコネクタ５００の基端側係合面５６１及び先端側係合面５６２が、台座４００の基端側開口５４１ｂの内周面および先端側開口５４１ｃの内周面に、それぞれ係合される。これにより、変位を受け止める際に作用する荷重を、複数の当接部分のそれぞれに分散させることができるので、その分、各当接部分の破損を抑制して、その耐久性の向上を図ることができる。
【０２２０】
特に、本実施形態では、前扉枠１４を所定の角度だけ開放し、その開放側（前扉枠１４の回動先端側）から内枠１２の挿入部１２８へ遊技盤ユニット１３（ベース板６０の側部６０ａ）を挿入すると共に、その挿入部１２８に挿入したベース板６０の側部６０ａを中心として遊技盤ユニット１３を回動させることで、第１オスコネクタ５００を第１メスコネクタ８００に接続させるため、かかる接続動作において、第１オスコネクタ５００が台座４００に対して矢印Ｒ方向へ変位されやすい。そのため、かかる矢印Ｒ方向への第１オスコネクタ５００の変位を複数の当接部分で受け止める構造（即ち、第１先端側弾性片４５１を中間固定部４３２に当接させるだけでなく、基端側係合面５６１及び先端側係合面５６２を台座４００の基端側開口５４１ｂの内周面および先端側開口５４１ｃの内周面にもそれぞれ当接させる構造）が特に有効となる。
【０２２１】
図２１に示すように、台座４００に対して第１オスコネクタ５００が初期位置（図１０、図１１及び図１９参照）から矢印Ｌ方向へ変位されると、台座４００の第１基端側弾性片４４１が第１オスコネクタ５００の基端側背面板５５１の側面（図２１（ａ）及び図２１（ｂ）右側の面）により矢印Ｌ方向へ押し込まれ、かかる第１基端側弾性片４４１が弾性変形されることで、台座４００に対する第１オスコネクタ５００の矢印Ｌ方向への変位が許容される。その後、第１オスコネクタ５００の先端側背面板５５２の係合部５５２ｃが、台座４００の先端側開口５４１ｃの内周面に係合され、第１基端側弾性片４４１のそれ以上の弾性変形が不可能とされることで、台座４００に対する第１オスコネクタ５００の矢印Ｌ方向への変位が規制される。即ち、第１オスコネクタ５００は、台座４００に対して、矢印Ｌ方向への可動範囲の終端に到達される。
【０２２２】
この場合、本実施形態では、第１基端側弾性片４４１と台座４００の短手側壁板４１４との間に隙間が残されており、第１基端側弾性片４４１が弾性変形可能な状態とされる。このように、台座４００に対して第１オスコネクタ５００が矢印Ｌ方向への可動範囲の終端に到達された状態において、第１基端側弾性片４４１が弾性変形可能な状態に設定することで、後述するように、台座４００に第１オスコネクタ５００を組み付ける際にその作業性の向上を図ることができる。
【０２２３】
上述した通り、本実施形態によれば、台座４００に対し第１オスコネクタ５００が矢印Ｒ方向または矢印Ｌ方向へ変位され、第１先端側弾性片４５１又は第１基端側弾性片４４１が弾性変形される場合に、第１オスコネクタ５００の変位を所定の範囲内（所定量以下）に規制するストッパ手段が形成される。これにより、第１先端側弾性片４５１又は第１基端側弾性片４４１の弾性変形が過大となり破損することを抑制できる。
【０２２４】
この場合、ストッパ手段は、台座４００の部位（基端側開口４２１ｂ及び先端側開口４２１ｃの内周面、中間固定部４３２の外壁面）と第１オスコネクタ５００の部位（基端側係合面５６１、先端側係合面５６２、先端側平面板５５２の係合部５５２ｃ）とを利用して形成されるので、台座４００に第１オスコネクタ５００を組み付ける工程において作業者が不用意な組み付け作業を行った場合でも、ストッパ機能を発揮させ、第１先端側弾性片４５１又は第１基端側弾性片４４１の破損を抑制できる。
【０２２５】
例えば、台座４００に形成されるストッパ手段を、台座４００ではなく、台座４００が配設される遊技盤ユニット１３に形成し、その遊技盤ユニット１３に形成したストッパ手段を、第１オスコネクタ５００に形成されるストッパ手段に当接させ、第１オスコネクタ５００の変位を規制する構成とすることも可能である。しかし、この場合には、遊技盤ユニット１３に台座４００及び第１オスコネクタ５００の両者を装着した後でなければストッパ機能を発揮できず、台座４００に第１オスコネクタ５００を組み付ける工程においては、ストッパ機能を発揮させることができない。
【０２２６】
これに対し、本実施形態によれば、ストッパ手段が、台座４００に形成される部位（基端側開口４２１ｂ及び先端側開口４２１ｃの内周面、中間固定部４３２の外壁面）と第１オスコネクタ５００に形成される部位（基端側係合面５６１、先端側係合面５６２、先端側平面板５５２の係合部５５２ｃ）とからなるので、遊技盤ユニット１３に装着する前であって、台座４００に第１オスコネクタ５００を組み付ける工程においても、両部位どうしを当接させて、ストッパ機能を発揮させることができる。その結果、組み付けの工程において作業者が不用意な組み立て作業を行った場合でも、第１先端側弾性片４５１又は第１基端側弾性片４４１の破損を抑制できる。
【０２２７】
ここで、第１先端側弾性片４５１は、中間固定部４３２に形成される。中間固定部４３２は、遊技盤ユニット１３の取付面ＢＥに締結ねじにより締結固定される部位であるので、第１先端側弾性片４５１の弾性変形に伴う荷重を、中間固定部４３１自身の剛性だけでなく、締結ねじを介して、遊技盤ユニット１３の剛性も利用して支えることができる。また、上述したように、中間固定部４３２の内部には、遊技盤ユニット１３の背面から突出される突出部が挿入（内嵌）される。よって、中間固定部４３２の内部に内嵌される突出部の剛性も利用することができる。その結果、台座４００（特に、中間固定部４３２）の破損を抑制できる。
【０２２８】
特に、第１先端側弾性片４５１は、第１オスコネクタ５００の矢印Ｒ方向への変位を規制する際に、中間固定部４３２に当接するため（図２０（ｂ）参照）、第１先端側弾性片４５１の当接対象である中間固定部４３２が、締結ねじにより遊技盤ユニット１３に締結固定される部位であることが有効となる。
【０２２９】
なお、中間固定部４３１には、第２基端側弾性片４４２も形成される。これにより、第１先端側弾性片４５１の場合と同様に、第２基端側弾性片４４２の弾性変形に伴う荷重を、中間固定部４３１自身の剛性だけでなく、締結ねじを介して、遊技盤ユニット１３の剛性も利用して支えることができ、また、中間固定部４３２の内部に内嵌される突出部の剛性を利用して支えることもできる。その結果、台座４００（特に、中間固定部４３２）の破損を抑制できる。
【０２３０】
この場合、中間固定部４３２は、締結ねじの座面から締結力を受ける受け面４３２ａを備え、その中間固定部４３２の受け面４３２ａに第２基端側弾性片４４２の基端（湾曲部分４４２ａの一端）が連なるように形成されるので、第２基端側弾性片４４２の弾性変形に伴う荷重を、受け面４３２ａを介して、締結ねじに伝達しやすくできる。その結果、締結ねじの剛性および遊技盤１３（及び突出部）の剛性を効率的に利用することができる。
【０２３１】
一方、第１先端側弾性片４５１は、中間固定部４３２の背面側の端面（即ち、遊技盤ユニット１３の取付面ＢＥに取り付けられる面、図１９下側の面）に基端（張出部分４５１ａの一端）が連なるように形成されるので、第１先端側弾性片４５１の弾性変形に伴う荷重を受けて、台座４００が破損することを抑制できる。即ち、中間固定部４３２の背面側の端面は、遊技盤ユニット１３の取付面ＢＥに密着されるため、第１先端側弾性片４５１の弾性変形に伴う荷重を、中間固定部４３２自身の剛性だけでなく、遊技盤ユニット１３の剛性も利用して支えることができ、その結果、台座４００（特に、中間固定部４３２）の破損を抑制できる。
【０２３２】
なお、第２先端側弾性片４５２についても、第１先端側弾性片４５１の場合と同様に、台座４００の短手側壁板４１５の背面側の端面（即ち、遊技盤ユニット１３の取付面ＢＥに取り付けられる面、図１９下側の面）に基端（張出部分４５２ａの一端）が連なるように形成される。よって、短手側壁板４１５のように、薄板状に形成されて比較的剛性が弱い部位であっても、第２先端側弾性片４５２の弾性変形に伴う荷重を、短手側壁板４１５自身の剛性だけでなく、遊技盤ユニット１３の剛性も利用して支えることができ、その結果、台座４００（特に、短手側壁板４１５）が破損することを抑制できる。
【０２３３】
一方、第１基端側弾性片４４１は、台座４００の短手側壁板４１４の正面側の端面（即ち、遊技盤ユニット１３の取付面ＢＥと反対側の面、図１９上側の面）に基端（湾曲部分４４１ａの一端）が連なるように形成される。この場合、短手側壁板４１４には、第１基端側弾性片４４１が配設される側と反対側の外壁面に基端側固定部４３１が形成（接続）される（図１４（ｂ）参照）。よって、薄板状に形成され比較的剛性が弱い部位である短手側壁板４１４の剛性を基端側固定部４３１の剛性により補強することができる。更に、基端側固定部４３１は、遊技盤ユニット１３の取付面ＢＥに締結ねじにより締結固定される部位であるので、第１基端側弾性片４４１の弾性変形に伴う荷重を、短手側壁板４１４自身の剛性だけでなく、締結ねじを介して、遊技盤ユニット１３の剛性も利用して支えることができる。また、上述したように、基端側固定部４３１の内部には、遊技盤ユニット１３の背面から突出される突出部が挿入（内嵌）される。よって、基端側固定部４３１の内部に内嵌される突出部の剛性も利用することができる。その結果、台座４００（特に、短手側壁板４１４）の破損を抑制できる。
【０２３４】
図２２（ａ）は、台座４００に対して第１オスコネクタ５００及び第２オスコネクタ６００が矢印Ｕ方向へ変位された状態における遊技盤側コネクタ３００Ａの正面図であり、図２２（ｂ）は、台座４００に対して第１オスコネクタ５００及び第２オスコネクタ６００が矢印Ｕ方向へ変位された状態における遊技盤側コネクタ３００Ａの正面図である。
【０２３５】
図２２（ａ）及び図２２（ｂ）に示すように、第１オスコネクタ５００は、台座４００に対し、初期位置（図１０、図１１及び図１９参照）から矢印Ｕ方向および矢印Ｄ方向へ変位可能に形成される。
【０２３６】
即ち、第１オスコネクタ５００のハウジング５１０は、その厚み寸法（矢印Ｕ−Ｄ方向寸法）が、台座４００の第１開口４２１における中央開口４２１ａの幅寸法（矢印Ｕ−Ｄ方向寸法）よりも小さくされ、また、第１オスコネクタ５００の基端側正面壁５４１、先端側正面壁５４２、基端側背面壁５５１及び先端側背面壁５５２の張り出し寸法（矢印Ｕ−Ｄ方向寸法）が、台座４００の第１開口４２１における基端側開口４２１ｂ及び先端側開口４２１ｃの幅寸法（矢印Ｕ−Ｄ方向寸法）よりも小さくされる。
【０２３７】
よって、初期位置においては、第１開口４２１の内周面と第１オスコネクタ５００の外壁面との間に矢印Ｕ−Ｄ方向における隙間が形成される（図１１（ａ）参照）。これにより、その隙間の分、第１オスコネクタ５００は、台座４００に対し、初期位置から矢印Ｕ方向および矢印Ｄ方向へ変位することが可能とされる。
【０２３８】
このように、第１オスコネクタ５００は、矢印Ｒ−Ｌ方向の変位だけでなく、矢印Ｕ−Ｄ方向の変位も許容された状態で、台座４００に配設される。即ち、第１オスコネクタ５００を、接続の方向に直交する平面内において変位させることができる。これにより、台座４００に対する第１オスコネクタ５００の可動範囲を確保できるので、内枠１２における取付完了位置に遊技盤ユニット１３が変位された状態において、第１オスコネクタ５００と第１メスコネクタ８００との間に位置ばらつきがある場合であっても、その位置ばらつきを吸収して、第１オスコネクタ５００及び第１メスコネクタ８００を接続することができる。
【０２３９】
この場合、本実施形態では、第１オスコネクタ５００の基端側背面板５５１及び側部背面板５５３の側面（第１基端側弾性片４４１及び第１先端側弾性片４５１を矢印Ｒ−Ｌ方向へ押圧する側面）と、台座４００の第１基端側弾性片４４１及び第１先端側弾性片４５１の直線部分４４１ｂ，４５１ｂの壁面（基端側背面板５５１及び側部背面板５５３により矢印Ｒ−Ｌ方向に押圧される壁面）とが、正面視（矢印Ｆ−Ｂ方向視）において、矢印Ｕ−Ｄ方向に平行な平坦面として形成される。
【０２４０】
これにより、台座４００に対して第１オスコネクタ５００が矢印Ｕ−Ｄ方向へ変位される場合には、その基端側背面板５５１及び側部背面板５５３を第１基端側弾性片４４１及び第１先端側弾性片４５１に対して摺動させ、第１基端側弾性片４４１及び第１先端側弾性片４５１が弾性変形することを不要とできる。即ち、第１基端側弾性片４４１及び第１先端側弾性片４５１の形状を、矢印Ｒ−Ｌ方向および矢印Ｕ−Ｄ方向の両方向に弾性変形可能な形状とする必要がなく、矢印Ｒ−Ｌ方向に対してのみ弾性変形可能な形状とすることができる。その結果、第１基端側弾性片４４１及び第１先端側弾性片４５１の形状を簡素化して、その成型性および耐久性の向上を図ることができる。
【０２４１】
次いで、図２３及び図２４を参照して、遊技盤側コネクタ３００Ａの組み立て方法について説明する。なお、上述したように、第１オスコネクタ５００と第２オスコネクタ６００とは、先端側背面板５５２，６５２における接続部５５２ａ，６５２ａの長手方向寸法）が異なる点を除き、他の構成は同一である。よって、台座４００へ組み付ける方法も両者において実質的に同一であるので、以下においては、第１オスコネクタ５００を台座４００に組み付ける方法のみを説明して、第２オスコネクタ６００についての説明は省略する。
【０２４２】
図２３及び図２４は、遊技盤側コネクタ３００Ａの組み立て工程を時系列で示す台座４００及び第１オスコネクタ５００の部分断面側面図である。なお、図２３及び図２４に図示される台座４００の断面は、図１３（ａ）のＸＩＶｂ−ＸＩＶｂ線における台座４００の断面に対応する。即ち、図２３及び図２４に図示される台座４００は、図１４（ｂ）に図示される台座４００の一部に対応する。
【０２４３】
図２３（ａ）に示すように、遊技盤側コネクタ３００Ａの組み立ては、まず、台座４００の背面（図２３（ａ）下側の面）に第１オスコネクタ５００の正面を対面させ、かかる第１オスコネクタ５００を矢印Ｆ方向へ押し上げることで、その第１オスコネクタ５００の正面側（先端側）を台座４００の第１開口４２１へ挿通させる。この場合、図２３（ｂ）に示すように、第１オスコネクタ５００の基端側正面板５４１を台座４００の基端側開口４２１ｂに、第１オスコネクタ５００の先端側正面板５４２を台座４００の先端側開口４２１ｃに、それぞれ挿入する。
図２３（ｂ）に示すように、第１オスコネクタ５００の基端側正面板５４１及び先端側正面板５４２が、台座４００の基端側開口４２１ｂ及び先端側開口４２１ｃにそれぞれ挿入されると、第１オスコネクタ５００の先端側背面板５５２における係合部５４２ｃの突設先端が、台座４００の中間正面板４１１ａの背面（図２３（ｂ）下側の面）に当接される。
【０２４４】
第１オスコネクタ５００の先端側背面板５５２は、上述したように、ハウジング５１０の外壁面に接続部５４２ａが接続され、その接続部５４２ａからハウジング５１０の長手方向（矢印Ｒ−Ｌ方向）に沿って延設部５５２ｂが延設されると共に、その延設部５５２ｂの延設先端に係合部５５２ｃが突設されるので、図２４（ａ）に示すように、先端側背面板５５２の延設部５４２ｂを弾性変形させることで、第１オスコネクタ５００を矢印Ｆ方向へ更に押し上げることができる。
【０２４５】
図２４（ａ）に示すように、第１オスコネクタ５００の先端側背面板５５２における接続部５４２ａが台座４００の中間正面板４１１ａの背面（図２４（ａ）下側の面）に当接される位置まで第１オスコネクタ５００が矢印Ｆ方向へ押し上げられると、第１オスコネクタ５００の基端側正面板５４１及び先端側正面板５４２が、台座４００の基端側開口４２１ｂ及び先端側開口４２１ｃをそれぞれ通過して、台座４００の第１正面板４１１の正面側（図２４（ａ）上側）に突出される。
【０２４６】
この場合、台座４００の第１基端側弾性片４４１は、矢印Ｆ方向へ押し上げられた第１オスコネクタ５００の基端側背面板５５１により押圧されて、弾性変形されることで、その直線部分４４１ｂが短手側壁板４１４側へ退避される。これにより、第１オスコネクタ５００を、その基端側背面板５５１が基板側正面板４１１ｂに当接する位置まで矢印Ｆ方向へ移動させることが許容される。一方、弾性変形された第１基端側弾性片４４１は、直線部分４４１ｂが矢印Ｌ方向へ後退された姿勢となるため、その第１基端側弾性片４４１の弾性回復力を、第１オスコネクタ５００を矢印Ｒ方向へ変位させる付勢力として作用させることができる。即ち、後述する第１オスコネクタ５００を矢印Ｒ方向へ変位させる工程において（図２４（ｂ）参照）、第１基端側弾性片４４１の弾性回復力を利用することができ、作業性の向上が図られる。
【０２４７】
第１オスコネクタ５００が図２４（ａ）に示す位置まで矢印Ｆ方向に押し上げられ、その基端側正面板５４１及び先端側正面板５４２が台座４００の第１正面板４１１の正面側（図２４（ａ）上側）に突出された後は、次いで、かかる第１オスコネクタ５００を矢印Ｒ方向（即ち、台座４００の第１正面板４１１に沿って）へ変位させる。
【０２４８】
これにより、図２４（ｂ）に示すように、第１オスコネクタ５００の基端側正面板５４１、先端側正面板５４２及び側部正面板５４３が、台座４００の中間正面板４１１ａ及び先端側正面板４１１ｃの正面側に対向配置されると共に、第１オスコネクタ５００の基端側背面板５５１、先端側背面板５５２及び側部背面板５５３が、台座４００の基端側正面板４１１ｂ及び中間正面板５１１ａの背面側と先端側弾性片４５１の延設部分４５１ｃの背面側とに対向配置される。また、第１オスコネクタ５００の先端側背面板５５２の弾性変形が回復して、その先端側平面板５５２の係合部５５２ｃが台座４００の先端側開口４４２ｃに挿入される。これにより、台座４００への第１オスコネクタ５００の組み付け（遊技盤側コネクタ３００Ａの組み立て）が完了される。
【０２４９】
このように、本実施形態では、台座４００の第１開口４２１へその台座４００の背面側から第１オスコネクタ５００を所定位置まで挿通する挿通工程（図２３（ｂ）及び図２４（ａ）参照）と、その挿通工程により所定位置まで挿通された第１オスコネクタ５００を台座４００に対して挿入の方向（接続の方向）と直交する方向へ変位させる変位工程（図２４（ｂ）参照）との二工程により、台座４００への第１オスコネクタ５００の組み付けを完了することができる。よって、組み付け工数を低減して、その分、製品コストの削減を図ることができる。
【０２５０】
台座４００に対し第１オスコネクタ５００を矢印Ｆ方向へ押し上げて所定位置まで挿通する挿通工程では、第１オスコネクタ５００の基端側背面板５５１及び先端側背面板５５２が台座４００の基端側正面板４１１ｂ及び中間正面板４１１ａの背面に当接される位置（即ち、それ以上の矢印Ｆ方向への押し上げができなくなる位置）まで第１オスコネクタ５００を押し上げれば良く、第１オスコネクタ５００の挿通位置（押し上げ位置）を制御する必要がない。これにより、作業を簡素化して、組み付け工数の低減を図ることができる。
【０２５１】
挿通工程の後、変位工程において、第１オスコネクタ５００を台座４００に対して挿入の方向（接続の方向）と直交する方向（矢印Ｒ方向）へ変位させることで、第１オスコネクタ５００の先端側背面壁５５２における係合部５５２ｃを台座４００の先端側開口４２１ｃに挿入させ、かかる係合部５５２ｃを先端側開口４２１ｃの内周面に係合可能な状態を形成できる。これにより、第１オスコネクタ５００が変位工程における変位の方向（矢印Ｒ方向）と反対方向（矢印Ｌ）方向へ変位され、台座４００から脱落する（抜け出る）ことを規制できる。
【０２５２】
一方で、台座４００から第１オスコネクタ５００を取り外すためには、係合部５５２ｃを押し下げると共に、この押し下げた状態を維持しつつ、第１オスコネクタ５００を変位工程における変位の方向（矢印Ｒ方向）と反対方向（矢印Ｌ）方向へ変位させる必要がある。そのため、かかる取り外しの作業が煩雑となるので、例えば、台座４００から第１オスコネクタ５００を取り外し、他のコネクタを接続するという不正行為を抑制することができる。
【０２５３】
特に、本実施形態では、挿通工程における矢印Ｆ方向への第１オスコネクタ５００の押し上げ操作と、変位工程における矢印Ｒ方向への第１オスコネクタ５００の変位（スライド）操作との２操作のみで、先端側背面壁５２２（延設部５２２ｂ）の弾性変形を利用して、係合部５２２ｃを先端側開口４２１ｃに挿入することができる。即ち、係合部５２２ｃを先端側開口４２１ｃに挿入するために、先端側背面壁５２２（係合部４２２ｃ）に対する操作を別途行う必要がない。これにより、係合部５２２ｃと先端側開口４２１ｃの内周面との係合により台座４００からの第１オスコネクタ５００の脱落を規制可能としつつ、作業を簡素化して、組み付け工数の低減を図ることができる。
【０２５４】
上述したように、挿通工程において、基端側背面板５５１が基板側正面板４１１ｂに当接する位置まで矢印Ｆ方向へ押し上げられることを許容するべく（図２４（ａ）参照）、第１基端側弾性片４４１は第１先端側弾性片４５１よりも弾性変形可能量（即ち、直線部分４４１ｂ，４５１ｂと短手側壁板４１４又は中間固定部４３２との間の隙間寸法）が大きくされる（図１４（ａ）参照）。この場合、本実施形態では、先端側開口４２１ｃの内周面に係合可能な係合部５５２ｃを備え、かかる係合部５２２ｃ及び先端側開口４２１ｃが係合することで、第１オスコネクタ５００の矢印Ｌ方向への最大変位量を規制できる。即ち、第１基端側弾性片４４１の弾性変形量が過大となることを規制でき、かかる第１基端側弾性片４４１が破損することを抑制できる（図２１参照）。
【０２５５】
ここで、係合部５５２ｃが先端側開口４２１ｃの内周面に係合されることで、台座４００からの第１オスコネクタ５００が脱落する（抜け出る）ことを抑制するところ、第１オスコネクタ５００に矢印Ｌ方向へ（変位工程における変位の方向と反対の方向）へ大きな荷重が作用されると、その荷重が係合部５２２ｃに作用されることで、係合部５２２ｃと先端側開口４２１ｃの内周面との係合が解除される恐れがある。
【０２５６】
これに対し、本実施形態によれば、台座４００に対して第１オスコネクタ５００矢印Ｌ方向（変位工程における変位の方向と反対の方向）へ変位される場合には、基端側弾性片４４１を弾性変形させることができる（図２１参照）。これにより、基端側弾性片４４１の弾性回復力を、第１オスコネクタ５００を矢印Ｌ方向へ押し戻す反発力として、第１オスコネクタ５００へ作用させることができ、その分、係合部５２２ｃと先端側開口４２１ｃの内周面との係合が解除されることを抑制できる。
【０２５７】
なお、基端側弾性片４４１の剛性を先端側弾性片４５１の剛性よりも大きく設定しても良い。これにより、基端側弾性片４４１の弾性回復力を、第１オスコネクタ５００を矢印Ｌ方向へ押し戻す反発力とする機能を高め、係合部５２２ｃと先端側開口４２１ｃの内周面との係合が解除されることをより確実に抑制できる。なお、基端側弾性片４４１を先端側弾性片４５１よりも剛性を高くする方法としては、その厚み寸法を厚くする、幅寸法を広くする、リブを立設する、これらを組み合わせるなどの方法が例示される。
【０２５８】
ここで、挿通工程の後、変位工程において第１オスコネクタ５００を矢印Ｒ方向へ変位させるためには、第１オスコネクタ５００の基端側正面板５４１及び先端側正面板５４２が台座４００の基端側開口４２１ｂ及び先端側開口４２１ｃの内周面に係止されないよう、図２４（ａ）に示すように、これら第１オスコネクタ５００の基端側正面板５４１及び先端側正面板５４２を、台座４００の第１正面板４１１の正面側（図２４（ａ）上側）に突出させておく必要がある。
【０２５９】
この場合、第１オスコネクタ５００には、先端側背面板５５２及び第１基端側弾性片４４１の弾性回復力が、第１オスコネクタ５００を矢印Ｂ方向へ押し下げる力として作用されると共に、その押し下げる力は基端側正面板５４１が形成される側（図２４（ａ）右側の部分）に偏って作用される（図２４（ａ）参照）。そのため、挿通工程において、第１オスコネクタ５００を矢印Ｆ方向へ押し上げる際には、先端側正面板５４２に比べ、基端側正面板５４１側が矢印Ｆ方向へ押し上げ難くなる。
【０２６０】
これに対し、本実施形態によれば、中間正面板４１１には、基端側開口４２１ｂに接する外縁であってその外縁の正面（図２３（ｂ）及び図２４（ａ）上側の面）に、基端側開口４２１ｂへ向かうに従って下降傾斜する傾斜面４１１ａ１が形成される。これにより、基端側正面板５４１側が矢印Ｆ方向へ十分に押し上げられておらず、第１正面板４１１の正面側への突出量が不十分な場合であっても、傾斜面４１１ａ１を利用して、基端側正面板５４１が台座４００の基端側開口４２１ｂの内周面に係止され難くすることができ、その結果、変位工程において、第１オスコネクタ５００を矢印Ｒ方向へ変位させることができる。
【０２６１】
次いで、図２５（ａ）を参照して、第２実施形態について説明する。図２５（ａ）は、第２実施形態における内枠１２及び遊技盤ユニット１３の側面模式図である。なお、上述した第１実施形態と同一の部分には同一の符号を付して、その説明は省略する。
【０２６２】
図２５（ａ）に示すように、第２実施形態における第１オスコネクタ５００及び第２オスコネクタ６００は、台座４００に対する矢印Ｕ−Ｄ方向における初期位置が、それら第１オスコネクタ５００及び第２オスコネクタ６００の矢印Ｕ−Ｄ方向における可動範囲の上端（矢印Ｕ方向の端部）に設定される。よって、上述した図２２（ａ）に示す状態が、台座４００に対して第１オスコネクタ５００及び第２オスコネクタ６００が第２実施形態における初期位置に配置された状態に対応する。
【０２６３】
ここで、遊技盤ユニット１３には、異なる形態や重量の複数の電気部品が比較的限られたスペースに搭載されるため、均等に配置することが困難であり、その重心位置が遊技盤ユニット１３の前面側または背面側に偏る傾向がある。そのため、内枠１２における取付完了位置へ遊技盤ユニット１３を変位させる際には、かかる遊技盤ユニット１３が前面側または背面側（即ち、重心が位置する側）へ傾斜した姿勢となりやすい。
【０２６４】
例えば、遊技盤ユニット１３が前面側へ傾斜した姿勢になると、その姿勢に対応して、第１オスコネクタ５００及び第２オスコネクタ６００が下降傾斜され、それら第１オスコネクタ５００及び第２オスコネクタ６００の先端の高さ位置が、第１メスコネクタ８００及び第２メスコネクタ９００の接続口（受入口）に対して下方（図２５（ａ）下側）へずれるため、遊技盤側コネクタ３００Ａを内枠側コネクタ３００Ｂに接続する際の作業性が悪化する。
【０２６５】
これに対し、第２実施形態によれば、第１オスコネクタ５００及び第２オスコネクタ６００の矢印Ｕ−Ｄ方向における初期位置が、矢印Ｕ−Ｄ方向における可動範囲の上端（矢印Ｕ方向の端部）に設定されるので、遊技盤ユニット１３が前面側へ傾斜した姿勢となり、第１オスコネクタ５００及び第２オスコネクタ６００が下降傾斜される場合でも、それら第１オスコネクタ５００及び第２オスコネクタ６００の先端の高さ位置を、第１メスコネクタ８００及び第２メスコネクタ９００の接続口（受入口）の高さ位置に一致させることができる。その結果、遊技盤ユニット１３を第２仮置き部７０２に沿って（即ち、頭２４（ａ）の矢印Ｓ方向へ）スライドさせることで、第１オスコネクタ５００及び第２オスコネクタ６００の先端を、第１メスコネクタ８００及び第２メスコネクタ９００の接続口（受入口）に挿入することができ、遊技盤側コネクタ３００Ａを内枠側コネクタ３００Ｂに接続する際の作業性の向上を図ることができる。
【０２６６】
次いで、図２５（ｂ）を参照して、第３実施形態について説明する。図２５（ｂ）は、第３実施形態における内枠１２及び遊技盤ユニット１３の側面模式図である。なお、上述した第１実施形態と同一の部分には同一の符号を付して、その説明は省略する。
【０２６７】
図２５（ｂ）に示すように、第３実施形態における第１オスコネクタ５００及び第２オスコネクタ６００は、台座４００に対する矢印Ｕ−Ｄ方向における初期位置が、それら第１オスコネクタ５００及び第２オスコネクタ６００の矢印Ｕ−Ｄ方向における可動範囲の下端（矢印Ｄ方向の端部）に設定される。よって、上述した図２２（ａ）に示す状態が、台座４００に対して第１オスコネクタ５００及び第２オスコネクタ６００が第３実施形態における初期位置に配置された状態に対応する。
【０２６８】
即ち、第３実施形態で説明する初期位置は、上述した第２実施形態の場合とは逆に、重心位置が遊技盤ユニット１３の背面側に偏っており、内枠１２における取付完了位置へ遊技盤ユニット１３を変位させる際に、背面側（即ち、重心が位置する側）へ傾斜した姿勢となる遊技盤ユニット１３に対して有効となる。
【０２６９】
詳細には、第３実施形態では、第１オスコネクタ５００及び第２オスコネクタ６００の矢印Ｕ−Ｄ方向における初期位置が、矢印Ｕ−Ｄ方向における可動範囲の下端（矢印Ｄ方向の端部）に設定され、その高さ位置が予め低くされているので、遊技盤ユニット１３が背面側へ傾斜した姿勢となり、第１オスコネクタ５００及び第２オスコネクタ６００が上昇傾斜される場合でも、その傾斜した姿勢において、第１オスコネクタ５００及び第２オスコネクタ６００の先端の高さ位置を、第１メスコネクタ８００及び第２メスコネクタ９００の接続口（受入口）の高さ位置に一致させることができる。その結果、遊技盤ユニット１３を第２仮置き部７０２に沿って（即ち、図２４（ｂ）の矢印Ｓ方向へ）スライドさせることで、第１オスコネクタ５００及び第２オスコネクタ６００の先端を、第１メスコネクタ８００及び第２メスコネクタ９００の接続口（受入口）に挿入することができ、遊技盤側コネクタ３００Ａを内枠側コネクタ３００Ｂに接続する際の作業性の向上を図ることができる。
【０２７０】
次いで、図２６から図２８を参照して、第４実施形態について説明する。第１実施形態では、遊技盤ユニット１３を、接続完了位置へ変位させる又は接続完了位置から変位させ、遊技盤側コネクタ３００Ａ及び内枠側コネクタ３００Ｂを接続する又はその接続を解除する場合に、各接点部材５２０，８２０，９２０（列設方向両端に配置されアース線（ＧＮＤ）を連結する接点部材５２０，８２０，９２０を除く）における接続および解除がそれぞれ同じタイミングで行われる場合を説明したが、第４実施形態では、各接点部材４５２０，８２０，９２０の接続および解除が異なるタイミングで行われる。なお、上述した各実施形態と同一の部分には同一の符号を付して、その説明は省略する。
【０２７１】
図２６（ａ）は、第１メスコネクタ８００の正面図であり、図２６（ｂ）は、図２６（ａ）のＸＸＶＩｂ−ＸＸＶＩｂ線における第１メスコネクタ８００の断面図である。図２７（ａ）は、第４実施形態における第１オスコネクタ４５００の正面図であり、図２７（ｂ）は、図２７（ａ）の矢印ＸＸＶＩＩｂ方向視における第１オスコネクタ４５００の側面図である。
【０２７２】
図２６及び図２７に示すように、第１メスコネクタ８００には、複数の接点部材８２０が、その長手方向を接続の方向（図２６（ｂ）上下方向）に沿わせると共にケース体８１０の幅方向（図２６（ｂ）左右方向）に所定間隔を隔てつつ列設される。同様に、第１オスコネクタ４５００は、複数の接点部材４５２０が、その長手方向を接続の方向（図２７（ｂ）上下方向、矢印Ｆ−Ｄ方向）に沿わせると共にハウジング５１０の幅方向（図２７（ｂ）左右方向）に第１メスコネクタ８００の各接点部材８２０と同じ間隔を隔てつつ列設される。
【０２７３】
なお、第１メスコネクタ８００には、ケース体８１０の互いに対向する内壁面にそれぞれ１５本ずつの接点部材８２０が配設されることで、合計３０本の接点部材８２０が配設され、同様に、第１オスコネクタ４５００には、ハウジング５１０の互いに対向する外壁面にそれぞれ１５本ずつの接点部材４５２０が配設されることで、合計３０本の接点部材４５２０が配設される。よって、第１オスコネクタ４５００及び第１メスコネクタ８００には、第１オスコネクタ４５００の接点部材４５２０と第１メスコネクタ８００の接点８２０とからなる一対一組が３０組形成される。
【０２７４】
また、第１メスコネクタ８００は、ケース体８１０の一方の内壁面に配設される各接点部材８２０と他方の内壁面に配設される各接点部材８２０とが互いに向かい合う位置（側面視において互いに重なる位置）に配設され、同様に、第１オスコネクタ４５００は、ハウジング５１０の一方の外壁面に配設される各接点部材４５２０と他方の外壁面に配設される各接点部材４５２０とが互いに向かい合う位置（図２７（ｂ）に示す側面視において互いに重なる位置）に配設される。他の実施形態においても同様である。
【０２７５】
第１メスコネクタ８００は、各接点部材８２０の一端（第１メスコネクタ８００の接続口（受入口）側（図２６（ｂ）下側）の一端）の配設位置が、矢印Ｒ−Ｌに沿って横一列とされ、接続の方向（図２６（ｂ）上下方向）において、それぞれ同じ位置とされる。即ち、図２６（ｂ）に示す断面視において、各接点部材８２０の一端をそれぞれ通過して形成される仮想線が直線状をなすと共に、その直線（仮想線）がガイド溝８３０の延設方向（図２６（ｂ）上下方向）に直交される。
【０２７６】
一方、第１オスコネクタ４５００は、各接点部材４５２０の一端（第１オスコネクタ４５００の接続方向先端側（図２７（ｂ）上側）の一端）の配設位置がそれぞれ異なる位置とされ、列設方向一側（図２７（ｂ）左側）に位置する接点部材４５２０ほど、列設方向他側（図２７（ｂ）右側）に位置する接点部材４５２０よりも、延設長さが長くされる（一端が接続方向先端側に位置される）。即ち、図２７（ｂ）に示す側面視において、各接点部材４５２０の一端をそれぞれ通過して形成される仮想線が直線状をなすと共に、その直線（仮想線）が矢印Ｒ−Ｌ方向に対して傾斜され、かつ、被ガイド部５３０の延設方向（接続の方向、図２７（ｂ）上下方向）に対して非直角とされる。
【０２７７】
これにより、第４実施形態によれば、各接点部材４５２０，８２０の接続および解除のタイミングをそれぞれ異ならせることができる。即ち、上述したように、第１オスコネクタ４５００及び第１メスコネクタ８００は、向い合う姿勢に配設されているので、遊技盤ユニット１３が内枠１２へ向けて直線方向（被ガイド部５３０及びガイド溝８３０の延設方向）に沿って変位されることで、第１オスコネクタ４５００及び第１メスコネクタ８００の接続が開始される。この場合、第１オスコネクタ４５００は、各接点部材４５２０の接続方向先端側の一端の位置が接続方向に沿ってそれぞれ異なる位置に配置されるので、複数組の接点部材４５２０，８２０に対し、遊技盤ユニット１３の幅方向一方側（挿入部１２８及び側部６０ａと反対側、図２８左側）に位置する組から順に接続させることができる。遊技盤ユニット１３が取付完了位置に配置されると、複数組の接点部材４５２０，８２０のうちのすべての組が接続され、第１オスコネクタ４５００及び第１メスコネクタ８００の接続が完了される。
【０２７８】
一方、その接続状態から、遊技盤ユニット１３が直線方向（被ガイド部５３０及びガイド溝８３０の延設方向）に沿いつつ内枠１２から離間する方向へ向けて変位されることで、遊技盤ユニット１３が取付完了位置から変位され、第１オスコネクタ４５００及び第１メスコネクタ８００の接続の解除が開始される。この解除の場合には、複数組の接点部材４５２０，８２０に対して、遊技盤ユニット１３の幅方向他側（挿入部１２８及び側部６０ａに近い側、図２８右側）に位置する組から順に接続を解除させることができる。遊技盤ユニット１３が取付完了位置から所定位置まで変位されると、複数組の接点部材４５２０，８２０のうちのすべての組の接続が解除され、第１オスコネクタ４５００及び第１メスコネクタ８００の接続の解除が完了される。
【０２７９】
このように、第４実施形態では、第１オスコネクタ４５００の各接点部材４５２０に対し、その延設長さをそれぞれ異なる延設長さとすることで、複数組の接点部材４５２０，８２０における接続および解除のタイミングをそれぞれ異ならせることができる。即ち、ハウジング５１０やケース体８１０の形状などを変更する必要がなく、接点部材４５２０を除くすべての構成を、第１実施形態における構成と共通とすることができる。よって、構造を簡素化して、製品コストの削減を図ることができる。
【０２８０】
ここで、上述したように、例えば、ホールの店員が、遊技中に、前面枠１４を開いて何らかの作業（例えば、不正行為の有無の確認など）を行おうとした際に、遊技盤ユニット１３が取付完了位置から不用意に変位されると、第１オスコネクタ４５００及び第１メスコネクタ８００の接続が解除され、遊技に影響を与えるおそれがある。
【０２８１】
これに対し、本実施形態によれば、遊技盤ユニット１３が取付完了位置から変位され、第１オスコネクタ４５００及び第１メスコネクタ８００の接続が解除される際には、複数組の接点部材４５２０，８２０のうちの列設方向一側（図２８左側）に位置する組ほど、列設方向他側（図２８右側）に位置する組よりも、その接続が解除されるタイミングを後とできる（遅くできる）。よって、遊技盤ユニット１３が取付完了位置から不用意に少し変位されてしまったとしても、一部（列設方向一側、図２８左側）の接点部材４５２０，８２０の組において、その接続を維持できる可能性を確保できる。したがって、複数組の接点部材４５２０，８２０のうち、その接続が解除されることで遊技へ比較的大きな影響を与える電気的信号線または電力供給線については、列設方向一側（図２８左側）の接点部材４５２０，８２０を利用し、遊技への影響が比較的小さい電気的信号線または電力供給線については、列設方向他側（図２８右側）の接点部材４５２０，８２０を利用することで、遊技盤ユニット１３の不用意な操作（変位）による遊技への影響を抑制できる。
【０２８２】
特に、第１オスコネクタ４５００及び第２メスコネクタ８００は、接続の方向に沿って直線状に延設される被ガイド部５３０及びガイド溝８３０を備え、複数組の接点部材４５２０，８２０は、被ガイド部５３０及びガイド溝８３０の延設方向に沿って延設されるので、遊技盤ユニット１３が取付完了位置から変位される際に、接点部材４５２０，８２０の各組において、それら一対の接点部材４５２０，８２０どうしを接続された状態に維持しやすくできる。
【０２８３】
ここで、接続の解除時は、上述のように、第１オスコネクタ４５００が、第２メスコネクタ８００に対して、直線方向（被ガイド部５３０及びガイド溝８３０の延設方向）に沿って移動されることが理想であるが、実際には、遊技盤ユニット１３が、内枠１２に対し、挿入部１２８及び側部６０ａを回動の中心として、回動（変位）される操作が作業者により行われるの通常であり、この場合には、第１オスコネクタ４５００も、第２メスコネクタ８００に対して、挿入部１２８及び側部６０ａを回動の中心として、円弧状の軌跡に沿って移動される。この態様について、図２８を参照して説明する。
【０２８４】
図２８は、第１オスコネクタ４５００及び第１メスコネクタ８００の接続および解除の動作を説明するための模式図であり、図２６（ｂ）に示す第１メスコネクタ８００及び図２７（ｂ）に示す第１オスコネクタ４５００に対応する。即ち、図２８は、内枠１２及び遊技盤ユニット１３の底面方向視（矢印ＩＸ方向視、図８参照）に対応する（図９参照）。なお、図２８では、内枠１２及び遊技盤ユニット１３（ベース板６０）を二点鎖線を用いて模式的に図示する。
【０２８５】
図２８に示すように、第１オスコネクタ４５００及び第１メスコネクタ８００は、遊技盤ユニット１３の側部６０ａを内枠１２の挿入部１２８に挿入し、内枠１２に対して遊技盤ユニット１３を回動させる際の回動先端側（図２８左側）において向い合う姿勢に配設される。即ち、第１メスコネクタ８００（内枠側コネクタ３００Ｂ）は、内枠１２の幅方向において挿入部１２８と反対側の端部に配設されると共に（図５参照）、第１オスコネクタ４５００は、遊技盤ユニット１３（ベース板６０）の幅方向において側部６０ａと反対側の端部に配設される（図９参照）。
【０２８６】
よって、側部６０ａ及び挿入部１２８を回動の中心として、遊技盤ユニット１３が内枠１２から離間する方向へ向けて回動（変位）されることで、遊技盤ユニット１３が取付完了位置から変位され、第１オスコネクタ４５００及び第１メスコネクタ８００の接続の解除が開始される。そのため、回動先端側（図２８左側）に位置する接点部材４５２０，８２０の組ほど先に接続が解除されやすい。
【０２８７】
これに対し、第４実施形態では、かかる先に接続が解除されやすい位置の接点部材４５２０ほど、その延設長さが長くされている（接続方向先端側の一端の位置が第１メスコネクタ８００側に位置する）ので、遊技盤ユニット１３が取付完了位置から不用意に変位された場合に、先に接続が解除されやすい位置に配置される接点部材４５２０，８２０の組における接続が解除されるタイミングを遅らせることができ、その結果、その接続を維持できる可能性を確保できる。
【０２８８】
特に、遊技中に、ホールの店員が前面枠１４を内枠１２に対して隣の遊技者の邪魔とならない程度に少し開いた状態として作業を行う場合には、それら前面枠１４と内枠１２との間の開放部分から作業を行うこととなる。そのため、遊技盤ユニット１３も、前面枠１４と内枠１２との間の開放部分から、側部６０ａと反対側の側縁のみを操作されやすい。よって、遊技盤ユニット１３が不用意に変位される態様としては、挿入部１２８及び側部６０ａを回動の中心として回動される態様が顕著となるため、第１オスコネクタ４５００も、第２メスコネクタ８００に対して、直線方向（被ガイド部５３０及びガイド溝８３０の延設方向）に沿って移動される態様ではなく、挿入部１２８及び側部６０ａを回動の中心として、円弧状の軌跡に沿って移動される態様のみとなりやすい。従って、本実施形態が特に有効となる。
【０２８９】
なお、複数組の接点部材４５２０，８２０のうち、その接続が解除されることで遊技へ比較的大きな影響を与える電気的信号線または電力供給線としては、主制御装置１１０と他の制御装置（例えば、払出制御装置１１１、音声ランプ制御装置１１３など）との間または主制御装置１１０と第１の装置（例えば、電源装置１１５、各種スイッチ２０８、ソレノイド２０９、第１図柄表示装置３７１，３７ｂ、第２図柄表示装置、第２図柄保留ランプなど）との間を接続する電気的接続線または電力供給線が例示され、遊技への影響が比較的小さい電気的信号線または電力供給線としては、他の制御装置（例えば、払出制御装置１１１、音声ランプ制御装置１１３など）と第２の装置（例えば、払出モータ２１６、発射制御装置１１２、音声出力装置２２６、ランプ表示装置２２７、その他装置２２８、枠ボタン２２、表示制御装置１１４など）との間を接続する電気的接続線または電力供給線が例示される。
【０２９０】
次いで、図２９及び図３０を参照して、第５実施形態について説明する。第４実施形態では、接点部材４５２０の延設長さが、遊技盤ユニット１３を回動させる際の回動先端側に位置するものほど長くされる場合を説明したが、第５実施形態における接点部材４５２０は、第４実施形態の場合とは逆に、回動基端側におけるものほど、接点部材４５２０の延設長さが長くされる。なお、上述した各実施形態と同一の部分には同一の符号を付して、その説明は省略する。
【０２９１】
図２９（ａ）は、第５実施形態における第１オスコネクタ５５００の正面図であり、図２９（ｂ）は、図２９（ａ）の矢印ＸＸＩＸｂ方向視における第１オスコネクタ５５００の側面図である。
【０２９２】
図２９に示すように、第１オスコネクタ５５００は、各接点部材５５２０の一端（第１オスコネクタ５５００の接続方向先端側（図２９（ｂ）上側）の一端）の配設位置が、矢印Ｒ−Ｌに対して第４実施形態の場合とは逆方向に傾斜する配置とされ、接続の方向（図２９（ｂ）上下方向）において、それぞれ異なる位置とされる。即ち、図２９（ｂ）に示す側面視において、各接点部材５５２０の一端をそれぞれ通過して形成される仮想線が直線状をなすと共に、その直線（仮想線）が被ガイド部５３０の延設方向（接続の方向、図２９（ｂ）上下方向）に対して、第４実施形態の場合とは逆方向に傾斜される。
【０２９３】
これにより、第５実施形態によれば、各接点部材５５２０，８２０の接続および解除のタイミングをそれぞれ異ならせることができる。即ち、第４実施形態において説明したように、遊技盤ユニット１３が内枠１２へ向けて直線方向（被ガイド部５３０及びガイド溝８３０の延設方向）に沿って変位されることで、第１オスコネクタ５５００及び第１メスコネクタ８００の接続が開始される。この場合、第１オスコネクタ５５００は、各接点部材５５２０の接続方向先端側の一端の位置が接続方向に沿ってそれぞれ異なる位置に配置されるので、第４実施形態の場合とは逆に、複数組の接点部材５５２０，８２０に対し、遊技盤ユニット１３の幅方向他側（挿入部１２８及び側部６０ａに近い側、図３０右側）に位置する組から順に接続させることができる。遊技盤ユニット１３が取付完了位置に配置されると、複数組の接点部材５５２０，８２０のうちのすべての組が接続され、第１オスコネクタ５５００及び第１メスコネクタ８００の接続が完了される。
【０２９４】
一方、その接続状態から、遊技盤ユニット１３が直線方向（被ガイド部５３０及びガイド溝８３０の延設方向）に沿いつつ内枠１２から離間する方向へ向けて変位されることで、遊技盤ユニット１３が取付完了位置から変位され、第１オスコネクタ５５００及び第１メスコネクタ８００の接続の解除が開始される。この解除の場合には、第４実施形態の場合とは逆に、複数組の接点部材５５２０，８２０に対して、遊技盤ユニット１３の幅方向一側（挿入部１２８及び側部６０ａと反対側、図３０左側）に位置する組から順に接続を解除させることができる。遊技盤ユニット１３が取付完了位置から所定位置まで変位されると、複数組の接点部材５５２０，８２０のうちのすべての組の接続が解除され、第１オスコネクタ５５００及び第１メスコネクタ８００の接続の解除が完了される。
【０２９５】
このように、第５実施形態においても、第１オスコネクタ５５００の各接点部材５５２０に対し、その延設長さをそれぞれ異なる延設長さとすることで、複数組の接点部材５５２０，８２０における接続および解除のタイミングをそれぞれ異ならせることができる。即ち、ハウジング５１０やケース体８１０の形状などを変更する必要がなく、接点部材５５２０を除くすべての構成を、第１実施形態における構成と共通とすることができる。よって、構造を簡素化して、製品コストの削減を図ることができる。
【０２９６】
ここで、上述したように、例えば、ホールの店員が、遊技中に、前面枠１４を開いて何らかの作業（例えば、不正行為の有無の確認など）を行おうとした際に、遊技盤ユニット１３が取付完了位置から不用意に変位されると、第１オスコネクタ５５００及び第１メスコネクタ８００の接続が解除され、遊技に影響を与えるおそれがある。
【０２９７】
これに対し、本実施形態によれば、遊技盤ユニット１３が取付完了位置から変位され、第１オスコネクタ５５００及び第１メスコネクタ８００の接続が解除される際には、複数組の接点部材５５２０，８２０のうちの列設方向他側（図３０右側）に位置する組ほど、列設方向一側（図３０左側）に位置する組よりも、その接続が解除されるタイミングを後とできる（遅くできる）。よって、遊技盤ユニット１３が取付完了位置から不用意に少し変位されてしまったとしても、一部（列設方向他側、図３０右側）の接点部材５５２０，８２０の組において、その接続を維持できる可能性を確保できる。
【０２９８】
したがって、第４実施形態の場合とは逆に、複数組の接点部材５５２０，８２０のうち、その接続が解除されることで遊技へ比較的大きな影響を与える電気的信号線または電力供給線については、列設方向他側の接点部材５５２０，８２０を利用し、遊技への影響が比較的小さい電気的信号線または電力供給線については、列設方向一側の接点部材５５２０，８２０を利用することで、遊技盤ユニット１３の不用意な操作（変位）による遊技への影響を抑制できる。
【０２９９】
なお、このように、第５実施形態では、複数組の接点部材５５２０，８２０における解除のタイミングを、第４実施形態の場合とは逆に、列設方向他側に位置するものを列設方向一側に位置するものよりも遅くすることができる。即ち、例えば、電気的信号線または電力供給線の取り回し（配線位置）を設計する際に、他の部材と干渉したり、配線スペースが確保できないなどの理由により、第４実施形態における第１オスコネクタ４５００では、遊技へ比較的大きな影響を与える電気的信号線または電力供給線を、複数組の接点部材５５２０，８２０のうちの列設方向一側の組に接続できない場合がある。この場合には、第５実施形態を採用することで、列設方向他側の組に接続することができる。これにより、遊技へ比較的大きな影響を与える電気的信号線または電力供給線が解除されるタイミングを遅らせつつ、電気的信号線または電力供給線の設計の自由度を確保することができる。
【０３００】
また、第１オスコネクタ５５００及び第２メスコネクタ８００は、接続の方向に沿って直線状に延設される被ガイド部５３０及びガイド溝８３０を備え、複数組の接点部材５５２０，８２０は、被ガイド部５３０及びガイド溝８３０の延設方向に沿って延設されるので、第４実施形態の場合と同様に、遊技盤ユニット１３が取付完了位置から変位される際に、接点部材５５２０，８２０の各組において、それら一対の接点部材５５２０，８２０どうしを接続された状態に維持しやすくできる。
【０３０１】
ここで、接続の解除時は、第４実施形態の場合と同様に、第１オスコネクタ５５００が、第２メスコネクタ８００に対して、直線方向（被ガイド部５３０及びガイド溝８３０の延設方向）に沿って移動されることが理想であるが、実際には、遊技盤ユニット１３が、内枠１２に対し、挿入部１２８及び側部６０ａを回動の中心として、回動（変位）される操作が作業者により行われるのが通常であり、この場合には、第１オスコネクタ５５００も、第２メスコネクタ８００に対して、挿入部１２８及び側部６０ａを回動の中心として、円弧状の軌跡に沿って移動される。この態様について、図３０を参照して説明する。
【０３０２】
図３０は、第１オスコネクタ５５００及び第１メスコネクタ８００の接続および解除の動作を説明するための模式図であり、図２６（ｂ）に示す第１メスコネクタ８００及び図２９（ｂ）に示す第１オスコネクタ５５００に対応する。即ち、図３０は、内枠１２及び遊技盤ユニット１３の底面方向視（矢印ＩＸ方向視、図８参照）に対応する（図９参照）。なお、図３０では、内枠１２及び遊技盤ユニット１３（ベース板６０）を二点鎖線を用いて模式的に図示する。
【０３０３】
図３０に示すように、側部６０ａ及び挿入部１２８を回動の中心として、遊技盤ユニット１３が内枠１２から離間する方向へ向けて回動（変位）される態様では、第４実施形態で説明した通り、回動先端側（図３０左側）に位置する接点部材５５２０，８２０の組ほど先に接続が解除されやすい。
【０３０４】
言い換えれば、回動基端側（図３０右側）に位置する接点部材５５２０，８２０の組ほど接続が解除される順が後となりやすい。第５実施形態では、この回動に伴う特性と接点部材５５２０の配置順とを利用することで、複数組の接点部材５５２０，８２０のうちで接続が解除される順が後となりやすい位置（回動基端側）に配置される組に対し、その接続が解除されるタイミングを更に遅らせることができるように構成される。よって、本実施形態において、不用意に解除されることで遊技への影響が大きな重要な電気的信号線を回動基端側に配設することが、その接続が不用意に解除されることを抑制する形態として特に有効となる。
【０３０５】
即ち、遊技盤ユニット１３が回動される態様では、遊技盤ユニット１３の回転基端側（図３０右側）に配置される組（接点部材５５２０，８２０）ほどその接続の解除が最後となりやすいところ、かかる接続の解除が最後となりやすい位置の接点部材５５２０ほど、その延設長さが長くされている（接続方向先端側の一端の位置が第１メスコネクタ８００側に位置する）ので、かかる回動基端側に配設される接点部材５５２０，８２０の組における接続が解除されるタイミングを更に遅くすることができる。即ち、もともと接続が解除されるタイミングの遅い接点部材５５２０，８２０の組に対して、接点部材５５２０，８２０の延設長さを長くすることで、かかる接点部材５５２０，８２０の組における接続が解除されるタイミングを更に遅くすることができる。
【０３０６】
これにより、遊技盤ユニット１３が取付完了位置から不用意に少し変位されとしても、かかる回動基端側に位置する接点部材５５２０，８２０の組における接続が不用意に解除されることを更に発生し難くでき、その接続を維持できる可能性を更に確保しやすくできる。よって、本実施形態において、不用意に解除されることで遊技への影響が大きな重要な電気的信号線を回動基端側に配設することが、その接続が不用意に解除されることを抑制する形態として特に有効となる。
【０３０７】
なお、遊技中に、ホールの店員が前面枠１４を内枠１２に対して隣の遊技者の邪魔とならない程度に少し開いた状態として作業を行う場合には、第４実施形態の場合と同様に、遊技盤ユニット１３は、挿入部１２８及び側部６０ａを回動の中心として回動される態様が顕著となるため、第１オスコネクタ５５００も、第２メスコネクタ８００に対して、挿入部１２８及び側部６０ａを回動の中心として、円弧状の軌跡に沿って移動される態様のみとなりやすい。従って、本実施形態が特に有効となる。
【０３０８】
また、複数組の接点部材５５２０，８２０のうち、その接続が解除されることで遊技へ比較的大きな影響を与える電気的信号線または電力供給線、及び、遊技への影響が比較的小さい電気的信号線または電力供給線としては、第４実施形態における例示と同様であるので、その説明は省略する。
【０３０９】
ここで、第５実施形態においては、回動先端側（図３０左側、即ち、先に接続が解除されやすい側）には、他の制御装置（例えば、払出制御装置１１１、音声ランプ制御装置１１３など）と第２の装置のうちの音声出力、表示手段または発光手段（例えば、音声出力装置２２６、ランプ表示装置２２７、その他装置２２８、表示制御装置１１４など）に関すものとの間を接続する電気的信号線または電力供給線を接続する接点部材５５２０，８２０の組を配設することが好ましい。遊技盤ユニット１３が取付完了位置から不用意に変位され、複数組の接点部材５５２０，８２０における接続の解除が一部の組で開始された場合に、遊技盤ユニット１３の不用意な変位を早期に停止させやすくできる。
【０３１０】
即ち、遊技盤ユニット１３の不用意な変位により先に接続の解除が開始される接点部材５５２０，８２０の組が、音声出力、表示手段または発光手段に関するものであるので、遊技中に、遊技盤ユニット１３が取付完了位置から不用意に変位されると、遊技における音声出力、表示または発光が停止されるので、かかる音声出力、表示または発光が停止されることに基づいて、ホールの店員などの作業者に対して、遊技盤ユニット１３を不用意に変位させていることを気付かせることができる。これにより、遊技盤ユニット１３の不用意な変位を早期に停止させやすくでき、その結果、複数組の接点部材５５２０，８２０の接続がすべて解除されることを回避して、遊技への影響を抑制できる。
【０３１１】
次いで、図３１を参照して、第６実施形態について説明する。第４実施形態では、各接点部材４５２０の延設長さが幅方向（矢印Ｒ−Ｌ方向）に沿って連続的に変化する場合を説明したが、第６実施形態における各接点部材６５２０は、その延設長さが幅方向（矢印Ｒ−Ｌ方向）に沿って階段状に変化する。なお、上述した各実施形態と同一の部分には同一の符号を付して、その説明は省略する。
【０３１２】
図３１（ａ）は、第６実施形態における第１オスコネクタ６５００の正面図であり、図３１（ｂ）は、図３１（ａ）の矢印ＸＸＸＩｂ方向視における第１オスコネクタ６５００の側面図である。
【０３１３】
図３１に示すように、第１オスコネクタ６５００には、隣接する複数本（本実施形態では５本）の接点部材６５２０からなる群が複数群（３群）形成され、一の群においては、その群を構成する複数本（本実施形態では５本）の接点部材６５２０の一端（第１オスコネクタ６５００の接続方向先端側（図３１（ｂ）上側）の一端）の配設位置が、矢印Ｒ−Ｌに沿って横一列とされ、接続の方向（図３１（ｂ）上下方向）において、それぞれ同じ位置とされる。図３１（ｂ）に示す側面視において、各接点部材６５２０の一端をそれぞれ通過して形成される仮想線が直線状をなすと共に、その直線（仮想線）が被ガイド部５３０の延設方向（接続の方向、図３１（ｂ）上下方向）に直交される。
【０３１４】
一方、群どうしを比較すると、各群は、他の群に対して、接点部材６５２０の一端（第１オスコネクタ６５００の接続方向先端側（図３１（ｂ）上側）の一端）の配設位置が、接続の方向（図３１（ｂ）上下方向）において、それぞれ異なる位置とされる。具体的には、幅方向一側（接点部材６５２０の列設方向一側、図３１（ｂ）左側）に位置する群ほど、幅方向他側（接点部材６５２０の列設方向他側、図３１（ｂ）右側）に位置する群よりも、延設長さが長くされる。
【０３１５】
これにより、第６実施形態によれば、遊技盤ユニット１３が直線方向（被ガイド部５３０及びガイド溝８３０の延設方向）に沿いつつ変位されることで、第１オスコネクタ６５００及び第１メスコネクタ８００（図２６参照）の接続および解除される場合には、一の群においては、その群を構成する複数本（本実施形態では５本）の接点部材６５２０を、接点部材８２０にそれぞれ同時に接続および解除することができる。このように、一の群の中において、各接点部材６５２０，８２０の電気的な接続または解除のタイミングが同時となることで、電気的に接続（導通）されている箇所と解除（切断）されている箇所とが混在せず、導通や切断のタイムラグ（タイミングの差）を発生させないので、遊技の制御を適切に行うことができる。
【０３１６】
ここで、上述したように、遊技盤ユニット１３が、内枠１２に対し、挿入部１２８及び側部６０ａを回動の中心として、回動（変位）され操作が作業者により行われ、第１オスコネクタ４５００が、第２メスコネクタ８００に対して、挿入部１２８及び側部６０ａを回動の中心として、円弧状の軌跡に沿って移動される場合には、複数の群のうちの回動先端側（幅方向一側、図３１（ｂ）左側）に位置する群ほど、回動基端側（幅方向他側、図３１（ｂ）右側）に位置する群よりも先に接続が解除されやすい。
【０３１７】
この場合、本実施形態では、複数の群のうちの回動先端側（幅方向一側、図３１（ｂ）左側）に位置する群ほど、回動基端側（幅方向他側、図３１（ｂ）右側）に位置する群よりも、その群を構成する接点部材６５２０の延設長さが長くされるので、回動基端側に位置する群の接続が解除されるタイミングを後とできる（遅くできる）。即ち、第４実施形態の場合と同様に、遊技盤ユニット１３が取付完了位置から不用意に少し変位されてしまったとしても、一部（幅方向一側、図３１（ｂ）左側）の群において、その接続を維持できる可能性を確保できる。したがって、複数組の接点部材６５２０，８２０のうち、その接続が解除されることで遊技へ比較的大きな影響を与える電気的信号線または電力供給線については、幅方向一側（図３１（ｂ）左側）の群（接点部材６５２０，８２０）を利用し、遊技への影響が比較的小さい電気的信号線または電力供給線については、幅方向他側（図３１（ｂ）右側）の群（接点部材６５２０，８２０）を利用することで、遊技盤ユニット１３の不用意な操作（変位）による遊技への影響を抑制できる。
【０３１８】
なお、その接続が解除されることで遊技へ比較的大きな影響を与える電気的信号線または電力供給線、及び、遊技への影響が比較的小さい電気的信号線または電力供給線としては、第４実施形態における例示と同様であるので、その説明は省略する。
【０３１９】
次いで、図３２及び図３３を参照して、第７実施形態について説明する。第４実施形態では、ハウジング５１０の高さ寸法が接点部材４５２０の列設方向に沿って一定とされる場合を説明したが、第７実施形態におけるハウジング５１０は、その高さ寸法が接点部材７５２０の列設方向に沿って変化される。なお、上述した各実施形態と同一の部分には同一の符号を付して、その説明は省略する。
【０３２０】
図３２は、第７実施形態における第１オスコネクタ７５００の正面斜視図である。図３３（ａ）は、第１オスコネクタ６５００の正面図であり、図３３（ｂ）は、図３３（ａ）の矢印ＸＸＸＩＩＩｂ方向視における第１オスコネクタ７５００の側面図である。
【０３２１】
図３２及び図３３に示すように、第１オスコネクタ７５００には、隣接する複数本（本実施形態では５本）の接点部材７５２０からなる第１の群と、残りの複数本（本実施形態では１０本）の接点部材７５２０からなる第２の群とが形成され、一の群においては、その群を構成する複数本（本実施形態では５本または１０本）の接点部材７５２０の一端（第１オスコネクタ７５００の接続方向先端側（図３３（ｂ）上側）の一端）の配設位置が、矢印Ｒ−Ｌに沿って横一列とされ、接続の方向（図３３（ｂ）上下方向）において、それぞれ同じ位置とされる。即ち、図３３（ｂ）に示す側面視において、各接点部材６５２０の一端をそれぞれ通過して形成される仮想線が直線状をなすと共に、その直線（仮想線）が被ガイド部５３０の延設方向（接続の方向、図３３（ｂ）上下方向）に直交される。
【０３２２】
一方、群どうしを比較すると、第１の群は、第２の群に対して、接点部材６５２０の一端（第１オスコネクタ７５００の接続方向先端側（図３３（ｂ）上側）の一端）の配設位置が前方（矢印Ｆ側）に突出して配設される。即ち、第１の群は、第２の群よりも、接点部材７５２０の延設長さが長くされる。
【０３２３】
この場合、ハウジング５１０の高さ寸法（接点部材７５２０の延設方向（矢印Ｆ−Ｂ方向）における寸法、図３３（ｂ）上下方向の寸法）は、第１の群に対応する部分が、第２の群に対応する部分よりも大きく（高く）される。このように、第７実施形態では、接点部材７５２０の延設長さに応じて、ハウジング５１０の高さ寸法を設定するので、ハウジング５１０の接点部材７５２０が配設されない部分（第２の群に対応する部分）については、無駄な素材が使用されることを抑制して、その分、材料コストの削減を図ることができる。一方、第１の群に対応する部分については、ハウジング５１０の高さ寸法が大きくされていることから、その分、接点部材７５２０の配設スペースを確保することができ、その分、かかる接点部材７５２０の延設長さを長くすることができる。その結果、上述したように、接続が解除されるタイミングをより遅らせることができる。
【０３２４】
次いで、図３４から図３８を参照して、第８実施形態について説明する。第１実施形態では、台座４００の第１開口４２１へ第１オスコネクタ５００を挿通する挿通工程と、その挿通工程による挿通の方向と直交する方向へ第１オスコネクタ５００を台座４００に対して変位させる変位工程との二工程により、台座４００へ第１オスコネクタ５００を組み付ける場合を説明したが、第８実施形態は、台座８４００の第１開口８４２１へ第１オスコネクタ８５００を挿通する挿通工程のみにより、台座８４００へ第１オスコネクタ８５００を組み付けることができ、変位工程を省略可能とされる。なお、上述した各実施形態と同一の部分には同一の符号を付して、その説明は省略する。
【０３２５】
図３４（ａ）は、第８実施形態における遊技盤側コネクタ８３００Ａの正面図であり、図３４（ｂ）は、図３４（ａ）のＸＸＸＩＶｂ−ＸＸＸＩＶｂ線における遊技盤側コネクタ８３００Ａの断面図である。
【０３２６】
図３４に示すように、遊技盤側コネクタ８３００Ａは、箱状に形成される台座８４００と、その台座８４００に保持される第１オスコネクタ８５００及び第２オスコネクタ８６００とを備える。台座８４００は、第１正面板８４１１及び第２正面板８４１２の第１開口８４２１及び第２開口８４２２に第１オスコネクタ８５００及び第２オスコネクタ８６００をそれぞれ挿通させることで、第１実施形態の場合と同様に、第１オスコネクタ８５００及び第２オスコネクタ８６００を接続の方向（矢印Ｆ−Ｂ方向）に直交する方向（矢印Ｒ−Ｌ方向又は矢印Ｕ−Ｄ方向）に変位可能に保持する。ここで、図３５を参照して、台座８４００の詳細構成について説明する。
【０３２７】
図３５（ａ）は、台座８４００の正面図であり、図３５（ｂ）は、図３５（ａ）のＸＸＸＶｂ−ＸＸＸＶｂ線における台座８４００の断面図である。なお、図３５（ｂ）では、遊技機ユニット１３の背面であって遊技盤側コネクタ８３００Ａが取り付けられる取付面ＢＥが二点鎖線を用いて模式的図に図示される。
【０３２８】
ここで、第８実施形態における台座８４００は、第１実施形態における台座４００に対し、その台座４００の第１基端側弾性片４４１及び第１先端側弾性片４５１と第２基端側弾性片４４２及び第２先端側弾性片４５２とを（いずれも図１２から図１４参照）、第１基端側弾性片８４４１及び第１先端側弾性片８４５１と第２基端側弾性片８４４２及び第２先端側弾性片８４５２とに置き換えて構成される。また、第８実施形態における台座８４００は、その基端側開口８４２１ｂ，４２２ｂが、第１実施形態における台座４００の基端側開口４２１ｂ，４２２ｂを短手側壁板４１４側（矢印Ｌ側）へ延長（拡大）した開口として形成され、その分、台座８４００の長手方向（矢印Ｒ−Ｌ方向、図３５（ａ）左右方向）における基端側正面板８４１１ｂの幅寸法（矢印Ｒ−Ｌ方向寸法）が小さくされる。なお、これらを除く他の構成は、第８実施形態における台座８４００と第１実施形態における台座４００とで同一である。よって、以下においては、異なる部分のみを説明し、同一の部分の説明は省略する。
【０３２９】
図３５に示すように、台座８４００には、第１開口８４２１に対応して、第１基端側弾性片８４４１及び第１先端側弾性片８４５１が形成されると共に、第２開口８４２２に対応して、第２基端側弾性片８４４２及び第２先端側弾性片８４５２が形成される。第１基端側弾性片８４４１及び第１先端側弾性片８４５１は、第１開口８４２１に挿通される第１オスコネクタ８５００に対し、第２基端側弾性片８４４２及び第２先端側弾性片８４５２は、第２開口４２２に挿通される第２オスコネクタ８６００に対し、それらの位置決め及び初期位置への復帰のための付勢と台座８４００に対する矢印Ｆ方向への変位の規制とをそれぞれ行うための部位である（図３４参照）。
【０３３０】
第１基端側弾性片８４４１は、側面視Ｌ字状に形成される弾性片であり、短手側壁板４１４の内壁面に一体に形成される。詳細には、第１基端側弾性片８４４１は、短手側壁板４１４の最も背面側（図３５（ｂ）の下側）における内壁面に一端（第１基端側弾性片８４４１の基端）が接続され第１先端側弾性片８４５１（図３５（ｂ）左側）へ向けて張り出す側面視直線状の張出部分８４４１ａと、その張出部分８４４１ａの他端に一端が接続され側面視直線状に形成されると共に短手側壁板４１４の内壁面に所定間隔を隔てつつ平行に対向配置される直線部分８４４１ｂと、その直線部分８４４１ｂの他端から第１先端側弾性片８４５１（図３５（ｂ）左側）へ向けて延設される延設部分８４４１ｃとを備える。
【０３３１】
直線部分８４４１ｂの他端側の端面および延設部分８４４１ｃの正面（いずれも図３５（ｂ）上側の面）は、第１先端側弾性片８４５１（図３５（ｂ）左側）へ向けて下降傾斜する平坦面（以下「傾斜面ＳＬ１」と称す）として形成される。なお、張出部分８４４１ａ、直線部分８４４１ｂ及び延設部分８４４１ｃは、その幅寸法（図３５（ａ）上下方向寸法）が全体にわたって略一定に形成される。また、張出部分８４４１ａ及び直線部分８４４１ｂの厚み寸法は、基端から先端までの範囲にわたって略一定に形成される。
【０３３２】
第１先端側弾性片８４５１は、上述した第１基端側弾性片８４４１と矢印Ｒ−Ｌ方向において所定間隔を隔てつつ対向配置されると共に側面視Ｌ字状に形成される弾性片であり、中間固定部４３２の外壁面に一体に形成される。詳細には、第１先端側弾性片８４５１は、中間固定部４３２の最も背面側（図３５（ｂ）の下側）における外壁面に一端（第１先端側弾性片８４４１の基端）が接続され第１基端側弾性片８４４１（図３５（ｂ）右側）へ向けて張り出す側面視直線状の張出部分８４５１ａと、その張出部分８４５１ａの他端に一端が接続され側面視直線状に形成されると共に中間固定部４３２の外壁面に所定間隔を隔てつつ平行に対向配置される直線部分８４５１ｂと、その直線部分８４５１ｂの他端から第１基端側弾性片８４４１（図３５（ｂ）右側）へ向けて延設される延設部分８４５１ｃとを備える。
【０３３３】
直線部分８４５１ｂの他端側の端面および延設部分８４５１ｃの正面（いずれも図３５（ｂ）上側の面）は、第１基端側壁板８４５１（図３５（ｂ）右側）へ向けて下降傾斜する平坦面（以下「傾斜面ＳＲ１」と称す）として形成される。なお、張出部分８４５１ａ、直線部分８４５１ｂ及び延設部分８４５１ｃは、その幅寸法（図３５（ａ）上下方向寸法）が全体にわたって略一定に形成される。また、張出部分８４５１ａ及び直線部分８４５１ｂの厚み寸法は、基端から先端までの範囲にわたって略一定に形成される。
【０３３４】
第１基端側弾性片８４４１及び第１先端側弾性片８４５１は、互いの直線部分８４４１ｂ，８４５１ｂが平行に対向配置される姿勢で形成され、それら直線部分８４４１ｂ，８４５１ｂの対向間隔が第１オスコネクタ８５００（ハウジング５１０）の長手方向寸法よりも若干小さくされる。これにより、第１基端側弾性片８４４１及び第１先端側弾性片８４５１の間に第１オスコネクタ８５００を挟み込むことができるので、かかる第１オスコネクタ８５００を矢印Ｒ−Ｌ方向における初期位置に位置決めすることができる。
【０３３５】
また、台座８４００に対して第１オスコネクタ８５００を矢印Ｒ−Ｌ方向へ変位させる外力が第１オスコネクタ８５００に作用される場合には、第１基端側弾性片８４４１又は第１先端側弾性片８４５１が弾性変形することで、第１オスコネクタ８５００の台座４００に対する変位を許容して、破損を防止できる一方、外力が解除された後は、第１基端側弾性片８４４１又は第１先端側弾性片８４５１の弾性回復力により第１オスコネクタ８５００を初期位置へ復帰させることができる（図３４参照）。
【０３３６】
さらに、直線部分８４４１ｂ，８４５１ｂの対向面には、延設部分８４４１ｃ，８４５１ｃが対向空間へ向けてそれぞれ延設されるので、第１基端側弾性片８４４１及び第１先端側弾性片８４５１の直線部分８４４１ｂ，８４５１ｂの間に第１オスコネクタ８５００を挟み込んだ状態では、延設部分８４４１ｃ，８４５１ｃの背面（図３５（ｂ）下側の面）を第１オスコネクタ８５００（ハウジング５１０）の一部（基部側背面板５５１及び側部背面板５５３）の正面に配置できる（図３４（ｂ）参照）。即ち、延設部分８４４１ｃ，８４５１ｃを第１オスコネクタ８５００に係合（当接）させて、第１オスコネクタ８５００が第１開口８４２１から矢印Ｆ方向へ抜け出ることを規制することができる。
【０３３７】
第１基端側弾性片８４４１及び第１先端側弾性片８４５１の板厚寸法は、第１実施形態の場合と同様に、第１正面板８４１１や短手側壁４１４，４１５などの台座８００の外殻を形成する部位の板厚寸法よりも小さくされる。これにより、上述したように、成型金型内での素材の流動性が悪化しやすい各弾性片８４４１，８４５１における成型性を確保して、成型時の歩留まりの向上を図りつつ、外殻の剛性を確保して、各弾性片８４４１，８４５１や第１オスコネクタ８５００の弾性変形や変位を安定して保持することができる。
【０３３８】
第２基端側弾性片８４４２は、張出部分８４４２ａ、直線部分８４４２ｂ、張出部分８４４２ｃ及び傾斜面ＳＬ２を備え、中間固定部４３２の外壁面に一体に形成される。第２先端側弾性片８４５２は、張出部分８４５２ａ、直線部分８４５２ｂ、張出部分８４５２ｃ及び傾斜面ＳＲ２を備え、短手壁板４１５の内壁面に一体に形成される。これら第２基端側弾性片８４４２及び第２先端側弾性片８４５２は、上述した第１基端側弾性片８４４１及び第１先端側弾性片８４５１とそれぞれ実質的に同一の構成であるので、その説明は省略する。
【０３３９】
図３４に戻って説明する。図３４に示すように、台座８４００には、第１オスコネクタ８５００及び第２オスコネクタ８６００がその長手方向を台座８４００の長手方向に沿わせて一列に配設される。ここで、図３６及び図３７を参照して、第１オスコネクタ８５００の詳細構成について説明する。
【０３４０】
図３６は、第１オスコネクタ８５００の正面斜視図である。図３７（ａ）は、第１オスコネクタ８５００の正面図であり、図３７（ｂ）は、図３７（ａ）の矢印ＸＸＸＶＩＩｂ方向視における第１オスコネクタ８５００の側面図である。なお、図３６及び図３７では、第１オスコネクタ８５００の電気的接続線ＷＨの図示が省略される。
【０３４１】
図３６及び図３７に示すように、第８実施形態における第１オスコネクタ８５００は、第１実施形態における第１オスコネクタ５００に対し、その第１オスコネクタ５００の一対の先端側背面板５５２（図１５から図１７参照）を省略して構成される。即ち、かかる省略した部分（一対の先端側背面板５５２）を除く他の構成は、第８実施形態における第１オスコネクタ８５００と第１実施形態における第１オスコネクタ５００とで同一である。
【０３４２】
第８実施形態では、第１オスコネクタ８５００から一対の先端側背面板５５２（図１５から図１７参照）が省略されることで、かかる第１オスコネクタ８５００を、台座８４００の第１正面板８４１１における正面側（図３４（ａ）紙面手前側）から第１開口８４２１へ挿通可能とされる。即ち、第１オスコネクタ８５００のハウジング５１０は、一対の先端側背面板５５２が省略される部分における幅寸法（図３７（ａ）上下方向寸法）が、台座８４００の中央開口４２１ａの幅寸法（中間正面板８４１１ａの間の隙間寸法、図３５（ａ）上下方向寸法）よりも小さくされる（図３４（ａ）参照）。
【０３４３】
なお、上述したように、台座８４００は、第１開口８４２１における基端側開口８４２１ｂ，４２２ｂの開口寸法が短手側壁板４１４側（矢印Ｌ側）へ延長（拡大）され、その分、基端側正面板８４１１ｂの短手側壁板４１４からの突出量が小さくされる。よって、第１オスコネクタ８５００は、その基端側背面板５５１を、台座８４００の基端側正面板８４１１ｂに干渉させることなく、第１正面板８４１１における正面側（図３４（ａ）紙面手前側）から第１開口８４２１へ挿通可能とされる。
【０３４４】
また、第８実施形態では、背面板の群が、基端側背面板５５１及び側部背面板５５３からなる。第１オスコネクタ８５００は、これら基端側背面板５５１及び側部背面板５５３の正面が、第１基端側弾性片８４４１及び第１先端側弾性片８４５１の延設部分８４４１ｃ，８４５１ｃの背面により係合（当接）されることで、台座８４００に対して正面方向（矢印Ｆ方向）へ変位することが規制される。これにより、第１オスコネクタ８５００が台座８４００の第１開口８４２１から抜け出ることを抑制し、かかる第１オスコネクタ８５００を第１メスコネクタ８００（図７参照）の接続口（受入口）から確実に抜き取ることができる。
【０３４５】
図３４に戻って説明する。第２オスコネクタ８６００は、第１実施形態における第２オスコネクタ６００に対し、その第２オスコネクタ６００の一対の先端側背面板５５２（図１８参照）を省略して構成される。即ち、かかる省略した部分（一対の先端側背面板５５２）を除く他の構成は、第８実施形態における第２オスコネクタ８６００と第１実施形態における第２オスコネクタ６００とで同一である。よって、その説明は省略する。
【０３４６】
第１オスコネクタ８５００は、第１実施形態の場合と同様に、台座８４００に対して、その初期位置が規定可能に形成され、また、台座８４００に対する接続の方向と直交する方向（矢印Ｕ−Ｄ方向または矢印Ｒ−Ｌ方向）への変位が許容されると共に、台座８４００に対する接続の方向と直交する方向への変位が所定の範囲内で規制される。これら初期位置を規定する構造、変位を許容する構造、及び、その変位の許容範囲を所定範囲内に規制する構造は、第１実施形態の場合と同様であるので、その説明は省略する。
【０３４７】
次いで、図３８を参照して、遊技盤側コネクタ８３００Ａの組み立て方法について説明する。なお、上述したように、第１オスコネクタ８５００と第２オスコネクタ８６００とは、実質的に同一の構成であり、よって、台座８４００へ組み付ける方法も両者において実質的に同一であるので、以下においては、第１オスコネクタ８５００を台座８４００に組み付ける方法のみを説明して、第２オスコネクタ８６００についての説明は省略する。
【０３４８】
図３８は、遊技盤側コネクタ８３００Ａの組み立て工程を時系列で示す台座８４００及び第１オスコネクタ８５００の断面図である。なお、図３８に図示される台座８４００及び第１オスコネクタ８５００の断面は、図３４（ａ）のＸＸＸＩＶｂ−ＸＸＸＩＶｂ線における断面に対応する。
【０３４９】
図３８（ａ）に示すように、遊技盤側コネクタ８３００Ａの組み立ては、まず、台座８４００における第１正面板８４１１の正面（図３８（ａ）上側の面）に第１オスコネクタ８５００の背面を対面させ、台座８４００に対して第１オスコネクタ８５００を矢印Ｂ方向へ向けて押し下げる。これにより、第１オスコネクタ８５００の基端側背面板５５１の背面が台座８４００の第１基端側弾性片８４４１の傾斜面ＳＬ１に、第１オスコネクタ８５００の側部背面板５５３の背面が台座８４００の第１先端側弾性片８４５１の傾斜面ＳＲ１に、それぞれ当接される。
【０３５０】
図３８（ｂ）に示すように、台座８４００に対して第１オスコネクタ８５００を矢印Ｂ方向へ向けて更に押し下げると、第１オスコネクタ８５００の基端側背面板５５１及び先端側背面板５５３の背面が、台座８４００の第１基端側弾性片８４４１及び第１先端側弾性片８４５１の傾斜面ＳＬ１，ＳＲ１上を摺動され、かかる摺動により、第１基端側弾性片８４４１及び第１先端側弾性片８４５１が互いに離間する方向（第１オスコネクタ８５００からそれぞれ離間する方向）へ向けて弾性変形される。
【０３５１】
このように、本実施形態では、第１基端側弾性片８４４１及び第１先端側弾性片８４５１に傾斜面ＳＬ１，ＳＲ１を設け、それら両傾斜面ＳＬ１，ＳＲ１に第１オスコネクタ８５００の基端側背面板５５１及び先端側背面板５５３を当接させることで、第１開口８４２１へ第１オスコネクタ８５００を挿通する過程において第１基端側弾性片８４４１及び第１先端側弾性片８４５１を互いに離間する方向へ弾性変形させることができる。即ち、例えば、組み付け作業者が第１基端側弾性片８４４１及び第１先端側弾性片８４５１を手で押し広げるなど、第１基端側弾性片８４４１及び第１先端側弾性片８４５１を弾性変形させるための動作を別途行う必要がなく、第１オスコネクタ８５００を台座８４００に対して矢印Ｂ方向へ押し下げる動作のみで、第１基端側弾性片８４４１及び第１先端側弾性片８４５１に所定の弾性変形を付与することができる。
【０３５２】
よって、台座８４００に第１オスコネクタ８５００を組み付けるために必要な工程を、台座８４００に対して第１オスコネクタ８５００を一方向（矢印Ｂ方向）へ変位させる動作のみとすることができる。これにより、組み立て工程を簡素として、その分、組み立てコストの削減を図ることができる。
【０３５３】
図３８（ｃ）に示すように、台座８４００に対する第１オスコネクタ８５００の矢印Ｂ方向への押し下げ位置が所定位置に達すると、第１オスコネクタ８５００の基端側背面板５５１及び先端側背面板５５３が、台座８４００の第１基端側弾性片８４４１及び第１先端側弾性片８４５１の傾斜面ＳＬ１，ＳＲ１を通過する。これにより、第１基端側弾性片８４４１及び第１先端側弾性片８４５１が、互いに近接する方向（第１オスコネクタ８５００へ近づく方向）へ向けて弾性回復されて初期位置へ復帰される。
【０３５４】
即ち、台座８４００の第１基端側弾性片８４４１及び第１先端側弾性片８４５１における延設部分８４４１ｃ，８４５１ｃの背面が、第１オスコネクタ８５００の基端側背面板５５１及び側部背面板５５３の正面に対面され、これら延設部分８４４１ｃ，８４５１ｃの背面と基端側背面板５５１及び側部背面板５５３の正面とが係合（当接）可能な状態とされる。これにより、台座８４００への第１オスコネクタ８５００の組み付け（遊技盤側コネクタ８３００Ａの組み立て）が完了される。
【０３５５】
このように、本実施形態では、台座８４００の第１開口８４２１へ第１オスコネクタ８５００を正面側から挿通する工程（挿通工程）を行うのみで、台座８４００への第１オスコネクタ８５００の組み付けを完了することができ、第１実施形態の場合のように、挿通工程により所定位置まで挿通された第１オスコネクタ８５００を台座８４００に対して挿入の方向（接続の方向）と直交する方向へ変位させる変位工程（図２４（ｂ）参照）を行う必要がない。よって、組み付け工数を低減して、その分、製品コストの削減を図ることができる。
【０３５６】
この場合、台座８４００に対し第１オスコネクタ８５００を矢印Ｂ方向へ押し下げて所定位置に配置する際には、第１オスコネクタ８５００の基端側正面板５４１、先端側正面板５４２及び側部正面板５４３の背面が台座８４００の中間正面板４１１ａ及び先端側正面板４１１ｃの正面に当接される位置（即ち、それ以上の矢印Ｂ方向への押し下げができなくなる位置）まで第１オスコネクタ８５００を押し下げれば良く、第１オスコネクタ８５００の挿通位置（押し下げ位置）を制御する必要がない。これにより、作業を簡素化して、組み付け工数の低減を図ることができる。
【０３５７】
台座８４００に第１オスコネクタ８５００が組み付けられた状態では、台座８４００に対する第１オスコネクタ８５００の挿通の方向（矢印Ｂ方向）への変位は、第１実施形態の場合と同様に、台座８４００の中間正面板４１１ａ及び先端側正面板４１１ｃに第１オスコネクタ８５００の基端側正面板５４１、先端側正面板５４２及び側部正面板５４３が当接されることで規制可能とされる。一方、第８実施形態では、台座８４００に対する第１オスコネクタ８５００の挿通の方向と反対方向（第１開口８４２１から抜け出る方向、矢印Ｆ方向）への変位は、台座８４００の第１基端側弾性片８４４１及び第１先端側弾性片８４５１の延設部分８４４１ｃ，８４５１ｃに第１オスコネクタ８５００の基端側背面板５５１及び側部背面板５５３が当接することで規制可能とされる。
【０３５８】
よって、遊技盤ユニット１３を取付完了位置へ変位させて、第１オスコネクタ８５００及び第１メスコネクタ８００を接続する際、及び、取付完了位置から遊技盤ユニット１３を変位させて、第１オスコネクタ８５００及び第１メスコネクタ８００の接続を解除する際には、台座８４００に対する第１オスコネクタ８５００の接続の方向または解除の方向への変位を規制可能とでき、接続およびその接続の解除を確実に行うことができる。
【０３５９】
このように、第８実施形態では、第１基端側弾性片８４４１及び第１先端側弾性片８４５１が、台座８４００の第１開口８４２１から第１オスコネクタ８５００が抜け出ることを規制する手段と、台座８４００に対する第１オスコネクタ８５００の配設位置を位置決めする手段との２つの手段を兼用可能とされる。これにより、それぞれの手段を達成するための部材を別々に設ける必要がないので、部品点数を低減でき、その分、部品コストや組み立て工数の削減を図ることができる。
【０３６０】
更に、第１基端側弾性片８４４１及び第１先端側弾性片８４５１が、上述の２つの手段を兼用する場合に、これら第１基端側弾性片８４４１及び第１先端側弾性片８４５１は、台座８４００から第１オスコネクタ８５００へ向けて張り出す張出部分８４４１ａ，８４５１ａと、その張出部分８４４１ａ，８４５１ａから第１オスコネクタ８５００の挿通の方向にほぼ沿う方向へ延設される直線部分８４４１ｂ，８４５１ｂと、その直線部分８４４１ｂ，８４５１ｂの延設先端に形成され第１オスコネクタ８５００の挿通の方向と反対方向（矢印Ｆ方向）への変位を規制する延設部分８４４１ｃ，８４５１ｃとからなるため、上述の２つの手段に必要な機能を確実に発揮させることができる。
【０３６１】
特に、第１基端側弾性片８４４１及び第１先端側弾性片８４５１は、張出部分８４４１ａ，８４５１ａの張り出し方向（図３８（ａ）左右方向）における長さ寸法に対して、直線部分８４４１ｂ，８４５１ｂの延設方向（図３８（ａ）上下方向）における長さ寸法が大きくされるので、台座８４００の短手側壁板４１４又は中間固定部４３２へ近接または離間する方向には、直線部分８４４１ｂ，８４５１ｂの変形性を確保して、第１オスコネクタ８５００の接続の方向と直交する方向（矢印Ｒ−Ｌ方向）への変位を許容しやすくできる。一方、直線部分８４４１ｂ，８４５１ｂの延設方向（挿通の方向、矢印Ｆ−Ｂ方向）には、第１基端側弾性片８４４１及び第１先端側弾性片８４５１全体としての変形を抑制できる。これにより、延設部分８４４１ｃ，８４５１ｃの背面と基端側背面板５５１及び側部背面板５５３の正面との係合（当接）が解除されることを抑制でき、その結果、第１オスコネクタ８５００の挿通の方向と反対方向（矢印Ｆ方向）への変位を確実に規制することができる。
【０３６２】
次いで、図３９から図４３を参照して、第９実施形態について説明する。第８実施形態では、台座８４００に対して第１オスコネクタ８５００が、台座８４００の正面側から組み付けられる（第１開口８４２１へ挿通される）場合を説明したが、第９実施形態における第１オスコネクタ９５００は、台座８４００の背面側から組み付けられる（第１開口８４２１へ挿通される）。なお、上述した各実施形態と同一の部分には同一の符号を付して、その説明は省略する。
【０３６３】
図３９（ａ）は、第９実施形態における遊技盤側コネクタ９３００Ａの正面図であり、図３９（ｂ）は、図３９（ａ）のＸＸＸＩＸｂ−ＸＸＸＩＸｂ線における遊技盤側コネクタ９３００Ａの断面図である。
【０３６４】
図３９に示すように、遊技盤側コネクタ９３００Ａは、箱状に形成される台座９４００と、その台座９４００に保持される第１オスコネクタ９５００及び第２オスコネクタ９６００とを備える。台座９４００は、第１正面板４１１及び第２正面板４１２の第１開口４２１及び第２開口４２２に第１オスコネクタ９５００及び第２オスコネクタ９６００をそれぞれ挿通させることで、第１実施形態の場合と同様に、第１オスコネクタ９５００及び第２オスコネクタ９６００を接続の方向（矢印Ｆ−Ｂ方向）に直交する方向（矢印Ｒ−Ｌ方向又は矢印Ｕ−Ｄ方向）に変位可能に保持する。ここで、図４０を参照して、台座９４００の詳細構成について説明する。
【０３６５】
図４０（ａ）は、台座９４００の正面図であり、図４０（ｂ）は、図４０（ａ）のＸＸＸＸｂ−ＸＸＸＸｂ線における台座９４００の断面図である。なお、図４０（ｂ）では、遊技機ユニット１３の背面であって遊技盤側コネクタ９３００Ａが取り付けられる取付面ＢＥが二点鎖線を用いて模式的図に図示される。
【０３６６】
ここで、第９実施形態における台座９４００は、第１実施形態における台座４００の第１基端側弾性片４４１及び第１先端側弾性片４５１と第２基端側弾性片４４２及び第２先端側弾性片４５２とに対し（いずれも図１２から図１４参照）、延設部分９４４１ｃ，９４５１ｃ，９４４２ｃ，９４５２ｃが追加されて構成される。即ち、かかる延設部分９４４１ｃ，９４５１ｃ，９４４２ｃ，９４５２ｃの追加を除く他の構成は、第９実施形態における台座９４００と第１実施形態における台座４００とで同一である。よって、以下においては、異なる部分のみを説明し、同一の部分の説明は省略する。
【０３６７】
図４０に示すように、第１基端側弾性片９４４１の直線部分４４１ｂには、第１先端側弾性片９４５１（図４０（ｂ）左側）へ向けて延設される延設部分９４４１ｃが配設される。この延設部分９４４１ｃの背面および直線部分４４１ｂの下端面（いずれも図４０（ｂ）下側の面）は、第１先端側弾性片９４５１（図４０（ｂ）左側）へ向けて上昇傾斜する平坦面（以下「傾斜面ＳＬ１」と称す）として形成される。なお、延設部分９４４１ｃの幅寸法（図４０（ａ）上下方向寸法）は、湾曲部分４４１ａ及び直線部分４４１ｂの幅寸法と同一に形成される。
【０３６８】
第１先端側弾性片８４５１の直線部分４５１ｂには、第１基端側弾性片８４４１（図３５（ｂ）右側）へ向けて延設されると共に、延設部分４５１ｃとの間に所定間隔を隔てた位置に、延設部分９４５１ｃが配設される。この延設部分９４４１ｃの背面（図４０（ｂ）下側の面）は、第１基端側弾性片９４４１（図４０（ｂ）右側）へ向けて上昇傾斜する平坦面（以下「傾斜面ＳＲ１」と称す）として形成される。延設部分４５１ｃと延設部分９４５１ｃとの間の対向間隔は、第１オスコネクタ９５００の側部背面板５５３が挿入可能な寸法に設定される（図３９（ｂ）参照）。なお、延設部分９４５１ｃの幅寸法（図４０（ａ）上下方向寸法）は、張出部分４５１ａ、直線部分４５１ｂ及び延設部分４５１ｃの幅寸法と同一に形成される。
【０３６９】
第１基端側弾性片９４４１及び第１先端側弾性片９４５１は、第１実施形態の場合と同様に、それらの間に挟み込んだ第１オスコネクタ９５００を、矢印Ｒ−Ｌ方向における初期位置に位置決めできる。また、第１オスコネクタ９５００の矢印Ｒ−Ｌ方向への変位を許容して、破損を防止できる一方、弾性回復力により第１オスコネクタ９５００を初期位置へ復帰させることができる（図３９参照）。
【０３７０】
さらに、第９実施形態では、延設部分９４４１ｃ，９４５１ｃの正面（図４０（ｂ）上側の面）を第１オスコネクタ９５００（ハウジング５１０）の一部（基部側背面板５５１及び側部背面板５５３）の背面に配置できる（図３９（ｂ）参照）。即ち、延設部分９４４１ｃ，９４５１ｃを第１オスコネクタ９５００に係合（当接）させて、第１オスコネクタ９５００が第１開口８４２１から矢印Ｂ方向へ抜け出ることを規制できる。
【０３７１】
第２基端側弾性片９４４２及び第２先端側弾性片９４５２には、延設部分９４４２ｃ，９４５２ｃがそれぞれ配設される。これら第２基端側弾性片９４４２及び第２先端側弾性片９４５２は、上述した第１基端側弾性片９４４１及び第１先端側弾性片９４５１とそれぞれ実質的に同一の構成であるので、その説明は省略する。
【０３７２】
図３９に戻って説明する。図３９に示すように、台座９４００には、第１オスコネクタ９５００及び第２オスコネクタ９６００がその長手方向を台座９４００の長手方向に沿わせて一列に配設される。ここで、図４１及び図４２を参照して、第１オスコネクタ９５００の詳細構成について説明する。
【０３７３】
図４１は、第１オスコネクタ９５００の正面斜視図である。図４２（ａ）は、第１オスコネクタ９５００の正面図であり、図４２（ｂ）は、図４２（ａ）の矢印ＸＸＸＸＩＩｂ方向視における第１オスコネクタ９５００の側面図である。なお、図４１及び図４２では、第１オスコネクタ９５００の電気的接続線ＷＨの図示が省略される。
【０３７４】
図４１及び図４２に示すように、第９実施形態における第１オスコネクタ９５００は、第１実施形態における第１オスコネクタ５００に対し、その第１オスコネクタ５００の正面板の群（一対の基端側正面板５４１、一対の先端側正面板５４２及び一対の側部正面板５４３）と基端側正面板５５１の背面から突設される突部とを省略して構成される（いずれも図１５から図１７参照）。即ち、かかる省略した部分（基端側正面板５４１、先端側正面板５４２及び側部正面板５４３と突部と）を除く他の構成は、第９実施形態における第１オスコネクタ９５００と第１実施形態における第１オスコネクタ５００とで同一である。
【０３７５】
第９実施形態では、第１オスコネクタ９５００から一対の基端側正面板５４１及び一対の先端側正面板５４２（いずれも図１５から図１７参照）が省略されることで、かかる第１オスコネクタ９５００を、台座９４００の第１正面板４１１における背面側（図３９（ｂ）下側）から第１開口４２１へ挿通可能とされる。即ち、第１オスコネクタ９５００のハウジング５１０は、一対の基端側正面板５４１及び一対の先端側正面板５４２が省略される部分における幅寸法（図４２（ａ）上下方向寸法）が、台座９４００の中央開口４２１ａの幅寸法（先端側正面板４１１ｃの間の隙間寸法および中間正面板４１１ａの間の隙間寸法、図４０（ａ）上下方向寸法）よりも小さくされる（図３９（ａ）参照）。
【０３７６】
また、第９実施形態では、背面板の群が、基端側背面板５５１、先端側背面板５５２及び側部背面板５５３からなる。第１オスコネクタ９５００は、第１実施形態の場合と同様に、先端側背面板５５２の正面が中央正面板４１１ａの背面に当接される一方、基端側背面板５５１及び側部背面板５５３の背面が、第１基端側弾性片９４４１及び第１先端側弾性片９４５１の延設部分９４４１ｃ，９４５１ｃの正面により係合（当接）されることで、台座９４００に対して背面方向（矢印Ｂ方向）へ変位することが規制される。これにより、第１オスコネクタ９５００が台座９４００の第１開口４２１から抜け出ることを抑制し、かかる第１オスコネクタ９５００を第１メスコネクタ８００（図７参照）の接続口（受入口）へ確実に挿入させることができる。
【０３７７】
図３９に戻って説明する。第２オスコネクタ９６００は、第１実施形態における第２オスコネクタ６００に対し、その第２オスコネクタ６００の一対の基端側正面板５４２及び一対の先端側正面板５５２と基端側背面板５５１の背面から突設される突部を省略して構成される（いずれも図１８及び図１９参照）。即ち、かかる省略した部分（一対の基端側正面板５４２及び一対の先端側正面板５５２と基端側背面板５５１の背面から突設される突部）を除く他の構成は、第９実施形態における第２オスコネクタ９６００と第１実施形態における第２オスコネクタ６００とで同一である。よって、その説明は省略する。
【０３７８】
第１オスコネクタ９５００は、第１実施形態の場合と同様に、台座９４００に対して、その初期位置が規定可能に形成され、また、台座９４００に対する接続の方向と直交する方向（矢印Ｕ−Ｄ方向または矢印Ｒ−Ｌ方向）への変位が許容されると共に、台座９４００に対する接続の方向と直交する方向への変位が所定の範囲内で規制される。これら初期位置を規定する構造、変位を許容する構造、及び、その変位の許容範囲を所定範囲内に規制する構造は、第１実施形態の場合と同様であるので、その説明は省略する。
【０３７９】
次いで、図４３を参照して、遊技盤側コネクタ９３００Ａの組み立て方法について説明する。なお、上述したように、第１オスコネクタ９５００と第２オスコネクタ９６００とは、実質的に同一の構成であり、よって、台座９４００へ組み付ける方法も両者において実質的に同一であるので、以下においては、第１オスコネクタ９５００を台座９４００に組み付ける方法のみを説明して、第２オスコネクタ９６００についての説明は省略する。
【０３８０】
図４３は、遊技盤側コネクタ９３００Ａの組み立て工程を時系列で示す台座９４００及び第１オスコネクタ９５００の断面図である。なお、図４３に図示される台座９４００及び第１オスコネクタ９５００の断面は、図３９（ａ）のＸＸＸＩＸｂ−ＸＸＸＩＸｂ線における断面に対応する。
【０３８１】
図４３（ａ）に示すように、第９実施形態における遊技盤側コネクタ９３００Ａの組み立ては、第８実施形態の場合とは逆に、台座９４００における第１正面板４１１の背面（図４３（ａ）下側の面）に第１オスコネクタ９５００の正面を対面させ、台座９４００に対して第１オスコネクタ９５００を矢印Ｆ方向へ向けて押し上げる。これにより、第１オスコネクタ９５００の基端側背面板５５１の正面が台座９４００の第１基端側弾性片９４４１の傾斜面ＳＬ１に、第１オスコネクタ９５００の側部背面板５５３の正面が台座９４００の第１先端側弾性片９４５１の傾斜面ＳＲ１に、それぞれ当接される。
【０３８２】
図４３（ｂ）に示すように、台座９４００に対して第１オスコネクタ９５００を矢印Ｆ方向へ向けて更に押し上げると、第１オスコネクタ９５００の基端側背面板５５１及び先端側背面板５５３の正面が、台座９４００の第１基端側弾性片９４４１及び第１先端側弾性片９４５１の傾斜面ＳＬ１，ＳＲ１上を摺動され、かかる摺動により、第１基端側弾性片９４４１及び第１先端側弾性片９４５１が互いに離間する方向（第１オスコネクタ９５００からそれぞれ離間する方向）へ向けて弾性変形される。
【０３８３】
このように、第９実施形態においても、第８実施形態の場合と同様に、第１基端側弾性片９４４１及び第１先端側弾性片９４５１に傾斜面ＳＬ１，ＳＲ１を設け、それら両傾斜面ＳＬ１，ＳＲ１に第１オスコネクタ９５００の基端側背面板５５１及び先端側背面板５５３を当接させることで、第１開口４２１へ第１オスコネクタ９５００を挿通する過程において第１基端側弾性片９４４１及び第１先端側弾性片９４５１を互いに離間する方向へ弾性変形させることができる。即ち、例えば、組み付け作業者が第１基端側弾性片９４４１及び第１先端側弾性片９４５１を手で押し広げるなど、第１基端側弾性片９４４１及び第１先端側弾性片９４５１を弾性変形させるための動作を別途行う必要がなく、第１オスコネクタ９５００を台座９４００に対して矢印Ｆ方向へ押し上げる動作のみで、第１基端側弾性片９４４１及び第１先端側弾性片９４５１に所定の弾性変形を付与することができる。
【０３８４】
よって、台座９４００に第１オスコネクタ９５００を組み付けるために必要な工程を、台座９４００に対して第１オスコネクタ９５００を一方向（矢印Ｆ方向）へ変位させる動作のみとすることができる。これにより、組み立て工程を簡素として、その分、組み立てコストの削減を図ることができる。
【０３８５】
図４３（ｃ）に示すように、台座９４００に対する第１オスコネクタ９５００の矢印Ｆ方向への押し上げ位置が所定位置に達すると、第１オスコネクタ９５００の基端側背面板５５１及び先端側背面板５５３が、台座９４００の第１基端側弾性片９４４１及び第１先端側弾性片９４５１の傾斜面ＳＬ１，ＳＲ１を通過する。これにより、第１基端側弾性片９４４１及び第１先端側弾性片９４５１が、互いに近接する方向（第１オスコネクタ９５００へ近づく方向）へ向けて弾性回復されて初期位置へ復帰される。
【０３８６】
即ち、台座９４００の第１基端側弾性片９４４１及び第１先端側弾性片９４５１における延設部分９４４１ｃ，９４５１ｃの正面が、第１オスコネクタ９５００の基端側背面板５５１及び側部背面板５５３の背面に対面され、これら延設部分９４４１ｃ，９４５１ｃの正面と基端側背面板５５１及び側部背面板５５３の背面とが係合（当接）可能な状態とされる。これにより、台座９４００への第１オスコネクタ９５００の組み付け（遊技盤側コネクタ９３００Ａの組み立て）が完了される。
【０３８７】
このように、第９実施形態においても、第８実施形態の場合と同様に、台座９４００の第１開口４２１へ第１オスコネクタ９５００を背面側から挿通する工程（挿通工程）を行うのみで、台座９４００への第１オスコネクタ９５００の組み付けを完了することができ、第１実施形態の場合のように、挿通工程により所定位置まで挿通された第１オスコネクタ９５００を台座９４００に対して挿入の方向（接続の方向）と直交する方向へ変位させる変位工程（図２４（ｂ）参照）を行う必要がない。よって、組み付け工数を低減して、その分、製品コストの削減を図ることができる。
【０３８８】
また、第９実施形態では、台座９４００の背面側から第１オスコネクタ９５００を挿通させる（即ち、第１オスコネクタ９５００の正面側を台座９４００の第１開口４２１へ挿通させる）構造なので、第８実施形態の場合のように、台座８４００の第１開口４２１へ先に電気的接続線（図示せず）を挿通させておく必要がない。よって、この点においても、組み付け工数を低減して、製品コストの削減を図ることができる。
【０３８９】
この場合、台座９４００に対し第１オスコネクタ９５００を矢印Ｆ方向へ押し上げて所定位置に配置する際には、第１オスコネクタ９５００の基端側背面板５５１、先端側背面板５５２及び側部背面板５５３の正面が、台座９４００の基端側正面板４１１ｂ及び中間正面板４１１ａの背面と第１先端側弾性片９４５１の延設部分４５１ｃの背面とに当接される位置（即ち、それ以上の矢印Ｆ方向への押し上げができなくなる位置）まで第１オスコネクタ９５００を押し上げれば良く、第１オスコネクタ９５００の挿通位置（押し上げ位置）を制御する必要がない。これにより、作業を簡素化して、組み付け工数の低減を図ることができる。
【０３９０】
台座９４００に第１オスコネクタ９５００が組み付けられた状態では、台座９４００に対する第１オスコネクタ９５００の挿通の方向（矢印Ｆ方向）への変位は、第１実施形態の場合と同様に、台座９４００の基端側正面板４１１ｂ及び中間正面板４１１ａの背面と第１先端側弾性片９４５１の延設部分４５１ｃの背面とに、第１オスコネクタ９５００の基端側背面板５５１、先端側背面板５５２及び側部背面板５５３の正面が当接されることで規制可能とされる。一方、第９実施形態では、台座９４００に対する第１オスコネクタ９５００の挿通の方向と反対方向（第１開口８４２１から抜け出る方向、矢印Ｂ方向）への変位は、台座９４００の第１基端側弾性片９４４１及び第１先端側弾性片９４５１の延設部分９４４１ｃ，９４５１ｃに、第１オスコネクタ９５００の基端側背面板５５１及び側部背面板５５３が当接することで規制可能とされる。
【０３９１】
よって、遊技盤ユニット１３を取付完了位置へ変位させて、第１オスコネクタ９５００及び第１メスコネクタ８００を接続する際、及び、取付完了位置から遊技盤ユニット１３を変位させて、第１オスコネクタ９５００及び第１メスコネクタ８００の接続を解除する際には、台座９４００に対する第１オスコネクタ９５００の接続の方向または解除の方向への変位を規制可能とでき、接続およびその接続の解除を確実に行うことができる。
【０３９２】
このように、第９実施形態においても、第８実施形態の場合と同様に、第１基端側弾性片９４４１及び第１先端側弾性片９４５１が、台座９４００の第１開口４２１から第１オスコネクタ９５００が抜け出ることを規制する手段と、台座９４００に対する第１オスコネクタ９５００の配設位置を位置決めする手段との２つの手段を兼用可能とされる。これにより、それぞれの手段を達成するための部材を別々に設ける必要がないので、部品点数を低減でき、その分、部品コストや組み立て工数の削減を図ることができる。
【０３９３】
更に、第１基端側弾性片９４４１及び第１先端側弾性片９４５１が、上述の２つの手段を兼用する場合に、これら第１基端側弾性片９４４１及び第１先端側弾性片９４５１は、台座９４００から第１オスコネクタ９５００へ向けて延びる（張り出す）湾曲部分４４１ａ及び張出部分４５１ａと、それら湾曲部分４４１ａ及び張出部分４５１ａから第１オスコネクタ９５００の挿通の方向にほぼ沿う方向へ延設される直線部分４４１ｂ，４５１ｂと、その直線部分４４１ｂ，４５１ｂに形成され第１オスコネクタ９５００の挿通の方向と反対方向（矢印Ｂ方向）への変位を規制する延設部分９４４１ｃ，９４５１ｃとからなるため、上述の２つの手段に必要な機能を確実に発揮させることができる。
【０３９４】
特に、第１基端側弾性片９４４１は、湾曲部分４４１ａが矢印Ｆ方向へ凸の円弧状に湾曲され、第１先端側弾性片９４５１は、張出部分８４５１ａの張り出し方向（図４３（ａ）左右方向）における長さ寸法に対して、直線部分４５１ｂの延設方向（図４３（ａ）上下方向）における長さ寸法が大きくされるので、台座９４００の短手側壁板４１４又は中間固定部４３２へ近接または離間する方向には、直線部分４４１ｂ，４５１ｂの変形性を確保して、第１オスコネクタ９５００の接続の方向と直交する方向（矢印Ｒ−Ｌ方向）への変位を許容しやすくできる。一方、直線部分４４１ｂ，４５１ｂの延設方向（挿通の方向、矢印Ｆ−Ｂ方向）には、第１基端側弾性片９４４１及び第１先端側弾性片９４５１全体としての変形を抑制できる。これにより、延設部分９４４１ｃ，９４５１ｃの正面と基端側背面板５５１及び側部背面板５５３の背面との係合（当接）が解除されることを抑制でき、その結果、第１オスコネクタ９５００の挿通の方向と反対方向（矢印Ｆ方向）への変位を確実に規制することができる。
【０３９５】
次いで、図４４及び図４５を参照して、第１０実施形態について説明する。第１実施形態では、第１オスコネクタ５００の正面板の群（基端側正面板５４１、先端側正面板５４２及び側部正面板５４３）と背面板の群（基端側背面板５５１、先端側背面板５５２及び側部背面板５５３）との間の対向間隔が、台座４００の第１正面板４１１の板厚寸法と略同等に設定される（即ち、正面板の群と背面板の群との間に第１正面板４１１がほぼ隙間のない状態で挟装され、台座４００に対する第１オスコネクタ５００の矢印Ｆ−Ｂ方向への変位が規制される）場合を説明した（図２４（ｂ）参照）。
【０３９６】
これに対し、第１０実施形態では、第１オスコネクタ５００の正面板の群（基端側正面板５４１、先端側正面板５４２及び側部正面板５４３）と背面板の群（基端側背面板５５１、先端側背面板１０５５２及び側部背面板１０５５３）との間の対向間隔が、台座４００の第１正面板４１１の板厚寸法よりも大きな寸法に設定され（即ち、正面板の群と背面板の群との間に第１正面板４１１が隙間を有する状態で挟装され）、その隙間の分、台座４００に対する第１オスコネクタ１０５００の矢印Ｆ−Ｂ方向への変位が許容される。なお、上述した各実施形態と同一の部分には同一の符号を付して、その説明は省略する。
【０３９７】
図４４（ａ）は、第１０実施形態における第１オスコネクタ１０５００の正面図であり、図４４（ｂ）は、図４４（ａ）のＸＸＸＸＩＶｂ−ＸＸＸＸＩＶｂ線における第１オスコネクタ１０５００の断面図である。なお、図４４（ｂ）では、台座４００の第１正面板４１１が二点鎖線を用いて模式的に図示されると共に、第１オスコネクタ１０５００の先端側背面板１０５５２（接続部１０５５２ａ及び延設部１０５５２ｂ）及び側部背面板１０５５３の正面を連ねて形成される仮想平面（以下「傾斜面Ｆ」と称す）が破線を用いて模式的に図示される。
【０３９８】
なお、第１０実施形態における第１オスコネクタ１０５００は、その先端側背面板１０５５２及び側部背面板１０５５３の配設位置が、第１実施形態における第１オスコネクタ５００の先端側背面板５５２及び側部背面板５５３の配設位置よりも背面側（図４４（ｂ）下側）に後退して配置される点のみが異なり、他の構成については、第１実施形態における第１オスコネクタ５００と同一であるので、その説明は省略する。
【０３９９】
図４４に示すように、先端側背面板１０５４２は、ハウジング５１０の外壁面に接続される接続部１０５５２ａと、その接続部１０５５２ａから基端側背面板１０５５１と反対側（矢印Ｒ方向）へ向けて延設される延設部１０５５２ｂと、その延設部１０５５２ｂの延設先端からハウジング５１０の正面（矢印Ｆ方向）へ向けて突設される係合部１０５５２ｃとからなる。
【０４００】
接続部１０５４２ａ及び延設部１０５５２ｂは、第１実施形態における接続部５４２ａ及び延設部５５２ｂの配設位置よりも背面側（矢印Ｂ側）に後退して配置されると共に（図１６参照）、基端側背面板５５１と反対側（矢印Ｒ方向）へ向けて下降傾斜して形成される。また、側部背面板１０５５３は、ハウジング５１０の背面（図４４（ｂ）下側面）に配設され、基端側背面板５５１と反対側（矢印Ｒ方向）へ向けて下降傾斜しつつ、ハウジング５１０の一側（矢印Ｒ側）の外壁面から外方へ張り出される。
【０４０１】
そのため、接続部１０５４２ａ及び延設部１０５５２ｂの正面と台座４００の第１正面板４１１の背面との間、及び、側部背面板１０５５３の正面と台座４００の第１正面板４１１の背面との間、即ち、傾斜面Ｆと第１正面板４１１との間には、図４４（ｂ）に示すように、基端側背面板５１１と反対側へ向かうほど漸次間隔が大きくなる隙間が形成される。よって、この隙間の分、台座４００に対する第１オスコネクタ１０５００の矢印Ｆ−Ｂ方向への変位を許容することができる（図４５参照）。また、第１オスコネクタ１０５００は、基端側背面板５５１側よりも側部背面板１０５５３側ほど矢印Ｆ−Ｂ方向への許容変位が大きくされる。
【０４０２】
なお、先端側背面板１０５５２の係合部１０５５２ｃは、ハウジング５１０の正面（矢印Ｆ方向）へ向けて延設部１０５５２ｂから突設される突設高さが、第１実施形態における係合部５５２ｂ（図１６参照）の突設高さよりも大きくされる。よって、第１オスコネクタ１０５００が台座４００に取り付けられると共に図４４（ｂ）に示すように台座４００に対して第１オスコネクタ１０５００が矢印Ｂ方向へ最大に変位された場合であっても、台座４００の第１開口４２１における先端側開口４２１ｃ内に係合部１０５５２ｃを配置させることができ（図４５（ａ）参照）、これにより、第１オスコネクタ１０５００の台座４００に対する矢印Ｌ方向への変位を規制することができる（図２１参照）。
【０４０３】
次いで、図４５を参照して、第１オスコネクタ１０５００の接続およびその接続の解除における動作について説明する。図４５（ａ）及び図４５（ｂ）は、台座４００の一部を断面視した状態における遊技盤側コネクタ１０３００Ａの部分拡大側面図であり、図４５（ａ）は台座４００に対して第１オスコネクタ１０５００が矢印Ｂ方向へ変位された状態が、図４５（ｂ）は台座４００に対して第１オスコネクタ１０５００が矢印Ｆ方向へ変位された状態が、それぞれ図示される。
【０４０４】
なお、図４５（ａ）及び図４５（ｂ）に図示される台座４００の断面は、図１３（ａ）のＸＩＶｂ−ＸＩＶｂ線における台座４００の断面に対応する。即ち、図４５（ａ）及び図４５（ｂ）に図示される台座４００は、図１４（ｂ）に図示される台座４００の一部に対応する。また、図４５（ａ）及び図４５（ｂ）は、遊技盤ユニット１３の底面方向視（矢印ＩＸ方向視、図８参照）に対応する（図９参照）。よって、遊技盤ユニット１３の側部６０ａは図４５（ａ）及び図４５（ｂ）における右側に位置される（図２８参照）。
【０４０５】
上述したように、第１オスコネクタ１０５００は、遊技盤ユニット１３（ベース板６０）の側部６０ａが内枠１２の挿入部１２８に挿入され、それら側部６０ａ及び挿入部１２８を回動の中心として、遊技盤ユニット１３が内枠１２へ向けて回動（変位）されることで（図２８参照）、第１メスコネクタ８００への接続が開始されると共に、遊技盤ユニット１３が取付完了位置に配置されることで、第１オスコネクタ１０５００及び第１メスコネクタ８００の接続が完了される。
【０４０６】
この場合、図４５（ａ）に示すように、第１オスコネクタ１０５００は、その正面板の群（基端側正面板５４１、先端側正面板５４２及び側部正面板５４３）の背面が、台座４００の第１正面板４１１の各部（中央正面板４１１ａ及び先端側正面板４１１ｃ）の正面に当接される。これにより、第１オスコネクタ１０５００と第１メスコネクタ６００との接続時には、第１オスコネクタ１０５００が台座４００に対して接続の方向（矢印Ｆ−Ｂ方向）へ変位することが規制できるので、第１オスコネクタ１０５００を第１メスコネクタ８００に確実に押し込める（挿入できる）と共に、第１オスコネクタ１０５００の第１メスコネクタ８００に対する相対的な姿勢（位置）を適正とできる。よって、両者の接続を確実に行うことができる。
【０４０７】
一方、第１オスコネクタ１０５００は、側部６０ａ及び挿入部１２８を回動の中心として、遊技盤ユニット１３が内枠１２から離間する方向へ向けて回動（変位）され、遊技盤ユニット１３が取付完了位置から変位されることで、第１メスコネクタ８００との接続の解除が開始されると共に、遊技盤ユニット１３が取付完了位置から所定位置まで変位されることで、複数組の接点部材５２０，８２０のうちのすべての組の接続が解除され、第１オスコネクタ４５００及び第１メスコネクタ８００の接続の解除が完了される（図２８参照）。
【０４０８】
この場合、図４５（ｂ）に示すように、第１オスコネクタ１０５００は、その背面板の群（基端側背面板５５１、先端側背面板１０５５２及び側部背面板１０５５３）の正面が、台座４００の第１正面板４１１の各部（中央正面板４１１ａ及び基端側正面板４１１ｂ）の背面および第１先端側弾性片４５１の延設部分４５１ｃに当接される。これにより、第１オスコネクタ１０５００と第１メスコネクタ６００との接続の解除時には、第１オスコネクタ１０５００が台座４００に対して接続の方向（矢印Ｆ−Ｂ方向）へ変位することが規制できるので、第１オスコネクタ１０５００を第１メスコネクタ８００から確実に抜き取ることができる。よって、両者の接続の解除を確実に行うことができる。
【０４０９】
ここで、上述したように、例えば、ホールの店員が、遊技中に、前面枠１４を開いて何らかの作業（例えば、不正行為の有無の確認など）を行おうとした際に、遊技盤ユニット１３が取付完了位置から不用意に変位されると、第１オスコネクタ１０５００及び第１メスコネクタ８００の接続が解除され、遊技に影響を与えるおそれがある。
【０４１０】
これに対し、本実施形態では、第１オスコネクタ１０５００において、正面板の群（基端側正面板５４１、先端側正面板５４２及び側部正面板５４３）と背面板の群（基端側背面板５５１、先端側背面板１０５５２及び側部背面板１０５５３）との間の対向間隔が、台座４００の第１正面板４１１の板厚寸法よりも大きな寸法に設定されることで、これら正面板の群および背面板の群と第１正面板４１１との間に隙間を形成しておくことができる（図４４参照）。
【０４１１】
よって、遊技盤ユニット１３が取付完了位置から不用意に変位されたとしても、かかる変位が、上述した正面板の群および背面板の群と第１正面板４１１との間の隙間に相当する距離に達するまでの間（即ち、隙間が詰まるまでの間）は、第１オスコネクタ１０５００及び第１メスコネクタ８００の接続の解除が開始されることを抑制できる。即ち、上述した隙間が詰まるまでの間は、遊技盤ユニット１３と第１オスコネクタ１０５００とを切り離しておく（分離させておく）ことができ、かかる遊技盤ユニット１３の変位が第１オスコネクタ１０５００に伝達されないようにすることができる。その結果、遊技への影響を抑制できる。
【０４１２】
即ち、遊技盤ユニット１３の取付完了位置からの不用意な変位を起因とする接続の解除を抑制するためには、接点部材の延設長さを長くして、遊技盤ユニット１３が多少変位されても、一対の接点部材どうしの接続（接触）が維持されるようにする態様も考えられる。しかしながら、接点部材５の延設長さを長くする態様では、かかる接点部材の材料コストが嵩むだけでなく、例えば、第１実施形態における場合を例に説明すると、接点部材５２０の長さ寸法の増大に伴い、第１オスコネクタ５００（ハウジング５１０）の接続方向（矢印Ｆ−Ｂ方向）の長さ寸法も大きくなり、かかる第１オスコネクタ５００の遊技盤ユニット１３からの突出量が長くなる。これは、第１オスコネクタ５００が大型化するだけでなく、接続時には、第１オスコネクタ５００を第１メスコネクタ８００へ挿入させる動作が困難になる一方、接続の解除時には、第１メスコネクタ８００から第１オスコネクタ５００を抜き取ることが困難になる。特に、挿入部１２８及び側部６０ａを中心として、遊技盤ユニット１３を回動させることで、接続およびその接続の解除を行う場合には、第１メスコネクタ８００に対する第１オスコネクタ５００の相対的な変位が回動の成分を有することになるため、第１メスコネクタ８００に対して第１オスコネクタ５００を挿入できない及び抜き取れないという事態を招く。
【０４１３】
これに対し、本実施形態では、上述した隙間を有する状態で第１オスコネクタ１０５００を台座４００に保持させる構造を採用し、かかる隙間を形成するための構造を、第１オスコネクタ１０５０と台座４００とが重なる領域（即ち、台座４００の内部空間）に設けるので、かかる台座４００のデッドスペースとなる内部空間を有効に活用できる。よって、第１オスコネクタ１０５００を小型化できるだけでなく、第１オスコネクタ１０５００の遊技盤ユニット１３からの突出量も短くでき、その結果、挿入部１２８及び側部６０ａを中心として、遊技盤ユニット１３を回動させる場合であっても、接続およびその接続の解除を適正に行うことができる。
【０４１４】
ここで、接続の解除時は、第４及び第５実施形態において説明したように、第１オスコネクタ１０５００が、第２メスコネクタ８００に対して、直線方向（被ガイド部５３０及びガイド溝８３０の延設方向）に沿って移動されることが理想であるが、実際には、遊技盤ユニット１３が、内枠１２に対し、挿入部１２８及び側部６０ａを回動の中心として、回動（変位）されることから（図２８参照）、第１オスコネクタ１０５００も、第２メスコネクタ８００に対して、挿入部１２８及び側部６０ａを回動の中心として、円弧状の軌跡に沿って移動される。そのため、上述したように、回動先端側（図４５左側）に位置する接点部材５２０，８２０の組ほど先に接続が解除されやすい。
【０４１５】
これに対し、第１０実施形態では、かかる先に接続が解除されやすい回動先端側（図４５左側）ほど、上述した正面板の群および背面板の群と第１正面板４１１との間の隙間が大きくされているので、遊技盤ユニット１３が取付完了位置から不用意に変位された場合に、先に接続が解除されやすい回動先端側に配置される接点部材５２０，８２０の組における接続が解除されるタイミングを遅らせることができ、その結果、その接続を維持できる可能性を確保できる。
【０４１６】
即ち、遊技盤ユニット１３が内枠１２に対して挿入部１２８及び側部６０ａを中心として回動され（図２８参照）、かかる遊技盤ユニット１３が取付完了位置から不用意に変位される場合には、図４５（ａ）に示す状態から台座４００が矢印Ｂ方向へ変位されるところ、回動基端側（図４５右側）ほど上述した隙間が小さいことから、まず、台座４００の第１正面板４１１（基端側正面板４１１ｂ）の背面により第１オスコネクタ１０５００の基端側背面板５５１が矢印Ｂ方向へ押し下げられ、次いで、台座４００の第１正面板４１１（中央側正面板４１１ａ）の背面により第１オスコネクタ１０５００の先端側背面板５５２が矢印Ｂ方向へ押し下げられ、最後に、台座４００の第１先端側弾性片４５１（延設部分４５１ｃ）の背面により第１オスコネクタ１０５００の側部背面板５５３が矢印Ｂ方向へ押し下げられる。これにより、先に接続が解除されやすい回動先端側（図４５左側）に配置される接点部材５２０，８２０の組における接続が解除されるタイミングを遅らせることができ、その結果、その接続を維持できる可能性を確保できる。
【０４１７】
次いで、図４６及び図４７を参照して、第１１実施形態について説明する。第１０実施形態では、台座４００に対する第１オスコネクタ１０５００の矢印Ｆ−Ｂ方向への変位が許容される場合を説明したが、第１１実施形態の第１オスコネクタ１１５００は、第１０実施形態における構成に加え、台座４００に対する第１オスコネクタ１１５００の矢印Ｆ−Ｂ方向における位置決め構造を更に備える。なお、上述した各実施形態と同一の部分には同一の符号を付して、その説明は省略する。
【０４１８】
図４６（ａ）は、第１１実施形態における第１オスコネクタ１１５００の正面図であり、図４６（ｂ）は、図４６（ａ）のＸＸＸＸＶＩｂ−ＸＸＸＸＶＩｂ線における第１オスコネクタ１１５００の断面図である。なお、図４６（ｂ）では、台座４００の第１正面板４１１が二点鎖線を用いて模式的に図示されると共に、第１オスコネクタ１１５００の先端側背面板１０５５２（接続部１０５５２ａ及び延設部１０５５２ｂ）及び側部背面板１０５５３の正面を連ねて形成される仮想平面（以下「傾斜面Ｆ」と称す）が破線を用いて模式的に図示される。
【０４１９】
なお、第１１実施形態における第１オスコネクタ１１５００は、第１０実施形態における第１オスコネクタ１０５００に対し、位置決め突部１０５５２ｂ１が追加される点のみが異なり、他の構成については、第１０実施形態における第１オスコネクタ１０５００と同一であるので、同一の部分には同一の符号を付してその説明を省略する。
【０４２０】
図４６（ａ）及び図４６（ｂ）に示すように、第１１実施形態の第１オスコネクタ１１５００は、位置決め突部１０５５２ｂ１を備える。位置決め突部１０５５２ｂ１は、台座４００に対して第１オスコネクタ１１５００を矢印Ｆ−Ｂ方向に位置決めする役割を担う部位であり、先端側背面板１０５５２における延設部１０５５２ｂからハウジング５１０の正面（矢印Ｆ方向）へ向けて突設される。なお、位置決め突部１０５５２ｂ１は、側面視において突設先端が円弧状に湾曲される。これにより、台座４００の第１正面板４１１との間の摺動抵抗を抑止して、先端側背面板１０５５２（延設部１０５５２ｂ）の変形性を確保できる（図４７（ｂ）参照）。
【０４２１】
位置決め突部１０５５２ｂ１の突設寸法は、図４６（ｂ）に示すように、第１オスコネクタ１１５００が台座４００の第１基端側弾性片４４１及び第１先端側弾性片４５１により矢印Ｒ−Ｌ方向に位置決めされ（図４７（ａ）参照）、且つ、第１オスコネクタ１１５００の正面板の群（基端側正面板５４１、先端側正面板５４２及び側部正面板５４３）の背面が台座４００の第１正面板４１１の正面に当接された状態において、位置決め突部１０５５２ｂ１の突設先端が第１正面板４１１の背面に当接するか、又は、位置決め突部１０５５２ｂ１の突設先端と第１正面板４１１の背面との間に若干の隙間が形成される寸法に設定される。
【０４２２】
これにより、第１オスコネクタ１１５００を、その正面板の群（基端側正面板５４１、先端側正面板５４２及び側部正面板５４３）の背面が台座４００の第１正面板４１１の正面に当接された状態に維持することができる。即ち、かかる第１オスコネクタ１１５００を矢印Ｆ−Ｂ方向における初期位置に位置決めすることができる。また、台座４００に対して第１オスコネクタ１１５００を矢印Ｆ−Ｂ方向へ変位させる外力が作用される場合には、先端側背面板１０５５２（延設部１０５５２ｂ）が弾性変形することで、第１オスコネクタ１１５００の矢印Ｆ−Ｂ方向への変位を許容できる一方、外力が解除された後は、先端側背面板１０５５２（延設部１０５５２ｂ）の弾性回復力により第１オスコネクタ１１５００を矢印Ｆ−Ｂ方向における初期位置へ復帰させることができる（図４７（ａ）及び図４７（ｂ）参照）。
【０４２３】
次いで、このように構成された第１オスコネクタ１１５００の接続およびその接続の解除における動作について、図４７を参照して説明する。図４７（ａ）及び図４７（ｂ）は、台座４００の一部を断面視した状態における遊技盤側コネクタ１１３００Ａの部分拡大側面図であり、図４７（ａ）は台座４００に対して第１オスコネクタ１１５００が矢印Ｂ方向へ変位された状態（即ち、矢印Ｆ−Ｂ方向における初期位置に位置決めされた状態）が、図４７（ｂ）は台座４００に対して第１オスコネクタ１１５００が矢印Ｆ方向へ変位された状態が、それぞれ図示される。
【０４２４】
上述したように、遊技盤ユニット１３が内枠１２へ向けて回動（変位）されることで（図２８参照）、第１オスコネクタ１１５００と第１メスコネクタ８００との接続が開始される。この場合、第１オスコネクタ１１５００の矢印Ｆ−Ｂ方向における配設位置を所定位置（初期位置）に位置決めできることで、第１オスコネクタ１１５００及び第１メスコネクタ８００の接続が開始される前に、例えば、遊技盤ユニット１３を変位させる際の振動などに起因して、台座４００に対する第１オスコネクタ１１５００の配設位置が不用意に変化する（位置ずれする）ことを抑制できる。特に、第１オスコネクタ１１５００の矢印Ｆ−Ｂ方向における初期位置は、図４７（ａ）に示すように、取付完了位置（第２メスコネクタ８００との接続が完了した状態）において第１オスコネクタ１１５００が台座４００に対して位置すべき配設位置であるので、台座４００に対する第１オスコネクタ１１５００の配設位置を、第１メスコネクタ８００との接続を開始するのに適した位置に配置することができる。その結果、第１オスコネクタ１１５００と第１メスコネクタ８００との接続開始時に、これら両コネクタ１１５００，８００どうしが衝突して破損することを抑制することができる。
【０４２５】
一方、台座４００に対する第１オスコネクタ１１５００の矢印Ｆ方向への変位は、図４７（ｂ）に示すように、先端側背面板１０５５２が弾性変形されることで、その矢印Ｆ方向への変位を確保することができる。即ち、第１０実施形態の場合と同様に、遊技盤ユニット１３が取付完了位置から不用意に変位された場合でも、第１０実施形態で説明した隙間を利用して、回動先端側（図４７左側）に配置される接点部材５２０，８２０の組における接続が解除されるタイミングを遅らせることができ、その結果、その接続を維持できる可能性を確保できる。
【０４２６】
なお、上述した第１０実施形態における第１オスコネクタ１０５００及び第１１実施形態における第１オスコネクタ１１５００の台座４００への組み付け方法は、第１実施形態における第１オスコネクタ５００の台座４００への組み付け方法と実質的に同一であるので、その説明を省略する（図２３及び図２４参照）。
【０４２７】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０４２８】
上記第２及び第３実施形態では、台座４００に対する第１オスコネクタ５００及び第２オスコネクタ６００の初期位置を、上下方向（矢印Ｕ−Ｄ方向）における可動範囲の上端または下端に設定する場合を説明したが、必ずしもこれに限られるものではなく、上下方向における可動範囲内の任意の位置に設定することができる。また、各実施形態では、第１オスコネクタ５００及び第２オスコネクタ６００の初期位置が同一の位置に設定される場合を説明したが、これらの初期位置を互いに異なる位置に設定することは当然可能である。
【０４２９】
上記第２及び第３実施形態では、遊技盤ユニット１３の重心位置がその正面側または背面側に偏っている場合を説明したが、このような重心位置の正面側または背面側への偏りが生じない遊技盤ユニット１３に対しても、上記第２実施形態または第３実施形態を適用しても良い。重心位置の正面側または背面側への偏りが生じていない場合であっても、台座４００と第１コネクタ５００との間のがたつき（第１開口４１２の内周面と第１コネクタ５００の外形との間の隙間）に起因して、台座４００に対し第１コネクタ５００が重力の作用により前傾姿勢（下降傾斜）又は電気的接続線ＷＨの姿勢保持力により仰傾姿勢（上昇傾斜）となる場合があり、この場合に、初期位置を上方または下方に設定することが上記第２実施形態または第３実施形態の場合と同様に有効となる。
【０４３０】
詳細には、第３実施形態では、第１オスコネクタ５００及び第２オスコネクタ６００の矢印Ｕ−Ｄ方向における初期位置が、矢印Ｕ−Ｄ方向における可動範囲の下端（矢印Ｄ方向の端部）に設定され、その高さ位置が予め低くされているので、遊技盤ユニット１３が背面側へ傾斜した姿勢となり、第１オスコネクタ５００及び第２オスコネクタ６００が上昇傾斜される場合でも、その傾斜した姿勢において、第１オスコネクタ５００及び第２オスコネクタ６００の先端の高さ位置を、第１メスコネクタ８００及び第２メスコネクタ９００の接続口（受入口）の高さ位置に一致させることができる。その結果、遊技盤ユニット１３を第２仮置き部７０２に沿って（即ち、図２４（ｂ）の矢印Ｓ方向へ）スライドさせることで、第１オスコネクタ５００及び第２オスコネクタ６００の先端を、第１メスコネクタ８００及び第２メスコネクタ９００の接続口（受入口）に挿入することができ、遊技盤側コネクタ３００Ａを内枠側コネクタ３００Ｂに接続する際の作業性の向上を図ることができる。
【０４３１】
上記第４から第７実施形態では、第１オスコネクタ４５００〜７５００における接点部材５２０〜７５２０の配置を変更する場合を説明したが、必ずしもこれに限られるものではなく、これに代えて、或いは、これに加えて、第２オスコネクタ８００における接点部材８２０の配置を変更しても良い。かかる配置を変更する態様としては、上記第４から第７実施形態で説明した形態、これら各形態どうしを組み合わせた形態などが例示される。
【０４３２】
上記第４及び第５実施形態では、各接点部材４５２０，５５２０の一端をそれぞれ通過して形成される仮想線が直線状をなす場合を説明したが、必ずしもこれに限られるものではなく、仮想線が曲線状（矢印Ｆ方向または矢印Ｂ方向へ凸の円弧状）をなす形態でも良く、或いは、仮想線が曲線と直線とを組み合わせた形状をなす形態でも良い。他の各実施形態においても同様である。
【０４３３】
上記第６及び第７実施形態では、各群において、その群をなす接点部材６５２０，７５２０の一端をそれぞれ通過して形成される仮想線が直線状をなすと共に、その直線（仮想線）が矢印Ｒ−Ｌ方向に平行とされる場合を説明したが、必ずしもこれに限られるものではなく、仮想線（直線）が矢印Ｒ−Ｌ方向に対して傾斜する形態であっても良い。また、仮想線は、直線状をなす形態である必要はなく、例えば、一の群において、曲線状（矢印Ｆ方向または矢印Ｂ方向へ凸の円弧状）をなす形態でも良く、或いは、曲線と直線とを組み合わせた形状をなす形態でも良い。各群において、仮想線の形態が異なるものであっても良い。
【０４３４】
上記第４実施形態では、側部６０ａ及び挿入部１２８を回動の中心として、遊技盤ユニット１３が内枠１２から離間する方向へ向けて回動（変位）される場合に、複数組の接点部材４５２０，８２０における接続の解除がそれぞれ異なるタイミングで行われる（回動先端側（図２８左側）に位置する組ほど解除のタイミングが遅くされる）ように、各接点部材４５２０の延設長さ（接続方向先端側の一端の位置）がそれぞれ設定される場合を説明したが、必ずしもこれに限られるものではなく、複数組の接点部材４５２０，８２０の接続の解除がそれぞれ同一のタイミングで行われるように、各接点部材４５２０の延設長さ（接続方向先端側の一端の位置）をそれぞれ設定しても良い。
【０４３５】
具体的には、第１オスコネクタ４５００において、列設方向一側（図２７（ｂ）左側）に位置する接点部材４５２０ほど、列設方向他側（図２７（ｂ）右側）に位置する接点部材４５２０よりも、延設長さを長くする（一端を接続方向先端側に位置させる）一方で、各接点部材４５２０の一端をそれぞれ通過して形成される仮想線（直線）と矢印Ｒ−Ｌ方向とのなす傾斜角度を、第４実施形態の場合における傾斜角度よりも小さな傾斜角度に設定し、かつ、被ガイド部５３０の延設方向（接続の方向、図２７（ｂ）上下方向）に対して非直角とする。
【０４３６】
これにより、本変形形態によれば、遊技盤ユニット１３の側部６０ａが内枠１２の挿入部１２８に挿入され、これら側部６０ａ及び挿入部１２８を回動の中心として、遊技盤ユニット１３が内枠１２（取付完了位置）から離間する方向へ向けて回動（変位）される場合に、第１オスコネクタ４５００及び第１メスコネクタ８００における接続の解除を、複数組の接点部材４５２０，８２０のうちの全ての組において同一のタイミングで行わせることができる。その結果、複数組の接点部材４５２０，８２０において、電気的に接続（導通）されている組と解除（切断）されている組とが混在せず、導通や切断のタイムラグ（タイミングの差）を発生させないので、遊技の制御を適切に行うことができる。
【０４３７】
また、本変形形態によれば、電気的信号線または電力供給線の接続先を、複数組の接点部材４５２０，８２０のうちの全ての組から任意に選択できるので、設計の自由度を高めることができる。即ち、上述したように、遊技への影響が比較的大きな電気的信号線または電力供給線については、例えば、第４実施形態では、回動先端側（図２８左側）に位置する接点部材４５２０，８２０の組に接続する必要がある一方、第５実施形態では、回動基端側（図３０右側）に位置する接点部材５５２０，８２０の組に接続する必要がある。そのため、電気的信号線または電力供給線の接続先が制約され、設計の自由度が低い。例えば、電気的信号線または電力供給線を所定の接続先まで取り回すために、その長さ寸法を不必要に長くする必要が生じ、また、これに起因して、電気的信号線または電力供給線が複雑に交差された状態で配線する必要が生じる。
【０４３８】
これに対し、本変形形態によれば、複数組の接点部材４５２０，８２０のうちの全ての組において、その接続の解除が同一のタイミングで行われるので、電気的信号線または電力供給線の接続先が制約されない。即ち、遊技への影響が大きな電気的信号線または電力供給線であるか否かに関わらず、複数組の接点部材４５２０，８２０のうちのいずれの組も接続先として選択可能とされる。よって、例えば、それぞれの電気的信号線または電力供給線に適した接続先をそれぞれ選択することで、電気的信号線または電力供給線の長さ寸法を最適化できると共に、電気的信号線または電力供給線が複雑に交差されることを抑制し、整列状態で配線することができる。
【０４３９】
上記第６実施形態では、隣接する複数本の接点部材６５２０からなる群が複数群（３群）形成され、接点部材６５２０の列設方向一側（図３１（ｂ）左側）に位置する群ほど、接点部材６５２０の列設方向他側（図３１（ｂ）右側）に位置する群よりも、延設長さが長くされる（一端が接続方向前方側に位置される）場合を説明したが、必ずしもこれに限られるものではなく、これとは逆に、接点部材６５２０の列設方向他側（図３１（ｂ）右側）に位置する群ほど、接点部材６５２０の列設方向一側（図３１（ｂ）左側）に位置する群よりも、延設長さが長くされる（一端が接続方向前方側に位置される）ように構成しても良い。これにより、技盤ユニット１３の側部６０ａが内枠１２の挿入部１２８に挿入され、これら側部６０ａ及び挿入部１２８を回動の中心として、遊技盤ユニット１３が内枠１２（取付完了位置）から離間する方向へ向けて回動（変位）される場合に、列設方向他側（図３１（ｂ）右側）に位置にする群における接続の解除が行われるタイミングを他の群における接続の解除と比較して遅らせることができる。即ち、第５実施形態における場合と同様の効果を奏することができる。
【０４４０】
上記第７実施形態では、第１オスコネクタ７５００の長手方向（矢印Ｒ−Ｌ方向）端部（図３３（ｂ）左側）の一部の延設長さが長くする場合を説明したが、必ずしもこれに限られるものではなく、第１オスコネクタ７５００の長手方向中央部分の延設長さを長くしても良い。
【０４４１】
上記第１０及び第１１実施形態では、上述した隙間（正面板の群の背面と背面板の群の正面との間の間隔）が、遊技盤ユニット１３が回動される際の回転基端側よりも回転先端側で大きくされる場合を説明したが、必ずしもこれに限られるものではなく、上述した隙間を、遊技盤ユニット１３が回動される際の回転基端側が回転先端側よりも大きくなるように形成しても良い。これにより、複数組の接点部材５２０，８２０のうちで接続が解除される順が後となりやすい位置（回動基端側）に配置される組に対し、その接続が解除されるタイミングを更に遅らせることができる。
【０４４２】
上記第１０及び第１１実施形態では、上述した隙間（正面板の群の背面と背面板の群の正面との間の間隔）が、遊技盤ユニット１３が回動される際の回転基端側よりも回転先端側で大きくされる場合を説明したが、必ずしもこれに限られるものではなく、上述した隙間を、遊技盤ユニット１３が回動される際の回転基端側および回転先端側で同一となるよに形成しても良い。即ち、矢印Ｒ−Ｌ方向に沿って隙間を均等としても良い。これによっても、第１０及び第１１実施形態における効果と同様の効果を奏する。なお、上述した隙間は、上記各実施形態または変形例のいずれにおいても、少なくとも最大の隙間が接点部材５２０の幅寸法よりも大きいことが好ましい。
【０４４３】
上記第１０及び第１１実施形態では、側部６０ａ及び挿入部１２８を回動の中心として、遊技盤ユニット１３が内枠１２から離間する方向へ向けて回動（変位）される場合に、複数組の接点部材５２０，８２０における接続の解除がそれぞれ異なるタイミングで行われる（回動先端側（図４４左側）に位置する組ほど解除のタイミングが遅くされる）場合を説明したが、必ずしもこれに限られるものではなく、複数組の接点部材５２０，８２０の接続の解除がそれぞれ同一のタイミングで行われるように、各接点部材５２０の延設長さ（接続方向先端側の一端の位置）をそれぞれ設定しても良い。
【０４４４】
具体的には、第１オスコネクタ１０５００において、各接点部材５２０の一端をそれぞれ通過して形成される仮想線が直線状をなすと共に、その直線（仮想線）を矢印Ｒ−Ｌ方向に平行とする、或いは、列設方向一側（図４４左側）に位置する接点部材５２０ほど、列設方向他側（図４４右側）に位置する接点部材５２０よりも、延設長さを長くし（一端を接続方向先端側に位置させ）、各接点部材５２０の一端をそれぞれ通過して形成される仮想線（直線）を矢印Ｒ−Ｌ方向に対して傾斜させ、かつ、被ガイド部５３０の延設方向（接続の方向、図４４上下方向）に対して非直角とする。
【０４４５】
これにより、本変形形態によれば、遊技盤ユニット１３の側部６０ａが内枠１２の挿入部１２８に挿入され、これら側部６０ａ及び挿入部１２８を回動の中心として、遊技盤ユニット１３が内枠１２（取付完了位置）から離間する方向へ向けて回動（変位）される場合に、第１オスコネクタ１０５００及び第１メスコネクタ８００における接続の解除を、複数組の接点部材５２０，８２０のうちの全ての組において同一のタイミングで行わせることができる。その結果、複数組の接点部材５２０，８２０において、電気的に接続（導通）されている組と解除（切断）されている組とが混在せず、導通や切断のタイムラグ（タイミングの差）を発生させないので、遊技の制御を適切に行うことができる。
【０４４６】
また、本変形形態によれば、電気的信号線または電力供給線の接続先を、複数組の接点部材５２０，８２０のうちの全ての組から任意に選択できるので、設計の自由度を高めることができる。即ち、上述したように、遊技への影響が比較的大きな電気的信号線または電力供給線については、例えば、第１０実施形態では、回動先端側（図４４左側）に位置する接点部材５２０，８２０の組に接続する必要がある。そのため、電気的信号線または電力供給線の接続先が制約され、設計の自由度が低い。例えば、電気的信号線または電力供給線を所定の接続先まで取り回すために、その長さ寸法を不必要に長くする必要が生じ、また、これに起因して、電気的信号線または電力供給線が複雑に交差された状態で配線する必要が生じる。
【０４４７】
これに対し、本変形形態によれば、複数組の接点部材５２０，８２０のうちの全ての組において、その接続の解除が同一のタイミングで行われるので、電気的信号線または電力供給線の接続先が制約されない。即ち、遊技への影響が大きな電気的信号線または電力供給線であるか否かに関わらず、複数組の接点部材５２０，８２０のうちのいずれの組も接続先として選択可能とされる。よって、例えば、それぞれの電気的信号線または電力供給線に適した接続先をそれぞれ選択することで、電気的信号線または電力供給線の長さ寸法を最適化できると共に、電気的信号線または電力供給線が複雑に交差されることを抑制し、整列状態で配線することができる。
【０４４８】
上記第１１実施形態では、位置決め突部１１５２２ｂ１を先端側背面板１０５２２に一体に形成する場合を説明したが、必ずしもこれに限られるものではなく、先端側背面板１０５２２と別体とすることは当然可能である。例えば、弾性部材（コイルスプリング、板バネ、ゴム状弾性体など）が例示される。
【０４４９】
上記各実施形態では、ガイド部８３０及び被ガイド部５３０を設ける場合を説明したが、必ずしもこれに限られるものではなく、これら各部５３０，８３０を省略することは当然可能である。
【０４５０】
上記各実施形態では、台座４００に対する第１オスコネクタ５００及び第２オスコネクタ６００の上下方向（矢印Ｕ−Ｄ方向）における初期位置を、電気的接続線ＷＨの姿勢保持力を利用して設定する場合を説明したが、必ずしもこれに限られるものではなく、これに代えて、或いは、これに加えて、左右方向（矢印Ｒ−Ｌ方向）における初期位置を設定する一対の弾性片（例えば、第１基端側弾性片４４１及び第１先端側弾性片４５１）を流用して、上下方向（矢印Ｕ−Ｄ方向）における初期位置も設定するように構成しても良い。
【０４５１】
この場合には、上下方向の両側に弾性片を設ける必要はなく、例えば、第１オスコネクタ５００及び第２オスコネクタ６００の下側のみに弾性片を設ける構成とすることが好ましい。これにより、自重による下方への移動のみを弾性爪により規制することで、部品点数を削減しつつ、上下方向における初期位置を設定できるからである。
【０４５２】
また、弾性片は台座に設ける必要はなく、遊技盤ユニット１３に設けても良く、第１オスコネクタ５００又は第２オスコネクタ６００に設けても良い。
【０４５３】
上記各実施形態では、台座４００における長手側壁部４１６の切り欠き部４１６ａ（図１０参照）と、配線保持部材７５の開口７５ａ（図８及び図９参照）との間で保持される場合を説明したが、これら両保持位置の間に更に電気的接続線ＷＨを保持する保持手段を配設しても良い。この保持手段を更に設けることで、電気的接続線ＷＨの姿勢を所定の姿勢に設定しやすくでき、第１オスコネクタ５００等の初期位置をより正確に規定できると共に、伝記的配線ＷＨの長さが冗長である場合に、その長さを調整することができる。
【０４５４】
上記各実施形態では、先端側背面板５５２，６５２に係合部５５２ｃが形成される場合を説明したが、係合部５５２ｃの形成を省略しても良い。第１基端側弾性片４４１に基端側背面板５５１が当接されているので、係合部５５２ｃの形成が省略されても、基端側背面板５５１の矢印Ｒ方向への弾性回復力を利用して、台座４００からの第１オスコネクタ５００及び第２オスコネクタ６００が矢印Ｌ方向へ脱落する（抜け出る）ことを抑制できるからである。
【０４５５】
なお、この場合には、先端側背面板５５２において、延設部５５２ｂを省略すると共に、その省略により形成されるスペースの分、接続部５５２ｃ，６５２ｃを大型化することが好ましい。その分、中間正面板４１１ａとの当接面積を拡大して、第１オスコネクタ５００及び第２オスコネクタ６００が台座４００の第１開口８４２１及び第２開口４２２から矢印Ｆ方向に抜け出ることを抑制できるからである。
【０４５６】
上記各実施形態では、遊技盤側コネクタ３００Ａが可動式のコネクタ（即ち、台座４００に対して第１オスコネクタ５００及び第２オスコネクタ６００が変位可能とされるコネクタ）として、内枠側コネクタ３００Ｂが固定式のコネクタ（即ち、台座７００に対して第１メスコネクタ８００及び第２メスコネクタ９００が固定される）として、それぞれ構成される場合を説明したが、必ずしもこれに限られるものではなく、例えば、各実施形態の場合とは逆に、遊技盤側コネクタ３００Ａを固定式のコネクタとして、内枠側コネクタ３００Ｂを可動式のコネクタとして構成しても良い。或いは、両者を可動式のコネクタとして構成しても良い。
【０４５７】
上記各実施形態では、台座４００に第１基端側弾性片４４１などの各弾性片４４１，４５１，４４２，４５２を形成する場合を説明したが、必ずしもこれに限られるものではなく、これら各弾性片４４１，４５１，４４２，４５２のうちの一部または全部を第１オスコネクタ５００又は第２オスコネクタ６００のハウジング５１０，６１０に形成しても良い。
【０４５８】
上記各実施形態では、遊技盤ユニット１３におけるベース板６０の側部６０ａを内枠１２の挿入部１２８に挿入し、遊技盤ユニット１３を接続完了位置へ変位（回動）させることで、遊技盤側コネクタ３００Ａ（第１オスコネクタ５００及び第２オスコネクタ６００）を内枠側コネクタ３００Ｂ（第１メスコネクタ８００及び第２メスコネクタ９００）に接続すると共に、遊技盤ユニット１３を接続完了位置から変位（回動）させることで、遊技盤側コネクタ３００Ａ（第１オスコネクタ５００及び第２オスコネクタ６００）と内枠側コネクタ３００Ｂ（第１メスコネクタ８００及び第２メスコネクタ９００）との接続を解除する。かかる接続または解除の動作において、上記各実施形態では、第１オスコネクタ５００の複数の接点部材５２０が第１メスコネクタ８００の複数の接点部材８２０にそれぞれ同時に接続されると共にそれぞれ同時に接続が解除される場合を説明した。このように、各接点部材５２０，８２０の電気的な接続または解除のタイミングが同時となることで、電気的に接続（導通）されている箇所と解除（切断）されている箇所とが混在せず、導通や切断のタイムラグ（タイミングの差）を発生させないので、遊技の制御を適切に行うことができる。なお、第２オスコネクタ６００及び第２メスコネクタ９００の接続および解除においても同様である。よって、以下においても、第１オスコネクタ５００及び第２コネクタ８００を例に説明する。
【０４５９】
一方で、各接点部材５２０，８２０の電気的な接続または解除のタイミングを異ならせても良い。例えば、第１オスコネクタ５００の複数の接点部材５２０が第１メスコネクタ８００の複数の接点部材８２０に対してその列設方向一側に位置するものから順に接続または解除が進行するように構成しても良い。「順に」は、接点部材５２０，８２０の対が一組ずつ接続または解除されるものであっても良く、接点部材５２０，８２０の対が複数組ずつ接続または解除されるものであっても良い。
【０４６０】
例えば、複数の接点部材５２０，８２０のうちの先に解除されるものを所定の接点部材５２０、８２０に設定しておくことで、前面枠１４を遊技中に開放して作業者（例えば、ホールの担当者）が作業を行う必要が生じた場合に、その作業者が遊技盤ユニット１３を不用意に変位させ、第１オスコネクタ５００及び第１メスコネクタ８００においてその一部の接点部材５２０，８２０が解除されてしまった場合でも、遊技に与える影響を最小限に抑制できる。具体的には、例えば、解除の順序が先とされるものとして、ランプなどの発光手段やスピーカなどの音声出力装置などの信号線または電力供給を設定しておく形態が例示される。この例示の場合によれば、一部の接点部材５２０，８２０が解除されたとしても、ランプの発光や音声の出力が停止される程度として、例えば、保留球や払出球の数、抽選結果などに関する情報の伝達が途中で寸断されるなど、遊技に重大な影響を与えることを抑制できる。
【０４６１】
なお、解除の順序が後とされるものとしては、例えば、主制御基板と各装置（例えば、払出制御装置１１１、音声乱舞制御装置１１３、各種スイッチ２０８、ソレノイド２０９、第１図柄表示装置３７ａ，３７ｂ、第２図柄表示装置、第２図柄保留ランプなど）との間を接続する電気的信号線または電力供給線が例示され、解除の順が先とされるものとしては、例えば、払出制御装置１１１と各装置（例えば、払出モータ２１６、発射制御装置１１２など）との間を接続する電気的信号線または電力供給線や、音声ランプ制御装置１１３と各装置（例えば、音声出力装置２２６、ランプ表示装置２２７、その他装置２２８、枠ボタン２２、表示制御装置１１４など）との間を接続する電気的信号線または電力供給線が例示される。
【０４６２】
具体的構成としては、上記各実施形態では、ハウジング５１０（又はケース体８１０）における複数の接点部材５２０（又は接点部材８２０）の先端位置が矢印Ｒ−Ｌ方向に添って横一列に配置される場合を説明したが、これに代えて、ハウジング５１０（又はケース体８１０）における複数の接点部材５２０（又は接点部材８２０）の先端位置が矢印Ｒ−Ｌ方向に添って傾斜する直線上に配置するものが例示される。
【０４６３】
或いは、上記各実施形態では、台座４００の第１正面板４１１に対しハウジング５１０を直立させる（矢印Ｆ−Ｂ方向に沿って立設される）場合を説明したが、これに代えて、台座４００の第１正面板４１１に対しハウジング５１０を傾斜させることで、各接点部材５２０，８２０が列設方向一側に位置するものから順に接続または解除されるようにしても良い。
【０４６４】
上記各実施形態では、台座４００が別体に形成され遊技盤ユニット１３（ベース板６０）の背面に締結固定される場合を説明したが、必ずしもこれに限られるものではなく、台座４００が遊技盤ユニット１３（ベース板６０）の背面に一体に形成されても良い。
【０４６５】
上記各実施形態では、台座４００に変位可能に取り付けられる対象が、第１オスコネクタ５００及び第２オスコネクタ６００である場合を説明したが、必ずしもこれに限られるものではなく、第１オスコネクタ５００及び第２オスコネクタ６００に代えて、他の構成部材を取付対象としても良い。他の構成部材としては、例えば、装飾部材が例示される。装飾部材は、ＬＥＤなどの発光手段が配設されていても良い。これによれば、装飾部材の取り付けを容易に行うことを可能として、取り付けコストの削減を図ることができると共に、変位可能であることから、遊技中の振動などに起因して装飾部材に振動や揺れを発生させ、演出効果を高めることができる。
【０４６６】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０４６７】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０４６８】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０４６９】
以下に、本発明の遊技機に加えて上述した実施形態に含まれる各種発明の概念を示す。
【０４７０】
電気部品が搭載される遊技ユニットと、その遊技ユニットを支持する支持部材とを備える遊技機において、前記遊技ユニットの前記支持部材に対面する側に配設されるユニット側コネクタと、前記支持部材の前記遊技ユニットに対面する側に配設され、前記支持部材における取付完了位置へ向けて前記遊技ユニットが変位されることで前記ユニット側コネクタと接続されると共に、前記支持部材における取付完了位置から前記遊技ユニットが変位されることで前記ユニット側コネクタとの接続が解除される支持側コネクタと、を備え、前記ユニット側コネクタ又は支持側コネクタの少なくとも一方は、前記接続の方向と直交する方向への変位が許容されるコネクタと、前記コネクタを前記接続の方向と直交する方向において位置決めする位置決め手段と、を備えることを特徴とする遊技機Ａ１。
【０４７１】
遊技機Ａ１によれば、支持部材における取付完了位置へ向けて遊技ユニットが変位されると、遊技ユニットのユニット側コネクタが支持部材の支持側コネクタに接続される一方、支持部材における取付完了位置から遊技ユニットが変位されると、遊技ユニットのユニット側コネクタと支持部材の支持側コネクタとの接続が解除される。
【０４７２】
ここで、ユニット側コネクタ又は支持側コネクタの少なくとも一方が、接続の方向と直交する方向への変位が許容された状態で保持される遊技機が知られている（特開２０１３−８１８１８号）。これによれば、支持部材における取付完了位置において、ユニット側コネクタと支持側コネクタとの間に位置ばらつきがある場合でも、コネクタが接続の方向と直行する方向へ変位されることで、位置ばらつきを吸収することができ、その結果、支持部材における取付完了地位において、ユニット側コネクタと支持側コネクタとの接続を可能とすることができる。しかしながら、上述した従来の遊技機のように、コネクタの変位が許容されると、コネクタの配設位置が不安定となり、ユニット側コネクタと支持側コネクタとの接続を開始する際に、これら両コネクタどうしが衝突して破損するおそれがあるという問題点があった。
【０４７３】
これに対し、遊技機Ａ１によれば、コネクタの配設位置を位置決め手段により所定位置（初期位置）に位置決めできるので、ユニット側コネクタと支持側コネクタとの接続を開始する際に、台座に対してコネクタの配設位置が不用意に変化することを抑制できる。その結果、台座に対するコネクタの配設位置を安定させ、ユニット側コネクタと支持側コネクタとの接続開始時に、これら両コネクタどうしが衝突して破損することを抑制することができる。
【０４７４】
前記ユニット側コネクタ又は支持側コネクタの少なくとも一方は、前記遊技ユニットまたは支持部材に配設されると共に前記コネクタを前記接続の方向と直交する方向への変位を許容した状態で保持する台座と、前記台座またはコネクタの一方に形成されると共に、前記台座に対して前記コネクタが前記接続の方向と直交する方向へ変位される場合に前記台座またはコネクタの他方に当接して弾性変形される弾性片と、を備えることを特徴とする遊技機Ａ２。
【０４７５】
遊技機Ａ２によれば、台座に対するコネクタの配設位置を弾性片により所定位置（初期位置）に位置決めできるので、ユニット側コネクタと支持側コネクタとの接続を開始する際に、台座に対してコネクタの配設位置が不用意に変化することを抑制できる。その結果、台座に対するコネクタの配設位置を安定させ、ユニット側コネクタと支持側コネクタとの接続開始時に、これら両コネクタどうしが衝突して破損することを抑制することができる。
【０４７６】
遊技機Ａ２において、前記弾性片は、前記接続の方向と直交する方向のうちの第１の方向に沿って一対が配設されると共に、それら一対の弾性片の間に前記コネクタが配設されることを特徴とする遊技機Ａ３。
【０４７７】
遊技機Ａ３によれば、遊技機Ａ２の奏する効果に加え、一対の弾性片の間にコネクタが配設されるので、台座に対するコネクタの第１の方向における配設位置を一対の弾性片により両方向から所定位置（初期位置）に位置決めでき、台座に対してコネクタの配設位置が変化することを第１の方向における両方向で抑制できる。その結果、台座に対するコネクタの配設位置が更に安定するので、ユニット側コネクタと支持側コネクタとの接続を開始する際に、これら両コネクタどうしが衝突して破損することをより確実に抑制することができる。また、コネクタが第１の方向における一方または他方のいずれの方向へ変位される場合であっても、弾性片の弾性回復力を利用して、コネクタを所定位置（初期位置）へ復帰させることができる。
【０４７８】
遊技機Ａ３において、前記コネクタは、前記第１の方向に直交する第２の方向への変位が許容された状態で前記台座に保持されることを特徴とする遊技機Ａ４。
【０４７９】
遊技機Ａ４によれば、遊技機Ａ３の奏する効果に加え、コネクタは、第１の方向に直交する第２の方向への変位が許容された状態で台座に保持されるので、台座に対するコネクタの可動範囲を確保できる。その結果、支持部材における取付完了位置において、ユニット側コネクタと支持側コネクタとの間に位置ばらつきがある場合に、台座に対するコネクタの変位による位置ばらつきを吸収可能な範囲を確保して、ユニット側コネクタと支持側コネクタとの接続を可能とすることができる。
【０４８０】
遊技機Ａ４において、前記台座に対して前記コネクタが前記第２の方向へ変位される場合には、前記第１の方向に沿って配設される弾性片が弾性変形されないことを特徴とする遊技機Ａ５。
【０４８１】
遊技機Ａ５によれば、遊技機Ａ４の奏する効果に加え、台座に対してコネクタが第２の方向へ変位される場合には、第１の方向に沿って配設される一対の弾性片が弾性変形されないので、かかる一対の弾性片の形状を、第１の方向および第２の方向の両方向への変位に対して弾性変形可能な形状とする必要がなく、第１の方向への変位に対してのみ弾性変形可能な形状とすることができる。その結果、一対の弾性片の形状を簡素化して、その成型性および耐久性の向上を図ることができる。
【０４８２】
遊技機Ａ２からＡ５のいずれかにおいて、前記弾性片を弾性変形させる方向へ前記コネクタが前記台座に対して変位される場合に、その変位を所定量以下に規制するストッパ手段を備えることを特徴とする遊技機Ａ６。
【０４８３】
遊技機Ａ６によれば、遊技機Ａ２からＡ５のいずれかにおいて、弾性片を弾性変形させる方向へコネクタが台座に対して変位される場合には、その変位を所定量以下にストッパ手段によって規制できるので、弾性片が過大に弾性変形して破損することを未然に抑制できる。
【０４８４】
遊技機Ａ６において、前記ストッパ手段は、前記台座に形成される台座側ストッパ手段と、前記コネクタに形成されるコネクタ側ストッパ手段とを備え、前記弾性片を弾性変形させる方向へ前記コネクタが前記台座に対して変位される場合には、前記台座側ストッパ手段にコネクタ側ストッパ手段が当接されることで、前記変位が所定量以下に規制されることを特徴とする遊技機Ａ７。
【０４８５】
遊技機Ａ７によれば、遊技機Ａ６の奏する効果に加え、ストッパ手段は、台座側ストッパ手段が台座に形成されると共に、コネクタ側ストッパ手段がコネクタに形成されるので、台座およびコネクタを組み立てる組立工程において作業者が不用意な組み立て作業を行った場合でも、弾性片の破損を抑制できる。
【０４８６】
例えば、コネクタ側ストッパ手段に当接する部位を、台座ではなく、台座が配設される遊技ユニットまたは支持ユニットに形成することも可能である。しかし、この場合には、遊技ユニットまたは支持ユニットに対して台座およびコネクタの両者を装着した後でなければストッパ機能を発揮できず、台座およびコネクタを組み立てる組立工程においては、ストッパ機能を発揮させることができない。
【０４８７】
これに対し、遊技機Ａ７によれば、ストッパ手段が、台座に形成される部位（台座側ストッパ手段）とコネクタに形成される部位（コネクタ側ストッパ手段）とからなるので、台座およびコネクタを組み立てる組立工程においても、両部位（台座側ストッパ手段およびコネクタ側ストッパ手段）どうしを当接させ、ストッパ機能を発揮させることができる。その結果、組立工程において作業者が不用意な組み立て作業を行った場合でも、弾性片の破損を抑制できる。
【０４８８】
遊技機Ａ３において、前記支持部材の前面に配設されると共に幅方向一方の側縁が前記支持部材の幅方向一方の側縁に回転可能に軸支され前記幅方向一方の側縁を中心に回転されることで前記支持部材に対して開閉される前面側部材を備え、前記第１の方向が前記支持部材の幅方向に沿う方向とされることを特徴とする遊技機Ａ８。
【０４８９】
遊技機Ａ８によれば、遊技機Ａ３の奏する効果に加え、第１の方向が支持部材の幅方向に沿う方向とされるので、支持部材における取付完了位置へ向けて前記遊技ユニットを変位させる動作として、例えば、支持部材に対して前面側部材を少し開いた状態で、それら前面側部材と支持部材との間の開放部分から遊技ユニットの幅方向一方の側縁を挿入し、その挿入した遊技ユニットの幅方向一方の側縁を支持部材の幅方向一方の側縁に配置すると共に、幅方向一方の側縁を中心として遊技ユニットを支部部材へ向けて回転させる動作を採用する場合に、台座に対するコネクタの配設位置を、一対の弾性片により支持部材の幅方向における所定位置（初期位置）に位置決めしておくことができる。その結果、上記動作によって、ユニット側コネクタと支持側コネクタとの接続を開始する際に、これら両コネクタどうしが衝突して破損することを抑制しやすくすることができる。
【０４９０】
なお、支持部材の幅方向とは、遊技機を正面視した際の左右方向を意味する。
【０４９１】
遊技機Ａ２からＡ８のいずれかにおいて、前記台座は、前記支持部材または遊技ユニットに締結ねじにより締結固定される被締結部を備え、その被締結部に前記弾性片が形成されることを特徴とする遊技機Ａ９。
【０４９２】
遊技機Ａ９によれば、遊技機Ａ２からＡ８の奏する効果に加え、台座は、支持部材または遊技ユニットに締結ねじにより締結固定される被締結部を備え、その被締結部に弾性片が形成されるので、弾性片が比較的大きく弾性変形された際に台座が破損することを抑制できる。即ち、被締結部は、支持部材または遊技ユニットに締結ねじに締結固定されるため、弾性片が比較的大きく弾性変形される場合には、その弾性変形に伴う荷重を、被締結部だけでなく、支持部材または遊技ユニットの剛性も利用して支えることができ、その結果、台座の破損を抑制できる。
【０４９３】
遊技機Ａ９において、前記被締結部は、前記締結ねじの座面から締結力を受ける受け面を備え、その被締結部の受け面に前記弾性片の基端が接続されることを特徴とする遊技機Ａ１０。
【０４９４】
遊技機Ａ１０によれば、遊技機Ａ９において、被締結部は、締結ねじの座面から締結力を受ける受け面を備え、その被締結部の受け面に弾性片の基端が接続されるので、弾性片が比較的大きく弾性変形された際に台座が破損することを抑制できる。即ち、弾性片が比較的大きく弾性変形される場合には、その弾性変形に伴う荷重を、被締結部だけでなく、締結ねじの剛性も利用して支えることができ、その結果、台座の破損を抑制できる。
【０４９５】
遊技機Ａ２からＡ１０のいずれかにおいて、前記台座は、前記支持部材または遊技ユニットに取り付けられる際にその支持部材または遊技ユニットに当接される取付面を備え、その取付面に前記弾性片が接続されることを特徴とする遊技機Ａ１１。
【０４９６】
遊技機Ａ１１によれば、遊技機Ａ２からＡ１０の奏する効果に加え、台座は、支持部材または遊技ユニットに取り付けられる際にその支持部材または遊技ユニットに当接される取付面を備え、その取付面に前記弾性片が接続されるので、弾性片が比較的大きく弾性変形された際に台座が破損することを抑制できる。即ち、取付面は、支持部材または遊技ユニットへの台座の取付時にその支持部材または遊技ユニットに当接される部位であるため、弾性片が比較的大きく弾性変形される場合には、その弾性変形に伴う荷重を、取付面だけでなく、支持部材または遊技ユニットの剛性も利用して支えることができ、その結果、台座の破損を抑制できる。
【０４９７】
遊技機Ａ２からＡ１１のいずれかにおいて、前記台座は、正面視矩形の正面壁と、その正面壁の４辺にそれぞれ連設される複数の側壁と、それら複数の側壁のうちの１の側壁に配設され前記支持部材または遊技ユニットに締結ねじにより締結固定される被締結部とを備え、前記複数枚の側壁のうちの前記被締結部が配設される側壁に前記弾性片が形成されることを特徴とする遊技機Ａ１２。
【０４９８】
遊技機Ａ１２によれば、遊技機Ａ２からＡ１１の奏する効果に加え、台座は、正面視矩形の正面壁と、その正面壁の４辺にそれぞれ連設される複数の側壁と、それら複数の側壁のうちの１の側壁に配設され支持部材または遊技ユニットに締結ねじにより締結固定される被締結部とを備え、複数枚の側壁のうちの被締結部が配設される側壁に弾性片が形成されるので、弾性片が比較的大きく弾性変形された際に台座が破損することを抑制できる。即ち、台座の複数の側壁は、比較的剛性が弱い部位であるところ、これら複数の側壁のうちの弾性片が形成される側壁には、被締結部が配設されるので、弾性片が比較的大きく弾性変形される場合には、その弾性変形に伴う荷重を、側壁だけでなく、被締結部を介して、支持部材または遊技ユニットの剛性も利用して支えることができ、その結果、台座の破損を抑制できる。
【０４９９】
遊技機Ａ２からＡ１２のいずれかにおいて、前記台座は、前記接続の方向への前記コネクタの変位を規制する接続側規制部を備え、その接続側規制部が片持ち形状とされることを特徴とする遊技機Ａ１３。
【０５００】
遊技機Ａ１３によれば、遊技機Ａ２からＡ１２のいずれかの奏する効果に加え、台座は、接続の方向へのコネクタの変位を規制する接続側規制部を備え、その接続側規制部が片持ち形状とされるので、かかる接続側規制部を弾性変形させやすくできる。これにより、支持側コネクタ及びユニット側コネクタが接続される際の衝撃を、接続側規制部の弾性変形により吸収することができ、その結果、台座の破損を抑制できる。また、接続側規制部の弾性変形により、台座（接続の方向に直交する平面）に対してコネクタを傾斜させることができるので、例えば、支持側コネクタ及びユニット側コネクタの間の位置ずれであって、台座に対してコネクタが接続の方向と直交する方向へ変位されるのみでは吸収できない位置ずれであっても、かかる位置ずれを接続側規制部の弾性変形を利用して吸収可能とできる。
【０５０１】
遊技機Ａ２からＡ１３のいずれかにおいて、前記台座は、前記解除の方向への前記コネクタの変位を規制する解除側規制部を備え、その解除側規制部が片持ち形状とされることを特徴とする遊技機Ａ１４。
【０５０２】
遊技機Ａ１４によれば、遊技機Ａ２からＡ１３のいずれかの奏する効果に加え、台座は、解除の方向へのコネクタの変位を規制する解除側規制部を備え、その解除側規制部が片持ち形状とされるので、支持側コネクタ及びユニット側コネクタの接続が解除される際にコネクタを解除側規制部により保持して、両コネクタの接続を確実に解除させることができる。
【０５０３】
この場合、接続側規制部が弾性変形することにより、台座に対してコネクタを接続方向に対して傾斜させることができるので、例えば、支持側コネクタ及びユニット側コネクタの解除の方向と支持部材における取付完了位置から遊技ユニットが変位される方向とが一致されておらず（方向がずれていて）、台座に対してコネクタが接続の方向と直交する方向へ変位されるのみでは吸収できない場合であっても、かかる方向のずれを吸収可能とできる。
【０５０４】
遊技機Ａ２からＡ１４のいずれかにおいて、前記弾性片は、その延設先端に形成され前記解除の方向への前記コネクタの変位を規制する解除側規制部を備えることを特徴とする遊技機Ａ１５。
【０５０５】
遊技機Ａ１５によれば、遊技機Ａ２からＡ１４のいずれかの奏する効果に加え、弾性片は、その延設先端に形成され、解除の方向へのコネクタの変位を規制する解除側規制部を備えるので、支持側コネクタ及びユニット側コネクタの接続が解除される際にコネクタを解除側規制部により保持して、両コネクタの接続を確実に解除させることができる。
【０５０６】
一方で、弾性片は、比較的大きく弾性変形が可能なので、台座およびコネクタを組み立てる組立工程においては、弾性片を弾性変形させ解除側規制部を退避させておくことで、台座およびコネクタの組み立て作業が解除側規制部に阻害されることを抑制できる。その結果、弾性片の延設先端に解除側規制部が形成されている場合であっても、台座およびコネクタを組み立てる際の作業性の向上を図ることができる。
【０５０７】
更に、弾性片が弾性変形することにより、台座に対してコネクタを接続方向に対して傾斜させることができるので、例えば、支持側コネクタ及びユニット側コネクタの解除の方向と支持部材における取付完了位置から遊技ユニットが変位される方向とが一致されておらず（方向がずれていて）、台座に対してコネクタが接続の方向と直交する方向へ変位されるのみでは吸収できない場合であっても、かかる方向のずれを吸収可能とできる。
【０５０８】
遊技機Ａ２からＡ１５のいずれかにおいて、前記支持部材は、前記遊技ユニットの底面が載置可能に形成されると共に前記遊技ユニットを前記支持部材における取付完了位置へ向けて案内する案内面部材を備えることを特徴とする遊技機Ａ１６。
【０５０９】
遊技機Ａ１６によれば、遊技機Ａ２からＡ１５のいずれかの奏する効果に加え、支持部材は、遊技ユニットの底面が載置可能に形成されると共に遊技ユニットを支持部材における取付完了位置へ向けて案内する案内面部材を備えるので、遊技ユニットを案内面部材に載置した上でその案内面部材に沿ってスライド移動させることができる。これにより、比較的重量の嵩む遊技ユニットを前記支持部材における取付完了位置へ向けて正確に変位させやすくなるので、ユニット側コネクタと支持側コネクタとの接続を開始する際に、これら両コネクタどうしが衝突して破損することを抑制することができる。また、ユニット側コネクタと支持側コネクタとの接続動作中およびその接続の解除動作中には、遊技ユニットを支持部材に対して一定の姿勢で変位させやすくすることができるので、ユニット側コネクタと支持側コネクタとの間に無理な力が作用して破損することを抑制できる。
【０５１０】
遊技機Ａ１６において、前記支持部材の案内面部材に前記遊技ユニットの底面が載置され、且つ、前記支持側コネクタ及びユニット側コネクタの接続が解除された状態を形成可能とされることを特徴とする遊技機Ａ１７。
【０５１１】
遊技機Ａ１７によれば、遊技機Ａ１６の奏する効果に加え、支持部材の案内面部材に遊技ユニットの底面が載置され、且つ、支持側コネクタ及びユニット側コネクタの接続が解除された状態を形成可能とされるので、先に遊技ユニットを支持部材の案内面部材に載置し、その後、遊技ユニットを案内面部材に沿ってスライド移動させて、支持側コネクタ及びユニット側コネクタの接続を行うことができると共に、支持側コネクタ及びユニット側コネクタの接続を解除した際には遊技ユニットを案内面部材に載置された状態とすることができる。その結果、比較的重い遊技ユニットの支持部材への取り付け及び取り外しと、支持側コネクタ及びユニット側コネクタの接続および解除との作業性の向上を図ることができる。
【０５１２】
電気部品が搭載される遊技ユニットと、その遊技ユニットを支持する支持部材とを備える遊技機において、前記遊技ユニットの前記支持部材に対面する側に配設されるユニット側コネクタと、前記支持部材の前記遊技ユニットに対面する側に配設され、前記支持部材における取付完了位置へ向けて前記遊技ユニットが変位されることで前記ユニット側コネクタと接続されると共に、前記支持部材における取付完了位置から前記遊技ユニットが変位されることで前記ユニット側コネクタとの接続が解除される支持側コネクタと、を備え、前記ユニット側コネクタ又は支持側コネクタの少なくとも一方は、前記遊技ユニットまたは支持部材に配設される台座と、その台座に前記接続の方向と直交する方向への変位が許容された状態で保持されるコネクタと、を備え、そのコネクタの上下方向における初期位置が、前記変位が許容される範囲における上下方向中央よりも上方または下方に設定されることを特徴とする遊技機Ｂ１。
【０５１３】
遊技機Ｂ１によれば、支持部材における取付完了位置へ向けて遊技ユニットが変位されると、遊技ユニットのユニット側コネクタが支持部材の支持側コネクタに接続される一方、支持部材における取付完了位置から遊技ユニットが変位されると、遊技ユニットのユニット側コネクタと支持部材の支持側コネクタとの接続が解除される。
【０５１４】
ここで、ユニット側コネクタ又は支持側コネクタの少なくとも一方が、遊技ユニットまたは支持部材に配設される台座と、その台座に接続の方向と直交する方向への変位が許容された状態で保持されるコネクタと、を備える遊技機が知られている（特開２０１３−８１８１８号）。これによれば、支持部材における取付完了位置において、ユニット側コネクタと支持側コネクタとの間に位置ばらつきがある場合でも、コネクタが台座に対して接続の方向と直行する方向へ変位されることで、位置ばらつきを吸収することができ、その結果、支持部材における取付完了地位において、ユニット側コネクタと支持側コネクタとの接続を可能とすることができる。この場合、遊技ユニットには、異なる形態の電気部品を複数搭載するため、均等に配置することが困難であり、遊技ユニットの重心は、その遊技ユニットの前面側または背面側に偏って位置する傾向がある。そのため、支持部材における取付完了位置へ向けて遊技ユニットを変位させる際には、かかる遊技ユニットが前面側または背面側（即ち、重心が位置する側）へ傾斜した姿勢となりやすい。このように遊技ユニットが前面側または背面側へ傾斜した姿勢になると、その姿勢に対応して、ユニット側コネクタが上昇傾斜または下降傾斜されるため、ユニット側コネクタと支持側コネクタとを接続させる際の作業性が悪いという問題点があった。
【０５１５】
これに対し、遊技機Ｂ１によれば、支持部材における取付完了位置へ向けて遊技ユニットを変位させる際に、その遊技ユニットが前面側または背面側へ傾斜した姿勢となり、ユニット側コネクタが上昇傾斜または下降傾斜される場合でも、コネクタの上下方向における初期位置が、変位が許容される範囲における上下方向中央よりも上方または下方に設定されるので、その分、両コネクタの接続先端における上下方向位置を同じ位置としやすくできる。その結果、ユニット側コネクタと支持側コネクタとを接続させる際の作業性の向上を図ることができる。
【０５１６】
遊技機Ｂ１において、前記コネクタから延設される電気的接続線を備え、その電気的接続線の姿勢保持力がコネクタに作用されることで、前記コネクタの上下方向における初期位置が、前記変位が許容される範囲における上下方向中央よりも上方または下方に設定されることを特徴とする遊技機Ｂ２。
【０５１７】
遊技機Ｂ２によれば、遊技機Ｂ１の奏する効果に加え、電気的接続線の姿勢保持力がコネクタに作用されることで、コネクタの上下方向における初期位置が上方または下方に設定されるので、部品点数を低減して、その分、製品コストの削減を図ることができる。即ち、弾性変形可能な弾性片を台座またはコネクタの一方に設け、その弾性片によりコネクタの初期位置を設定することも可能であるが、この場合には、弾性片を別途設ける必要があり、部品点数が増加する。これに対し、遊技機Ｂ２では、電気的接続線の姿勢保持力を利用してコネクタを初期位置に保持する構成なので、既存の部品を流用することができ、別途部品を設ける必要がない。また、支持側コネクタ及びユニット側コネクタの接続の動作において、コネクタが台座に対して変位される場合には、その変位を電気的接続線の姿勢変化で許容することができる。
【０５１８】
なお、電気的接続線の姿勢保持力とは、電気的接続線が所定の姿勢（初期姿勢）を維持しようとする力（所定の姿勢に復帰しようとする力）を意味する。例えば、電気的接続線が所定の姿勢（初期姿勢）から変形された姿勢で配置されると、電気的接続線が所定の姿勢（初期姿勢）に復帰しようとする力（姿勢保持力）が発生し、その力（姿勢保持力）がコネクタに作用される。また、電気的接続線としては、例えば、信号線や電力供給線などが例示される。電気的接続線は、信号線または電力供給線の一方のみから形成されても良く、或いは、両方を含んで形成されても良い。
【０５１９】
遊技機Ｂ２において、前記台座は、前記電気的接続線に当接する当接部を備えることを特徴とする遊技機Ｂ３。
【０５２０】
遊技機Ｂ３によれば、遊技機Ｂ２の奏する効果に加え、電気的接続線に当接する当接部を台座が備えるので、コネクタにより近い位置で電気的接続線に当接部を当接させることができる。これにより、電気的接続線の姿勢保持力をコネクタに効果的に作用させることが可能な姿勢に電気的接続線を変形させることができ、その結果、コネクタの初期位置を適正な位置に保持しやすくできる。また、コネクタに近い位置となる当接部は、電気的接続線に当接する構成であり、かかる電気的接続線の変形を許容するので、台座に対してコネクタが変位される際に、その変位が阻害されることを抑制できる。
【０５２１】
遊技機Ｂ２又はＢ３において、前記遊技ユニットまたは支持部材は、前記電気的接続線を保持する保持部を備えることを特徴とする遊技機Ｂ４。
【０５２２】
遊技機Ｂ４によれば、遊技機Ｂ２又はＢ３の奏する効果に加え、電気的接続線を保持する保持部を遊技ユニットまたは支持部材が備えるので、かかる保持部により電気的接続線を拘束することで、コネクタまでの電気的接続線の長さを一定に保つことができる。その結果、電気的接続線の姿勢を安定させることができるので、コネクタの初期位置を適正な位置に保持しやすくできる。
【０５２３】
遊技機Ｂ１からＢ４のいずれかにおいて、前記支持部材は、前記遊技ユニットの底面が載置可能に形成されると共に前記遊技ユニットを前記支持部材における取付完了位置へ向けて案内する案内面部材を備えることを特徴とする遊技機Ｂ５。
【０５２４】
遊技機Ｂ５によれば、遊技機Ｂ１からＢ４のいずれかの奏する効果に加え、支持部材は、遊技ユニットの底面が載置可能に形成されると共に遊技ユニットを支持部材における取付完了位置へ向けて案内する案内面部材を備えるので、遊技ユニットを案内面部材に載置した上でその案内面部材に沿ってスライド移動させることができる。これにより、比較的重量の嵩む遊技ユニットを前記支持部材における取付完了位置へ向けて正確に変位させやすくなるので、ユニット側コネクタと支持側コネクタとの接続を開始する際に、これら両コネクタどうしが衝突して破損することを抑制することができる。また、ユニット側コネクタと支持側コネクタとの接続動作中およびその接続の解除動作中には、遊技ユニットを支持部材に対して一定の姿勢で変位させやすくすることができるので、ユニット側コネクタと支持側コネクタとの間に無理な力が作用して破損することを抑制できる。
【０５２５】
遊技機Ｂ５において、前記支持部材の案内面部材に前記遊技ユニットの底面が載置され、且つ、前記支持側コネクタ及びユニット側コネクタの接続が解除された状態を形成可能とされることを特徴とする遊技機Ｂ６。
【０５２６】
遊技機Ｂ６によれば、遊技機Ｂ５の奏する効果に加え、支持部材の案内面部材に遊技ユニットの底面が載置され、且つ、支持側コネクタ及びユニット側コネクタの接続が解除された状態を形成可能とされるので、先に遊技ユニットを支持部材の案内面部材に載置し、その後、遊技ユニットを案内面部材に沿ってスライド移動させて、支持側コネクタ及びユニット側コネクタの接続を行うことができると共に、支持側コネクタ及びユニット側コネクタの接続を解除した際には遊技ユニットを案内面部材に載置された状態とすることができる。その結果、比較的重い遊技ユニットの支持部材への取り付け及び取り外しと、支持側コネクタ及びユニット側コネクタの接続および解除との作業性の向上を図ることができる。
【０５２７】
電気部品が搭載される遊技ユニットと、その遊技ユニットを支持する支持部材とを備える遊技機において、前記遊技ユニットの前記支持部材に対面する側に配設されるユニット側コネクタと、前記支持部材の前記遊技ユニットに対面する側に配設され、前記支持部材における取付完了位置へ向けて前記遊技ユニットが変位されることで前記ユニット側コネクタと接続されると共に、前記支持部材における取付完了位置から前記遊技ユニットが変位されることで前記ユニット側コネクタとの接続が解除される支持側コネクタと、を備え、前記ユニット側コネクタ又は支持側コネクタの少なくとも一方は、前記遊技ユニットまたは支持部材に配設される台座と、その台座に前記接続の方向と直交する方向への変位が許容された状態で保持されるコネクタと、を備え、前記台座は、開口を有する正面壁を備え、前記コネクタは、前記正面壁の開口に挿通可能に形成される本体部と、その本体部から張り出す第１壁部と、その第１壁部から前記接続の方向に離間して位置すると共に前記本体部から張り出す第２壁部と、を備え、前記台座の正面壁の正面または背面から前記コネクタの本体部および第１壁部が前記正面壁の開口に挿通された後、前記台座に対して前記コネクタが前記接続の方向と直交する方向へ変位されることで組み立てられ、前記正面壁の正面に前記第１壁部または第２壁部の一方が配設されると共に、前記正面壁の背面に前記第１壁部または第２壁部の他方が配設されることを特徴とする遊技機Ｃ１。
【０５２８】
遊技機Ｃ１によれば、支持部材における取付完了位置へ向けて遊技ユニットが変位されると、遊技ユニットのユニット側コネクタが支持部材の支持側コネクタに接続される一方、支持部材における取付完了位置から遊技ユニットが変位されると、遊技ユニットのユニット側コネクタと支持部材の支持側コネクタとの接続が解除される。
【０５２９】
ここで、ユニット側コネクタ又は支持側コネクタの少なくとも一方が、遊技ユニットまたは支持部材に配設される台座と、その台座に接続の方向と直交する方向への変位が許容された状態で保持されるコネクタと、を備える遊技機が知られている（特開２０１３−８１８１８号）。これによれば、支持部材における取付完了位置において、ユニット側コネクタと支持側コネクタとの間に位置ばらつきがある場合でも、コネクタが台座に対して接続の方向と直行する方向へ変位されることで、位置ばらつきを吸収することができ、その結果、支持部材における取付完了地位において、ユニット側コネクタと支持側コネクタとの接続を可能とすることができる。しかしながら、上述した従来の遊技機のように、台座に対してコネクタが接続の方向と直交する方向への変位が許容された状態とするためには、構造が複雑化して、組み立てコストが嵩むという問題点があった。
【０５３０】
これに対し、遊技機Ｃ１によれば、コネクタは、正面壁の開口に挿通可能に形成される本体部から第１壁部および第２壁部を張り出させるので、台座の正面壁の正面または背面からコネクタの本体部および第１壁部を前記正面壁の開口に挿通した後、台座に対してコネクタを接続の方向と直交する方向へ変位させることで、台座およびコネクタの組み立てを完了することができ、その分、組み立てコストの削減を図ることができる。
【０５３１】
この場合、台座の正面壁の正面および背面にはコネクタ（本体部）の第１壁部または第２壁部の一方および他方が配設されるので、支持部材における取付完了位置へ向けて又は取付完了位置から遊技ユニットを変位させる際には、台座の正面または背面と第１壁部または第２壁部の一方または背面との当接により台座に対するコネクタ（本体部）の接続の方向または解除の方向への変位を規制できるので、ユニット側コネクタ及び支持側コネクタの接続およびその解除を確実に行うことができる。
【０５３２】
遊技機Ｃ１において、前記台座またはコネクタの一方に形成されると共に、前記台座に対して前記コネクタが前記接続の方向と直交する方向であって第１の方向へ変位される場合に前記台座またはコネクタの他方に当接して弾性変形される弾性片を備え、
前記台座およびコネクタを組み立てる際に、前記台座に対して前記コネクタを前記接続の方向と直交する方向へ変位させる方向が前記第１の方向と反対方向となる第２の方向とされることを特徴とする遊技機Ｃ２。
【０５３３】
遊技機Ｃ２によれば、遊技機Ｃ１の奏する効果に加え、台座に対してコネクタが接続の方向と直行する方向であって第１の方向へ変位される場合に台座またはコネクタの他方に当接して弾性変形される弾性片を備えるので、ユニット側コネクタと支持側コネクタとの接続開始時に、これら両コネクタどうしが衝突して破損することを抑制することができる。
【０５３４】
即ち、台座に対するコネクタの変位が許容されると、台座に対するコネクタの配設位置が不安定となり、ユニット側コネクタと支持側コネクタとの接続を開始する際に、これら両コネクタどうしが衝突して破損するおそれがあるという問題点があった。
【０５３５】
これに対し、遊技機Ｃ２によれば、台座に対するコネクタの配設位置を弾性片により所定位置（初期位置）に位置決めできるので、ユニット側コネクタと支持側コネクタとの接続を開始する際に、台座に対してコネクタの配設位置が不用意に変化することを抑制できる。その結果、台座に対するコネクタの配設位置を安定させ、ユニット側コネクタと支持側コネクタとの接続開始時に、これら両コネクタどうしが衝突して破損することを抑制することができる。
【０５３６】
この場合、台座およびコネクタを組み立てる際に、台座に対してコネクタを接続の方向と直交する方向へ変位させる方向が第１の方向と反対方向となる第２の方向とされるので、台座に対してコネクタ（本体部）が組み立て時の方向と反対の方向となる第１の方向へ変位される場合には、弾性片を弾性変形させ、かかる弾性片の弾性回復力を、コネクタ（本体部）を第１の方向と反対方向となる第２の方向へ押し戻す反発力としてコネクタ（本体部）へ作用させることができる。これにより、台座の正面壁における開口からコネクタ（本体部）が脱落することを抑制できる。
【０５３７】
即ち、遊技機Ｃ２によれば、ユニット側コネクタと支持側コネクタとの接続開始時における衝突を抑制するための手段と、台座からコネクタが脱落することを抑制するための手段との両者を弾性片に兼用させることができる。
【０５３８】
遊技機Ｃ１又はＣ２において、前記コネクタは、先端に係合部を有し弾性変形可能に形成される弾性係合片を備え、台座およびコネクタを組み立てるために、前記台座の正面壁の正面または背面から前記コネクタの本体部および第１壁部が前記正面壁の開口に挿通され、前記台座に対して前記コネクタが前記接続の方向と直交する方向へ変位される際には、前記弾性係合片の係合部が前記正面壁の正面または背面に押圧され前記弾性係合片が弾性変形されると共に、前記台座に対して所定位置まで前記コネクタが前記接続の方向と直交する方向へ変位されることで、前記弾性係合片が弾性回復され、前記弾性係合片の係合部が前記正面壁の開口の内縁に係止可能とされることを特徴とする遊技機Ｃ３。
【０５３９】
遊技機Ｃ３によれば、遊技機Ｃ１又はＣ２の奏する効果に加え、前記台座およびコネクタを組み立てるために、台座の正面壁の正面または背面からコネクタの本体部および第１壁部が正面壁の開口に挿通され、台座に対してコネクタが接続の方向と直交する方向へ変位される際には、弾性係合片の係合部が正面壁の正面または背面に押圧され弾性係合片が弾性変形されると共に、台座に対する所定位置までコネクタが接続の方向と直交する方向へ変位されることで、弾性係合片が弾性回復され、弾性係合片の係合部が正面壁の開口の内縁に係止可能とされるので、弾性係合片に対する操作を別途行う必要がなく、台座に対してコネクタ（本体部）を変位させるのみで、弾性係合片の係合部が正面壁の開口の内縁に係止させ、抜け止めとすることができる。これにより、台座およびコネクタの構造および組み立ての工程の簡素化を図りつつ、台座の正面壁における開口からコネクタ（本体部）が脱落することを確実に抑制できる。
【０５４０】
遊技機Ｃ３において、前記台座またはコネクタの一方に形成されると共に、前記台座に対して前記コネクタが前記接続の方向と直交する方向であって第１の方向へ変位される場合に前記台座またはコネクタの他方に当接して弾性変形される弾性片を備え、前記台座およびコネクタを組み立てる際に、前記台座に対して前記コネクタを前記接続の方向と直交する方向へ変位させる方向が前記第１の方向と反対方向となる第２の方向とされることを特徴とする遊技機Ｃ４。
【０５４１】
遊技機Ｃ４によれば、遊技機Ｃ３の奏する効果に加え、台座に対してコネクタが第１の方向へ変位される場合に台座またはコネクタの他方に当接して弾性変形される弾性片を備え、台座およびコネクタを組み立てるために、台座に対してコネクタを変位させる方向が第１の方向と反対方向となる第２の方向とされるので、弾性係合片の係合部による抜け止め効果を、弾性片の弾性力を利用して、確実に維持することができる。
【０５４２】
即ち、台座に対してコネクタ（本体部）が組み立て時の方向と反対の方向となる第１の方向へ変位されると、弾性係合片の係合部が正面壁の開口の内縁に係止され、抜け止めとして機能することで、台座の正面壁における開口からコネクタ（本体部）が脱落することを抑制するところ、コネクタ（本体部）へ第１の方向へ大きな荷重が作用されると、その荷重が弾性係合片に作用され、かかる弾性係合片が弾性変形されることで、弾性係合片の係合部と正面壁の開口の内縁との係止が解除される恐れがある。
【０５４３】
これに対し、遊技機Ｃ４によれば、台座に対してコネクタ（本体部）が組み立て時の方向と反対の方向となる第１の方向へ変位される場合には、弾性片を弾性変形させることができるので、かかる弾性片の弾性回復力を、コネクタ（本体部）を第１の方向と反対方向となる第２の方向へ押し戻す反発力としてコネクタ（本体部）へ作用させることができる。これにより、弾性係合片に作用される第１の方向への荷重を軽減して、かかる弾性係合片が弾性変形されることを抑制できるので、その分、弾性係合片の係合部と正面壁の開口の内縁との係止が解除され難くすることができる。その結果、弾性片の弾性力を利用できる分、弾性係合片の係合部による抜け止め効果を高めることができる。
【０５４４】
なお、台座に対するコネクタの変位が許容されると、台座に対するコネクタの配設位置が不安定となり、ユニット側コネクタと支持側コネクタとの接続を開始する際に、これら両コネクタどうしが衝突して破損するおそれがあるという問題点があった。
【０５４５】
これに対し、遊技機Ｃ４によれば、台座に対するコネクタの配設位置を弾性片により所定位置（初期位置）に位置決めできるので、ユニット側コネクタと支持側コネクタとの接続を開始する際に、台座に対してコネクタの配設位置が不用意に変化することを抑制できる。その結果、台座に対するコネクタの配設位置を安定させ、ユニット側コネクタと支持側コネクタとの接続開始時に、これら両コネクタどうしが衝突して破損することを抑制することができる。
【０５４６】
遊技機Ｃ２において、前記弾性片は、その延設先端に形成され前記接続の方向または解除の方向への前記コネクタの変位を規制する規制部を備えることを特徴とする遊技機Ｃ５。
【０５４７】
遊技機Ｃ５によれば、遊技機Ｃ２の奏する効果に加え、弾性片は、その延設先端に形成され、接続の方向または解除の方向へのコネクタの変位を規制する規制部を備えるので、支持側コネクタ及びユニット側コネクタを接続する際またはその接続を解除する際にコネクタを解除側規制部により保持して、両コネクタの接続および接続の解除を確実に実行することができる。
【０５４８】
一方で、弾性片は、比較的大きく弾性変形が可能なので、台座およびコネクタを組み立てる組み立て工程においては、弾性片を弾性変形させ規制部を退避させておくことで、台座およびコネクタの組み立て作業が規制部に阻害されることを抑制できる。その結果、弾性片の延設先端に規制部が形成されている場合であっても、台座およびコネクタを組み立てる際の作業性の向上を図ることができる。
【０５４９】
特に、遊技機Ｃ５によれば、台座の正面壁の正面または背面からコネクタの本体部および第１壁部を前記正面壁の開口に挿通し、台座に対してコネクタを接続の方向と直交する方向へ変位させることで、台座およびコネクタを組み立てる構造であるが故に、第１壁部または第２壁部とそれらに当接して接続の方向または解除の方向への変位を規制するための正面壁（即ち、開口が非形成とされる部位）との両者の面積を十分に確保することが困難である。この場合、弾性片の先端を利用して規制部が形成されることで、その分、上記変位を規制するための面積を拡大することができ、その結果、支持側コネクタ及びユニット側コネクタを接続する際またはその接続を解除する際にコネクタを確実に保持して、両コネクタの接続および接続の解除の信頼性を高めることができる。
【０５５０】
遊技機Ｃ３又はＣ４において、前記弾性係合片は、その基部が前記第１壁部または第２壁部に接続されると共に、前記台座およびコネクタを組み立てる際に前記台座に対して前記コネクタを前記接続の方向と直交する方向へ変位させる方向と平行に延設されることを特徴とする遊技機Ｃ６。
【０５５１】
遊技機Ｃ６によれば、遊技機Ｃ３又はＣ４の奏する効果に加え、弾性係合片は、その基部が第１壁部または第２壁部に接続されると共に、台座およびコネクタを組み立てる際に台座に対してコネクタを接続の方向と直交する方向へ変位させる方向と平行に延設されるので、弾性係合片の延設長さを効率的に確保することができる。その結果、台座およびコネクタの大型化を抑制しつつ、弾性係合片の変形性の向上に伴い、台座およびコネクタの組み立て作業性の向上を図ることができる。
【０５５２】
電気部品が搭載される遊技ユニットと、その遊技ユニットを支持する支持部材とを備える遊技機において、前記遊技ユニットの前記支持部材に対面する側に配設されるユニット側コネクタと、前記支持部材の前記遊技ユニットに対面する側に配設され、前記支持部材における取付完了位置へ向けて前記遊技ユニットが変位されることで前記ユニット側コネクタと接続されると共に、前記支持部材における取付完了位置から前記遊技ユニットが変位されることで前記ユニット側コネクタとの接続が解除される支持側コネクタと、を備え、前記ユニット側コネクタおよび支持側コネクタは、それらユニット側コネクタ及び支持側コネクタのそれぞれに配設される一対一組の接点を複数組備え、前記支持部材における取付完了位置から前記遊技ユニットが変位され、前記ユニット側コネクタ及び支持側コネクタの接続が解除される際には、前記複数組の接点のうちの少なくとも一の組における接続の解除が、他の組における接続の解除よりも後に行われることを特徴とする遊技機Ｄ１。
【０５５３】
ここで、支持部材における取付完了位置へ向けて遊技ユニットが変位されることで、遊技ユニットのユニット側コネクタと支持部材の支持側コネクタとが接続される一方、支持部材における取付完了位置から遊技ユニットが変位されることで、遊技ユニットのユニット側コネクタと支持部材の支持側コネクタとの接続が解除される遊技機が知られている（特開２０１３−８１８１８号）。また、支持部材の前面には、前面側部材（前面枠）が配設されており、前面側部材は、幅方向一方の側縁が支持部材の幅方向一方の側縁に回転可能に軸支され、その軸支部分を中心に回転されることで、支持部材に対して開閉可能とされる。この場合、上述した遊技機では、例えば、遊技中に前面側部材を開いて作業を行おうとした際に、遊技ユニットが取付完了位置から不用意に変位されると、ユニット側コネクタ及び支持側コネクタの接続が解除され、遊技に影響を与えるおそれがあるという問題点があった。
【０５５４】
これに対し、遊技機Ｄ１によれば、支持部材における取付完了位置から遊技ユニットが変位され、ユニット側コネクタ及び支持側コネクタの接続が解除される際には、複数組の接点のうちの少なくとも一の組における接続の解除を、他の組における接続の解除よりも後とできる。よって、遊技ユニットが取付完了位置から不用意に変位され、ユニット側コネクタ及び支持側コネクタの接続が少し解除されてしまったとしても、一の組における接続を維持できる可能性を確保できる。その結果、複数組の接点のうちの少なくとも一の組における接続を維持できることで、その分、遊技への影響を抑制できる。
【０５５５】
遊技機Ｄ１において、前記一の組における一対の接点のうちの一方の接点の一端は、前記他の組における一対の接点のうちの一方の接点の一端よりも接続方向先端側に位置されることを特徴とする遊技機Ｄ２。
【０５５６】
遊技機Ｄ２によれば、遊技機Ｄ１の奏する効果に加え、一の組における一対の接点のうちの一方の接点の一端は、他の組における一対の接点のうちの一方の接点の一端よりも接続方向先端側に位置されるので、遊技ユニットが取付完了位置から変位される際に、一の組における接点の接続が解除されるタイミングを、他の組における接点のタイミングよりも遅らせることができる。この場合、遊技機Ｄ２によれば、一の組における接点の延設長さを他の組における接点の延設長さよりも長くするか、一の組における接点を他の組における接点よりも接続方向先端側に配設すれば良く、複雑な構造を採用する必要がない。よって、構造の簡素化を図ることができる。
【０５５７】
遊技機Ｄ２において、前記ユニット側コネクタ又は支持側コネクタの一方は、直線状に延設されるガイド溝を備えると共に、前記ユニット側コネクタ又は支持側コネクタの他方は、前記ガイド溝に沿って案内される被ガイド部を備え、前記複数組の接点は、前記ガイド溝の延設方向に沿って延設されることを特徴とする遊技機Ｄ３。
【０５５８】
遊技機Ｄ３によれば、遊技機Ｄ２の奏する効果に加え、ガイド溝が直線状に延設され、そのガイド溝の延設方向に沿って被ガイド部が案内されることで、ユニット側コネクタ及び支持側コネクタの解除が進行されるところ、複数組の接点は、ガイド溝の延設方向に沿って延設されるので、遊技ユニットが取付完了位置から変位される際に、一の組における接点を接続された状態に維持しやすくでき、その結果、かかる一の組における接点の接続が解除されるタイミングを、他の組における接点のタイミングよりも確実に遅らせることができる。
【０５５９】
遊技機Ｄ１からＤ３のいずれかにおいて、前記支持部材の前面に配設されると共に幅方向一方の側縁が前記支持部材の幅方向一方の側縁に回転可能に軸支され前記幅方向一方の側縁を中心に回転されることで前記支持部材に対して開閉される前面側部材を備え、前記一の組における接点が少なくとも前記複数組の接点の列設方向中央よりも前記支持部材の幅方向一方の側縁から遠い側に配設されることを特徴とする遊技機Ｄ４。
【０５６０】
遊技機Ｄ４によれば、遊技機Ｄ１からＤ３のいずれかの奏する効果に加え、遊技ユニットが取付完了位置から変位される際に、複数組の接点のうちで先に接続が解除されやすい位置に配置される組（一の組）の接続が解除されるタイミングを極力遅らせることができる。
【０５６１】
即ち、例えば、遊技中に、支持部材に対して前面側部材を隣の遊技者の邪魔とならない程度に少し開いた状態として作業を行う場合、それら前面側部材と支持部材との間の開放部分から作業を行うこととなる。そのため、開放部分から遊技ユニットも操作されることから、作業者が遊技ユニットを不用意に変位させる態様としては、開放部分側となる遊技ユニットの幅方向他方の側縁を支部部材へ向けて変位させ、開放部分の奥側となる遊技ユニットの幅方向一方の側縁（支持部材の幅方向一方の側縁側）を中心として遊技ユニットが回転動作される態様となる。
【０５６２】
このように遊技ユニットが回転動作される態様では、複数組の接点は、遊技ユニットの回転先端側（支持部材の幅方向一方の側縁から遠い側）に配置されるものほど先に接続が解除されやすくなるところ、かかる先に接続が解除されやすい位置には一の組が配置されるので、遊技ユニットが取付完了位置から不用意に少し変位されとしても、先に接続が解除されやすい位置に配置される組（一の組）における接続が解除されるタイミングを遅らせることができ、その結果、一の組における接続を維持できる可能性を確保できる。
【０５６３】
遊技機Ｄ１からＤ３のいずれかにおいて、前記支持部材の前面に配設されると共に幅方向一方の側縁が前記支持部材の幅方向一方の側縁に回転可能に軸支され前記幅方向一方の側縁を中心に回転されることで前記支持部材に対して開閉される前面側部材を備え、前記一の組における接点が少なくとも前記複数組の接点の列設方向中央よりも前記支持部材の幅方向一方の側縁に近い側に配設されることを特徴とする遊技機Ｄ５。
【０５６４】
遊技機Ｄ５によれば、遊技機Ｄ１からＤ３のいずれかの奏する効果に加え、遊技ユニットが取付完了位置から変位される際に、複数組の接点のうちで接続の解除が最後となりやすい位置に配置される組（一の組）の接続が解除されるタイミングを更に遅らせることができるので、かかる一の組の接続が不用意に解除されることを更に発生し難くできる。よって、不用意に解除されることで遊技への影響が大きな重要な信号線に対して本構成が特に有効となる。
【０５６５】
即ち、例えば、遊技中に、支持部材に対して前面側部材を遊技中に隣の遊技者の邪魔とならない程度に少し開いた状態で作業を行う場合、それら前面側部材と支持部材との間の開放部分から作業を行うこととなる。そのため、開放部分から遊技ユニットも操作されることから、作業者が遊技ユニットを不用意に変位させる態様としては、開放部分側となる遊技ユニットの幅方向他方の側縁を支部部材へ向けて変位させ、開放部分の奥側となる遊技ユニットの幅方向一方の側縁（支持部材の幅方向一方の側縁側）を中心として遊技ユニットが回転動作される態様となる。
【０５６６】
このように遊技ユニットが回転動作される態様では、複数組の接点は、遊技ユニットの回転基端側（支持部材の幅方向一方の側縁に近い側）に配置されるものほど接続の解除が最後となりやすいところ、かかる接続の解除が最後となりやすい位置に一の組が配置されることで、かかる位置に配置される接点（一の組）の接続が解除されるタイミングを更に遅らせることができる。即ち、もともと接続が解除されるタイミングの遅い部位に対して、一の組を設定することで、かかる部位の接続が解除されるタイミングを更に遅くすることができる。
【０５６７】
これにより、遊技ユニットが取付完了位置から不用意に少し変位されとしても、かかる一の組の接続が不用意に解除されることを更に発生し難くでき、その接続を維持できる可能性を更に確保しやすくできる。よって、不用意に解除されることで遊技への影響が大きな重要な信号線に対して本構成が特に有効となる。
【０５６８】
遊技機Ｄ１からＤ５のいずれかにおいて、遊技の主たる制御を行う主制御手段と、その主制御手段からの指示に従った制御を行う副制御手段と、その副制御手段に接続される副側装置と、前記主制御装置に接続される主側装置と、を備え、前記一の組における接点により連結される電気的接続線は、前記主制御手段と副制御手段との間または前記主制御手段と主側装置との間を接続する電気的接続線であり、前記他の組における接点により連結される電気的接続線は、前記副制御手段と副側装置との間を接続する電気的接続線であることを特徴とする遊技機Ｄ６。
【０５６９】
遊技機Ｄ６によれば、遊技機Ｄ１からＤ５の奏する効果に加え、一の組における接点により連結される電気的接続線は、主制御手段と副制御手段との間または主制御手段と主側装置との間を接続する電気的接続線であり、他の組における接点により連結される電気的接続線は、副制御手段と副側装置との間を接続する電気的接続線であるので、接続が解除されると遊技への影響が比較的大きな部位となる接点（一の組）の接続が解除されるタイミングを、接続が解除されたとしても遊技への影響が比較的小さな部位となる接点（他の組）の接続が解除されるタイミングよりも遅らせることができる。これにより、遊技ユニットが取付完了位置から不用意に変位された場合の遊技への影響を抑制できる。
【０５７０】
遊技機Ｄ６において、前記副側装置が音声出力、表示手段または発光手段に関するものであることを特徴とする遊技機Ｄ７。
【０５７１】
遊技機Ｄ７によれば、遊技機Ｄ６の奏する効果に加え、遊技ユニットが取付完了位置から不用意に変位され、ユニット側コネクタ及び支持側コネクタの接続の解除が複数組の接点の一部で開始された場合に、遊技ユニットの不用意な変位を早期に停止させやすくできる。その結果、ユニット側コネクタ及び支持側コネクタの接続が完全に解除されることを回避して、遊技への影響を抑制できる。
【０５７２】
即ち、他の組における接点により連結される電気的接続線が、副制御手段と副側装置との間を接続する電気的接続線であり、その副側装置が、音声出力、表示または発光に関するものであるので、遊技中に、遊技ユニットが取付完了位置から不用意に変位され、ユニット側コネクタ及び支持側コネクタの接続の解除が一部で開始されることで、先に他の組における接点の接続が解除されると、遊技における音声出力、表示または発光が停止されるので、かかる音声出力、表示または発光が停止されることに基づいて、作業者に対して、遊技ユニットを不用意に変位させていることを気付かせることができる。これにより、遊技ユニットの不用意な変位を早期に停止させやすくでき、その結果、ユニット側コネクタ及び支持側コネクタの接続が完全に解除されることを回避して、遊技への影響を抑制できる。
【０５７３】
電気部品が搭載される遊技ユニットと、その遊技ユニットを支持する支持部材とを備える遊技機において、前記遊技ユニットの前記支持部材に対面する側に配設されるユニット側コネクタと、前記支持部材の前記遊技ユニットに対面する側に配設され、前記支持部材における取付完了位置へ向けて前記遊技ユニットが変位されることで前記ユニット側コネクタと接続されると共に、前記支持部材における取付完了位置から前記遊技ユニットが変位されることで前記ユニット側コネクタとの接続が解除される支持側コネクタと、を備え、前記ユニット側コネクタ又は支持側コネクタの少なくとも一方は、前記遊技ユニットまたは支持部材に配設される台座と、その台座に前記接続の方向と直交する方向への変位が許容された状態で保持されるコネクタと、を備え、前記コネクタは、本体部と、その本体部から張り出す壁部と、を備え、前記台座は、前記コネクタの本体部が挿通可能に形成される開口を有する正面壁と、その正面壁の開口に前記コネクタの本体部が挿通される過程において弾性変形される弾性片と、を備え、前記台座の正面壁の正面または背面から前記コネクタの本体部が前記台座の弾性片を弾性変形させつつ前記正面壁の開口に挿通されると共に、前記コネクタの本体部が所定位置に達して前記弾性片が弾性回復されることで、前記台座とコネクタとの組み立てが完了され、前記コネクタの前記挿通の方向への変位が、前記台座の正面壁に前記コネクタの壁部が当接されることで規制可能とされると共に、前記コネクタの前記挿通の方向と反対方向への変位が、前記台座の弾性片に前記コネクタの本体部または壁部が当接されることで規制可能とされることを特徴とする遊技機Ｅ１。
【０５７４】
ここで、ユニット側コネクタ又は支持側コネクタの少なくとも一方が、遊技ユニットまたは支持部材に配設される台座と、その台座に接続の方向と直交する方向への変位が許容された状態で保持されるコネクタと、を備える遊技機が知られている（特開２０１３−８１８１８号）。これによれば、支持部材における取付完了位置において、ユニット側コネクタと支持側コネクタとの間に位置ばらつきがある場合でも、コネクタが台座に対して接続の方向と直行する方向へ変位されることで、位置ばらつきを吸収することができ、その結果、支持部材における取付完了地位において、ユニット側コネクタと支持側コネクタとの接続を可能とすることができる。しかしながら、上述した従来の遊技機のように、台座に対してコネクタが接続の方向と直交する方向への変位が許容された状態とするためには、構造が複雑化して、組み立てコストが嵩むという問題点があった。
【０５７５】
これに対し、遊技機Ｅ１によれば、コネクタが、本体部と、その本体部から張り出される壁部とを備えて形成されると共に、台座が、コネクタの本体部を挿通可能な開口を有する正面壁と、その正面壁にコネクタの本体部が挿通される際に弾性変形される弾性片とを備えて形成されるので、コネクタの本体部を、台座の正面壁の正面または背面から正面壁の開口に挿通すれば、その挿通の過程において弾性片を弾性変形させることができると共に、台座に対するコネクタの挿通位置が所定位置に達すれば、弾性片が弾性回復され、台座とコネクタとの組み立てを完了することができる。即ち、台座に対してコネクタを組み付けるための動作を、コネクタを一方向へ挿通させる動作のみとすることができるので、台座とコネクタとの組み立て工程を簡素とできる。よって、その分、組み立てコストの削減を図ることができる。
【０５７６】
この場合、コネクタの挿通の方向への変位は、台座の正面壁にコネクタの壁部が当接されることで規制可能とされ、コネクタの挿通の方向と反対方向への変位は、台座の弾性片にコネクタの本体部または壁部が当接されることで規制可能とされるので、支持部材における取付完了位置へ向けて遊技ユニットを変位させる際、及び、取付完了位置から遊技ユニットを変位させる際には、台座に対するコネクタ（本体部）の接続の方向または解除の方向への変位を規制できるので、ユニット側コネクタ及び支持側コネクタの接続およびその接続の解除を確実に行うことができる。
【０５７７】
遊技機Ｅ１において、前記台座に対して前記コネクタを前記接続の方向と直交する方向に位置決めする位置決め手段を備えることを特徴とする遊技機Ｅ２。
【０５７８】
ここで、上述した遊技機（特開２０１３−８１８１８号）、即ち、ユニット側コネクタ又は支持側コネクタの少なくとも一方が、接続の方向と直交する方向への変位が許容された状態で保持される遊技機では、コネクタの配設位置が不安定となり、ユニット側コネクタと支持側コネクタとの接続を開始する際に、これら両コネクタどうしが衝突して破損するおそれがあるという問題点があった。
【０５７９】
これに対し、遊技機Ｅ２によれば、遊技機Ｅ１の奏する効果に加え、コネクタの接続の方向に直交する方向における配設位置を位置決め手段により所定位置（初期位置）に位置決めできるので、ユニット側コネクタと支持側コネクタとの接続を開始する際に、台座に対してコネクタの配設位置が不用意に変化することを抑制できる。その結果、台座に対するコネクタの配設位置を安定させ、ユニット側コネクタと支持側コネクタとの接続開始時に、これら両コネクタどうしが衝突して破損することを抑制することができる。
【０５８０】
遊技機Ｅ２において、前記台座の弾性片は、前記台座に対して前記コネクタが前記接続の方向と直交する方向へ変位される場合に前記コネクタに当接にして弾性変形可能とされることで、前記位置決め手段として形成されることを特徴とする遊技機Ｅ３。
【０５８１】
遊技機Ｅ３によれば、遊技機Ｅ２の奏する効果に加え、台座の弾性片が、台座に対してコネクタが接続の方向と直交する方向へ変位される場合にコネクタに当接にして弾性変形可能に形成されるので、台座に対するコネクタの配設位置を弾性片により所定位置（初期位置）に位置決めできる。即ち、台座に対するコネクタの接続の方向または解除の方向への変位を規制する手段と、台座に対するコネクタの接続の方向と直交する方向における配設位置を位置決めする手段（即ち、位置決め手段）との２つの手段を台座の弾性片に兼用させることができる。これにより、それぞれの手段を別々に設ける必要がないので、部品点数を低減でき、その分、部品コストや組み立て工数の削減を図ることができる。
【０５８２】
遊技機Ｅ３において、前記弾性片は、前記台座の内壁部から前記コネクタへ向けて張り出す張出部分と、その張出部分の張り出し先端から前記コネクタの前記挿通の方向に沿って延設され前記コネクタの前記接続の方向と直交する方向への変位に伴って前記台座の内壁部に近接または離間する方向へ向けて弾性変形される直線部分と、その直線部分の延設先端に形成され前記コネクタの本体部または壁部に当接されることで前記コネクタの前記挿通の方向と反対方向への変位を規制する延設部分と、を備えることを特徴とする遊技機Ｅ４。
【０５８３】
遊技機Ｅ４によれば、遊技機Ｅ３の奏する効果に加え、弾性片が、台座の内壁部からコネクタへ向けて張り出す張出部分と、その張出部分の張り出し先端からコネクタの挿通の方向に沿って延設される直線部分と、その直線部分の延設先端に形成され延設部分とからなるので、直線部分が台座の内壁部に近接または離間する方向へ向けて弾性変形することで、コネクタの接続方向と直交する方向における配設位置を位置決めすることができると共に、延設部分がコネクタの本体部または壁部に当接されることで、コネクタの挿通の方向と反対方向への変位を規制することができる。
即ち、台座に対するコネクタの接続の方向または解除の方向への変位を規制する手段と、台座に対するコネクタの接続の方向と直交する方向における配設位置を位置決めする手段（即ち、位置決め手段）との２つの手段を台座の弾性片が兼用する場合に、これら変位の規制の機能および位置決めの機能を弾性片に確実に発揮させることができる。
【０５８４】
遊技機Ｅ４において、前記弾性片は、前記張出部分の張り出し方向における長さ寸法に対して、前記直線部分の延設方向における長さ寸法が大きくされることを特徴とする遊技機Ｅ５。
【０５８５】
遊技機Ｅ５によれば、遊技機Ｅ４の奏する効果に加え、前記張出部分の張り出し方向における長さ寸法に対して、前記直線部分の延設方向における長さ寸法が大きくされるので、台座の内壁面へ近接または離間する方向には、直線部分の変形性を確保することができ、コネクタの接続の方向と直交する方向への変位を許容しやすくできる一方、直線部分の延設方向（即ち、コネクタの挿通の方向に沿う方向）には、弾性片全体としての変形を抑制することができるので、コネクタの本体部または壁部と規制部との当接が解除されることを抑制でき、その結果、コネクタの挿通の方向と反対方向への変位を延設部分により確実に規制することができる。
【０５８６】
遊技機Ｅ３からＥ５のいずれかにおいて、前記弾性片は、前記接続の方向と直交する方向のうちの第１の方向に沿って一対が配設されると共に、それら一対の弾性片の間に前記コネクタが配設されることを特徴とする遊技機Ｅ６。
【０５８７】
遊技機Ｅ６によれば、遊技機Ｅ３からＥ５のいずれかの奏する効果に加え、一対の弾性片の間にコネクタが配設されるので、台座に対するコネクタの第１の方向における配設位置を一対の弾性片により両方向から所定位置（初期位置）に位置決めでき、台座に対してコネクタの配設位置が変化することを第１の方向における両方向で抑制できる。その結果、台座に対するコネクタの配設位置が更に安定するので、ユニット側コネクタと支持側コネクタとの接続を開始する際に、これら両コネクタどうしが衝突して破損することをより確実に抑制することができる。
【０５８８】
また、台座に対するコネクタの挿通の方向と反対方向への変位を一対の弾性片によりコネクタの両側２か所で規制できるので、かかるコネクタの挿通の方向と反対方向への変位を確実に規制できる。即ち、支持部材における取付完了位置へ向けて遊技ユニットを変位させる際、又は、取付完了位置から遊技ユニットを変位させる際には、台座に対するコネクタ（本体部）の接続の方向または解除の方向への変位をコネクタの両側の２か所で規制できるので、ユニット側コネクタ及び支持側コネクタの接続またはその接続の解除を確実に行うことができる。
【０５８９】
遊技機Ｅ１からＥ６のいずれかにおいて、前記弾性片は、前記コネクタの挿通の方向に沿って傾斜する傾斜面を備え、その傾斜面に前記コネクタが当接されることで、前記正面壁の開口に前記コネクタの本体部が挿通される過程において前記弾性片が弾性変形されることを特徴とする遊技機Ｅ７。
【０５９０】
遊技機Ｅ７によれば、遊技機Ｅ１からＥ６の奏する効果に加え、弾性片が、コネクタの挿通の方向に沿って傾斜する傾斜面を備え、その傾斜面にコネクタが当接されることで、正面壁の開口にコネクタの本体部が挿通される過程において弾性片が弾性変形されるので、かかる弾性片を弾性変形させるための動作を別途行う必要がなく、台座の開口へコネクタを挿通させる動作に伴って、弾性片を弾性変形させることができる。よって、台座に対してコネクタを組み付ける（開口へ挿通させる）動作と同時に弾性片を弾性変形させることができるので、台座とコネクタとの組み立てるために必要な工程を、台座に対してコネクタを一方向へ挿通させる動作のみとすることができる。これにより、台座とコネクタとの組み立て工程を簡素として、その分、組み立てコストの削減を図ることができる。
【０５９１】
電気部品が搭載される遊技ユニットと、その遊技ユニットを支持する支持部材とを備える遊技機において、前記遊技ユニットの前記支持部材に対面する側に配設されるユニット側コネクタと、前記支持部材の前記遊技ユニットに対面する側に配設され、前記支持部材における取付完了位置へ向けて前記遊技ユニットが変位されることで前記ユニット側コネクタと接続されると共に、前記支持部材における取付完了位置から前記遊技ユニットが変位されることで前記ユニット側コネクタとの接続が解除される支持側コネクタと、を備え、前記ユニット側コネクタ又は支持側コネクタの少なくとも一方は、前記遊技ユニットまたは支持部材に配設される台座と、その台座に前記接続の方向と直交する方向への変位が許容された状態で保持されるコネクタと、前記台座に対して前記コネクタが前記接続時に前記接続の方向に沿って変位することを規制する接続側規制手段と、前記台座に対して前記コネクタが前記接続の解除時に前記接続の方向に沿って変位することを規制する解除側規制手段と、を備え、前記接続側規制手段による規制位置と前記解除側規制手段による規制位置との間に所定の隙間が形成されていることを特徴とする遊技機Ｆ１。
【０５９２】
ここで、支持部材における取付完了位置へ向けて遊技ユニットが変位されることで、遊技ユニットのユニット側コネクタと支持部材の支持側コネクタとが接続される一方、支持部材における取付完了位置から遊技ユニットが変位されることで、遊技ユニットのユニット側コネクタと支持部材の支持側コネクタとの接続が解除される遊技機が知られている（特開２０１３−８１８１８号）。また、支持部材の前面には、前面側部材（前面枠）が配設されており、前面側部材は、幅方向一方の側縁が支持部材の幅方向一方の側縁に回転可能に軸支され、その軸支部分を中心に回転されることで、支持部材に対して開閉可能とされる。この場合、上述した遊技機では、例えば、遊技中に前面側部材を開いて作業を行おうとした際に、遊技ユニットが取付完了位置から不用意に変位されると、ユニット側コネクタ及び支持側コネクタの接続が解除され、遊技に影響を与えるおそれがあるという問題点があった。
【０５９３】
これに対し、遊技機Ｆ１によれば、接続側規制手段による規制位置と解除側規制手段による規制位置との間に所定の隙間が形成されているので、支持部材における取付完了位置から遊技ユニットが不用意に変位されたとしても、その変位が両規制手段による規制位置の間の隙間に相当する距離に達するまでの間（即ち、隙間が詰まるまでの間）は、ユニット側コネクタ及び支持側コネクタの接続の解除が開始されることを抑制できる。その結果、複数組の接点における接続を維持して、遊技への影響を抑制できる。
【０５９４】
遊技機Ｆ１において、前記ユニット側コネクタおよび支持側コネクタは、それらユニット側コネクタ及び支持側コネクタのそれぞれに配設される一対一組の接点を複数組備え、前記接続側規制手段による規制位置と前記解除側規制手段による規制位置との間に形成される所定の隙間は、前記複数組の接点の列設方向一側における隙間が、前記複数組の接点の列設方向他側における隙間よりも大きくされることを特徴とする遊技機Ｆ２。
【０５９５】
遊技機Ｆ２によれば、遊技機Ｆ１の奏する効果に加え、接続側規制手段による規制位置と解除側規制手段による規制位置との間に形成される所定の隙間は、複数組の接点の列設方向一側における隙間が、複数組の接点の列設方向他側における隙間よりも大きくされるので、支持部材における取付完了位置から遊技ユニットが変位された際には、複数組の接点の列設方向一側に配設される接点における接続の解除を、複数組の接点の列設方向他側に配設される接点における接続の解除よりも後とできる。よって、遊技ユニットが取付完了位置から不用意に変位され、ユニット側コネクタ及び支持側コネクタの接続が少し解除されてしまったとしても、複数組の接点の列設方向一側に配設される接点における接続を維持できる可能性を確保できる。その結果、複数組の接点のうちの少なくとも複数組の接点の列設方向一側に配設される接点における接続を維持できることで、その分、遊技への影響を抑制できる。
【０５９６】
遊技機Ｆ１又はＦ２において、前記支持部材の前面に配設されると共に幅方向一方の側縁が前記支持部材の幅方向一方の側縁に回転可能に軸支され前記幅方向一方の側縁を中心に回転されることで前記支持部材に対して開閉される前面側部材を備え、前記複数組の接点の列設方向が前記支持部材の幅方向に沿って配設されると共に、前記接続側規制手段による規制位置と前記解除側規制手段による規制位置との間に形成される所定の隙間は、前記支持部材の幅方向一方の側縁から遠い側における隙間が、前記支持部材の幅方向一方の側縁に近い側における隙間よりも大きくされることを特徴とする遊技機Ｆ３。
【０５９７】
遊技機Ｆ３によれば、遊技機Ｆ１又はＦ２の奏する効果に加え、遊技ユニットが取付完了位置から変位される際に、複数組の接点のうちで先に接続が解除されやすい位置（支持部材の幅方向一方の側縁から遠い側）に配置される接点の接続が解除されるタイミングを極力遅らせることができる。
【０５９８】
即ち、例えば、遊技中に、支持部材に対して前面側部材を遊技中に隣の遊技者の邪魔とならない程度に少し開いた状態で作業を行う場合、それら前面側部材と支持部材との間の開放部分から作業を行うこととなる。そのため、開放部分から遊技ユニットも操作されることから、作業者が遊技ユニットを不用意に変位させる態様としては、開放部分側となる遊技ユニットの幅方向他方の側縁を支部部材へ向けて変位させ、開放部分の奥側となる遊技ユニットの幅方向一方の側縁（支持部材の幅方向一方の側縁に近い側）を中心として遊技ユニットが回転動作される態様となる。
【０５９９】
このように遊技ユニットが回転動作される態様では、複数組の接点は、遊技ユニットの回転先端側（支持部材の幅方向一方の側縁から遠い側）に配置されるものほど先に接続が解除されやすくなるところ、かかる先に接続が解除されやすい側は、接続側規制手段による規制位置と解除側規制手段による規制位置との間に形成される所定の隙間が大きくされるので、遊技ユニットが取付完了位置から不用意に少し変位されとしても、先に接続が解除されやすい側における接続が解除されるタイミングを遅らせることができ、その結果、接続を維持できる可能性を確保できる。
【０６００】
遊技機Ｆ１又はＦ２において、前記支持部材の前面に配設されると共に幅方向一方の側縁が前記支持部材の幅方向一方の側縁に回転可能に軸支され前記幅方向一方の側縁を中心に回転されることで前記支持部材に対して開閉される前面側部材を備え、前記複数組の接点の列設方向が前記支持部材の幅方向に沿って配設されると共に、前記接続側規制手段による規制位置と前記解除側規制手段による規制位置との間に形成される所定の隙間は、前記支持部材の幅方向一方の側縁に近い側における隙間が、前記支持部材の幅方向一方の側縁から遠い側における隙間よりも大きくされることを特徴とする遊技機Ｆ４。
【０６０１】
遊技機Ｆ４によれば、遊技機Ｆ１又はＦ２の奏する効果に加え、遊技ユニットが取付完了位置から変位される際に、複数組の接点のうちで接続の解除が最後となりやすい位置（支持部材の幅方向一方の側縁に近い側）に配置される接点の接続が解除されるタイミングを更に遅らせることができるので、かかる接点の接続が不用意に解除されることを更に発生し難くできる。よって、不用意に解除されることで遊技への影響が大きな重要な信号線に対して本構成が特に有効となる。
【０６０２】
即ち、例えば、遊技中に、支持部材に対して前面側部材を遊技中に隣の遊技者の邪魔とならない程度に少し開いた状態で作業を行う場合、それら前面側部材と支持部材との間の開放部分から作業を行うこととなる。そのため、開放部分から遊技ユニットも操作されることから、作業者が遊技ユニットを不用意に変位させる態様としては、開放部分側となる遊技ユニットの幅方向他方の側縁を支部部材へ向けて変位させ、開放部分の奥側となる遊技ユニットの幅方向一方の側縁（支持部材の幅方向一方の側縁に近い側）を中心として遊技ユニットが回転動作される態様となる。
【０６０３】
このように遊技ユニットが回転動作される態様では、複数組の接点は、遊技ユニットの回転基端側（支持部材の幅方向一方の側縁に近い側）に配置されるものほど接続の解除が最後となりやすいところ、かかる接続の解除が最後となりやすい側は、接続側規制手段による規制位置と解除側規制手段による規制位置との間に形成される所定の隙間が大きくされるので、接続が解除されるタイミングを更に遅らせることができる。即ち、もともと接続が解除されるタイミングの遅い側に対して、隙間を大きく設定することで、その接続が解除されるタイミングを更に遅くすることができる。
【０６０４】
これにより、遊技ユニットが取付完了位置から不用意に少し変位されとしても、もともと接続が解除され難い側での接続が解除されることを更に発生し難くでき、その接続を維持できる可能性を更に確保しやすくできる。よって、不用意に解除されることで遊技への影響が大きな重要な信号線に対して本構成が特に有効となる。
【０６０５】
遊技機Ｆ２において、遊技の主たる制御を行う主制御手段と、その主制御手段からの指示に従った制御を行う副制御手段と、その副制御手段に接続される副側装置と、前記主制御装置に接続される主側装置と、を備え、複数組の接点の列設方向中央よりも少なくとも前記列設方向一側における接点により連結される電気的接続線は、前記主制御手段と副制御手段との間または前記主制御手段と主側装置との間を接続する電気的接続線であり、複数組の接点の列設方向中央よりも少なくとも前記列設方向他側における接点により連結される電気的接続線は、前記副制御手段と副側装置との間を接続する電気的接続線であることを特徴とする遊技機Ｆ５。
【０６０６】
遊技機Ｆ５によれば、遊技機Ｆ２の奏する効果に加え、複数組の接点の列設方向中央よりも少なくとも列設方向一側（隙間が大きくされる側）における接点により連結される電気的接続線は、主制御手段と副制御手段との間または主制御手段と主側装置との間を接続する電気的接続線であり、複数組の接点の列設方向中央よりも少なくとも列設方向他側（隙間が小さくされる側）における接点により連結される電気的接続線は、副制御手段と副側装置との間を接続する電気的接続線であるので、接続が解除されると遊技への影響が比較的大きな部位となる接点（列設方向一側）の接続が解除されるタイミングを、接続が解除されたとしても遊技への影響が比較的小さな部位となる接点（列設方向他側）の接続が解除されるタイミングよりも遅らせることができる。これにより、遊技ユニットが取付完了位置から不用意に変位された場合の遊技への影響を抑制できる。
【０６０７】
遊技機Ｆ５において、前記副側装置が音声出力、表示手段または発光手段に関するものであることを特徴とする遊技機Ｆ６。
【０６０８】
遊技機Ｆ６によれば、遊技機Ｆ５の奏する効果に加え、遊技ユニットが取付完了位置から不用意に変位され、ユニット側コネクタ及び支持側コネクタの接続の解除が複数組の接点の一部で開始された場合に、遊技ユニットの不用意な変位を早期に停止させやすくできる。その結果、ユニット側コネクタ及び支持側コネクタの接続が完全に解除されることを回避して、遊技への影響を抑制できる。
【０６０９】
即ち、複数組の接点の列設方向中央よりも少なくとも列設方向他側（隙間が小さくされる側）における接点により連結される電気的接続線が、副制御手段と副側装置との間を接続する電気的接続線であり、その副側装置が、音声出力、表示または発光に関するものであるので、遊技中に、遊技ユニットが取付完了位置から不用意に変位され、ユニット側コネクタ及び支持側コネクタの接続の解除が一部で開始されることで、先に、複数組の接点の列設方向中央よりも少なくとも列設方向他側（隙間が小さくされる側）における接点の接続が解除されると、遊技における音声出力、表示または発光が停止されるので、かかる音声出力、表示または発光が停止されることに基づいて、作業者に対して、遊技ユニットを不用意に変位させていることを気付かせることができる。これにより、遊技ユニットの不用意な変位を早期に停止させやすくでき、その結果、ユニット側コネクタ及び支持側コネクタの接続が完全に解除されることを回避して、遊技への影響を抑制できる。
【０６１０】
遊技機Ｆ１からＦ６のいずれかにおいて、前記接続の方向に沿って弾性変形可能に形成され、前記接続の方向における前記コネクタの前記台座に対する配設位置を、前記接続側規制手段により前記コネクタの変位が規制される位置に位置決めする位置決め突部を備えることを特徴とする遊技機Ｆ７。
【０６１１】
遊技機Ｆ７によれば、遊技機Ｆ１からＦ６のいずれかの奏する効果に加え、コネクタの接続の方向における配設位置を位置決め突部により所定位置（初期位置）に位置決めできるので、ユニット側コネクタと支持側コネクタとの接続を開始する際に、台座に対してコネクタの配設位置が不用意に変化することを抑制できる。特に、位置決め突部により設定される初期位置が、接続側規制手段によりコネクタの変位が規制される位置であるので、台座に対するコネクタの配設位置を相手のコネクタとの接続を開始するのに適した位置に配置することができる。その結果、ユニット側コネクタと支持側コネクタとの接続開始時に、これら両コネクタどうしが衝突して破損することを抑制することができる。
【０６１２】
電気部品が搭載される遊技ユニットと、その遊技ユニットを支持する支持部材とを備える遊技機において、前記遊技ユニットの前記支持部材に対面する側に配設されるユニット側コネクタと、前記支持部材の前記遊技ユニットに対面する側に配設され、前記支持部材における取付完了位置へ向けて前記遊技ユニットが変位されることで前記ユニット側コネクタと接続されると共に、前記支持部材における取付完了位置から前記遊技ユニットが変位されることで前記ユニット側コネクタとの接続が解除される支持側コネクタと、を備え、前記ユニット側コネクタおよび支持側コネクタは、それらユニット側コネクタ及び支持側コネクタのそれぞれに配設される一対一組の接点を複数組備え、前記支持部材における取付完了位置から前記遊技ユニットが変位され、前記ユニット側コネクタ及び支持側コネクタの接続の解除が行われる場合には、かかる接続の解除が前記複数組の接点において同時に行われることを特徴とする遊技機Ｇ１。
【０６１３】
ここで、支持部材における取付完了位置へ向けて遊技ユニットが変位されることで、遊技ユニットのユニット側コネクタと支持部材の支持側コネクタとが接続される一方、支持部材における取付完了位置から遊技ユニットが変位されることで、遊技ユニットのユニット側コネクタと支持部材の支持側コネクタとの接続が解除される遊技機が知られている（特開２０１３−８１８１８号）。また、支持部材の前面には、前面側部材（前面枠）が配設されており、前面側部材は、幅方向一方の側縁が支持部材の幅方向一方の側縁に回転可能に軸支され、その軸支部分を中心に回転されることで、支持部材に対して開閉可能とされる。この場合、上述した遊技機では、例えば、遊技中に前面側部材を開いて作業を行おうとした際に、遊技ユニットが取付完了位置から不用意に変位されると、ユニット側コネクタ及び支持側コネクタの接続が、複数組の接点のうちの一部の組において解除され、遊技に影響を与えるおそれがあるという問題点があった。
【０６１４】
これに対し、遊技機Ｇ１によれば、支持部材における取付完了位置から遊技ユニットが変位され、ユニット側コネクタ及び支持側コネクタの接続の解除が行われる場合には、かかる接続の解除が複数組の接点において同時に行われるので、複数組の接点において、電気的に接続（導通）されている組と解除（切断）されている組とが混在せず、導通や切断のタイムラグ（タイミングの差）を発生させないので、遊技への影響を抑制することができる。
【０６１５】
遊技機Ｇ１において、前記複数組の接点は、前記一対の接点のうちの一方の接点の一端が、前記接続方向に沿ってそれぞれ異なる位置に配置されることを特徴とする遊技機Ｇ２。
【０６１６】
遊技機Ｇ２によれば、遊技機Ｇ１の奏する効果に加え、複数組の接点は、一対の接点のうちの一方の接点の一端が、接続方向に沿ってそれぞれ異なる位置に配置されるので、遊技ユニットが取付完了位置から変位され、ユニット側コネクタ及び支持側コネクタの接続の解除が行われる場合には、かかる接続の解除を複数組の接点において同時に行わせることができる。この場合、遊技機Ｄ２によれば、遊技機Ｇ１の奏する効果に加え、各接点の延設長さをそれぞれ異なる延設長さに設定するか、各接点の配設位置をそれぞれ接続の方向に沿ってずらしておけば良く、複雑な構造を採用する必要がない。よって、構造の簡素化を図ることができる。
【０６１７】
遊技機Ｇ２において、前記ユニット側コネクタ又は支持側コネクタの一方は、直線状に延設されるガイド溝を備えると共に、前記ユニット側コネクタ又は支持側コネクタの他方は、前記ガイド溝に沿って案内される被ガイド部を備え、前記複数組の接点は、前記ガイド溝の延設方向に沿って延設されることを特徴とする遊技機Ｇ３。
【０６１８】
遊技機Ｄ３によれば、遊技機Ｄ２の奏する効果に加え、ガイド溝が直線状に延設され、そのガイド溝の延設方向に沿って被ガイド部が案内されることで、ユニット側コネクタ及び支持側コネクタの解除が進行されるところ、複数組の接点は、ガイド溝の延設方向に沿って延設されるので、遊技ユニットが取付完了位置から変位される際に、一の組における接点を接続された状態に維持しやすくでき、その結果、ユニット側コネクタ及び支持側コネクタの接続の解除が行われる場合に、かかる接続の解除を複数組の接点において同時に行わせやすくできる。
【０６１９】
遊技機Ｇ１からＧ３のいずれかにおいて、前記支持部材の前面に配設されると共に幅方向一方の側縁が前記支持部材の幅方向一方の側縁に回転可能に軸支され前記幅方向一方の側縁を中心に回転されることで前記支持部材に対して開閉される前面側部材を備え、前記複数組の接点は、前記一対の接点のうちの一方の接点の一端が、前記支持部材の幅方向一方の側縁から離間するものほど前記接続方向先端側に配置されることを特徴とする遊技機Ｇ４。
【０６２０】
遊技機Ｇ４によれば、遊技機Ｇ１からＧ３のいずれかの奏する効果に加え、遊技ユニットが取付完了位置から変位され、ユニット側コネクタ及び支持側コネクタの接続の解除が行われる場合には、かかる接続の解除を複数組の接点において同時に行わせることができる。
【０６２１】
即ち、例えば、遊技中に、支持部材に対して前面側部材を隣の遊技者の邪魔とならない程度に少し開いた状態として作業を行う場合、それら前面側部材と支持部材との間の開放部分から作業を行うこととなる。そのため、開放部分から遊技ユニットも操作されることから、作業者が遊技ユニットを不用意に変位させる態様としては、開放部分側となる遊技ユニットの幅方向他方の側縁を支部部材へ向けて変位させ、開放部分の奥側となる遊技ユニットの幅方向一方の側縁（支持部材の幅方向一方の側縁側）を中心として遊技ユニットが回転動作される態様となる。
【０６２２】
このように遊技ユニットが回転動作される態様では、複数組の接点は、遊技ユニットの回転先端側（支持部材の幅方向一方の側縁から遠い側）に配置されるものほど先に接続が解除されやすくなるところ、一対の接点のうちの一方の接点の一端は、支持部材の幅方向一方の側縁から離間するものほど接続方向先端側に配置されるので、遊技ユニットが取付完了位置から不用意に変位され、ユニット側コネクタ及び支持側コネクタの接続の解除が行われる場合には、かかる接続の解除を複数組の接点において同時に行わせやすくすることができる。
【０６２３】
遊技機Ｇ１からＧ４のいずれかにおいて、前記遊技ユニットの幅方向一方の側縁が前記支持部材の幅方向一方の側縁に回転可能に軸支され、前記複数組の接点は、前記一対の接点のうちの一方の接点の一端が、前記遊技ユニットの幅方向一方の側縁から離間するものほど前記接続方向先端側に配置されることを特徴とする遊技機Ｇ５。
【０６２４】
遊技機Ｇ５によれば、遊技機Ｇ１からＧ４のいずれかの奏する効果に加え、遊技ユニットが取付完了位置から変位され、ユニット側コネクタ及び支持側コネクタの接続の解除が行われる場合には、かかる接続の解除を複数組の接点において同時に行わせることができる。即ち、遊技ユニットの幅方向一方の側縁が支持部材の幅方向一方の側縁に回転可能に軸支されるので、複数組の接点は、遊技ユニットの回転先端側（遊技ユニットおよび支持部材の幅方向一方の側縁から遠い側）に配置されるものほど先に接続が解除されやすくなるところ、一対の接点のうちの一方の接点の一端は、遊技ユニット（支持部材）の幅方向一方の側縁から離間するものほど接続方向先端側に配置されるので、遊技ユニットが取付完了位置から不用意に変位され、ユニット側コネクタ及び支持側コネクタの接続の解除が行われる場合には、かかる接続の解除を複数組の接点において同時に行わせやすくすることができる。
【０６２５】
なお、遊技機Ｇ４又はＧ５において、一対の接点のうちの一方の接点の一端を、接続の方向に沿ってそれぞれ位置をずらして配置する場合に、それぞれの接点の一端を通過して形成される仮想線は、直線状であっても良く、曲線状であっても良く、或いは、直線および曲線を組み合わせた形状であっても良い。
【０６２６】
遊技機Ａ１からＡ１７，Ｂ１からＢ６，Ｃ１からＣ６，Ｄ１からＤ７，Ｅ１からＥ７，Ｆ１からＦ７，Ｇ１からＧ５のいずれかにおいて、前記遊技機はスロットマシンであることを特徴とする遊技機Ｋ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０６２７】
遊技機Ａ１からＡ１７，Ｂ１からＢ６，Ｃ１からＣ６，Ｄ１からＤ７，Ｅ１からＥ７，Ｆ１からＦ７，Ｇ１からＧ５のいずれかにおいて、前記遊技機はパチンコ遊技機であることを特徴とする遊技機Ｋ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示される識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０６２８】
遊技機Ａ１からＡ１７，Ｂ１からＢ６，Ｃ１からＣ６，Ｄ１からＤ７，Ｅ１からＥ７，Ｆ１からＦ７，Ｇ１からＧ５のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成される遊技機」となる。
＜その他＞
パチンコ機等の遊技機において、支持部材における取付完了位置へ向けて遊技ユニットが変位されることで、遊技ユニットのユニット側コネクタと支持部材の支持側コネクタとが接続される一方、支持部材における取付完了位置から遊技ユニットが変位されることで、遊技ユニットのユニット側コネクタと支持部材の支持側コネクタとの接続が解除される遊技機が知られている（特開２０１３−８１８１８号公報）。
支持部材の前面には、前面側部材（前面枠）が配設されており、前面側部材は、幅方向一方の側縁が支持部材の幅方向一方の側縁に回転可能に軸支され、その軸支部分を中心に回転されることで、支持部材に対して開閉可能とされる。
しかしながら、上述した従来の遊技機では、例えば、遊技中に前面側部材を開いて作業を行おうとした際に、遊技ユニットが取付完了位置から不用意に変位されると、ユニット側コネクタ及び支持側コネクタの接続が解除され、遊技に影響を与えるおそれがあるという問題点があった。
本技術的思想は、上記例示した問題点を解決するためになされたものであり、遊技ユニットが取付完了位置から不用意に変位された場合に、遊技に影響を与えることを抑制できる遊技機を提供することを目的とする。
＜手段＞
この目的を達成するために技術的思想１の遊技機は、電気部品が搭載される遊技ユニットと、その遊技ユニットを支持する支持部材とを備えるものであり、前記遊技ユニットの前記支持部材に対面する側に配設されるユニット側コネクタと、前記支持部材の前記遊技ユニットに対面する側に配設され、前記支持部材における取付完了位置へ向けて前記遊技ユニットが変位されることで前記ユニット側コネクタと接続されると共に、前記支持部材における取付完了位置から前記遊技ユニットが変位されることで前記ユニット側コネクタとの接続が解除される支持側コネクタと、を備え、前記ユニット側コネクタ又は支持側コネクタの少なくとも一方は、前記遊技ユニットまたは支持部材に配設される台座と、その台座に前記接続の方向と直交する方向への変位が許容された状態で保持されるコネクタと、前記台座に対して前記コネクタが前記接続時に前記接続の方向に沿って変位することを規制する接続側規制手段と、前記台座に対して前記コネクタが前記接続の解除時に前記接続の方向に沿って変位することを規制する解除側規制手段と、を備え、前記接続側規制手段による規制位置と前記解除側規制手段による規制位置との間に所定の隙間が形成されている。
技術的思想２の遊技機は、技術的思想１記載の遊技機において、前記ユニット側コネクタおよび支持側コネクタは、それらユニット側コネクタ及び支持側コネクタのそれぞれに配設される一対一組の接点を複数組備え、前記接続側規制手段による規制位置と前記解除側規制手段による規制位置との間に形成される所定の隙間は、前記複数組の接点の列設方向一側における隙間が、前記複数組の接点の列設方向他側における隙間よりも大きくされる。
技術的思想３の遊技機は、技術的思想１又は２に記載の遊技機において、前記支持部材の前面に配設されると共に幅方向一方の側縁が前記支持部材の幅方向一方の側縁に回転可能に軸支され前記幅方向一方の側縁を中心に回転されることで前記支持部材に対して開閉される前面側部材を備え、前記複数組の接点の列設方向が前記支持部材の幅方向に沿って配設されると共に、前記接続側規制手段による規制位置と前記解除側規制手段による規制位置との間に形成される所定の隙間は、前記支持部材の幅方向一方の側縁から遠い側における隙間が、前記支持部材の幅方向一方の側縁に近い側における隙間よりも大きくされる。
＜効果＞
技術的思想１記載の遊技機によれば、接続側規制手段による規制位置と解除側規制手段による規制位置との間に所定の隙間が形成されているので、支持部材における取付完了位置から遊技ユニットが不用意に変位されたとしても、その変位が両規制手段による規制位置の間の隙間に相当する距離に達するまでの間（即ち、隙間が詰まるまでの間）は、ユニット側コネクタ及び支持側コネクタの接続の解除が開始されることを抑制できる。その結果、複数組の接点における接続を維持して、遊技への影響を抑制できる。
技術的思想２記載の遊技機によれば、技術的思想１記載の遊技機の奏する効果に加え、接続側規制手段による規制位置と解除側規制手段による規制位置との間に形成される所定の隙間は、複数組の接点の列設方向一側における隙間が、複数組の接点の列設方向他側における隙間よりも大きくされるので、支持部材における取付完了位置から遊技ユニットが変位された際には、複数組の接点の列設方向一側に配設される接点における接続の解除を、複数組の接点の列設方向他側に配設される接点における接続の解除よりも後とできる。よって、遊技ユニットが取付完了位置から不用意に変位され、ユニット側コネクタ及び支持側コネクタの接続が少し解除されてしまったとしても、複数組の接点の列設方向一側に配設される接点における接続を維持できる可能性を確保できる。その結果、複数組の接点のうちの少なくとも複数組の接点の列設方向一側に配設される接点における接続を維持できることで、その分、遊技への影響を抑制できる。
技術的思想３記載の遊技機によれば、技術的思想１又は２に記載の遊技機の奏する効果に加え、遊技ユニットが取付完了位置から変位される際に、複数組の接点のうちで先に接続が解除されやすい位置（支持部材の幅方向一方の側縁から遠い側）に配置される接点の接続が解除されるタイミングを極力遅らせることができる。
即ち、例えば、遊技中に、支持部材に対して前面側部材を遊技中に隣の遊技者の邪魔とならない程度に少し開いた状態で作業を行う場合、それら前面側部材と支持部材との間の開放部分から作業を行うこととなる。そのため、開放部分から遊技ユニットも操作されることから、作業者が遊技ユニットを不用意に変位させる態様としては、開放部分側となる遊技ユニットの幅方向他方の側縁を支部部材へ向けて変位させ、開放部分の奥側となる遊技ユニットの幅方向一方の側縁（支持部材の幅方向一方の側縁に近い側）を中心として遊技ユニットが回転動作される態様となる。
このように遊技ユニットが回転動作される態様では、複数組の接点は、遊技ユニットの回転先端側（支持部材の幅方向一方の側縁から遠い側）に配置されるものほど先に接続が解除されやすくなるところ、かかる先に接続が解除されやすい側は、接続側規制手段による規制位置と解除側規制手段による規制位置との間に形成される所定の隙間が大きくされるので、遊技ユニットが取付完了位置から不用意に少し変位されとしても、先に接続が解除されやすい側における接続が解除されるタイミングを遅らせることができ、その結果、接続を維持できる可能性を確保できる。
【符号の説明】
【０６２９】
１０                パチンコ機（遊技機）
１２                内枠（支持部材）
１３                遊技盤ユニット（遊技ユニット）
１４                前面枠（前面側部材）
２２                枠ボタン（副側装置）
６０ｂ              底面
６０ｂ２            第２底面（底面）
７５                配線保持部材（保持部）
１１０              主制御装置（主制御手段）
１１１              払出制御装置（副制御手段）
１１２              発射制御装置（副側装置）
１１３              音声ランプ制御装置（副制御手段）
１１４              表示制御装置（福制御手段）
１１５              電源装置（主側装置）
２０８              各種スイッチ（主側装置）
２０９              ソレノイド（主側装置）
２１６              払出モータ２１６（副側装置）
２２６              音声出力装置（副側装置）
２２７              ランプ表示装置（副側装置）
２２８              その他装置（副側装置）
３７１，３７ｂ      第１図柄表示装置（主側装置）
３００Ａ，８３００Ａ，９３００Ａ，１０３００Ａ，１１３００Ａ  遊技盤側コネクタ（ユニット側コネクタ）
４００，８４００    台座
４１１              第１正面板（正面壁の一部）
４１１ａ，４１２ａ  中間正面板（接続側規制部、解除側規制部、ストッパ手段および台座側ストッパ手段の一部）
４１１ｂ，４１２ｂ  基端側正面板（接続側規制部、解除側規制部）
４１１ｃ，４１２ｃ  先端側正面板（接続側規制部、ストッパ手段および台座側ストッパ手段の一部）
４１２              第２正面板（正面壁の一部）
４１４，４１５      短手側壁板（側壁）
４１６，４１７      長手側壁板（側壁）
４１６ａ            切り欠き部（当接部）
４２１，８４２１    第１開口（開口）
４２２，８４２２    第２開口（開口）
４２１ａ，４２２ａ  中央開口（開口の一部）
４２１ｂ，４２２ｂ  基端側開口（開口の一部）
４２１ｃ，４２２ｃ  先端側開口（開口の一部）
４３１              基端側固定部（被締結部）
４３２              中間固定部（被締結部）
４３２ａ            受け面
４３３              先端側固定部（被締結部）
４４１，８４４１，９４４１  第１基端側弾性片（弾性片、位置決め手段）
８４４１ａ，８４５１ａ  張出部分（第２張出部）
８４４１ｂ，８４５１ｂ  直線部分（直線部）
８４４１ｃ，８４５１ｃ  延設部分（延設部）
ＳＬ１，ＳＲ１      傾斜面
４５１，８４５１，９４５１  第１先端側弾性片（弾性片、位置決め手段）
４５１ｃ            延設部分（解除側規制部、規制部）
４４２，８４４２，９４４２  第２基端側弾性片（弾性片、位置決め手段）
８４４２ａ，８４５２ａ  張出部分（第２張出部）
８４４２ｂ，８４５２ｂ  直線部分（直線部）
８４４２ｃ，８４５２ｃ  延設部分（延設部）
ＳＬ２，ＳＲ２      傾斜面
４５２，８４５２，９４５２  第２先端側弾性片（弾性片、位置決め手段）
５００，８５００    第１オスコネクタ（コネクタ）
５１０，６１０      ハウジング（本体部）
５２０，４５２０，５５２０，６５２０，７５２０  接点部材（接点）
５３０              被ガイド部
５４１              基端側正面板（第１壁部またた第２壁部の一方、壁部）
５４２              先端側正面板（第１壁部またた第２壁部の一方、壁部）
５４３              側部正面板（第１壁部またた第２壁部の一方、壁部）
５５１              基端側背面板（第１壁部またた第２壁部の他方、壁部）
５５２              先端側背面板（第１壁部またた第２壁部の他方、壁部）
５５２ｂ            延設部（弾性係合片）
１０５５２ｂ１      位置決め突部
５５２ｃ            係合部（ストッパ手段およびコネクタ側ストッパ手段の一部）
５５３              側部背面板（第１壁部またた第２壁部の他方、壁部）
５６１              基端側係合面（ストッパ手段およびコネクタ側ストッパ手段の一部）
５６２              先端側係合面（ストッパ手段およびコネクタ側ストッパ手段の一部）
６００，８６００    第２オスコネクタ（コネクタ）
３００Ｂ            内枠側コネクタ（支持側コネクタ）
７０２              第２仮置き部（案内面部材）
８２０              接点部材（接点）
８３０              ガイド溝
ＷＨ                電気的接続線